(57)【要約】【課題】遊技機への信頼性を好適に向上させることが可能な遊技機を提供する。【解決手段】パチンコ機には、遊技に関する主たる制御を実行する主制御装置が設けられている。主制御装置には監視装置６００が接続されており、監視装置６００では遊技領域に設けられた一般入賞口への入球状況を監視している。監視装置６００にて記憶されている監視結果は、報知・演出制御装置にて随時参照され、報知・演出制御装置ではこの監視結果に基づいて入球が正常な頻度で発生しているか否かを判定する。入球頻度が正常でないと判定した場合には、その旨を示す異常報知が実行されることとなる。監視装置６００では、異常報知の解除操作が行われた回数を記憶する。【選択図】      図５０
2019063032.tif 000002
【特許請求の範囲】
【請求項１】
遊技領域に設けられた始動入球部と、
前記始動入球部への入球に基づいて特別情報を取得する情報取得手段と、
前記情報取得手段により取得された特別情報を記憶可能な取得情報記憶手段と、
前記取得情報記憶手段に記憶されている特別情報に基づいて通常遊技状態よりも遊技者に有利な特別遊技状態に移行させるか否かの抽選を行う抽選手段と
を備えている遊技機であって、
遊技球の獲得期待値に対応した設定値を複数段階備え、それら設定値の中から一の設定値を決定する設定値決定手段と、
前記設定値決定手段により決定される設定値を変更すべく操作される設定値変更手段と、
遊技に関する監視情報を記憶する監視情報記憶手段と、
前記監視情報記憶手段により記憶されている監視情報及び予め定められている判定基準情報に基づいて特定事象である異常の発生の有無を判定する判定手段と、
前記判定手段により異常が発生したと判定された場合に、所定の報知を行う報知手段と、
解除操作に基づいて前記報知手段による前記所定の報知を解除する解除手段と、
前記解除手段による前記所定の報知の解除回数を記憶する解除回数記憶手段と
を有していることを特徴とする遊技機。
【請求項２】
前記解除操作が行われた場合の遊技機の状態を特定する状態特定手段と、
前記状態特定手段により特定された遊技機の状態が所定状態であるか否かを判定する状態判定手段と
を備え、
前記解除回数記憶手段は、少なくとも前記解除操作が前記所定状態にて行われている場合に解除回数を記憶する手段を有していることを特徴とする請求項１に記載の遊技機。
【請求項３】
前記解除操作が行われる前の設定値及び当該解除操作が行われた後の設定値を特定する設定値特定手段を備え、
前記解除回数記憶手段は、少なくとも前記解除操作の前後にて設定値が変更されている場合に前記解除回数を記憶する手段を有していることを特徴とする請求項１又は請求項２に記載の遊技機。
【請求項４】
前記解除操作である所定の解除に基づいて前記判定手段にて参照される前記判定基準情報の切り替えを行う基準情報切替手段を備え、
前記解除回数記憶手段は、前記所定の解除操作に伴って前記判定基準情報が変更された場合に解除回数を記憶する手段を有していることを特徴とする請求項１乃至請求項３のいずれか１つに記載の遊技機。
【請求項５】
前記設定値決定手段により決定された設定値に応じて、前記判定基準情報の切り替えを行う基準情報切替手段を備え、
前記設定値によって前記入球部への入球頻度が相違する構成となっており、
前記監視情報記憶手段は、前記遊技領域に設けられた入球部への入球数を示す入球情報を前記監視情報として記憶する構成となっており、
前記解除回数記憶手段は、所定の解除操作に伴って設定値が変更された場合に解除回数を記憶する手段を有していることを特徴とする請求項１乃至請求項３のいずれか１つに記載の遊技機。
【請求項６】
前記設定値として第１設定値及び第２設定値を有し、
前記判定基準情報として、前記第１設定値に対応した判定基準範囲を規定する第１判定基準情報と、前記１判定基準情報によって規定された基準範囲に対してずれた範囲となるようにして前記第２設定値に対応した判定基準範囲を規定する第２判定基準情報とを有し、
前記解除回数記憶手段は、前記第１設定値となっている状況下にて入球情報が前記第１判定基準情報に対して第２判定基準情報側に外れることで前記判定手段により異常が発生したと判定されている状況下にて、前記所定の解除操作に基づいた前記所定の報知の解除に伴って判定基準情報が前記第１判定基準情報から前記第２判定基準情報に切り替わった場合に、解除回数を記憶する構成となっていることを特徴とする請求項４又は請求項５に記載の遊技機。
【発明の詳細な説明】
【技術分野】
【０００１】
本発明は、遊技機に関するものである。
【背景技術】
【０００２】
パチンコ機等の遊技機には、表示画面にて絵柄を変動表示する絵柄表示装置を備えているものがある。この種の遊技機では、例えば遊技領域に設けられた作動口への入賞を契機として、当たり状態等の遊技者にとって有利な特定遊技状態を発生させるか否かの抽選が行われるとともに、絵柄の変動表示が開始される。抽選に当選した場合には、表示画面に特定の絵柄組合せ等が最終停止表示されるとともに、遊技状態が特定遊技状態に移行する（例えば特許文献１参照）。
【先行技術文献】
【特許文献】
【０００３】
【特許文献１】特開２００５−０７４１７５号公報
【発明の概要】
【発明が解決しようとする課題】
【０００４】
近年では、遊技機の動作の信頼性を高めるべく様々な工夫がなされている。しかしながら、遊技機の構成においては信頼性の向上を実現する上では未だ改善の余地がある。
【０００５】
本発明は、上記例示した事情等に鑑みてなされたものであり、遊技機の信頼性を好適に向上させることが可能な遊技機を提供することを目的とするものである。
【課題を解決するための手段】
【０００６】
本発明は、
遊技領域に設けられた始動入球部と、
前記始動入球部への入球に基づいて特別情報を取得する情報取得手段と、
前記情報取得手段により取得された特別情報を記憶可能な取得情報記憶手段と、
前記取得情報記憶手段に記憶されている特別情報に基づいて通常遊技状態よりも遊技者に有利な特別遊技状態に移行させるか否かの抽選を行う抽選手段と
を備えている遊技機であって、
遊技球の獲得期待値に対応した設定値を複数段階備え、それら設定値の中から一の設定値を決定する設定値決定手段と、
前記設定値決定手段により決定される設定値を変更すべく操作される設定値変更手段と、
遊技に関する監視情報を記憶する監視情報記憶手段と、
前記監視情報記憶手段により記憶されている監視情報及び予め定められている判定基準情報に基づいて特定事象である異常の発生の有無を判定する判定手段と、
前記判定手段により異常が発生したと判定された場合に、所定の報知を行う報知手段と、
解除操作に基づいて前記報知手段による前記所定の報知を解除する解除手段と、
前記解除手段による前記所定の報知の解除回数を記憶する解除回数記憶手段と
を有していることを特徴とする。
【発明の効果】
【０００７】
本発明によれば、遊技機への信頼性を好適に向上させることができる。
【図面の簡単な説明】
【０００８】
【図１】第１の実施の形態におけるパチンコ機を示す正面図である。
【図２】パチンコ機を前方から見た斜視図である。
【図３】パチンコ機の主要な構成を展開して示す斜視図である。
【図４】パチンコ機の主要な構成を展開して示す斜視図である。
【図５】内枠の構成を示す正面図である。
【図６】遊技盤ユニットの構成を示す正面図である。
【図７】遊技盤ユニットを後方から見た斜視図である。
【図８】内枠の構成を示す背面図である。
【図９】パチンコ機の背面図である。
【図１０】裏パックユニットを示す正面図である。
【図１１】パチンコ機の電気的構成を示すブロック図である。
【図１２】図柄表示装置の表示画面における表示内容を説明するための概略図である。
【図１３】図柄表示装置の表示画面における表示内容を説明するための概略図である。
【図１４】当否抽選などに用いられる各種カウンタの内容を説明するための説明図である。
【図１５】設定毎の当選確率を示す概略図である。
【図１６】低確率モード用の当否テーブルを示す概略図である。
【図１７】高確率モード用の当否テーブルを示す概略図である。
【図１８】（ａ），（ｂ）振分テーブルを示す概略図、（ｃ）当たり種別とサポートモードとの関係を示す概略図である。
【図１９】主制御装置のＭＰＵによるメイン処理を示すフローチャートである。
【図２０】主制御装置のＭＰＵによるタイマ割込み処理を示すフローチャートである。
【図２１】作動口用の入賞処理を示すフローチャートである。
【図２２】情報取得処理を示すフローチャートである。
【図２３】主制御装置のＭＰＵによる通常処理を示すフローチャートである。
【図２４】遊技回制御処理を示すフローチャートである。
【図２５】データ設定処理を示すフローチャートである。
【図２６】変動開始処理を示すフローチャートである。
【図２７】変動表示時間の設定処理を示すフローチャートである。
【図２８】遊技状態移行処理を示すフローチャートである。
【図２９】報知・演出制御装置及び表示制御装置に係る電気的構成を示すブロック図である。
【図３０】報知・演出制御装置のＭＰＵによる変動表示制御処理を示すフローチャートである。
【図３１】変動用開始処理を示すフローチャートである。
【図３２】（ａ）変動表示態様の種類を示す概略図、（ｂ）各変動表示態様の概要を示す概略図である。
【図３３】監視装置及びそれに関連する構成を示すブロック図である。
【図３４】主制御装置及びそれに関連する構成を示すブロック図である。
【図３５】主制御装置のＭＰＵにて実行される設定変更用処理を示すフローチャートである。
【図３６】設定変更の可否の切り替わりを示すタイミングチャートである。
【図３７】（ａ）第２の実施の形態における初期コマンド出力処理を示すフローチャート、（ｂ）設定変更処理を示すフローチャートである。
【図３８】（ａ）初期コマンド及び設定変更コマンドに含まれるコードを示す概略図、（ｂ）賞球コマンド設定処理を示すフローチャート、（ｃ）賞球コマンドに含まれる情報を示す概略図である。
【図３９】（ａ）払出制御装置のＭＰＵにて実行されるコマンド対応処理を示すフローチャート、（ｂ）第３の実施の形態における監視装置にて実行される設定値対比処理を示すフローチャートである。
【図４０】（ａ）第４の実施の形態における報知・演出制御装置のＭＰＵにて実行される異常報知用設定処理を示すフローチャート、（ｂ）報知・演出制御装置のＭＰＵにて実行される異常報知用処理を示すフローチャートである。
【図４１】（ａ）一般入賞口への入賞確率を示す概略図、（ｂ）入賞確率と設定との関係を示す概略図である。
【図４２】設定毎の正常範囲の違いを示す概略図である。
【図４３】（ａ）第５の実施の形態における監視装置を示す概略図、（ｂ）監視装置の一時記憶領域に記憶される情報を示す概略図である。
【図４４】報知・演出制御装置のＭＰＵにて実行される異常報知用処理を示すフローチャートである。
【図４５】設定と参照情報との関係を示す概略図である。
【図４６】（ａ）第６の実施の形態における電気的構成を示す概略図、（ｂ）設定値と補正係数との関係とを示す概略図である。
【図４７】第７の実施の形態における報知・演出制御装置のＭＰＵにて実行される異常報知用処理を示すフローチャートである。
【図４８】異常報知の流れを示すタイミングチャートである。
【図４９】報知・演出制御装置のＭＰＵにて実行される異常報知解除用処理を示すフローチャートである。
【図５０】監視装置を示す概略図である。
【図５１】第８の実施の形態における主制御装置のＭＰＵにて実行される異常報知解除用処理を示すフローチャートである。
【図５２】設定変更用処理を示すフローチャートである。
【図５３】メイン処理を示すフローチャートである。
【図５４】（ａ）第９の実施の形態における設定値を示す情報の送受信に係る構成を示すブロック図、（ｂ）報知・演出制御装置のＭＰＵにて実行される外れリーチ発生用の演出設定処理を示すフローチャートである。
【図５５】表示演出の流れを示す概略図である。
【図５６】外れスーパーリーチＣが実行される場合の設定値と図柄組合せとの関係を示す概略図である。
【図５７】設定示唆可否決定テーブルを示す概略図である。
【図５８】（ａ）第１０の実施の形態における保留数と図柄組合せの停止表示時間との関係を示す概略図、（ｂ）演出の流れを示す概略図である。
【図５９】第１１の実施の形態における報知・演出制御装置のＭＰＵにて実行される外れリーチ発生用の演出設定処理を示すフローチャートである。
【図６０】遊技回数と判定基準回数との関係を示す概略図である。
【図６１】第１２の実施の形態における主制御装置のＭＰＵにて実行される変動表示時間の設定処理を示すフローチャートである。
【図６２】変動表示時間と設定示唆との関係を示す概略図である。
【図６３】外れリーチ発生用の演出設定処理を示すフローチャートである。
【図６４】外れリーチ用の最終停止図柄組合せ決定テーブルを示す概略図である。
【図６５】最終停止図柄組合せと設定示唆の内容との関係を示す概略図である。
【発明を実施するための形態】
【０００９】
＜第１の実施の形態＞
以下、遊技機の一種であるパチンコ遊技機（以下、「パチンコ機」という）の第１の形態を、図面に基づいて詳細に説明する。図１はパチンコ機１０の正面図、図２及び図３はパチンコ機１０の主要な構成を展開して示す斜視図である。なお、図２では便宜上パチンコ機１０の遊技領域内の構成を省略している。
【００１０】
図１に示すように、パチンコ機１０は、当該パチンコ機１０の外殻を形成する外枠１１と、この外枠１１に取り付けられた遊技機主部１２とにより構成されている。
【００１１】
図２に示すように、外枠１１は長尺状のフレーム材を四辺に連結し構成されるものであって全体として矩形枠状をなすように形成されている。この外枠１１を島設備に取り付け固定することにより、パチンコ機１０が遊技ホールに設置される。なお、パチンコ機１０において外枠１１は必須の構成ではなく、遊技ホールの島設備等に外枠１１が備え付けられた構成としてもよい。
【００１２】
遊技機主部１２は、外枠１１によって開閉可能な状態で支持されている。具体的には、外枠１１における上枠部と左枠部との連結部分に上側支持用金具１７が固定されており、さらに外枠１１における下枠部と左枠部との連結部分に下側支持用金具１８が設けられている。これら上側支持用金具１７及び下側支持用金具１８により支持機構が構成され、当該支持機構により外枠１１に対して遊技機主部１２がパチンコ機１０の正面視で左側を回動基端側、右側を回動先端側としてパチンコ機１０の前方へ回動可能とされている（図３及び図４参照）。
【００１３】
図３及び図４に示すように、遊技機主部１２は、ベース体としての内枠１３と、その内枠１３の前方に配置される前扉枠１４と、内枠１３の後方に配置される裏パックユニット１５とを備えている。なお、遊技機主部１２のうち内枠１３が外枠１１に対して回動可能に支持されている。詳細には、遊技機正面視で左側を回動基端側とし右側を回動先端側として内枠１３が前方へ回動可能とされている。
【００１４】
内枠１３には、前扉枠１４が回動可能に支持されており、遊技機正面視で左側を回動基端側とし右側を回動先端側として前方へ回動可能とされている。また、内枠１３には、裏パックユニット１５が回動可能に支持されており、遊技機正面視で左側を回動基端側とし右側を回動先端側として後方へ回動可能とされている。
【００１５】
（前扉枠１４）
次に、前扉枠１４について説明する。図１に示すように、前扉枠１４は、外形が外枠１１とほぼ同一形状をなす合成樹脂製の枠体２０を主体に構成されており、内枠１３における前面のほぼ全域を覆っている。枠体２０の中央部分には後述する遊技領域ＰＥのほぼ全域を前方から視認することができるようにした略楕円状の窓部２１が形成されており、その窓部２１はガラスユニット２２によって同前扉枠１４の背面側から塞がれている。
【００１６】
ガラスユニット２２は、透明性を有する複数のガラスパネル２３と、それらガラスパネル２３を保持するガラスホルダとを備えている。ガラスホルダには、ガラスパネル２３の保持領域を前後に仕切る仕切り部が形成されており、両ガラスパネル２３は仕切り部を挟んで前後に相対向している。つまり、両ガラスパネル２３の間に所定の隙間を確保することにより、ガラスパネル２３同士の干渉を回避しつつ、それらガラスパネル２３によって遊技領域ＰＥをパチンコ機１０の正面側から２重に覆った状態となっている。
【００１７】
なお、必ずしも両ガラスパネル２３をガラスホルダを用いてユニット化する必要は無く、各ガラスパネル２３を枠体２０に対して個々に取り付ける構成としてもよい。更には、ガラスパネルの枚数は任意であり、１枚としてもよいし、３枚以上としてもよい。但し、安全性及び防犯性向上に鑑みれば、複数のガラスパネルを採用し、それら各ガラスパネルを所定の隙間を挟んで前後に対向させることが好ましい。因みに、ガラスパネルに代えて透明性を有する合成樹脂性のパネル部材を採用することも可能である。
【００１８】
ガラスユニット２２（詳しくは窓部２１）の周囲には、各種ランプ等の発光手段が設けられている。例えば、窓部２１の周縁に沿ってＬＥＤ等の発光手段を内蔵した環状電飾部２６が設けられている。環状電飾部２６では、大当たり時や所定のリーチ時等における遊技状態の変化に応じて点灯や点滅が行われる。また、環状電飾部２６の中央であってパチンコ機１０の最上部にはエラー等の不具合が発生した場合に点灯するエラー表示ランプ部２７が設けられ、さらにその左右には賞球払出中に点灯する賞球ランプ部２８が設けられている。また、左右の賞球ランプ部２８に近接した位置には、遊技状態に応じた効果音やＢＧＭ等などが出力されるスピーカ部２９が各々設けられている（図３参照）。スピーカ部２９においては、遊技状態に応じてＢＧＭ等の切り替えを行うことにより、遊技の単調化を抑制している。
【００１９】
前扉枠１４（枠体２０）における窓部２１の下方には、手前側へ膨出した上側膨出部３１と下側膨出部３２とが上下に並設されている。上側膨出部３１内側には上方に開口した上皿３３が設けられており、下側膨出部３２内側には同じく上方に開口した下皿３４が設けられている（図２参照）。上皿３３は、後述する払出装置より払い出された遊技球を一旦貯留し、一列に整列させながら後述する遊技球発射機構へ導くための機能を有する。また、下皿３４は、上皿３３内にて余剰となった遊技球を貯留する機能及び遊技球発射機構によって発射された遊技球のうち遊技領域ＰＥ（図３参照）に到達しなかった遊技球が遊技者に戻された場合に当該排出された遊技球を貯留する受け皿としての機能を有する。
【００２０】
下側膨出部３２の右方には、手前側へ突出するようにして遊技球発射ハンドル４１が設けられている。遊技球発射ハンドル４１が操作されることにより、後述する遊技球発射機構から遊技球が発射される。なお、遊技球の発射速度は、遊技球発射ハンドル４１の操作量（回動量）が大きくなるに従って速くなり、この操作量が遊技者により調整されて所定の量となった場合に遊技球が遊技領域ＰＥへ到達することとなる。また、この操作量を遊技者が調整することで、後述する右ルートと左ルートへの遊技球の打ち分けが可能となる。
【００２１】
図３に示すように、前扉枠１４の背面には、通路形成ユニット４５が取り付けられている。通路形成ユニット４５は、合成樹脂により成形されており、上皿３３に通じる前扉側上皿通路と、下皿３４に通じる前扉側下皿通路とを有してなる。通路形成ユニット４５において、その上側隅部には後方に突出し上方に開放された受口部が形成されており、当該受口部を仕切壁によって左右に仕切ることで前扉側上皿通路の入口部分と前扉側下皿通路の入口部分とが区画形成されている。前扉側上皿通路及び前扉側下皿通路は上流側が後述する遊技球分配部に通じており、前扉側上皿通路に入った遊技球は上皿３３に導かれ、前扉側下皿通路に入った遊技球は下皿３４に導かれる。
【００２２】
前扉枠１４の背面における回動基端側には、その上端部及び下端部に突起軸が設けられている。これら突起軸は内枠１３に対する組付機構を構成する。
【００２３】
次に、図５を参照して内枠１３について詳細に説明する。図５は内枠１３の正面図である。なお、図５においても図３と同様に便宜上パチンコ機１０の遊技領域ＰＥ内の構成を省略している。
【００２４】
（内枠１３）
内枠１３は、外形が外枠１１と同様に略矩形状をなす内枠ベース体５０を主体に構成されている。内枠ベース体５０の高さ寸法は、外枠１１の高さ寸法よりも若干小さく設定されている。また、内枠ベース体５０は外枠１１の上枠部に寄せて配置され、外枠１１の下枠部と内枠ベース体５０との間には若干の隙間が形成されている。外枠１１にはこの隙間を塞ぐようにして幕板が装着されている。幕板は、内枠ベース体５０（詳しくはその下端部）の下方に配置されており、内枠１３が外枠１１に対して閉じられた状態では内枠ベース体５０が幕板の上に載ることとなる。なお、幕板と内枠ベース体５０との間に相互干渉の防止等を目的として若干のクリアランスを設けてもよい。
【００２５】
内枠ベース体５０の前面における回動基端側（図５の左側）には、その上端部及び下端部に支持金具７１，７２が取り付けられている。図示は省略するが、支持金具７１，７２は軸部を有しており、それら軸部に前扉枠１４に設けられた軸受け部が挿入されることにより、内枠１３に対して前扉枠１４が回動可能に支持されている。
【００２６】
内枠ベース体５０の回動先端側（図５の右側）には、内枠１３や前扉枠１４を施錠状態とするための施錠装置７５が配設されている。施錠装置７５は内枠ベース体５０の右端部（後述する縦フレーム部材）に沿うようにして上下に延びており、その長手方向（上下方向）に散在して配置された前扉用鉤部材７６を有している。内枠ベース体５０には前扉枠１４の背面に設けられた鉤受け部材４９（図３参照）内枠１３の正面側に突出させるためのスリットが各前扉用鉤部材７６にそれぞれ対応するようにして形成されている。それらスリットを通じて突出した前扉用鉤部材７６が、前扉枠１４に各前扉用鉤部材７６に１対１で対応させて設けられた鉤受け部材４９に係止されることによって、前扉枠１４が内枠１３に対して開放不能に施錠される。また、施錠装置７５は、内枠１３の後方側に延出する内枠用鉤部材７７を有している。これら内枠用鉤部材７７が外枠１１に固定された鉤受け部材１９に引っ掛かることにより遊技機主部１２が外枠１１に対して閉じた状態で施錠される。
【００２７】
内枠ベース体５０（施錠装置７５）には、施錠装置７５の解錠操作を行うためのシリンダ錠７８が設置されている。シリンダ錠７８は施錠装置７５の主要部分を構成する施錠ユニット（各鉤部材７６，７７や連動杆等）とは別体で設けられており、当該施錠ユニットと隣接して配置されている。シリンダ錠７８の鍵穴に差し込んだキーを右（時計回り）に回すと内枠１３に対する前扉枠１４の施錠が解除され、シリンダ錠７８の鍵穴に差し込んだキーを左（反時計回り）に回すと外枠１１に対する内枠１３の施錠が解除されるように構成されている。
【００２８】
内枠ベース体５０の中央部分には遊技盤ユニット８０を収容する収容凹部５１が形成されている。収容凹部は遊技盤ユニット８０の外形に合わせて遊技機後方に窪んでおり、遊技盤ユニット８０はこの収容凹部５１に遊技機前方から嵌まった状態で手動式のロック機構によって固定されている。収容凹部５１の底部には、略矩形状の窓孔５２が形成されており、この窓孔５２を通じて遊技盤ユニット８０の背面構成（後述する背面ブロック８０ｂ）が内枠１３の後方に突出している。なお、この窓孔５２については、内枠ベース体５０に装着された遊技盤ユニット８０によってそのほぼ全域が遊技機前方から覆われた状態となっている。
【００２９】
（遊技盤ユニット８０）
遊技盤ユニット８０は、前面に遊技球が流下する遊技領域ＰＥが形成され遊技領域形成体８０ａと、遊技領域形成体８０ａの背面側に設けられ、後述する各種遊技部品（例えば可変表示ユニット、制御装置、可動式の演出機構、発光可能な装飾部材等）がベース体２５１に搭載されてなる背面ブロック８０ｂとが一体化されてなる。遊技領域形成体８０ａは透明な合成樹脂材料からなり、背面ブロック８０ｂの前面部分が当該遊技領域形成体８０ａを通じて視認可能となっている。
【００３０】
既に説明したように遊技領域ＰＥはガラスユニット２２（詳しくは後側のガラスパネル２３）によって覆われている。ガラスユニット２２は、後側のガラスパネル２３と遊技領域形成体８０ａの前面との隙間が遊技球の直径よりも僅かに大きくなるように、すなわち遊技領域ＰＥを流下する遊技球が同遊技領域ＰＥの同一箇所にて前後に並ばないように配置されている。これにより、遊技領域ＰＥでの球詰まりを抑制している。
【００３１】
以下、図６〜図８に基づき遊技盤ユニット８０（特に遊技領域形成体８０ａの遊技領域ＰＥに配された各種構成）について説明する。図６は遊技盤ユニット８０の正面図、図７は遊技盤ユニット８０を後方から見た斜視図である。
【００３２】
遊技領域形成体８０ａには、自身の厚さ方向（前後方向）に貫通する大小複数の開口が形成されている。図６に示すように、各開口には、一般入賞口８１、可変入賞装置８２、作動口８３ａ，８３ｂ、スルーゲート８４等がそれぞれ配設されている。一般入賞口８１、可変入賞装置８２及び作動口８３ａ，８３ｂに遊技球が入ると、それら遊技球が各入球部に対応して設けられた検知センサ（図示略）により検知され、その検知結果に基づいて所定数の賞球（遊技球の払い出し）等の特典が遊技者に付与される。その他に、遊技領域形成体８０ａの最下部にはアウト口８９が設けられており、各種入球部等に入らなかった遊技球はアウト口８９を通って遊技領域ＰＥから排出される。以下の説明では、アウト口８９への遊技球の入球と明確に区別するために、一般入賞口８１、可変入賞装置８２、作動口８３ａ，８３ｂへの遊技球の入球を「入賞」とも表現する。
【００３３】
また、遊技領域形成体８０ａには、遊技球の流下経路を適宜分散，調整等するために多数の釘部材９３が植設されているとともに、風車９４等の各種部材（役物）が配設されている。これら釘部材９３や風車９４等の各種構成によって遊技球の流下経路が分化され、上述した一般入賞口８１等への入賞が適度な確率で発生するように調整されている。
【００３４】
遊技領域形成体８０ａの中央には中央開口８５が形成されており、この中央開口８５を遊技領域形成体８０ａの背面側から覆うようにして透明な開口カバー８６が取り付けられている。この中央開口８５の背後には、背面ブロック８０ｂに属する可変表示ユニット２５２等が位置しており、遊技機前方から当該中央開口８５（開口カバー８６）を通じて可変表示ユニット２５２等を視認可能となっている。なお、図６においては説明の便宜上、開口カバー８６を二点鎖線によって表示し、可変表示ユニット２５２が視認可能な状態を示している。
【００３５】
中央開口８５の周辺に作動口８３ａ，８３ｂやスルーゲート８４等が配設されている。作動口８３ａ，８３ｂは、可変表示ユニット２５２の下方に配設された上作動口８３ａと、上作動口８３ａの直下に配設された下作動口８３ｂとによって構成されており、特に下作動口（抽選契機入球部）８３ｂには、開閉式の入球補助装置（入球補助手段）又は開閉部材（開閉手段）としての電動役物９１が設けられている。電動役物９１は、可動片と同可動片を駆動させるソレノイド式の駆動部とを有してなり、可動片の位置が駆動部によって変更されることにより、下作動口８３ｂへの入球が可能又は容易となる開状態（補助状態）と、同入球が不可又は困難となる閉状態（非補助状態）とに切替可能となっている。
【００３６】
遊技領域ＰＥにおいてこの下作動口８３ｂよりも上流側（詳しくは可変表示ユニット２５２の側方）となる位置には上記スルーゲート８４が配置されており、遊技球のスルーゲート８４の通過をトリガとした抽選にて当選となった場合には、電動役物９１が所定時間だけ閉状態から開状態に切り替えられることとなる。
【００３７】
なお、上作動口８３ａへの入球が発生した場合には３個の遊技球の払出が実行され、下作動口８３ｂへの入球が発生した場合には４個の遊技球の払出が実行されるが、遊技球の払出個数は上記のものに限定されることはない。但し、例えば上作動口８３ａに対する下作動口８３ｂの有利性を高める上では、上作動口８３ａに係る払出個数よりも下作動口８３ｂに係る払出個数を多く設定することが好ましい。
【００３８】
可変入賞装置（特別入球装置又は特別入球手段）８２には、遊技領域形成体８０ａの背面側へと通じる大入賞口が形成されているとともに、当該大入賞口を開閉する開閉部材（開閉手段）としての開閉扉が設けられている。開閉扉は、遊技球の入球が可能又は容易となる開状態（補助状態）と、同入球が不可又は困難となる閉状態（非補助状態）とに切替可能となっている。また、同開閉扉は、遊技領域形成体８０ａの背面側に設けられた可変入賞駆動部（詳しくはソレノイド）と連結されており、通常時においては開閉扉は閉状態のまま維持され、内部抽選において開閉実行モード（開閉実行状態）への移行に当選した場合に（大当たり：通常の遊技状態よりも遊技者に有利な特別遊技状態への移行結果となった場合に）開状態に切り替えられるようになっている。
【００３９】
ここで、開閉実行モードとは、大当たり当選となった場合に移行することとなるモードである。当該開閉実行モードにおける可変入賞装置８２の開放態様としては、例えば所定時間（例えば３０ｓｅｃ）の経過又は所定個数（例えば１０個）の入賞を１ラウンドとして、複数ラウンド（例えば４，８，１６ラウンド）を上限とした開閉扉の開放が繰り返されるように設定されている。
【００４０】
ここで、可変表示ユニット２５２について補足説明する。可変表示ユニット２５２は、作動口８３ａ，８３ｂへの入賞をトリガとして図柄を可変表示（変動表示）する図柄表示装置２５３を有している。図柄表示装置２５３は、液晶ディスプレイを備えた液晶表示装置として構成されており、後述する表示制御装置によりその表示内容が制御される。図柄表示装置２５３の表示画面２５３ａにおいては、例えば上、中及び下に並べて図柄が表示され、これらの図柄が左右方向にスクロールされるようにして変動表示されるようになっている。そして、大当たりに当選した場合には、予め設定されている有効ライン上に所定の組み合わせの図柄が停止表示され、上記開閉実行モード（特別遊技状態又は大当たり）に移行することとなる。なお、図柄表示装置２５３については必ずしも液晶表示装置である必要はなく、ドットマトリクスや７セグタイプの表示装置であってもよい。
【００４１】
遊技領域形成体８０ａには、中央開口８５を囲むようにしてセンターフレーム９５が設けられている。センターフレーム９５は、遊技領域形成体８０ａ（詳しくは板体）に対してその前面側から固定されており、このように固定された状態では遊技領域形成体８０ａの前面から起立した状態となることで当該センターフレーム９５と上記ガラスユニット２２との間の隙間寸法が遊技球の直径寸法よりも小さくなるように構成されている。これにより、遊技領域ＰＥを流下する遊技球が図柄表示装置２５３に衝突することが回避され、且つ遊技領域ＰＥを流下する遊技球の流下経路が可変表示ユニット２５２（詳しくはセンターフレーム９５）を右側から迂回するルートと、左側から迂回するルートに大別されている。
【００４２】
センターフレーム９５の下部を構成している枠部の上面には、遊技球が左右に転動可能なステージ部が形成されている。センターフレーム９５の左右の左枠部に形成された流入口から流入した遊技球は、同じくセンターフレーム９５に形成されたワープ通路を通じてステージ部上に排出される。ステージ部については、当該ステージ部に到達した遊技球が比較的上作動口８３ａへと流入しやすくなるように構成されており、このステージ部上での遊技球の動きに対する遊技者の注目度向上に貢献している。
【００４３】
ここで、本実施の形態においては上述したように透明な開口カバー８６によって中央開口８５を覆っており、ステージ部上に到達した遊技球が背面ブロック８０ｂ（可変表示ユニット２５２）側へ移動しないように規制されている。
【００４４】
またセンターフレーム９５の下部を構成している枠部の前面には、第１保留ランプ部９８ａ及び第２保留ランプ部９８ｂが設けられている。左側の第１保留ランプ部９８ａは、上作動口８３ａに対応しており遊技球が上作動口８３ａを通過した回数は最大４回まで保留され第１保留ランプ部９８ａの点灯によってその保留数が表示されるようになっている。右側の第２保留ランプ部９８ｂは、下作動口８３ｂに対応しており、遊技球が下作動口８３ｂを通過した回数は最大４回まで保留され第２保留ランプ部９８ｂの点灯によってその保留数が表示されるようになっている。
【００４５】
作動口８３ａ，８３ｂは、中央開口８５（可変表示ユニット２５２）寄りとなる位置に配置されている。作動口８３ａ，８３ｂへの入賞をトリガとして特別遊技状態に移行し得るため、遊技者は作動口８３ａ，８３ｂに入賞するか否かに注目するとともに、特別遊技状態に移行するか否かを把握するため図柄表示装置２５３に注目するものと考えられる。作動口８３ａ，８３ｂを可変表示ユニット２５２寄りに設けたことは、遊技者が注目したい箇所を可変表示ユニット２５２周辺に集中させるための工夫である。
【００４６】
遊技領域形成体８０ａにおける右側の端部（後述する遊技盤ユニット８０の回動先端部）には後述する誘導レール１００とともに遊技領域ＰＥを区画形成する遊技領域区画部材９９が配設されている。遊技領域区画部材９９には、主表示ユニット８７や誘導レール１００に沿って飛翔した遊技球が衝突するストッパ部材が配設されている。ストッパ部材は誘導レール１００の先端付近に配置された緩衝部材であり、当該ストッパ部材に衝突した遊技球はその勢いが弱められた後、遊技領域ＰＥを流下することとなる。つまり、ストッパ部材には衝突した遊技球の勢いを弱める減勢機能が付与されている。
【００４７】
ここで、主表示ユニット８７について補足説明する。主表示ユニット８７は遊技領域区画部材９９に埋設されており、その一部がガラスユニット２２と対向するように配置されている。この対向している部分には、所定の絵柄等が表示される主表示部が設けられている。主表示ユニット８７については、後述する主制御装置に電気的に接続されており、主表示部の表示内容は当該主制御装置によって制御される構成となっている。
【００４８】
主表示部は、上作動口８３ａへの入賞に基づいた抽選結果を表示する上作動口用表示部と、下作動口８３ｂへの入賞に基づいて行われた抽選結果を表示する下作動口用表示部とを有してなる。上作動口用表示部では、上作動口８３ａへの入賞をトリガとして絵柄の変動表示が行われ、その変動表示の停止結果として、上作動口８３ａへの入賞に基づいて行われた内部抽選の結果が明示される。上作動口８３ａへの入賞に基づく内部抽選の結果が開閉実行モードへの移行に対応した当選結果であった場合には、上作動口用表示部にて変動表示が停止され、停止結果として所定の絵柄が表示された後に、上記開閉実行モードへ移行される。
【００４９】
下作動口用表示部では、下作動口８３ｂへの入賞をトリガとして絵柄の変動表示が行われ、その変動表示の停止結果として、下作動口８３ｂへの入賞に基づいて行われた内部抽選の結果が明示される。下作動口８３ｂへの入賞に基づく内部抽選の結果が大当たりに対応した当選結果であった場合には、下作動口用表示部にて変動表示が停止され、停止結果として所定の絵柄が表示された後に、その結果に応じて上記開閉実行モードへ移行される。
【００５０】
ここで、いずれかの作動口８３ａ，８３ｂへの入賞に基づいて、対応する作動口用表示部にて変動表示が開始され、抽選結果に対応する絵柄が停止表示された後、当該絵柄が停止表示されたまま所定の停止表示時間（停止表示期間又は確定表示期間）が経過するまで（確定表示が終了するまで）が遊技回の１回に相当する。但し、遊技回の１回は、上記の内容に限定されることはなく、例えば、単一の表示領域が設けられ、いずれの作動口８３ａ，８３ｂへの入賞が発生したとしてもその単一の表示領域にて変動表示が行われる構成においては、当該単一の表示領域にて変動表示が開始され、所定の停止結果を表示した状態で上記変動表示が停止された後確定表示が終了するまでを遊技回の１回とすることも可能である。
【００５１】
また、主表示ユニット８７の主表示部には上記両表示部以外に、スルーゲート８４への入賞に基づいた抽選結果を表示するスルーゲート用表示部が併設されている。スルーゲート用表示部では、スルーゲート８４への入賞をトリガとして絵柄の変動表示が行われ、その変動表示の停止結果として、スルーゲート８４への入賞に基づいて行われた内部抽選の結果が明示される。スルーゲート８４への入賞に基づく内部抽選の結果が電役開放状態への移行に対応した当選結果であった場合には、スルーゲート用表示部にて所定の停止結果が表示されて変動表示が停止された後に、電役開放状態へ移行する。電役開放状態では、下作動口８３ｂに設けられた上記電動役物９１が所定の態様で開放される。
【００５２】
更に、本実施の形態においては遊技球がスルーゲート８４を通過した回数は最大４回まで保留される構成が採用されているが、主表示ユニット８７の主表示部にはその保留個数を表示する保留数用表示部が設けられている。
【００５３】
以上詳述した主表示部については、前扉枠１４のガラスユニット２２を通じてパチンコ機１０前方から視認可能となっているとともに、これら各種表示部の前方を遊技球が移動することが回避されているため、その視認性が担保されている。
【００５４】
再び図５を用いて内枠１３の構成について説明すれば、内枠ベース体５０における遊技盤ユニット８０の下方には、上記遊技球発射ハンドル４１の操作に基づいて遊技領域ＰＥへ遊技球を発射する遊技球発射機構１１０が設けられている。
【００５５】
（遊技球発射機構１１０）
遊技球発射機構１１０は、所定の発射待機位置に配置された遊技球を打ち出すソレノイド１１１と、同ソレノイド１１１によって打ち出された遊技球の発射方向を規定する発射レール１１２と、上記発射待機位置に遊技球を供給する球送装置１１３と、それら各種構成１１１〜１１３が装着されているベースプレート１１４とを主要な構成として備えており、同ベースプレート１１４が内枠ベース体５０に固定されることで、同内枠ベース体５０に対して一体化されている。
【００５６】
発射レール１１２は、遊技領域形成体８０ａ側に向けて上り傾斜となるように、斜めに傾いた状態でベースプレート１１４に固定されている。発射レール１１２には断面略Ｖ字状の溝部が形成されており、その溝状部分に遊技球が嵌ることにより当該遊技球の前後位置が規定されるように構成されている。
【００５７】
発射レール１１２の下流側の端部（すなわち下端部）寄りとなる位置には、球送装置１１３から供給された遊技球を上述した発射待機位置に留める球ストッパが配されている。球ストッパよりも更に下流側となる位置に、上記ソレノイド１１１が配置されている。
【００５８】
ソレノイド１１１は、後述する電源・発射制御装置に対して電気的に接続されている。その電源・発射制御装置からの電気的な信号の出力に基づいてソレノイド１１１の出力軸が伸縮方向に往復動することにより、発射待機位置に置かれた遊技球が遊技領域形成体８０ａ側、詳しくは遊技領域形成体８０ａに装着された誘導レール１００に向けて打ち出される。
【００５９】
誘導レール１００は、遊技領域形成体８０ａ（詳しくは板体の前面）に固定された遊技領域区画部材９９とともに遊技領域ＰＥを同遊技領域ＰＥの外形が略円形状となるように区画形成している。また、誘導レール１００は、遊技球の直径よりも大きな隙間を隔てて対峙するように配置された内レール１０１及び外レール１０２からなり、それら両レール１０１，１０２によって一条の誘導通路１０３が区画形成されている。誘導通路１０３は、発射レール１１２の先端側（斜め下方）に開放された入口部分１０４と、遊技領域ＰＥの上部に位置する出口部分１０５とを有している。ソレノイド１１１の動作に基づいて発射された遊技球は、発射レール１１２→誘導レール１００（入口部分１０４→出口部分１０５）の順に移動することにより遊技領域ＰＥに導かれる。なお、遊技領域形成体８０ａにおいて出口部分１０５の先側、詳しくは内レール１０１の先端付近には、遊技領域ＰＥに到達した遊技球の同誘導通路１０３内への逆戻りを防止する逆戻り防止部材１０６が取り付けられており、先んじて遊技領域ＰＥに至った遊技球によって後続する遊技球の打ち出しが妨げられることを抑制している。
【００６０】
誘導レール１００を構成している各レール１０１，１０２は、遊技領域ＰＥの略中央部分を中心とする円弧状をなしている。このため、誘導通路１０３を通過する遊技球は、自身に発生する遠心力により外レール１０２に沿って、すなわち外レール１０２に接触したまま移動（摺動又は転動）しやすくなっている。つまり、遊技領域ＰＥへと遊技球を届けるようにして遊技球を発射した場合には誘導通路１０３において外レール１０２に沿った領域が実質的に遊技球が通過する通過領域（通過経路）を構成し、内レール１０１に沿う領域については実質的に遊技球が通過しない領域となる。
【００６１】
同図５に示すように、誘導レール１００及び発射レール１１２は、同誘導レール１００の入口部分１０４と発射レール１１２の先端部分とが遊技領域形成体８０ａの下端縁を挟んで斜めに対峙するように配置されている。つまり、それら両レール１００，１１２は、同誘導レール１００の入口部分１０４と発射レール１１２の先端部分とが遊技領域形成体８０ａの下端縁近傍にて左右にずれるようにして配置されている。これにより両レール１００，１１２を遊技領域形成体８０ａの下端縁に近づけつつ、誘導レール１００の入口部分１０４と発射レール１１２との間には所定間隔の隙間を形成している。
【００６２】
このようにして形成された隙間よりも下側にはファール球通路が配設されている。ファール球通路は前扉枠１４の通路形成ユニット４５に一体成形されている。仮に遊技球発射機構１１０から発射された遊技球が遊技領域ＰＥまで至らずファール球として誘導通路１０３内を逆戻りする場合には、それらファール球が上記隙間を介してファール球通路内に入ることとなる。ファール球通路は前扉側下皿通路に通じており、ファール球通路に入った遊技球は図１に示した下皿３４に排出される。これにより、ファール球と次に発射される遊技球との干渉が抑制される。
【００６３】
遊技領域形成体８０ａの左端部には外レール１０２を側方から覆うようにしてレールカバー１０７が設けられている。遊技盤ユニット８０については、製造時やメンテナンス作業時に単体で取り扱われることが多く、この際に外レール１０２が遊技台等に衝突し得る。レールカバー１０７はこのような事情に鑑みて搭載された部材であり、外レール１０２が上記要因等によって変形することを防止する保護機能が付与されている。
【００６４】
内枠ベース体５０において発射レール１１２の左方（詳しくは前扉枠１４を支持している側）には内枠ベース体５０を前後方向に貫通する貫通孔が形成されており、この貫通孔に通路形成部材１２１が配設されている。通路形成部材１２１は、内枠ベース体５０に対してネジ止めされており、本体側上皿通路１２２と本体側下皿通路１２３とを有している。それら本体側上皿通路１２２及び本体側下皿通路１２３の上流側は、後述する遊技球分配部に通じている。また、通路形成部材１２１の下方には前扉枠１４に取り付けられた通路形成ユニットの受口部が入り込んでおり、本体側上皿通路１２２の下方には前扉側上皿通路が配置され、本体側下皿通路１２３の下方には前扉側上皿通路が配置されている。
【００６５】
内枠ベース体５０において通路形成部材１２１の下方には、本体側上皿通路１２２及び本体側下皿通路１２３を開閉する開閉部材１２４が取り付けられている。開閉部材１２４は本体側上皿通路１２２及び本体側下皿通路１２３を閉鎖する前方位置に付勢されており、前扉枠１４が開放された場合には、この付勢力によって各開閉部材１２４が閉状態となることで、各通路１２２，１２３からの遊技球の脱落が回避されることとなる。これに対し、前扉枠１４を閉じた状態では、前扉枠１４の通路形成ユニット４５に設けられた受口部により付勢力に抗して開閉部材１２４が押し開けられる。この状態では、本体側上皿通路１２２と前扉側上皿通路とが連通し、さらに本体側下皿通路１２３と前扉側下皿通路とが連通する。
【００６６】
次に、図７及び図８に基づき内枠１３（内枠ベース体５０及び遊技盤ユニット８０）の背面構成について説明する。図８は内枠１３の背面図である。
【００６７】
図８に示すように内枠ベース体５０の背面における回動基端側（図８の右側）には、軸受け金具１３２が取り付けられている。軸受け金具１３２には、上下に離間させて軸受け部１３３が形成されており、これら軸受け部１３３により内枠１３に対して裏パックユニット１５が回動可能に取り付けられている。また、内枠ベース体５０の背面には、裏パックユニット１５を閉じた状態で同内枠ベース体５０に固定するための固定レバー１３４が複数設けられている。
【００６８】
既に説明したように内枠ベース体５０における収容凹部（遊技盤収容部）５１の底部分には内枠ベース体５０の厚さ方向に貫通し同内枠ベース体５０の背面側に開放された窓孔５２が形成されており、その窓孔５２が収容凹部５１に収容された遊技盤ユニット８０によって内枠１３の正面側から覆われている。遊技盤ユニット８０（背面ブロック８０ｂ）の背面には制御装置等の各種構成が搭載されており、それら各種構成は窓孔５２を通じて内枠１３の背側に露出した状態となっている。ここで、遊技盤ユニット８０の背面の構成について説明する。
【００６９】
既に説明したように遊技領域形成体８０ａの背面には、背面ブロック８０ｂが取り付けられている。背面ブロック８０ｂは、遊技領域形成体８０ａ側に開放された略箱状のベース体２５１を有してなり、このベース体２５１が遊技領域形成体８０ａの背面に固定されることで、遊技領域形成体８０ａと背面ブロック８０ｂとが一体化されている。
【００７０】
ベース体２５１の前面側は、可動式の演出機構や発光可能な装飾部材等の配置領域となっており、その背面側はそれら各種構成を制御する制御装置や上記可変表示ユニット２５２（図柄表示装置２５３）の配置領域となっている。
【００７１】
より具体的には、ベース体２５１の一部が内枠ベース体５０の背面側に突出しており、その突出した部分に対して上述した図柄表示装置２５３（図６参照）と、その図柄表示装置２５３を駆動するための表示制御装置とが取り付けられている。これら図柄表示装置２５３及び表示制御装置は前後方向（内枠ベース体５０の厚さ方向）に図柄表示装置が前側且つ表示制御装置が後側となるように重ねて配置されている。さらに、ベース体２５１の背面部には、表示制御装置の後方に位置するようにして報知・演出制御装置１４０が搭載されている。
【００７２】
報知・演出制御装置１４０は、後述する主制御装置からの指示に従い音声の出力やランプ表示、及び表示制御装置の制御を司る報知・演出制御基板を具備しており、報知・演出制御基板が透明樹脂材料等よりなる基板ボックス１４１に収容されて構成されている。
【００７３】
報知・演出制御装置１４０の下方には、ベース体９６を後方から覆うようにして主制御装置ユニット１６０が設けられている。主制御装置ユニット１６０は、遊技盤ユニット８０（詳しくは背面ブロック８０ｂ）の背面に固定された合成樹脂製の取付台１６１と、その取付台１６１に搭載された主制御装置１６２とを有している。主制御装置１６２は、遊技の主たる制御を司る機能（主制御回路）と、電源を監視する機能（停電監視回路）とを有する主制御基板を具備しており、当該主制御基板が透明樹脂材料等よりなる基板ボックス１６３に収容されて構成されている。
【００７４】
基板ボックス１６３は、略直方体形状のボックスベース（表ケース体）とこのボックスベースの開口部を覆うボックスカバー（裏ケース体）とを備えている。これらボックスベースとボックスカバーとは封印手段としてのボックス封印部１６４によって開封不能に連結され、これにより基板ボックス１６３が封印されている。ボックス封印部１６４は、基板ボックス１６３の短辺部に複数設けられ、そのうち少なくとも１つが用いられて封印処理が行われる。
【００７５】
ボックス封印部１６４はボックスベースとボックスカバーとを開封不能に結合する構成であれば任意の構成が適用できるが、ボックス封印部１６４を構成する係止孔部に係止ピンを挿入することでボックスベースとボックスカバーとが開封不能に結合されるようになっている。ボックス封印部１６４による封印処理は、その封印後の不正な開封を防止し、また万一不正開封が行われてもそのような事態を早期に且つ容易に発見可能とするものであって、一旦開封した後でも再度封印処理を行うこと自体は可能である。すなわち、複数のボックス封印部１６４のうち、少なくとも１つの係止孔部に係止ピンを挿入することにより封印処理が行われる。そして、収容した主制御基板の不具合発生の際や主制御基板の検査の際など基板ボックス１６３を開封する場合には、係止ピンが挿入されたボックス封印部と基板ボックス１６３本体との連結部分を切断する。これにより、基板ボックス１６３のボックスベースとボックスカバーとが分離され、内部の主制御基板を取り出すことができる。その後、再度封印処理する場合は他の係止孔部に係止ピンを挿入する。基板ボックス１６３の開封を行った旨の履歴を当該基板ボックス１６３に残しておけば、基板ボックス１６３を見ることで不正な開封が行われた旨が容易に発見できる。
【００７６】
基板ボックス１６３と取付台１６１とは台座封印部１６５によって開封不能に連結されている。詳しくは、台座封印部１６５は、ボックス封印部１６４と同様に係止孔部及び係止ピンを有しており、係止孔部に対して係止ピンが挿入されることで基板ボックス１６３と取付台１６１とが分離不能に結合されるようになっている。これにより、基板ボックス１６３の不正な取り外しが行われた場合に、その事実を把握しやすくなっている。
【００７７】
主制御装置１６２の正面部（遊技機後方を向いている部分）にて後述する裏パック２０１との重なりが回避されている部分には、設定変更キーが挿通されるキー穴１６７と、設定変更スイッチ１６６と、設定値表示部１６８とが設けられている。詳細については後述するが、本実施の形態におけるパチンコ機１０においては、大当たり確率が複数段階（詳しくは３段階）設けられており、上記キー穴１６７に挿通された設定変更キーがＯＮ位置に配置された状態（ＯＮ状態）にて、設定変更スイッチ１６６が操作されることで設定値が変更される構成となっている。設定変更キーがＯＮ位置に配置されている間は、現在選択されている設定値が設定値表示部１６８に表示され、作業者が設定値を目視にて確認しながら設定変更を行うことが可能となっている。
【００７８】
ベース体２５１の前面部において遊技領域形成体８０ａの背面下部と対向している部分には、前記一般入賞口８１，可変入賞装置８２、作動口８３ａ，８３ｂの遊技盤開口部に対応し且つ下流側で１カ所に集合する回収通路（図示略）が形成されている。これにより、一般入賞口８１等に入賞した遊技球は何れも回収通路を介して遊技盤ユニット８０の下方に集合する構成となっている。つまり、ベース体２５１には各種入賞口に入賞した遊技球を回収する機能が付与されている。
【００７９】
遊技盤ユニット８０の下方には後述する排出通路が配されており、回収通路によって遊技盤ユニット８０の下方に集合した遊技球は排出通路内に導出される。なお、アウト口８９についても同様に排出通路に通じており、何れの入賞口にも入賞しなかった遊技球はアウト口８９を介して排出通路内に導出される。
【００８０】
また、背面ブロック８０ｂを構成するベース体２５１には、上述した各入球部用の検知センサとして、上記一般入賞口８１に入賞した遊技球を検知する一般入賞口用検知センサと、作動口８３ａ，８３ｂに入った遊技球を検知する作動口用検知センサとが装着されており、それら各種検知センサによって入賞検知機構が構成されている。これら各種検知センサは主制御装置１６２に対して電気的に接続されており、各検知センサから検知情報（検知信号）が同主制御装置１６２に出力される構成となっている。
【００８１】
次に、図９及び図１０に基づき裏パックユニット１５について説明する。図９はパチンコ機１０の背面図、図１０は裏パックユニット１５の正面図である。
【００８２】
図９に示すように、内枠１３は裏パックユニット１５によって後方から覆われている。裏パックユニット１５は、裏パックユニット１５の本体部としての裏パック２０１を備えており、当該裏パック２０１に対して、払出機構部２０２、排出通路盤及び制御装置集合ユニット２０４が取り付けられている。
【００８３】
裏パック２０１は、透明性を有する合成樹脂により成形されており、図１０に示すように払出機構部２０２等が取り付けられるベース部２１１と、パチンコ機１０後方に突出し略直方体形状をなす保護カバー部２１２とを有してなる。保護カバー部２１２は左右側面及び上面が閉鎖され且つ下面のみが開放された形状をなし、少なくとも可変表示ユニット２５２を囲むのに十分な大きさを有する（図９参照）。
【００８４】
ベース部２１１の上部には、外部出力端子板２１３が設けられている。外部出力端子板２１３には各種の出力端子が設けられており、それら出力端子に遊技ホール側の管理制御装置（ホールコンピュータＨＣ）とパチンコ機１０とを繋ぐ配線ＷＨ１が接続されている。パチンコ機１０の外部出力端子板２１３（出力端子）から出力された各種信号は、配線ＷＨ１を通じてホールコンピュータＨＣに伝わり、ホールコンピュータＨＣではこれら各種信号に基づいてパチンコ機１０の状態や遊技状況等を把握する構成となっている。
【００８５】
また、図１０に示すように、ベース部２１１にはパチンコ機１０後方からみて右端部に上下一対の掛止ピン２１４が設けられており、掛止ピン２１４を内枠１３に設けられた前記軸受け部１３３に挿通させることで、裏パックユニット１５が内枠１３に対して回動可能に支持されている。ベース部２１１には、内枠１３に設けられた固定レバー１３４が挿通される複数の挿通部が形成されており、固定レバー１３４が挿通部に挿通された状態にてベース部２１１に後方から当接することにより内枠１３に対して裏パックユニット１５が固定されている。
【００８６】
ベース部２１１には、保護カバー部２１２を迂回するようにして払出機構部２０２が配設されている。払出機構部２０２には、裏パック２０１の最上部に配されているとともに上方に開口したタンク２２１が設けられており、遊技ホールの島設備から供給される遊技球がそのタンク２２１に逐次補給される。タンク２２１の側方には、下流側に向けて緩やかに傾斜するタンクレール２２２が連結され、タンクレール２２２の下流側には上下方向に延びるケースレール２２３が連結されている。ケースレール２２３の最下流部には払出装置２２４が設けられている。払出装置２２４より払い出された遊技球は、当該払出装置２２４の下流側に設けられた図示しない払出通路を通じて、裏パック２０１のベース部２１１に設けられた遊技球分配部２２５に供給される。
【００８７】
遊技球分配部２２５は、払出装置２２４より払い出された遊技球を上皿３３、下皿３４又は後述する排出通路の何れかに振り分けるための機能を有し、内側の開口部が上述した本体側上皿通路１２２及び前扉側上皿通路を介して上皿３３に通じ、外側の開口部が本体側下皿通路１２３及び前扉側下皿通路を介して下皿３４に通じるように形成されている。
【００８８】
ベース部２１１の下端部には、当該下端部を前後に挟むようにして排出通路盤及び制御装置集合ユニット２０４が取り付けられている。排出通路盤には、制御装置集合ユニット２０４と対向する面に後方に開放された排出通路が形成されており、当該排出通路の開放部は制御装置集合ユニット２０４によって塞がれている。排出通路は、遊技ホールの島設備等へ遊技球を排出するように形成されており、上述した回収通路等から排出通路に導出された遊技球は当該排出通路を通ることでパチンコ機１０外部に排出される。
【００８９】
制御装置集合ユニット２０４は、横長形状をなす取付台２４１を有し、取付台２４１に払出制御装置２４２と電源・発射制御装置２４３とが搭載されている。これら払出制御装置２４２と電源・発射制御装置２４３とは、払出制御装置２４２がパチンコ機１０後方となるように前後に重ねて配置されている。
【００９０】
払出制御装置２４２においては基板ボックス２４４内に払出装置２２４を制御する払出制御基板が収容されており、当該払出制御基板に設けられた状態復帰スイッチ２４５が基板ボックス２４４外に突出している。例えば、払出装置２２４における球詰まり等、払出エラーの発生時において状態復帰スイッチ２４５が押されると、球詰まりの解消が図られるようになっている。
【００９１】
電源・発射制御装置２４３は、基板ボックス２４６内に電源・発射制御基板が収容されている。電源・発射制御基板により、各種制御装置等で要する所定の電源が生成されて出力され、さらに遊技者による遊技球発射ハンドル４１の操作に伴う遊技球の打ち出しの制御が行われる。具体的には、遊技球発射機構１１０を構成しているソレノイド１１１の駆動制御や球送装置１１３の駆動制御が実行される。
【００９２】
また、電源・発射制御装置２４３には電源スイッチ２４７が設けられている。電源スイッチ２４７を操作することにより、パチンコ機１０の電源を投入状態（オン状態）又は遮断状態（オフ状態）に切り替え可能となっている。
【００９３】
ここで、本パチンコ機１０は各種データの記憶保持機能を有しており、万一停電が発生した際でも停電時の状態を保持し、停電からの復帰の際には停電時の状態に復帰できるようになっている。例えば遊技ホールの営業終了の場合のように通常手順で電源を遮断すると遮断前の状態が記憶保持される。一方、主制御装置１６２に設けられたＲＡＭ消去スイッチ（図示略）を押しながら電源を投入すると、ＲＡＭデータが初期化されるようになっている。
【００９４】
これら各種スイッチや上述した設定変更スイッチ１６６等については、遊技機主部１２（内枠１３）を開放して内枠１３の背面部を露出させることで遊技機正面側から操作可能となる。一方で、上記施錠装置７５によって遊技機主部１２の開放が規制されている状態では、遊技機正面側からそれらスイッチ等を操作することができない。つまり、上記各種スイッチについては遊技機主部１２を閉じた状態では操作されにくくなっており、施錠装置７５用のキーを所有していないもの（例えば不正行為者）による遊技機正面側からの操作を困難なものとしている。
【００９５】
（パチンコ機１０の電気的構成）
次に、図１１のブロックを参照してパチンコ機１０の電気的構成について説明する。
【００９６】
主制御装置１６２に設けられた主制御基板４０１には、ＭＰＵ４０２が搭載されている。ＭＰＵ４０２は、当該ＭＰＵ４０２により実行される各種の制御プログラムや固定値データを記憶したＲＯＭ４０３と、そのＲＯＭ４０３内に記憶される制御プログラムの実行に際して各種のデータ等を一時的に記憶するためのメモリであるＲＡＭ４０４と、割込回路、タイマ回路、データ入出力回路、乱数発生器としての各種カウンタ回路などが内蔵された素子である。なお、ＭＰＵ４０２が有する機能の一部、例えば、ＲＯＭ４０３の機能やＲＡＭ４０４の機能などを別の素子として有する構成としてもよい。
【００９７】
ＭＰＵ４０２には、入力ポート及び出力ポートがそれぞれ設けられている。ＭＰＵ４０２の入力側には、主制御装置１６２に設けられた停電監視基板４０５、払出制御装置２４２及び各種検知センサなどが接続されている。停電監視基板４０５には電源・発射制御装置２４３が接続されており、ＭＰＵ４０２には停電監視基板４０５を介して電力が供給される。
【００９８】
各種検知センサの一部として、一般入賞口８１への入球（入賞）を検知する入賞検知センサ３９１ａ、可変入賞装置８２への入球（入賞）を検知する入賞検知センサ３９１ｂ、可変入賞装置８２（大入賞口）への入球（入賞）を検知する入賞検知センサ３９１ｃ、上作動口８３ａへの入球（入賞）を検知する入賞検知センサ３９１ｄ、下作動口８３ｂへの入球（入賞）を検知する入賞検知センサ３９１ｅ、スルーゲート８４への入球（入賞）を検知する入賞検知センサ３９１ｆが接続されており、主制御装置１６２のＭＰＵ４０２において各入球部への入賞判定（入球判定）が行われる。また、ＭＰＵ４０２では、上作動口８３ａ及び下作動口８３ｂへの入賞に基づいて大当たり発生抽選を実行するとともに、スルーゲート８４への入賞に基づいてサポート発生抽選を実行する。
【００９９】
ＭＰＵ４０２の出力側には、停電監視基板４０５、払出制御装置２４２及び報知・演出制御装置１４０が接続されている。払出制御装置２４２には、例えば、上述した作動口８３ａ，８３ｂ等の入賞対応入球部への入賞判定結果に基づいて賞球コマンドが出力される。この場合、賞球コマンドの出力に際しては、ＲＯＭ４０３のコマンド情報記憶エリア４２５が参照される。そして、一般入賞口８１への入賞を特定した場合には１０個の遊技球の払出に対応した賞球コマンドが出力され、可変入賞装置８２への入賞を特定した場合には１５個の遊技球の払出に対応した賞球コマンドが出力され、上作動口８３ａへの入賞を特定した場合には３個の遊技球の払出に対応した賞球コマンドが出力され、下作動口８３ｂへの入賞を特定した場合には４個の遊技球の払出に対応した賞球コマンドが出力される。
【０１００】
報知・演出制御装置１４０には、主制御装置１６２から変動用コマンド、種別コマンド、変動終了コマンド、オープニングコマンド及びエンディングコマンドなどの各種コマンドが出力される。この場合、これら各種コマンドの出力に際しては、ＲＯＭ４０３のコマンド情報記憶エリア４２５が参照される。これら各種コマンドの詳細については、後に説明する。なお、上記各コマンドは、所定のバイト数の情報として構成されており、当該所定のバイト数の情報として各種情報が含まれている。
【０１０１】
また、ＭＰＵ４０２の出力側には、可変入賞装置８２の開閉体（例えばシャッタ部材８８）を開閉動作させる可変入賞駆動部、下作動口８３ｂの電動役物９１を開閉動作させる電動役物駆動部及び主表示ユニット８７が接続されている。主制御基板４０１には各種ドライバ回路が設けられており、当該ドライバ回路を通じてＭＰＵ４０２は各種駆動部の駆動制御を実行する。
【０１０２】
つまり、開閉実行モードにおいては可変入賞装置８２が開閉されるように、ＭＰＵ４０２において可変入賞駆動部の駆動制御が実行される。また、電動役物９１のサポート抽選に当選した場合には、電動役物９１が開閉されるように、ＭＰＵ４０２において電動役物駆動部の駆動制御が実行される。また、ＭＰＵ４０２によって主表示ユニット８７の主表示部の表示制御が実行される。
【０１０３】
さらには、ＭＰＵ４０２の出力側に外部出力端子板２１３が接続されており、この外部出力端子板２１３を通じて遊技ホール側の管理制御装置（ホールコンピュータＨＣ）に対して各種入球部への入球情報や大当たり等の抽選結果に関する情報が出力される。これにより、ホールコンピュータＨＣにてパチンコ機１０の状態や遊技状況等を把握することが可能となっている。
【０１０４】
停電監視基板４０５は主制御基板４０１と電源・発射制御装置２４３とを中継しており、同停電監視基板４０５には電源・発射制御装置２４３から出力される最大電圧である直流安定２４ボルトの電圧を監視する機能が付与されている。払出制御装置２４２は、主制御装置１６２から入力した賞球コマンドに基づいて、払出装置２２４により賞球や貸し球の払出制御を行うものである。
【０１０５】
電源・発射制御装置２４３は、例えば、遊技場等における商用電源（外部電源）に接続されている。そして、その商用電源から供給される外部電力に基づいて主制御基板４０１や払出制御装置２４２等に対して各々に必要な動作電力を生成するとともに、その生成した動作電力を所定の電力経路を通じて供給する。また、電源・発射制御装置２４３は、遊技球発射機構１１０の発射制御を担うものであり、遊技球発射機構１１０は所定の発射条件が整っている場合に駆動される。
【０１０６】
報知・演出制御装置１４０には、ＭＰＵが搭載された報知・演出制御基板が設けられている。ＭＰＵには、当該ＭＰＵにより実行される各種の制御プログラムや固定値データを記憶したＲＯＭと、そのＲＯＭ内に記憶される制御プログラムの実行に際して各種のデータ等を一時的に記憶するためのメモリであるＲＡＭと、割込回路、タイマ回路、データ入出力回路等の各種回路等が内蔵されている。なお、ＭＰＵに対してＲＯＭ及びＲＡＭが１チップ化されていることは必須の構成ではなく、それぞれが個別にチップ化された構成としてもよい。報知・演出制御装置１４０のＭＰＵは、主制御装置１６２から入力された各種コマンドに基づいて、前扉枠１４に設けられたランプ部２６〜２８やスピーカ部２９を駆動制御するとともに、表示制御装置４１０を制御するものである。
【０１０７】
表示制御装置４１０では、報知・演出制御装置１４０から入力したコマンドに基づいて、図柄表示装置２５３の表示制御を実行する。この場合に、報知・演出制御装置１４０では、主制御装置１６２から入力した各種コマンドに基づいて、図柄表示装置２５３における図柄の変動表示態様（例えばリーチ発生の有無及びリーチ演出の内容等）や図柄の停止表示態様（変動表示の終了に伴い最終的に停止表示させる図柄の組み合わせの種類）を決定する。
【０１０８】
ここで、各遊技回の図柄の変動表示に係る構成及び同変動表示の内容について説明する。なお、以下の説明においては適宜図１２及び図１３を参照する。図１２及び図１３は図柄表示装置２５３の表示画面２５３ａにおける表示内容を説明するための概略図である。
【０１０９】
表示制御装置４１０には、キャラクタＲＯＭが設けられている。当該キャラクタＲＯＭには、「１」〜「９」の数字が付された９種類の主図柄のデータ（図１２（ａ）〜（ｉ）参照）と、数字が付されていない副図柄のデータ（図１２（ｊ）参照）とが予め記憶されている。
【０１１０】
図１３（ａ）に示すように、図柄表示装置２５３の表示画面２５３ａには、上段・中段・下段の３つの図柄列Ｚ１，Ｚ２，Ｚ３が設定されている。各図柄列Ｚ１〜Ｚ３は、主図柄と副図柄が所定の順序で配列されて構成されている。そして、表示画面２５３ａでは、これら各図柄列Ｚ１〜Ｚ３の図柄が周期性をもって所定の向き（具体的には、右から左）にスクロールするように変動表示される。
【０１１１】
上図柄列Ｚ１には、「１」〜「９」の９種類の主図柄が数字の降順に配列されるとともに、各主図柄の間に副図柄が１つずつ配されている。下図柄列Ｚ３には、「１」〜「９」の９種類の主図柄が数字の昇順に配列されるとともに、各主図柄の間に副図柄が１つずつ配されている。つまり、上図柄列Ｚ１と下図柄列Ｚ３は１８個の図柄により構成されている。これに対し、中図柄列Ｚ２には、数字の昇順に「１」〜「９」の９種類の主図柄が配列された上で「９」の主図柄と「１」の主図柄との間に「４」の主図柄が付加的に配列され、これら各主図柄の間に副図柄が１つずつ配されている。つまり、中図柄列Ｚ２に限っては、１０個の主図柄が配されて２０個の図柄により構成されている。
【０１１２】
また、図１３（ｂ）に示すように、表示画面２５３ａは、図柄列毎に３個の図柄が停止表示されるようになっており、結果として３×３の計９個の図柄が停止表示されるようになっている。また、表示画面２５３ａには、５つの有効ライン、すなわち左ラインＬ１、中ラインＬ２、右ラインＬ３、右下がりラインＬ４、右上がりラインＬ５が設定されている。そして、上図柄列Ｚ１→下図柄列Ｚ３→中図柄列Ｚ２の順に変動表示が停止し、いずれかの有効ラインに所定の図柄の組み合わせ（例えば同一の数字が付された図柄の組み合わせ）が形成された状態で全図柄列Ｚ１〜Ｚ３の変動表示が終了すれば、通常大当たり結果又は確変大当たり結果の発生として大当たり動画が表示されるようになっている。
【０１１３】
なお、上記のように各図柄列の変動表示が停止されることに鑑みれば、上図柄列Ｚ１を第１図柄列（又は第１絵柄列）、下図柄列Ｚ３を第２図柄列（又は第２絵柄列）、中図柄列Ｚ２を第３図柄列（又は第３絵柄列）と称することができる。
【０１１４】
上記各主図柄のうち、奇数番号（１，３，５，７，９）が付された主図柄は「特定図柄」に相当し、確変大当たり結果が発生する場合には、例えば同一の特定図柄の組み合わせが停止表示される。また、偶数番号（２，４，６，８）が付された主図柄は「非特定図柄」に相当し、通常大当たり結果が発生する場合には、例えば同一の非特定図柄の組み合わせが停止表示される。
【０１１５】
なお、図柄表示装置２５３における図柄の変動表示の態様は上記のものに限定されることはなく任意であり、図柄列の数、図柄列における図柄の変動表示の方向、各図柄列の図柄数などは適宜変更可能である。例えば、複数の図柄列を横並びとなるように設定し、図柄列における図柄の変動表示の方向を縦方向に設定してもよい。
【０１１６】
（各種カウンタについて）
次に、上記の如く構成されたパチンコ機１０の動作について説明する。
【０１１７】
ＭＰＵ４０２は遊技に際し各種カウンタ情報を用いて、大当たり発生抽選、主表示ユニット８７（主表示部）の表示の設定、図柄表示装置２５３の図柄表示の設定などを行うこととしており、具体的には、図１４に示すように、大当たり発生の抽選に使用する当たり乱数カウンタＣ１と、確変大当たり結果や通常大当たり結果等の大当たり種別を判定する際に使用する当たり種別カウンタＣ２と、図柄表示装置２５３が外れ変動する際のリーチ抽選に使用するリーチ乱数カウンタＣ３と、当たり乱数カウンタＣ１の初期値設定に使用する乱数初期値カウンタＣＩＮＩと、主表示ユニット８７の作動口用表示部及び図柄表示装置２５３における変動表示時間（変動表示期間）を決定する変動種別カウンタＣＳとを用いることとしている。さらに、下作動口８３ｂの電動役物９１を電役開放状態とするか否かの抽選に使用する電動役物開放カウンタＣ４を用いることとしている。
【０１１８】
各カウンタＣ１〜Ｃ３，ＣＩＮＩ，ＣＳ，Ｃ４は、その更新の都度前回値に１が加算され、最大値に達した後０に戻るループカウンタとなっている。各カウンタは短時間間隔で更新され、その更新値がＲＡＭ４０４の所定領域に設定された抽選カウンタ用バッファ４３１に適宜格納される。ＲＡＭ４０４には、上作動口用保留エリアＲａと、下作動口用保留エリアＲｂと、実行エリアＡＥと、総保留数記憶領域とよりなる保留球格納エリア４３２が設けられている。そして、この保留球格納エリア４３２に、上作動口８３ａ又は下作動口８３ｂへの遊技球の入賞履歴に合わせて、当たり乱数カウンタＣ１、当たり種別カウンタＣ２及びリーチ乱数カウンタＣ３の各値が時系列的に格納されるようになっている。
【０１１９】
各カウンタについて詳しくは、当たり乱数カウンタＣ１は、例えば０〜５９９の範囲内で順に１ずつ加算され、最大値（つまり５９９）に達した後０に戻る構成となっている。特に当たり乱数カウンタＣ１が１周した場合、その時点の乱数初期値カウンタＣＩＮＩの値が当該当たり乱数カウンタＣ１の初期値として読み込まれる。なお、乱数初期値カウンタＣＩＮＩは、当たり乱数カウンタＣ１と同様のループカウンタである（値＝０〜５９９）。当たり乱数カウンタＣ１は定期的に更新され、遊技球が上作動口８３ａ又は下作動口８３ｂに入賞したタイミングでＲＡＭ４０４の保留球格納エリア４３２に格納される。より詳しくは、上作動口８３ａに遊技球が入賞したタイミングでＲＡＭ４０４の上作動口用保留エリアＲａに格納され、下作動口８３ｂに遊技球が入賞したタイミングでＲＡＭ４０４の下作動口用保留エリアＲｂに格納される。
【０１２０】
大当たり当選となる乱数の値は、ＲＯＭ４０３における当否情報群記憶手段としての当否テーブル記憶エリア４２１に当否テーブル（当否情報群）として記憶されている。当否テーブルとしては、低確率モード用の当否テーブル（低確率用当否情報群）と、高確率モード用の当否テーブル（高確率用当否情報群）とが設定されている。つまり、本パチンコ機１０は、当否抽選手段における抽選モードとして、低確率モード（低確率状態）と高確率モード（高確率状態）とが設定されている。これら、低確率モード用の当否テーブル及び高確率モード用の当否テーブルは設定値毎に各々設けられており、設定値によって大当たり確率に差が設けられている（図１５参照）。具体的には、設定１対応の低確率モード用当否テーブル及び高確率モード用当否テーブルと、設定２対応の低確率モード用当否テーブル及び高確率モード用当否テーブル、設定３対応の低確率モード用当否テーブル及び高確率モード用当否テーブルとが設けられている。
【０１２１】
上記抽選に際して設定１対応の低確率モード用の当否テーブル（図１６（ａ））が参照されることとなる遊技状態下では、大当たり当選となる乱数の値（すなわち、当選情報）は「７」，「１０７」，「２０７」，「３０７」，「４０７」，「５０７」の６個である。つまり、「０〜５９９」の当たり乱数カウンタＣ１の値のうち「７」，「１０７」，「２０７」，「３０７」，「４０７」，「５０７」が大当たり結果に対応しており、それらの乱数の値以外は外れ結果に対応している。これにより、大当たり確率が１／１００となっている。
【０１２２】
上記抽選に際して設定２対応の低確率モード用の当否テーブル（図１６（ｂ））が参照されることとなる遊技状態下では、大当たり当選となる乱数の値（すなわち、当選情報）は「７」，「１０７」，「３０７」，「４０７」，「５０７」の５個である。つまり、「０〜５９９」の当たり乱数カウンタＣ１の値のうち「７」，「１０７」，「３０７」，「４０７」，「５０７」が大当たり結果に対応しており、それらの乱数の値以外は外れ結果に対応している。これにより、大当たり確率が１／１２０となっている。
【０１２３】
上記抽選に際して設定３対応の低確率モード用の当否テーブル（図１６（ａ））が参照されることとなる遊技状態下では、大当たり当選となる乱数の値（すなわち、当選情報）は「７」，「１０７」，「３０７」，「５０７」の４個である。つまり、「０〜５９９」の当たり乱数カウンタＣ１の値のうち「７」，「１０７」，「３０７」，「５０７」が大当たり結果に対応しており、それらの乱数の値以外は外れ結果に対応している。これにより、大当たり確率が１／１５０となっている。
【０１２４】
このように、設定３  ＜  設定２  ＜  設定１の順に遊技者に有利となるように差が設けられており、遊技を少しでも有利に進めたい遊技者は設定１であることに期待して遊技を行うものと想定される。
【０１２５】
上記抽選に際して設定１対応の高確率モード用の当否テーブル（図１７（ａ））が参照されることとなる遊技状態下では、大当たり当選となる乱数の値（すなわち、当選情報）は「７」，「３６」，「１０７」，「２０７」，「３０７」・・・「４０７」，「５０７」．「５９８」の１９個である。つまり、「０〜５９９」の当たり乱数カウンタＣ１の値のうち「７」，「３６」，「１０７」，「２０７」，「３０７」・・・「４０７」，「５０７」．「５９８」が大当たり結果に対応しており、それらの乱数の値以外は外れ結果に対応している。これにより、大当たり確率が約１／３２となっている。
【０１２６】
上記抽選に際して設定２対応の高確率モード用の当否テーブル（図１７（ｂ））が参照されることとなる遊技状態下では、大当たり当選となる乱数の値（すなわち、当選情報）は「７」，「３６」，「１０７」，「２０７」，「３０７」・・・「４０７」，「５０７」．「５９８」の２０個である。つまり、「０〜５９９」の当たり乱数カウンタＣ１の値のうち「７」，「３６」，「１０７」，「２０７」，「３０７」・・・「４０７」，「５０７」．「５９８」が大当たり結果に対応しており、それらの乱数の値以外は外れ結果に対応している。これにより、大当たり確率が１／３０となっている。
【０１２７】
上記抽選に際して設定３対応の高確率モード用の当否テーブル（図１７（ｃ））が参照されることとなる遊技状態下では、大当たり当選となる乱数の値（すなわち、当選情報）は「７」，「３６」，「１０７」，「２０７」，「３０７」・・・「４０７」，「５０７」．「５９８」の２１個である。つまり、「０〜５９９」の当たり乱数カウンタＣ１の値のうち「７」，「３６」，「１０７」，「２０７」，「３０７」・・・「４０７」，「５０７」．「５９８」が大当たり結果に対応しており、それらの乱数の値以外は外れ結果に対応している。これにより、大当たり確率が約１／２８となっている。
【０１２８】
高確率モードにおける有利不利の関係が低確率モードと逆転しているのは、有利度合いの過度の偏りを抑える工夫である。高確率モードにおける差を考慮したとしても、主として遊技が進行することとなる低確率モードでの差が支配的であり、総じて設定３  ＜  設定２  ＜  設定１の順に遊技者に有利となっている。
【０１２９】
なお、高確率モードにおける有利不利の関係を低確率モードにおける有利不利の関係に合わせることも可能である。すなわち、設定３  ＜  設定２  ＜  設定１の順に大当たり確率が高くなるように設定することも可能である。
【０１３０】
因みに、低確率モードよりも高確率モードの方の当選確率が高くなるのであれば、上記当選となる乱数の数及び値は任意である。
【０１３１】
当たり種別カウンタＣ２は、０〜２９の範囲内で順に１ずつ加算され、最大値（つまり２９）に達した後０に戻る構成となっている。ここで、本実施の形態では、複数の大当たり結果が設定されている。これら複数の大当たり結果は、（１）開閉実行モード終了後の当否抽選手段における抽選モード、（２）開閉実行モード終了後の電動役物９１によるサポートモードという２つの条件に差異が設けられている。
【０１３２】
下作動口８３ｂの電動役物９１におけるサポートモードとしては、遊技領域ＰＥに対して同様の態様で遊技球の発射が継続されている状況で比較した場合に、下作動口８３ｂの電動役物９１が単位時間当たりに開放状態となる頻度が相対的に高低となるように、低頻度サポートモード（低頻度サポート状態又は低頻度ガイド状態）と高頻度サポートモード（高頻度サポート状態又は高頻度ガイド状態）とが設定されている。
【０１３３】
具体的には、低頻度サポートモードと高頻度サポートモードとでは、電動役物開放カウンタＣ４を用いた電動役物開放抽選における電役開放状態当選となる確率は同一となっているが、高頻度サポートモードでは低頻度サポートモードよりも、電役開放状態当選となった際に電動役物９１が開放状態となる回数が多く設定されており、さらに１回の開放時間が長く設定されている。この場合、高頻度サポートモードにおいて電役開放状態当選となり電動役物９１の開放状態が複数回発生する場合において、１回の開放状態が終了してから次の開放状態が開始されるまでの閉鎖時間は、１回の開放時間よりも短く設定されている。さらにまた、高頻度サポートモードでは低頻度サポートモードよりも、１回の電動役物開放抽選が行われてから次の電動役物開放抽選が行われる上で最低限確保される確保時間が短く設定されている。
【０１３４】
上記のように高頻度サポートモードでは、低頻度サポートモードよりも下作動口８３ｂへの入賞が発生する確率が高くなる。換言すれば、低頻度サポートモードでは、下作動口８３ｂよりも上作動口８３ａへの入賞が発生する確率が高くなるが、高頻度サポートモードでは、上作動口８３ａよりも下作動口８３ｂへの入賞が発生する確率が高くなる。そして、下作動口８３ｂへの入賞が発生した場合には、所定個数の遊技球の払出が実行されるため、高頻度サポートモードでは、遊技者は持ち球をあまり減らさないようにしながら遊技を行うことができる。
【０１３５】
なお、高頻度サポートモードを低頻度サポートモードよりも単位時間当たりに電役開放状態となる頻度を高くする上での構成は、上記のものに限定されることはなく、例えば電動役物開放抽選における電役開放状態当選となる確率を高くする構成としてもよい。さらには、回数、開放時間及び当選確率のうち、いずれか１条件又は任意の組み合わせの条件を相違させることで、高頻度サポートモードと低頻度サポートモードとの設定を行う構成としてもよい。
【０１３６】
当たり種別カウンタＣ２は定期的に更新され、遊技球が、上作動口８３ａ又は下作動口８３ｂに入賞したタイミングでＲＡＭ４０４の保留球格納エリア４３２に格納される。より詳しくは、上作動口８３ａに遊技球が入賞したタイミングでＲＡＭ４０４の上作動口用保留エリアＲａに格納され、下作動口８３ｂに遊技球が入賞したタイミングでＲＡＭ４０４の下作動口用保留エリアＲｂに格納される。
【０１３７】
当たり種別カウンタＣ２に対する遊技結果の振分先は、ＲＯＭ４０３における振分情報群記憶手段としての振分テーブル記憶エリア４２２に振分テーブル（振分情報群）として記憶されている。ここで、振分テーブルの内容について図１８の概略図を用いて説明する。振分テーブルとしては、図１８（ａ）に示す上作動口用の振分テーブル（第１振分情報群）と、図１８（ｂ）に示す下作動口用の振分テーブル（第２振分情報群）とが設定されている。
【０１３８】
上作動口用の振分テーブルでは、遊技結果の振分先として、８Ｒ確変大当たり結果（高確率対応特別遊技結果）、８Ｒ通常大当たり結果（低確率対応特別遊技結果）、４Ｒ確変大当たり結果（高確率対応遊技結果）、４Ｒ通常大当たり結果（低確率対応遊技結果）が設定されている。具体的には、上作動口用の振分テーブルでは、「０〜２９」の当たり種別カウンタＣ２の値のうち、「０〜８」が８Ｒ確変大当たり結果に対応しており、「９〜１４」が８Ｒ通常大当たり結果に対応しており、「１５〜２３」が４Ｒ確変大当たり結果に対応しており、「２４〜２９」が４Ｒ通常大当たり結果に対応している。
【０１３９】
下作動口用の振分テーブルでは、遊技結果の振分先として、１６Ｒ確変大当たり結果（高確率対応特別遊技結果）、８Ｒ確変大当たり結果（高確率対応特別遊技結果）、８Ｒ通常大当たり結果（低確率対応特別遊技結果）、４Ｒ確変大当たり結果（高確率対応遊技結果）、４Ｒ通常大当たり結果（低確率対応遊技結果）が設定されている。具体的には、下作動口用の振分テーブルでは、「０〜２９」の当たり種別カウンタＣ２の値のうち、「０〜５」が１６Ｒ確変大当たり結果に対応しており、「６〜１１」が８Ｒ確変大当たり結果に対応しており、「１２〜１７」が８Ｒ通常大当たり結果に対応しており、「１８〜２３」が４Ｒ確変大当たり結果に対応しており、「２４〜２９」が４Ｒ通常大当たり結果に対応している。
【０１４０】
１６Ｒ確変大当たり結果、８Ｒ確変大当たり結果及び４Ｒ確変大当たり結果は、開閉実行モードの終了後に抽選モードが高確率モードとなり且つサポートモードが高頻度サポートモードとなる大当たり結果である。図１８（ｃ）に示すように、この高頻度サポートモードは、次回大当たり結果となるまで継続され、開閉実行モードの開始に伴って低頻度サポートモードに移行する。
【０１４１】
８Ｒ通常大当たり結果及び４Ｒ通常大当たり結果は、開閉実行モードの終了後に抽選モードが低確率モードとなり且つサポートモードが高頻度サポートモードとなる大当たり結果である。但し、図１８（ｃ）に示すように、この高頻度サポートモードは、当該高頻度サポートモード中に実行された遊技回数が終了基準回数（具体的には、１００回）に達した場合又は当該終了基準回数到達前に大当たり結果となった場合（詳しくは開閉実行モードが開始された場合）に終了し、低頻度サポートモードに移行する。
【０１４２】
リーチ乱数カウンタＣ３は、例えば０〜２３８の範囲内で順に１ずつ加算され、最大値（つまり２３８）に達した後０に戻る構成となっている。リーチ乱数カウンタＣ３は定期的に更新され、遊技球が上作動口８３ａ又は下作動口８３ｂに入賞したタイミングでＲＡＭ４０４の保留球格納エリア４３２に格納される。より詳しくは、上作動口８３ａに遊技球が入賞したタイミングでＲＡＭ４０４の上作動口用保留エリアＲａに格納され、下作動口８３ｂに遊技球が入賞したタイミングでＲＡＭ４０４の下作動口用保留エリアＲｂに格納される。そして、ＲＯＭ４０３のリーチ用テーブル記憶エリアに記憶されたリーチ用テーブルに基づいてリーチを発生させるか否かを決定することとしている。
【０１４３】
但し、開閉実行モードに移行する遊技回においては、ＭＰＵ４０２では、リーチ乱数カウンタＣ３の値に関係なくリーチ発生の決定を行う。なお、リーチ表示の発生に対応したリーチ乱数カウンタＣ３の数は、各遊技状態において同一となっているが、遊技状態に応じて各々個別に設定されるものであってもよい。例えば、サポートモードが高頻度サポートモードである場合の方が、低頻度サポートモードよりも、リーチ表示の発生に対応したリーチ乱数カウンタＣ３の数が多く設定された構成としてもよい。
【０１４４】
ここで、リーチ表示（リーチ状態）とは、図柄（絵柄）の変動表示（又は可変表示）を行うことが可能な図柄表示装置２５３（表示画面２５３ａ）を備え、遊技結果が開閉実行モード対応の遊技結果となった遊技回では変動表示後の停止表示結果が特別表示結果となり得る遊技機において、図柄表示装置２５３における図柄（絵柄）の変動表示（又は可変表示）が開始されてから停止表示結果が導出表示される前段階で、前記特別表示結果となり易い変動表示状態であると遊技者に思わせるための表示状態をいう。
【０１４５】
換言すれば、図柄表示装置２５３の表示画面２５３ａに表示される複数の図柄列のうち一部の図柄列について図柄を停止表示させることで、開閉実行モードの発生に対応した図柄の組み合わせが成立する可能性があるリーチ図柄の組み合わせを表示し、その状態で残りの図柄列において図柄の変動表示を行う表示状態のことである。
【０１４６】
より具体的には、図柄の変動表示を終了させる前段階として、図柄表示装置２５３の表示画面２５３ａ内の予め設定された有効ライン上に、開閉実行モードの発生に対応した図柄の組み合わせが成立する可能性のあるリーチ図柄の組み合わせを停止表示させることによりリーチラインを形成させ、当該リーチラインが形成されている状況下において最終停止図柄列により図柄の変動表示を行うことである。
【０１４７】
表示画面２５３ａにおける表示内容について更に詳しく説明すると、最初に上図柄列Ｚ１において図柄の変動表示が終了され、さらに下図柄列Ｚ３において図柄の変動表示が終了された状態において、いずれかの有効ラインに当たり図柄の組み合わせを構成する数字が付された主図柄が停止表示されることでリーチラインが形成され、当該リーチラインが形成されている状況化において中図柄列Ｚ２にて図柄の変動表示が行われることでリーチ表示となる。そして、大当たり発生時には、リーチラインを形成している主図柄とともに当たり図柄の組み合わせを構成する数字が付された主図柄がリーチライン上に停止表示されるようにして中図柄列Ｚ２における図柄の変動表示が終了される。
【０１４８】
また、リーチ表示には、上記のようにリーチ図柄の組み合わせを表示した状態で、残りの図柄列において図柄の変動表示を行うとともに、その背景画面において所定のキャラクタなどを動画として表示することによりリーチ演出を行うものや、リーチ図柄の組み合わせを縮小表示させる又は非表示とした上で、表示画面２５３ａの略全体において所定のキャラクタなどを動画として表示することによりリーチ演出を行うものが含まれる。また、リーチ表示が行われている場合又はリーチ表示の前に所定のキャラクタといった所定画像を用いた予告表示を行うか否かの決定を、リーチ乱数カウンタＣ３やその他のカウンタを用いて行うようにしてもよい。
【０１４９】
変動種別カウンタＣＳは、例えば０〜１９８の範囲内で順に１ずつ加算され、最大値（つまり１９８）に達した後０に戻る構成となっている。変動種別カウンタＣＳは、主表示ユニット８７（主表示部）の上作動口用表示部及び下作動口用表示部における変動表示時間と、図柄表示装置２５３における図柄の変動表示時間とをＭＰＵ４０２において決定する上で用いられる。変動種別カウンタＣＳは、後述する通常処理が１回実行される毎に１回更新され、当該通常処理内の残余時間内でも繰り返し更新される。そして、上作動口用表示部及び下作動口用表示部における変動表示の開始時及び図柄表示装置２５３による図柄の変動開始時における変動パターン決定に際して変動種別カウンタＣＳのバッファ値が取得される。
【０１５０】
電動役物開放カウンタＣ４は、例えば、０〜２５０の範囲内で順に１ずつ加算され、最大値（つまり２５０）に達した後０に戻る構成となっている。電動役物開放カウンタＣ４は定期的に更新され、スルーゲート８４に遊技球が入賞したタイミングでＲＡＭ４０４の電役保留エリア４３３に格納される。そして、所定のタイミングにおいて、その格納された電動役物開放カウンタＣ４の値によって下作動口８３ｂの電動役物９１を開放状態に制御するか否かの抽選が行われる。例えば、Ｃ４＝０〜１９０であれば、電動役物９１を開放状態に制御し、Ｃ４＝１９１〜２５０であれば、電動役物９１を開放状態に制御しない。
【０１５１】
既に説明したように、ＭＰＵ４０２では、少なくとも変動種別カウンタＣＳのバッファ値を用いて、上作動口用表示部及び下作動口用表示部における変動表示時間が決定されるが、その決定に際してはＲＯＭ４０３の変動表示時間テーブル記憶エリア４２３が用いられる。また、ＭＰＵ４０２では、実行エリアＡＥに格納されている当たり乱数カウンタＣ１の値及び当たり種別カウンタＣ２の値を用いて、上作動口用表示部及び下作動口用表示部における停止結果が決定されるが、その決定に際してはＲＯＭ４０３の停止結果テーブル記憶エリア４２４が用いられる。
【０１５２】
（主制御装置１６２にて実行される各種処理について）
次に、主制御装置１６２のＭＰＵ４０２にて実行される各種処理について説明する。主制御装置１６２のＭＰＵ４０２にて実行される処理については、電源投入に伴い起動されるメイン処理と、各遊技回での遊技を進行させる上で実行されるタイマ割込み処理及び通常処理と、ＮＭＩ端子（ノンマスカブル端子）への停電信号の入力により起動されるＮＭＩ割込み処理とに大別される。以下、図１９のフローチャートを参照して、メイン処理について説明する。
【０１５３】
（メイン処理）
メイン処理においては先ず、ステップＳ１０１にて電源投入（電源ＯＮ操作）に伴う立ち上げ処理を実行する。具体的には、従側の各種制御基装置（払出制御装置２４２等）が動作可能な状態になるのを待つために例えば５００ｍｓｅｃ程度待機する。
【０１５４】
続くステップＳ１０２では、ステップＳ１０１の立ち上げ処理後から許可禁止用期間である１ｓｅｃが経過したか否かを判定する。１ｓｅｃ経過していない場合にはステップＳ１０２の処理を再度実行する。この時間の測定は、ステップＳ１０２の処理回数をカウントすることにより行われる。例えば、ステップＳ１０２にて否定判定してから再度ステップＳ１０２の処理を実行するまでに要する時間が０．１ｍｓｅｃである場合には、カウント値が１００００回となることで、ステップＳ１０１の立ち上げ処理後から１ｓｅｃ経過したと判定する。なお、時間の測定の具体的な構成は任意であり、例えばリアルタイムクロックを用いて時間の測定を行うようにしてもよい。ステップＳ１０２にて１ｓｅｃ経過したと判定した場合には、ステップＳ１０３に進む。
【０１５５】
ステップＳ１０３では、ＲＡＭ４０４へのアクセスを許可する。その後、ステップＳ１０４では、電源・発射制御装置２４３に設けられたＲＡＭ消去スイッチがオンとなっているか否かを判定し、続くステップＳ１０５ではＲＡＭ４０４の停電フラグ格納エリアに停電フラグが格納されているか否かを判定する。また、ステップＳ１０６ではＲＡＭ判定値を算出し、続くステップＳ１０７では、そのＲＡＭ判定値が電源遮断時に保存したＲＡＭ判定値と一致するか否か、すなわち記憶保持されたデータの有効性を判定する。ＲＡＭ判定値は、例えばＲＡＭ４０４の作業領域アドレスにおけるチェックサム値である。なお、ＲＡＭ４０４の所定のエリアに書き込まれたキーワードが正しく保存されているか否かにより記憶保持されたデータの有効性を判断することも可能である。
【０１５６】
本パチンコ機１０では、例えばホールの営業開始時など、電源投入時にＲＡＭデータを初期化する場合には主制御装置に設けられたＲＡＭ消去スイッチを押しながら電源が投入される。ＲＡＭ消去スイッチが押されていれば、ステップＳ１０８〜Ｓ１０９の処理に移行する。また、電源遮断の発生情報が設定されていない場合や、ＲＡＭ判定値（チェックサム値等）により記憶保持されたデータの異常が確認された場合も同様にステップＳ１０８〜Ｓ１０９の処理に移行する。
【０１５７】
ステップＳ１０８では、ＲＡＭ４０４の使用領域を０にクリアし、ステップＳ１０９ではＲＡＭ４０４の初期化処理を実行する。その後、ステップＳ１１０にて払出制御装置２４２に初期コマンドを出力すべく初期コマンド設定処理を実行し、ステップＳ１１１にて割込み許可を設定し、後述する通常処理に移行する。払出制御装置２４２のＭＰＵでは主制御装置１６２から初期コマンドを入力することで、主制御装置１６２との通信が正常に行われていることを認識する。
【０１５８】
一方、ＲＡＭ消去スイッチが押されていない場合には、停電フラグが格納されていること、及びＲＡＭ判定値（チェックサム値等）が正常であることを条件に、ステップＳ１１２にて停電フラグ格納エリアに格納されている停電フラグをクリアする。その後、ステップＳ１１０にて初期コマンドを出力するとともにステップＳ１１１にて割込み許可を設定し、後述する通常処理に移行する。これにより、電源遮断前の状態に復帰する。
【０１５９】
（タイマ割込み処理）
次に、図２０のフローチャートを参照し、タイマ割込み処理について説明する。本処理はＭＰＵ４０２により定期的に（例えば２ｍｓｅｃ周期で）起動される。
【０１６０】
ステップＳ２０１では、各種入賞検知センサ（例えば上記検知センサ３９１ａ〜３９１ｆ）の読み込み処理を実行する。すなわち、主制御装置１６２に接続されている各種入賞検知センサの状態を読み込み、当該入賞検知センサの状態を判定して検出情報（入賞検知情報）を保存する。
【０１６１】
その後、ステップＳ２０２では、乱数初期値カウンタＣＩＮＩの更新を実行する。具体的には、乱数初期値カウンタＣＩＮＩを１インクリメントするとともに、そのカウンタ値が最大値に達した際に０にクリアする。そして、乱数初期値カウンタＣＩＮＩの更新値を、ＲＡＭ４０４の該当するバッファ領域に格納する。
【０１６２】
続くステップＳ２０３では、当たり乱数カウンタＣ１、当たり種別カウンタＣ２、リーチ乱数カウンタＣ３及び電動役物開放カウンタＣ４の更新を実行する。具体的には、当たり乱数カウンタＣ１、当たり種別カウンタＣ２、リーチ乱数カウンタＣ３及び電動役物開放カウンタＣ４をそれぞれ１インクリメントするとともに、それらのカウンタ値が最大値に達した際それぞれ０にクリアする。そして、各カウンタＣ１〜Ｃ４の更新値を、ＲＡＭ４０４の該当するバッファ領域に格納する。
【０１６３】
続くステップＳ２０４では、スルーゲート８４への入賞に伴うスルー用の入賞処理を実行する。スルー用の入賞処理では、ＲＡＭ４０４の各種フラグ格納エリア４３５にスルーゲート用の入賞検知フラグが格納されているか否かを判定し、同フラグが格納されている場合には電役保留エリア４３３に記憶されている役物保留記憶数が４未満であることを条件として、前記ステップＳ２０３にて更新した電動役物開放カウンタＣ４の値を電役保留エリアに格納する。そして、各種フラグ格納エリア４３５にスルーゲート用の入賞検知フラグが格納されている場合には、同入賞検知フラグを消去して当該スルーゲート用の入賞処理を終了する。
【０１６４】
ステップＳ２０４のスルーゲート用の入賞処理を実行した後はステップＳ２０５に進み、当該ステップＳ２０５にて作動口８３ａ，８３ｂへの入賞に伴う作動口用の入賞処理を実行する。その後は、ステップＳ２０６にて大入賞口用の入賞処理、ステップＳ２０７にて一般入賞口用の入賞処理を実行した後、本タイマ割込み処理を終了する。
【０１６５】
大入賞口用の入賞処理においては、払出制御装置２４２及び報知・演出制御装置１４０に大入賞口用の賞球コマンドを送信する。払出制御装置２４２では大入賞口用の賞球コマンドを受信したことに基づいて大入賞口への入賞に対応した数（１５個）の賞球を払い出す処理を行う。本実施の形態においては、開閉実行モード中は当該開閉実行モード中に獲得した賞球の総数を図柄表示装置２５３に表示する構成となっており、報知・演出制御装置１４０では大入賞口用の賞球コマンドを受信したことに基づいて払出総数等の表示処理を行う。
【０１６６】
一般入賞口用の入賞処理においては、払出制御装置２４２及び報知・演出制御装置１４０に一般入賞口用の賞球コマンドを送信する。払出制御装置２４２では一般入賞口用の賞球コマンドを受信したことに基づいて一般入賞口８１への入賞に対応した数（１０個）の賞球を払い出す処理を行う。本実施の形態においては、開閉実行モード中は当該開閉実行モード中に獲得した賞球の総数を図柄表示装置２５３に表示する構成となっており、報知・演出制御装置１４０では一般入賞口用の賞球コマンドを受信したことに基づいて払出総数等の表示処理を行う。
【０１６７】
なお、詳細については後述するが、各種賞球コマンドについては、払出制御装置２４２及び報知・演出制御装置１４０だけでなく監視装置にも出力され、監視装置においては賞球コマンドに基づいて各入球部への入賞数を記憶する構成となっている。
【０１６８】
（作動口用の入賞処理）
ここで、図２１及び図２２のフローチャートを参照して作動口用の入賞処理について説明する。
【０１６９】
ステップＳ３０１では、遊技球が上作動口８３ａに入球（入賞）したか否かを判定する。遊技球が上作動口８３ａに入球したと判定した場合には、ステップＳ３０２に進み、払出制御装置２４２に遊技球を３個払い出させるための賞球コマンド（上作動口用の賞球コマンド）をセットする。
【０１７０】
続くステップＳ３０３では、上作動口８３ａに遊技球が入球した旨を示す情報を遊技ホール側のホールコンピュータＨＣに対して信号出力すべく外部信号設定処理を行う。これにより、上作動口８３ａへの入球が発生した旨がホールコンピュータＨＣにて把握される。その後、ステップＳ３０４では、当たり乱数カウンタＣ１や当たり種別カウンタＣ２等の各値を格納する情報取得処理を行い、本入賞処理を終了する。
【０１７１】
一方、ステップＳ３０１にて遊技球が上作動口８３ａに入賞していないと判定した場合にはステップＳ３０５に進む。ステップＳ３０５では、遊技球が下作動口８３ｂに入球（入賞）したか否かを判定する。遊技球が下作動口８３ｂに入球したと判定した場合には、ステップＳ３０６に進み、払出制御装置２４２に遊技球を４個払い出させるための賞球コマンド（下作動口用の賞球コマンド）をセットする。なお、ステップＳ３０２，Ｓ３０６にてセットした賞球コマンドは、後述する通常処理の外部出力処理Ｓ４０１にて払出制御装置２４２に対して送信される。
【０１７２】
続くステップＳ３０７では、下作動口８３ｂに遊技球が入球した旨を示す情報を遊技ホール側のホールコンピュータＨＣに対して信号出力すべく外部信号設定処理を行う。これにより、下作動口８３ｂへの入球が発生した旨がホールコンピュータＨＣにて把握される。その後、ステップＳ３０４にて情報取得処理を行い、本入賞処理を終了する。
【０１７３】
なお、ステップＳ３０１，Ｓ３０５の両処理にてそれぞれ否定判定をした場合、すなわち上作動口８３ａ及び下作動口８３ｂのいずれにも入球がなかった場合には、そのまま本入賞処理を終了する。
【０１７４】
ここで、図２２を参照して、ステップＳ３０４の情報取得処理について説明する。
【０１７５】
（情報取得処理）
情報取得処理においては先ずステップＳ４０１にて、保留球格納エリア４３２の保留数記憶領域に格納された作動保留記憶数Ｎ、詳しくは上作動口８３ａ及び下作動口８３ｂのうち当該情報取得処理の契機となった入球部に係る作動保留記憶数Ｎが上限値（本実施の形態では「４」）未満であるか否かを判定する。作動保留記憶数Ｎが上限値である場合にはそのまま本情報取得処理を終了し、上限値未満である場合には、ステップＳ４０２にて対応する作動口の作動保留記憶数Ｎを１インクリメントするとともに、ステップＳ４０３にて保留数記憶領域に格納された総保留数（以下、共通保留数ＣＲＮと言う）を１インクリメントする。
【０１７６】
続くステップＳ４０４では、上記ステップＳ２０３にて更新した当たり乱数カウンタＣ１、当たり種別カウンタＣ２、リーチ乱数カウンタＣ３及び変動種別カウンタＣＳの各値を、作動口用の保留エリアＲＥの空き記憶領域エリアのうち最初の記憶エリア、すなわち上記ステップＳ４０２にて１インクリメントした共通保留数ＣＲＮと対応する記憶エリアに格納する。格納処理を実行した後は、ステップＳ４０５に進む。
【０１７７】
ステップＳ４０５では、保留数表示部としての第１保留ランプ部９８ａ及び第２保留ランプ部９８ｂの表示更新処理を実行する。表示更新処理では、今回の入球先（入賞先）が上作動口８３ａの場合には第１保留ランプ部９８ａの表示を更新し、今回の入球先（入賞先）が下作動口８３ｂの場合には第２保留ランプ部９８ｂの表示を更新する。
【０１７８】
第１保留ランプ部９８ａは４つのＬＥＤによって構成されており、点灯しているＬＥＤの数と上作動口８３ａに係る保留数とが一致する構成となっている。今回の入賞によって上作動口８３ａに係る保留数が増加した場合にはそれに応じて点灯しているＬＥＤの数を増やす処理を行う。第２保留ランプ部９８ｂについても同様に４つのＬＥＤによって構成されており、点灯しているＬＥＤの数と下作動口８３ｂに係る保留数とが一致する構成となっている。今回の入賞によって下作動口８３ｂに係る保留数が増加した場合にはそれに応じて点灯しているＬＥＤの数を増やす処理を行う。
【０１７９】
続くステップＳ４０６では、作動口８３ａ，８３ｂへの入賞が発生したことをサブ側（副側）の制御装置である報知・演出制御装置１４０及び表示制御装置４１０に認識させるための処理である保留コマンドの設定処理を実行し、本情報取得処理を終了する。なお、保留コマンドには上作動口８３ａ及び下作動口８３ｂのうちいずれの入球部への入賞に基づくものであるかの情報が含まれる。
【０１８０】
ステップＳ４０７の保留コマンドの設定処理にて設定された保留コマンドは後述する通常処理の外部出力処理（ステップＳ５０１）にて報知・演出制御装置１４０及び表示制御装置４１０に送信されることとなる。
【０１８１】
（通常処理）
次に、通常処理の流れを図２３のフローチャートを参照しながら説明する。通常処理は上記メイン処理が実行された後に開始される処理であり、通常処理では遊技の主要な処理が実行される。その概要として、ステップＳ５０１〜Ｓ５０７の処理が４ｍｓｅｃ周期の定期処理として実行され、その残余時間でステップＳ５０９，Ｓ５１０のカウンタ更新処理が実行される構成となっている。
【０１８２】
通常処理においては先ず、ステップＳ５０１にて外部信号出力処理を実行する。ステップＳ５０１の外部信号出力処理では、タイマ割込み処理又は前回の通常処理で設定したコマンド等の出力データをサブ側の各制御装置及びホールコンピュータＨＣに送信する。
【０１８３】
具体的には、賞球コマンドの有無を判定し、賞球コマンドが設定されていればそれを払出制御装置２４２及び報知・演出制御装置１４０に対して送信する。また、変動開始コマンド、種別コマンド、変動終了コマンド等の演出用コマンドや保留コマンドや後述するシフトコマンド等の各種コマンドが設定されている場合にはそれを報知・演出制御装置１４０に対して送信する。また、例えば主表示部の作動口用表示部にて図柄の変動表示が終了する毎にホールコンピュータＨＣに図柄確定を示す外部信号を出力し、開閉実行モード中は開閉実行モード中であることを示す外部信号をホールコンピュータＨＣに出力し、高頻度サポートモード中である場合には高頻度サポートモード中であることを示す外部信号をホールコンピュータＨＣに出力する。
【０１８４】
次に、ステップＳ５０２では、変動種別カウンタＣＳの更新を実行する。具体的には、変動種別カウンタＣＳを１インクリメントするとともに、カウンタ値が最大値に達した際にはカウンタ値を０にクリアする。そして、変動種別カウンタＣＳの更新値を、ＲＡＭ４０４の該当するバッファ領域に格納する。
【０１８５】
続くステップＳ５０３では、各遊技回における遊技を制御するための遊技回制御処理を実行する。この遊技回制御処理では、大当たり判定、図柄表示装置２５３による図柄の変動表示の設定、主表示ユニット８７の表示制御などを行う。
【０１８６】
ステップＳ５０３の遊技回制御処理を実行した後は、ステップＳ５０４に進み、遊技状態移行処理を実行する。詳細は後述するが、この遊技状態移行処理により、遊技状態が開閉実行モード、高確率モード、高頻度サポートモードなどに移行する。なお、ステップＳ５０３の遊技回制御処理及びステップＳ５０４の遊技状態移行処理についての詳細は後述する。
【０１８７】
続くステップＳ５０５では、下作動口８３ｂに併設された電動役物９１を駆動制御するための電役サポート用処理を実行する。この電役サポート用処理では、ＲＡＭ４０４の電役保留エリア４３３に格納されている電動役物開放カウンタＣ４から取得した数値情報を用いて電動役物９１を開放状態とするか否かの電役開放抽選を行うとともに、電役開放状態当選となった場合には電動役物９１の開閉処理を実行する。また、電役開放抽選の抽選結果を教示するように、主表示部におけるスルーゲート用表示部の表示制御などを行う。
【０１８８】
既に説明したとおり、電動役物９１によるサポートの態様として、低頻度サポートモードと高頻度サポートモードとが設定されており、遊技状態移行処理にていずれかのサポートモードへの移行が行われる。この処理を経てＲＡＭ４０４の各種フラグ格納エリア４３５に高頻度サポートフラグがセットされている場合は高頻度サポートモードとなり、当該フラグがセットされていない場合には低頻度サポートモードとなる。
【０１８９】
電役サポート用処理では、ＲＡＭ４０４の各種フラグ格納エリア４３５に高頻度サポートフラグがセットされているか否かを判定することで、高頻度サポートモードであるか否かを判定する。そして、高頻度サポートモードである場合には低頻度サポートモードの場合よりも、電役開放状態当選となった際に、電動役物９１が開放状態となる回数を多く設定するとともに、１回の開放時間を長く設定する。また、高頻度サポートモードである場合は、電役開放状態当選となり電動役物９１の開放状態が複数回発生する場合において、１回の開放状態が終了してから次の開放状態が開始されるまでの閉鎖時間が、１回の開放時間よりも短くなるように設定する。
【０１９０】
ちなみに、開閉実行モードに移行した場合には、ＲＡＭ４０４の各種フラグ格納エリア４３５に高頻度サポートフラグがセットされていたとしても、サポートモードは強制的に低頻度サポートモードに設定される。
【０１９１】
続くステップＳ５０６では、遊技球発射制御処理を実行する。遊技球発射制御処理では、電源・発射制御装置２４３から発射許可信号を入力していることを条件として、所定のインターバル期間（例えば、０．６ｓｅｃ）に１回、遊技球発射機構１１０のソレノイドを励磁する。これにより、遊技球が遊技領域ＰＥに向けて打ち出される。
【０１９２】
その後は、ステップＳ５０７にて設定変更用処理を実行する。設定変更用処理ではホール管理者等により選択された設定値に対応した抽選テーブルが参照されるように、参照対象とする抽選テーブルの切り替えを行う。この設定変更用処理についての詳細は後述する。
【０１９３】
続くステップＳ５０８にて次の通常処理の実行タイミングに至ったか否か、すなわち前回の通常処理の開始から１周期（本実施の形態では４ｍｓｅｃ）が経過したか否かを判定する。そして、次の通常処理の実行タイミングに至るまでの残余時間内において、乱数初期値カウンタＣＩＮＩ及び変動種別カウンタＣＳの更新を繰り返し実行する。
【０１９４】
つまり、ステップＳ５０９では、乱数初期値カウンタＣＩＮＩの更新を実行する。具体的には、乱数初期値カウンタＣＩＮＩを１加算するとともに、そのカウンタ値が最大値に達した際０にクリアする。そして、乱数初期値カウンタＣＩＮＩの更新値を、ＲＡＭ４０４の該当するエリアに格納する。また、ステップＳ５１０では、変動種別カウンタＣＳの更新を実行する。具体的には、変動種別カウンタＣＳを１加算するとともに、それらのカウンタ値が最大値に達した際に０にクリアする。そして、変動種別カウンタＣＳの更新値を、ＲＡＭ４０４の該当するエリアに格納する。
【０１９５】
ステップＳ５０１〜Ｓ５０７の各処理の実行時間は遊技の状態に応じて変化するため、次の通常処理の実行タイミングに至るまでの残余時間は一定でなく変動する。故に、かかる残余時間を使用して乱数初期値カウンタＣＩＮＩの更新を繰り返し実行することにより、乱数初期値カウンタＣＩＮＩ（すなわち、当たり乱数カウンタＣ１の初期値）をランダムに更新することができ、同様に変動種別カウンタＣＳについてもランダムに更新することができる。
【０１９６】
（遊技回制御処理）
次に、ステップＳ５０３の遊技回制御処理を図２４〜図２７のフローチャート等を参照して説明する。
【０１９７】
遊技回制御処理においては先ず、図２４のフローチャートに示すように、ステップＳ６０１にて開閉実行モード中か否かを判定する。開閉実行モード中である場合には、ステップＳ６０２以降の処理、すなわちステップＳ６０３〜ステップＳ６０５の遊技回開始用処理及びステップＳ６０６〜ステップＳ６０９の遊技回進行処理のいずれも実行することなく、本遊技回制御処理を終了する。
【０１９８】
開閉実行モード中でない場合には、ステップＳ６０２にて遊技回中であるか否かを判定する。具体的には、主表示ユニット８７の作動口用表示部が変動表示中又は確定表示中であるか否かを判定する。遊技回中ではない場合には、ステップＳ６０３〜ステップＳ６０５の遊技回開始用処理に進む。遊技回開始用処理では、先ずステップＳ６０３にて、始動保留球の総数（共通保留数ＣＲＮ）が「０」か否かを判定する。共通保留数ＣＲＮが「０」である場合とは、保留球格納エリア４３２に保留情報が記憶されていないことを意味する。したがって、そのまま本遊技回制御処理を終了する。
【０１９９】
一方、共通保留数ＣＲＮが「０」でない場合には、ステップＳ６０４にて保留球格納エリア４３２の保留エリアＲＥに記憶されているデータを変動表示用に設定するためのデータ設定処理を実行し、さらにステップＳ６０５にて主表示ユニット８７における作動口用表示部の変動表示及び図柄表示装置２５３の変動表示を開始させるための変動開始処理を実行した後に、本遊技回制御処理を終了する。
【０２００】
ここで、ステップＳ６０４のデータ設定処理及びステップＳ６０５の変動開始処理について詳細に説明する。先ず、ステップＳ６０４のデータ設定処理について、図２５のフローチャートを参照して説明する。
【０２０１】
（データ設定処理）
データ設定処理では、先ずステップＳ７０１にて、保留数記憶領域ＦＥに記憶されている作動保留記憶数Ｎのうち今回の設定処理の対象となっているもの及び共通保留数ＣＲＮを１ディクリメントする。そして、下作動口用保留エリアＲｂ（図１４参照）に保留記憶されている保留情報の数、すなわち作動保留記憶数Ｎ（下作動口用保留記憶数ＲｂＮ）が「０」か否かを判定する。下作動口用保留記憶数ＲｂＮが「０」である場合には上作動口用表示部に係るデータ設定処理を実行し、下作動口用保留記憶数ＲｂＮが「０」でない場合には下作動口用表示部に係るデータ設定処理を実行する。
【０２０２】
ここで、データ設定処理が実行される場合とは、既に説明したように、共通保留数が１以上である場合である。この場合に、データ設定処理では、下作動口用保留記憶数ＲｂＮが「０」であるか否かを判定し、「０」でない場合、すなわち下作動口用表示部について変動表示用の保留情報が記憶されている場合には、上作動口用保留エリアＲａ（図１４参照）に保留記憶されている保留情報の数、すなわち作動保留記憶数Ｎ（上作動口用保留記憶数ＲａＮ）が１以上であるか否かに関係なく、下作動口用保留エリアＲｂに記憶されているデータを変動表示用として実行エリアＡＥへ移動させる。すなわち、ステップＳ７０２においては、上作動口用保留エリアＲａ及び下作動口用保留エリアＲｂの両方に保留情報が記憶されている場合には、下作動口８３ｂに対応した保留情報が優先されることとなる。
【０２０３】
続くステップＳ７０３では、上作動口用保留エリアＲａ及び下作動口用保留エリアＲｂのうち実行エリアＡＥへの移動させたデータが記憶されていた一方について、第１〜第４エリアに格納されているデータを下位エリア側に順にシフトさせる。これにより、例えば第１エリアのデータの実行エリアＡＥへの移動に伴って、第２エリア→第１エリア、第３エリア→第２エリア、第４エリア→第３エリアといった具合に各エリア内のデータがシフトされる。
【０２０４】
続くステップＳ７０４では、保留エリアＲＥのデータのシフトが行われたことを報知・演出制御装置１４０に認識させるための情報であるシフトコマンドを設定する。その後、本データ設定処理を終了する。ステップＳ７０４にて設定されたシフトコマンドは、通常処理（図２３）におけるステップＳ５０１にて、報知・演出制御装置１４０に送信される。そして、このシフトコマンドについては報知・演出制御装置１４０を経由して表示制御装置４１０に送信されることとなる。
【０２０５】
（変動開始処理）
次に、ステップＳ６０５の変動開始処理について、図２６のフローチャートを参照して説明する。
【０２０６】
変動開始処理では、先ずステップＳ８０１にて、今回の変動開始処理にて参照した保留情報が大当たり当選に対応しているか否かを判定するための当否判定処理を実行する。具体的には、実行エリアＡＥに格納された情報のうち大当たり判定用の情報、すなわち当たり乱数カウンタＣ１から取得した乱数値を把握する。そして、現在の設定値及び抽選モードに対応した抽選テーブルを参照して上記取得した情報が大当たり当選に対応した情報に含まれているかを特定する。例えば、設定値が「１」且つ当否抽選モードが低確率モードである場合には、ＲＯＭ４０３の当否テーブル記憶エリア４２１に記憶された設定１対応の低確率モード用の当否テーブルを参照して、上記取得した情報が大当たり当選に対応した情報に含まれているかを特定し、設定値が「１」且つ当否抽選モードが高確率モードである場合には、ＲＯＭ４０３の当否テーブル記憶エリア４２１に記憶された設定１対応の高確率モード用の当否テーブルを参照して、上記取得した情報が大当たり当選に対応した情報に含まれているかを特定する。
【０２０７】
続くステップＳ８０２では、ステップＳ８０１における当否判定処理の結果が大当たり当選に対応した結果であるか否かを判定する。大当たり当選に対応した結果である場合には、ステップＳ８０３にて種別判定処理を実行する。
【０２０８】
種別判定処理では、実行エリアＡＥに格納された情報のうち種別判定用の情報、すなわち当たり種別カウンタＣ２から取得した乱数値を把握する。また、ＲＯＭ４０３の振分テーブル記憶エリア４２２に記憶された振分テーブルを参照して、上記把握した種別判定用の情報が確変大当たり結果に対応した情報に含まれているかを特定する。詳しくは、当該保留情報が上作動口８３ａへの入球に対応している場合には上作動口８３ａ用の振分テーブルを参照し、当該保留情報が下作動口８３ｂへの入球に対応している場合には下作動口８３ｂ用の振分テーブルを参照して種別判定を行う。
【０２０９】
続くステップＳ８０４では、ステップＳ８０３における種別判定処理において特定した情報に基づいて今回の大当たり当選の種別が確変大当たり結果（１６Ｒ確変大当たり結果，８Ｒ確変大当たり結果，４Ｒ確変大当たり結果）であるか否かを判定する。確変大当たり結果である場合には、ステップＳ８０５にて確変大当たり用の停止結果設定処理を実行し、確変大当たり結果でない場合には、ステップＳ８０６にて通常大当たり用の停止結果設定処理を実行する。また、ステップＳ８０２にて大当たり当選ではないと判定した場合には、ステップＳ８０７にて外れ時用の停止結果設定処理を実行する。
【０２１０】
上述したように、確変大当たり結果は、１６Ｒ確変大当たり結果，８Ｒ確変大当たり結果，４Ｒ確変大当たり結果に大別される。ステップＳ８０５の処理では、１６Ｒ確変大当たり結果の場合には１６Ｒ確変大当たり結果に対応する停止結果の設定処理を行い、８Ｒ確変大当たり結果の場合には８Ｒ確変大当たり結果に対応する停止結果の設定処理を行い、４Ｒ確変大当たり結果の場合には４Ｒ確変大当たり結果に対応する停止結果の設定処理を行う。また、通常大当たり結果は、８Ｒ通常大当たり結果及び４Ｒ通常大当たり結果に大別される。ステップＳ８０６の処理では、８Ｒ通常大当たり結果の場合には８Ｒ通常大当たり結果に対応する停止結果の設定処理を行い、４Ｒ通常大当たり結果の場合には４Ｒ通常大当たり結果に対応する停止結果の設定処理を行う。
【０２１１】
ステップＳ８０５〜ステップＳ８０７の各停止結果設定処理では、主表示ユニット８７に最終的に停止表示させる絵柄の態様の情報を、ＲＯＭ４０３の停止結果テーブル記憶エリア４２４に記憶されている停止結果テーブルを参照して特定し、その特定した情報をＲＡＭ４０４に記憶する。また、ステップＳ８０５及びステップＳ８０６では、今回の遊技回の当否判定結果が、確変大当たり結果又は通常大当たり結果であることをＭＰＵ４０２にて特定するための情報をＲＡＭ４０４の各種フラグ格納エリア４３５に格納する。具体的には、ステップＳ８０５では１６Ｒ確変大当たりフラグ、８Ｒ確変大当たりフラグ、４Ｒ確変大当たりフラグのいずれかを格納し、ステップＳ８０６では８Ｒ通常大当たりフラグ及び４Ｒ通常大当たりフラグの何れかを格納する。
【０２１２】
ステップＳ８０５〜ステップＳ８０７のいずれかの処理を実行した後は、ステップＳ８０８にて、変動表示時間の設定処理を実行する。
【０２１３】
（変動表示時間の設定処理）
変動表示時間の設定処理では、図２７のフローチャートに示すように、先ずステップＳ９０１にて、上記当否抽選に当選しているか否かを判定する。具体的には、ＲＡＭ４０４の各種フラグ格納エリア４３５に１６Ｒ確変大当たりフラグ、８Ｒ確変大当たりフラグ、４Ｒ確変大当たりフラグ、８Ｒ通常大当たりフラグ、４Ｒ通常大当たりフラグの何れかが格納されているか否かを判定する。
【０２１４】
ステップＳ９０１にて否定判定をした場合、すなわち上記当否抽選の結果が外れ結果である場合には、ステップＳ９０２に進む。ステップＳ９０２では、今回の遊技回において図柄表示装置２５３にてリーチ表示が発生するか否かを判定する。具体的には、実行エリアＡＥに格納されているリーチ乱数カウンタＣ３の値がリーチ発生に対応した値である場合には、リーチ表示の発生として、ステップＳ８０２にて肯定判定をする。リーチ乱数カウンタＣ３の値を用いたリーチ発生の有無の特定に際しては、ＲＯＭ４０３のリーチ判定用テーブル記憶エリアに記憶されているリーチ判定用テーブルを参照する。
【０２１５】
ステップＳ９０１及びステップＳ９０２の何れか一方にて肯定判定をした場合にはステップＳ９０３に進み、ＲＯＭ４０３の変動表示時間テーブル記憶エリア４２３に記憶されているリーチ発生用変動表示時間テーブルを参照して今回の変動種別カウンタＣＳの値等に対応した変動表示時間情報を取得し、続くステップＳ９０４にてその変動表示時間情報をＲＡＭ４０４の各種カウンタエリア４３４に設けられた変動表示時間カウンタエリア（変動表示時間計測手段）にセットする。その後、本設定処理を終了する。
【０２１６】
つまり、本実施の形態においては、当否抽選の結果が大当たり当選結果である場合又は同当否抽選の結果が外れ結果となり且つリーチ発生用の抽選に当選した場合に、リーチ表示を実行する構成となっている。
【０２１７】
ここで、リーチ表示には、変動表示態様が互いに異なるノーマルリーチ表示（詳しくはノーマルリーチＡ〜Ｂ）とスーパーリーチ表示（詳しくはスーパーリーチＡ〜Ｃ）とが設けられている。リーチ発生用変動表示時間テーブルには、ノーマルリーチ表示及びスーパーリーチ表示それぞれに対応した変動表示時間情報が設定されており、当該テーブルを参照することによって、それぞれのリーチ表示に対応した変動表示時間情報が取得される。なお、リーチ表示の種類の決定に関しては、リーチ表示の種類と変動種別カウンタＣＳの値とが対応したテーブルが設けられており、当該テーブルを参照することで、今回の変動種別カウンタＣＳの値に対応したリーチ表示が決定される。
【０２１８】
なお、より詳細には、リーチ発生用変動表示時間テーブルは、大当たりの種別に対応している。具体的には、確変大当たり結果の場合に、特定図柄の組み合わせを停止表示できるように、変動表示時間が設定されているとともに、通常大当たり結果の場合に、非特定図柄の組み合わせを停止表示できるように、変動表示時間が設定されている。
【０２１９】
一方、ステップＳ９０２にて否定判定をした場合には、ステップＳ９０５にて変動表示時間テーブル記憶エリア４２３に記憶されているリーチ非発生用変動表示時間テーブルを参照して今回の変動種別カウンタＣＳの値に対応した変動表示時間を取得し、ステップＳ９０６にてその変動表示時間情報を上記変動表示時間カウンタエリアにセットする。その後、本設定処理を終了する。
【０２２０】
リーチ非発生時における変動表示時間情報は、共通保留数ＣＲＮの数が多いほど変動表示時間が短くなるように設定されている。但し、これに限定されることはなく、例えば、共通保留数ＣＲＮの数に依存しない構成としてもよく、共通保留数ＣＲＮの数が少ないほど変動表示時間が短くなるように設定されていてもよい。また、サポートモードが高頻度サポートモードである状況においては低頻度サポートモードである状況よりも、保留情報の数が同一である場合で比較して、短い変動表示時間が選択されるようにリーチ非発生用変動表示時間テーブルが設定されているが、これに限定されることはなく、選択される変動表示時間が同一であってもよく、上記の関係とは逆であってもよい。さらには、リーチ発生時における変動表示時間に対して、上記構成を適用してもよく、大当たり当選時と外れリーチ時とで選択され易い変動表示時間と選択され難い変動表示時間とが異なっている構成としてもよい。また、確変大当たり用の変動表示時間テーブル、通常大当たり用の変動表示時間テーブル、外れリーチ用の変動表示時間テーブル及び完全外れ用の変動表示時間テーブルがそれぞれ個別に設定されている構成としてもよい。以上のとおり、各遊技回の変動表示時間は、リーチ発生の有無、リーチ表示の種類、保留情報の数及び変動種別カウンタＣＳの値等をパラメータとして決定される。
【０２２１】
変動開始処理（図２６）の説明に戻り、ステップＳ８０８にて変動表示時間の設定処理を実行した後は、ステップＳ８０９にて、変動開始コマンド及び種別コマンドを設定する。変動開始コマンドには、リーチ発生の有無の情報及び変動表示時間の情報が含まれる。また、種別コマンドには、遊技結果の情報が含まれる。つまり、種別コマンドには、遊技結果の情報として、１６Ｒ確変大当たり結果の情報、８Ｒ確変大当たり結果の情報、４Ｒ確変大当たり結果の情報、８Ｒ通常大当たり結果の情報、４Ｒ通常大当たり結果の情報、外れ結果の情報などが含まれる。
【０２２２】
ステップＳ８０９にて設定された変動開始コマンド及び種別コマンドは、通常処理（図２３）におけるステップＳ５０１にて、報知・演出制御装置１４０に送信される。報知・演出制御装置１４０では、受信した変動開始コマンド及び種別コマンドに基づいて、その遊技回におけるランプ部２６の発光パターンやスピーカ部２９からの音の出力パターンを決定し、その決定した演出の内容が実行されるようにランプ部２６及びスピーカ部２９を制御する。また、報知・演出制御装置１４０は、上記変動開始コマンド及び種別コマンドをその情報形態を維持したまま表示制御装置４１０に送信する。
【０２２３】
表示制御装置４１０では、受信した変動開始コマンド及び種別コマンドに基づいて、その遊技回における図柄表示装置２５３での変動表示パターンを決定し、その決定した変動表示パターンが実行されるように図柄表示装置２５３を表示制御する。その後、ステップＳ８１０にて主表示ユニット８７の上作動口用表示部及び下作動口用表示部のうち該当する一方にて絵柄の変動表示を開始させた後に、本変動開始処理を終了する。
【０２２４】
遊技回制御処理（図２４）の説明に戻り、主表示ユニット８７の作動口用表示部が変動表示中である場合には、ステップＳ６０６〜ステップＳ６０９の遊技回進行用処理を実行する。遊技回進行用処理では、先ずステップＳ６０６にて、今回の遊技回の変動表示時間が経過したか否かを判定する。具体的には、ＲＡＭ４０４の変動表示時間カウンタエリアに格納されている変動表示時間情報の値が「０」となったか否かを判定する。当該変動表示時間情報の値は、上述したように、変動表示時間の設定処理（図２７）においてセットされる。また、このセットされた変動表示時間情報の値は、タイマ割込み処理（図２０）が起動される度に、１ディクリメント（減算）される。
【０２２５】
変動表示時間が経過していない場合には、ステップＳ６０７にて変動表示用処理を実行する。変動表示用処理では、主表示ユニット８７の入上作動口用表示部及び下作動口用表示部のうち該当する一方における表示態様を変更する。その後、本遊技回制御処理を終了する。
【０２２６】
変動表示時間が経過している場合には、ステップＳ６０８にて変動終了処理を実行する。変動終了処理では、上記ステップＳ８０５〜ステップＳ８０７のいずれかの処理にてＲＡＭ４０４に記憶した情報を特定し、その情報に対応した絵柄が上作動口用表示部及び下作動口用表示部のうち該当する一方にて停止表示されるように当該作動口用表示部を制御する。
【０２２７】
続くステップＳ６０９では、変動終了コマンドを設定する。その後、本遊技回制御処理を終了する。ステップＳ６０９にて設定された変動終了コマンドは、通常処理（図２３）におけるステップＳ５０１にて、報知・演出制御装置１４０に送信される。報知・演出制御装置１４０では、受信した変動終了コマンドをその情報形態を維持したまま表示制御装置４１０に送信する。表示制御装置４１０では、当該変動終了コマンドを受信することにより、その遊技回における最終停止図柄の組み合わせを確定表示（最終停止表示）させる。
【０２２８】
（遊技状態移行処理）
次に、ステップＳ５０４の遊技状態移行処理を図２８のフローチャートを参照して説明する。
【０２２９】
遊技状態移行処理においては先ず、ステップＳ１００１にて開閉実行モード中であるか否かを判定する。開閉実行モード中でない場合にはステップＳ９０２に進み、１の遊技回の上作動口用表示部又は下作動口用表示部における絵柄の変動表示が終了したタイミングか否かを判定する。変動表示が終了したタイミングでない場合には、そのまま本遊技状態移行処理を終了する。
【０２３０】
変動表示が終了している場合には、より詳しくは変動表示が終了してから予め設定された停止表示時間（インターバル時間：確定表示時間）が経過している場合には、ステップＳ１００３に進み、今回の遊技回の遊技結果（上記当否抽選の結果）が開閉実行モードへの移行に対応したものであるか否かを判定する。具体的には、ＲＡＭ４０４の各種フラグ格納エリア４３５に、１６Ｒ確変大当たりフラグ、８Ｒ確変大当たりフラグ、４Ｒ確変大当たりフラグ、８Ｒ通常大当たりフラグ、４Ｒ通常大当たりフラグの何れかが格納されているか否かを判定する。上記各フラグのいずれもが格納されていない場合には、そのまま本遊技状態移行処理を終了する。
【０２３１】
上記各フラグのいずれかが格納されている場合には、ステップＳ１００４にて開閉実行モードの開始処理を実行する。当該開始処理により、ロック装置による可変入賞装置８２の動作規制が解除され、開閉実行モードが終了するまで当該可変入賞装置８２の開閉動作が許容されることとなる。また、ステップＳ１００４の開始処理においてはＲＡＭ４０４の各種フラグ格納エリア４３５に開閉実行モード開始フラグをセットする。詳細については後述するが、これにより、ホールコンピュータＨＣへ開閉実行モードへ移行したことを示す外部信号の出力が開始されることとなる。
【０２３２】
続くステップＳ１００５ではＲＡＭ４０４の各種カウンタエリア４３４に設けられた開放数カウンタＯＣに「４」，「８」，「１６」の何れかをセットする。具体的には、ＲＡＭ４０４の各種フラグ格納エリア４３５に１６Ｒ確変大当たりフラグが格納されている場合には開放数カウンタＯＣに「１６」をセットし、ＲＡＭ４０４の各種フラグ格納エリア４３５に８Ｒ確変大当たりフラグ又は８Ｒ通常大当たりフラグが格納されている場合には開放数カウンタＯＣに「８」をセットし、ＲＡＭ４０４の各種フラグ格納エリア４３５に４Ｒ確変大当たりフラグ又は４Ｒ通常大当たりフラグが格納されている場合には開放数カウンタＯＣに「４」をセットする。開放数カウンタＯＣは、可変入賞装置８２が開放された回数を把握する手段として機能する。ステップＳ１００５の処理を実行した後はステップＳ１００６に進み、オープニングコマンドを設定する。
【０２３３】
この設定されたオープニングコマンドは、通常処理（図２３）におけるステップＳ５０１にて、報知・演出制御装置１４０及び表示制御装置４１０に送信される。報知・演出制御装置１４０では、受信したオープニングコマンドに基づいて、開閉実行モードに対応した演出の内容を決定し、その決定した演出の内容が実行されるように各種機器を制御する。この演出の内容としては、図柄表示装置２５３における表示態様が含まれており、この決定された表示態様は報知・演出制御装置１４０から表示制御装置４１０に表示内容コマンドとして出力される。表示制御装置４１０では、主制御装置１６２から受信したオープニングコマンドや報知・演出制御装置１４０から受信した表示内容コマンドに基づいて、今回の開閉実行モードに対応した表示、例えば大当たりに対応する表示内容としてのキャラクタ等の動画表示、背景画像等の切り替えがなされるように図柄表示装置２５３の表示制御を実行する。ステップＳ１００６の処理を実行した後は、本遊技状態移行処理を終了する。
【０２３４】
ステップＳ１００１の説明に戻り、当該ステップＳ１００１にて開閉実行モード中であると判定した場合には、ステップＳ１００７に進む。ステップＳ１００７では、オープニング用の待機時間が経過したか否かを判定する。オープニング用の待機時間が経過していない場合には、そのまま本遊技状態移行処理を終了する。オープニング用の待機時間が経過している場合には、ステップＳ１００８にて大入賞口開閉処理を実行する。
【０２３５】
大入賞口開閉処理においては先ず、可変入賞装置８２の大入賞口が開放中であるか否かを判定する。具体的には、可変入賞装置８２の可変入賞駆動部の駆動状態に基づいてかかる判定を行う。大入賞口が開放中でない場合には、開放数カウンタＯＣの値が「０」か否かを判定する。開放数カウンタＯＣの値が「０」である場合には、そのまま本大入賞口開閉処理を終了する。
【０２３６】
開放数カウンタＯＣの値が「０」でない場合には、開放タイマカウンタＴＣの値が「０」か否かを判定する。開放タイマカウンタＴＣは、大入賞口の開放期間及び閉鎖期間（インターバル期間）を把握する際に参照されるカウンタであり、タイマ割込み処理（図２０）が実行される度にその値が「１」づつ減算される。開放タイマカウンタＴＣの値が「０」でない場合には本大入賞口開閉処理を終了する。
【０２３７】
開放数カウンタＯＣの値が「０」ではなく且つ開放タイマカウンタＴＣの値が「０」である場合には、大入賞口の開放処理を実行する。具体的には、大入賞口を開放すべく可変入賞駆動部を駆動状態とする。その後、可変入賞装置８２（大入賞口）対応の閉鎖条件の設定処理（開放時用設定処理）を行う。具体的には、開放タイマカウンタＴＣに「１５０００」（３０ｓｅｃに相当）をセットし、入賞カウンタＰＣに「１０」をセットする。この設定処理を実行した後は、可変入賞装置８２（大入賞口）が開放されたことを示す開放コマンド設定して、本大入賞口開閉処理を終了する。この設定された開放コマンドは、通常処理（図２３）におけるステップＳ５０１にて、報知・演出制御装置１４０に送信される。報知・演出制御装置１４０においては、開放コマンドを受信したことに基づいて、開放に対応した演出の内容を決定し、その決定した演出の内容が実行されるように各種機器を制御する。
【０２３８】
一方、可変入賞装置８２の大入賞口が開放中であると判定した場合には、開放タイマカウンタＴＣの値が「０」か否かを判定する。開放タイマカウンタＴＣの値が「０」でない場合には、大入賞口に遊技球が入賞したか否かを可変入賞装置８２に対応した入賞検知センサ３９１ｃからの検知信号に基づいて（詳しくは上記ステップＳ２０６の結果に基づいて）判定する。入賞が発生していない場合には、そのまま本大入賞口開閉処理を終了する。
【０２３９】
なお、大入賞口への入賞が発生している場合には、上記賞球コマンドが払出制御装置２４２及び報知・演出制御装置１４０に出力される。払出制御装置２４２では当該賞球コマンドを受信したことに基づいて予め設定された数の遊技球を払い出す処理を行う。報知・演出制御装置１４０では、開閉実行モード中に賞球コマンドした場合には入賞発生を教示すべく例えば図柄表示装置２５３の表示画面２５３ａにて実行される開閉実行モード中の演出を変化させる処理を行う。
【０２４０】
大入賞口への入賞が発生した場合には、入賞カウンタＰＣの値を１ディクリメントした後に、入賞カウンタＰＣの値が「０」か否かを判定し、「０」でない場合にはそのまま本大入賞口開閉処理を終了する。入賞カウンタＰＣの値が「０」である場合、又は開放タイマカウンタＴＣの値が「０」であると判定した場合には、大入賞口閉鎖条件が成立したことを意味する。この場合には、大入賞口を閉鎖すべく可変入賞駆動部を非駆動状態とする。
【０２４１】
続いて開放数カウンタＯＣの更新処理を実行する。具体的には、開放数カウンタＯＣの値が「０」でない場合には同開放数カウンタＯＣを１ディクリメントするとともに開放数カウンタＯＣの値が「０」である場合には同開放数カウンタＯＣの値を「０」のまま維持する。その後、更新された開放数カウンタＯＣの値が「０」であるか否かを判定する。
開放数カウンタＯＣの値が「０」でないと判定した場合には、開放タイマカウンタＴＣに「１０００」（２．０ｓｅｃに相当）をセットし、閉鎖コマンドを設定した後に、本大入賞口開閉処理を終了する。この設定された閉鎖コマンドは、通常処理（図２３）におけるステップＳ５０１にて、報知・演出制御装置１４０に送信される。報知・演出制御装置１４０では、閉鎖コマンドを受信した場合に、当該閉鎖コマンドに対応した演出の内容を決定し、その決定した演出の内容が実行されるように各種機器を制御する。
【０２４２】
一方、開放数カウンタの値が「０」であると判定した場合には、エンディングの開始処理を実行する。当該開始処理では、開閉実行モードのエンディング用に次の遊技回を開始することなく待機するためのエンディング用待機時間を設定する。具体的には、ＲＡＭ４０４の各種カウンタエリア４３４に設けられた待機時間用カウンタエリアに、ＲＯＭ４０３に予め記憶されているエンディング用の待機時間情報をセットする。
【０２４３】
その後、エンディングコマンドを設定した後に、本大入賞口開閉処理を終了する。この設定されたエンディングコマンドは、通常処理（図２３）におけるステップＳ５０１にて、報知・演出制御装置１４０に送信される。
【０２４４】
遊技状態移行処理（図２８）の説明に戻り、ステップＳ１００８にて大入賞口開閉処理を実行した後は、ステップＳ１００９にて開放数カウンタＯＣの値が「０」か否かを判定し、ステップＳ１０１０にてエンディング用の待機時間が経過したか否かを判定する。開放数カウンタＯＣの値が「０」でない場合又はエンディング用の待機時間が経過していない場合には、そのまま本遊技状態移行処理を終了する。一方、開放数カウンタＯＣの値が「０」であり、且つエンディング用の待機時間が経過している場合には、ステップＳ１０１１にて、開閉実行モード終了時の移行処理を実行する。
【０２４５】
開閉実行モード終了時の移行処理においては先ず、今回の開閉実行モードの契機となった大当たり結果が１６Ｒ確変大当たり結果、８Ｒ確変大当たり結果、４Ｒ確変大当たり結果の何れかであるか否かを判定する。具体的には、ＲＡＭ４０４の各種フラグ格納エリア４３５に１６Ｒ確変大当たりフラグ、８Ｒ確変大当たりフラグ、４Ｒ確変大当たりフラグが格納されているか否かを判定する。
【０２４６】
今回の開閉実行モードの契機となった大当たり結果が１６Ｒ確変大当たり結果、８Ｒ確変大当たり結果、４Ｒ確変大当たり結果である場合には、遊技状態の移行にかかるフラグを消去する。消去処理を実行した後は遊技状態の設定処理を実行する。具体的には、先ずＲＡＭ４０４の各種フラグ格納エリア４３５に高確率モードフラグをセットする。このようにしてセットされた高確率モードフラグに基づいて、その後の遊技回における当否抽選においては高確率モード用の当否テーブルが参照されることとなる。
【０２４７】
その後、ＲＡＭ４０４の各種フラグ格納エリア４３５に高頻度サポートモードフラグをセットする。このようにしてセットされた高頻度サポートモードフラグに基づいて、その後の電役サポート処理においてはサポート抽選にて高頻度サポートモード用の当否テーブルが参照され、サポート抽選時の絵柄の変動表示時間が短縮され（詳しくは２．０ｓｅｃに設定され）、更には１度の開放により開放状態となる期間が延長される（詳しくは５．０ｓｅｃに設定される）。
【０２４８】
一方、今回の開閉実行モードの契機となった大当たり結果が８Ｒ通常大当たり結果または４Ｒ通常大当たり結果である場合、すなわちＲＡＭ４０４の各種フラグ格納エリア４３５に８Ｒ通常大当たりフラグ又は４Ｒ通常大当たりフラグが格納されている場合には、遊技状態の移行にかかるフラグを消去する。消去処理を実行した後は遊技状態の設定処理を実行する。具体的には、先ずＲＡＭ４０４の各種フラグ格納エリア４３５に高頻度サポートモードフラグをセットする。このようにしてセットされた高頻度サポートモードフラグに基づいて、その後の電役サポート処理においてはサポート抽選にて高頻度サポートモード用の当否テーブルが参照され、サポート抽選時の絵柄の変動表示時間が短縮され（詳しくは２．０ｓｅｃに設定され）、更には１度の開放により開放状態となる期間が延長される（詳しくは５．０ｓｅｃに設定される）。
【０２４９】
上述した確変大当たり結果の場合とは異なり、通常大当たり結果後に移行する高頻度サポートモードについてはサポート回数に上限が設定される。具体的には、ＲＡＭ４０４の各種カウンタエリア４３４に格納されている遊技回数カウンタに「１００」をセットする。これにより、開閉実行モード終了後に遊技回が１００回行われるまで高頻度サポートモードが維持され、「１００」に達したことを契機として高頻度サポートモードから低頻度サポートモードに移行されることとなる。
【０２５０】
遊技状態の設定処理を行った後は、ステップＳ１０１２にて開閉実行モードの終了処理を行う。具体的には、ＲＡＭ４０４の各種フラグ格納エリア４３５に格納されている開閉実行モードフラグや大当たりフラグ等を消去し、大当たりに対応した外部信号の出力を停止する。
【０２５１】
（報知・演出制御装置１４０及び表示制御装置４１０に係る電気的構成について）
次に、図２９のブロック図を参照して、報知・演出制御装置１４０及び表示制御装置４１０に係る電気的構成について補足説明する。
【０２５２】
報知・演出制御装置１４０に設けられた報知・演出制御基板４４１には、ＭＰＵ４４２が搭載されている。ＭＰＵ４４２には、当該ＭＰＵ４４２により実行される各種の制御プログラムや固定値データを記憶したＲＯＭ４４３と、そのＲＯＭ４４３内に記憶される制御プログラムの実行に際して各種のデータ等を一時的に記憶するためのメモリであるＲＡＭ４４４と、割込回路、タイマ回路、データ入出力回路等の各種回路等が内蔵されている。なお、ＭＰＵ４４２に対してＲＯＭ４４３及びＲＡＭ４４４が１チップ化されていることは必須の構成ではなく、それぞれが個別にチップ化された構成としてもよい。これは、他の制御装置のＭＰＵにおいても同様である。
【０２５３】
ＭＰＵ４４２には、入力ポート及び出力ポートがそれぞれ設けられている。ＭＰＵ４４２の入力側には主制御装置１６２が接続されており、当該主制御装置１６２から上述した変動開始コマンド、種別コマンド及び変動終了コマンドといった遊技回制御用コマンド（遊技回制御用情報）を受信する。また、シフトコマンドや保留コマンドといった保留表示制御用コマンド（保留表示制御用情報）、更には、オープニングコマンドやエンディングコマンドといった開閉実行モード用コマンド（開閉実行モード用情報）等を受信する。
【０２５４】
ＭＰＵ４４２の出力側には、既に説明したように、前扉枠１４に設けられた表示ランプ部２６〜２８及びスピーカ部２９、表示制御装置４１０が接続されている。主制御装置１６２から報知・演出制御装置１４０に入力された各種コマンドの一部は、情報形態をそのまま維持した状態で表示制御装置４１０に送信される。
【０２５５】
表示制御装置４１０は、プログラムＲＯＭ４７３及びワークＲＡＭ４７４が複合的にチップ化された素子であるＭＰＵ４７２と、ビデオディスプレイプロセッサ（ＶＤＰ）４７５と、キャラクタＲＯＭ４７６と、ビデオＲＡＭ４７７とがそれぞれ搭載された表示制御基板４７１を備えている。なお、ＭＰＵ４７２に対してプログラムＲＯＭ４７３及びワークＲＡＭ４７４が１チップ化されていることは必須の構成ではなく、それぞれが個別にチップ化された構成としてもよい。
【０２５６】
表示制御装置４１０のＭＰＵ４７２は、報知・演出制御装置１４０を経由して主制御装置１６２から受信した各種コマンドを解析し又は受信した各種コマンドに基づき所定の演算処理を行ってＶＤＰ４７５の制御（具体的にはＶＤＰ４７５に対する内部コマンドの生成）を実施する。より具体的には、ＭＰＵ４７２では、報知・演出制御装置１４０から送信されたコマンドに基づいて図柄表示装置２５３における各遊技回の変動表示パターンを特定する処理を実行するとともに後述する保留予告に係る処理を実行し、その処理結果に対応してＶＤＰ４７５に対する描画処理を実行する。これにより、図柄表示装置２５３の表示画面２５３ａにて各種画像が表示されることとなる。
【０２５７】
プログラムＲＯＭ４７３は、ＭＰＵ４７２により実行される各種の制御プログラムや固定値データを記憶するためのメモリであり、背景画像用のＪＰＥＧ形式画像データも併せて記憶保持されている。ワークＲＡＭ４７４は、ＭＰＵ４７２による各種プログラムの実行時に使用されるワークデータやフラグ等を一時的に記憶するためのメモリである。これらワークデータやフラグ等はワークＲＡＭ４７４の各エリアに記憶される。
【０２５８】
ＶＤＰ４７５は、図柄表示装置２５３に組み込まれた液晶表示部ドライバとしての画像処理デバイスを直接操作する一種の描画回路である。ＶＤＰ４７５はＩＣチップ化されているため「描画チップ」とも呼ばれ、その実体は、描画処理専用のファームウェアを内蔵したマイコンチップとでも言うべきものである。ＶＤＰ４７５は、ＭＰＵ４７２、ビデオＲＡＭ４７７等のそれぞれのタイミングを調整してデータの読み書きに介在するとともに、ビデオＲＡＭ４７７に記憶させる画像データを、キャラクタＲＯＭ４７６から所定のタイミングで読み出して図柄表示装置２５３に表示させる。
【０２５９】
キャラクタＲＯＭ４７６は、図柄表示装置２５３に表示される図柄などのキャラクタデータを記憶するための画像データライブラリとしての役割を担うものである。このキャラクタＲＯＭ４７６には、各種の表示図柄のビットマップ形式画像データ、ビットマップ画像の各ドットでの表現色を決定する際に参照する色パレットテーブル等が保持されている。
【０２６０】
なお、キャラクタＲＯＭ４７６を複数設け、各キャラクタＲＯＭ４７６に分担して画像データ等を記憶させておくことも可能である。また、前記プログラムＲＯＭ４７３に記憶した背景画像用のＪＰＥＧ形式画像データをキャラクタＲＯＭ４７６に記憶する構成とすることも可能である。
【０２６１】
ビデオＲＡＭ４７７は、図柄表示装置２５３に表示させる表示データを記憶するためのメモリであり、ビデオＲＡＭ４７７の内容を書き替えることにより図柄表示装置２５３の表示内容が変更される。
【０２６２】
既に説明したように本実施の形態では、表示画面２５３ａにおける図柄の変動表示態様の概要が主制御装置１６２からのコマンドを参照して報知・演出制御装置１４０により特定され、その特定結果に基づいて変動表示態様の詳細が表示制御装置４１０によって決定される構成となっている。具体的には、報知・演出制御装置１４０のＭＰＵ４４２では、所定の周期（例えば２ｍｓｅｃ）で起動される定期処理の一環として変動表示制御処理が実行され、この変動表示制御処理にて図柄の変動表示態様の概要等が特定される。ここで、図３０のフローチャートを参照して変動表示制御処理について説明する。
【０２６３】
（変動表示制御処理）
変動表示制御処理においては、先ずステップＳ１１０１にて遊技回中であるか否か、すなわち図柄表示装置２５３にて１遊技回分の図柄の変動表示又は確定表示が実行されているか否かを判定する。遊技回中でないと判定した場合にはステップＳ１１０２に進み、主制御装置１６２から送信された変動開始コマンドを受信しているか否かを判定する。
【０２６４】
ステップＳ１１０２にて否定判定をした場合には、そのまま本変動表示制御処理を終了する。一方、ステップＳ１１０２にて肯定判定をした場合には、ステップＳ１１０３にて後述の変動開始用処理を実行した後に、本変動表示制御処理を終了する。
【０２６５】
ステップＳ１１０１の説明に戻り、当該ステップＳ１１０１にて肯定判定をした場合、すなわち遊技回中であると判定した場合には、ステップＳ１１０４に進む。ステップＳ１１０４では主制御装置１６２から送信された変動終了コマンドを受信しているか否かを判定する。ステップＳ１１０４にて否定判定をした場合には、ステップＳ１１０５にて変動中用処理を実行した後に、本変動表示制御処理を終了する。変動中用処理は、変動開始用処理によって開始された遊技回において各種演出の実行や決定された演出の変更を行う処理である。
【０２６６】
ステップＳ１１０４にて肯定判定をした場合にはステップＳ１１０６に進み、当該ステップＳ１１０６にて変動終了用処理を実行した後に、本変動表示制御処理を終了する。変動終了用処理では、図柄の変動表示や実行されている演出を当該遊技回に係る保留情報に対応するようにして終了させる（確定停止させる）。かかる処理では、スピーカ部２９やランプ部２６を駆動制御することで確定停止に対応する演出を行う。そして、確定コマンドを表示制御装置４１０に出力してから、本変動終了用処理を終了する。表示制御装置４１０のＭＰＵ４７２では、受信した確定コマンドに基づき図柄表示装置２５３にて図柄を確定停止させるよう制御する。
【０２６７】
（変動開始用処理）
ここで、図３１のフローチャートを参照して、ステップＳ１１０３の変動開始用処理について補足説明する。変動開始用処理は、主制御装置１６２から送信された変動開始コマンドを受信したことに基づき、遊技回用の演出を開始させるための処理である。変動開始用処理では、遊技回用の演出としてリーチ表示等の設定を行う。
【０２６８】
変動開始処理においては、先ずステップＳ１２０１にて今回受信した変動開始コマンドを読み出し、当該コマンドからリーチ発生の有無の情報及び変動表示時間の情報を特定する。また、既に説明したように主制御装置１６２から変動開始コマンドが送信される場合には種別コマンドも併せて送信される。ステップＳ１１０１では、今回受信した変動開始コマンドとともに受信している種別コマンドを読み出し、当該コマンドから、確変大当たり結果の情報、通常大当たり結果の情報又は外れ結果の情報といった遊技結果の情報を特定する。そして、ステップＳ１２０１では、上記特定した情報から、大当たり当選の有無の情報、大当たり当選である場合には大当たり種別の情報、大当たり非当選である場合にはリーチ発生の有無の情報、及び変動表示時間の情報を把握し、その把握した情報をＭＰＵ４４２のレジスタに記憶する。
【０２６９】
続くステップＳ１２０２では、ステップＳ１２０１にて把握した情報に基づいて、今回開始する遊技回の遊技結果が大当たり結果に対応する遊技結果であるか否かを判定する。大当たり結果である場合、すなわち確変大当たり結果又は通常大当たり結果である場合には、続くステップＳ１２０３にて、大当たり用の演出設定処理を実行する。
【０２７０】
大当たり用の演出設定処理では大当たり用の図柄の停止結果を決定する（停止結果決定処理を行う）。停止結果決定処理においては、確変大当たり結果である場合に、一の有効ラインＬ１〜Ｌ５上に同一の特定図柄（奇数が付された主図柄）の組合せが成立する停止結果を、本遊技回の停止結果として決定する。また、通常大当たり結果である場合には、一の有効ラインＬ１〜Ｌ５上に同一の非特定図柄（偶数が付された主図柄）の組合せが成立する停止結果を、本遊技回の停止結果として決定する。
【０２７１】
大当たり結果となった場合に停止表示される主図柄の種類や有効ラインＬ１〜Ｌ５は抽選等によってランダムに決定される。ＲＯＭ４４３の各種テーブルエリアに記憶された最終停止ラインテーブルには、各有効ラインＬ１〜Ｌ５とアドレス情報とが記憶されており、上記処理にて決定された最終停止ラインはＲＡＭ４４４に設けられた最終停止ラインアドレス記憶エリアにアドレス情報として記憶される。またこの際、決定した停止結果の情報を停止結果アドレス記憶エリアに記憶する処理を実行する。なお、以下の説明でも各種停止結果決定処理にて決定した停止結果のアドレス情報がＲＡＭ４４４の停止結果アドレス記憶エリアに記憶される。
【０２７２】
また、大当たり用の演出設定処理では大当たり用の図柄の変動表示態様を決定する（変動表示態様決定処理（演出パターン決定処理）を行う）。既に説明したとおり、大当たり結果となった場合、その結果はリーチ表示を経て報知される構成となっている。リーチ表示用の変動表示態様決定処理では、ＲＯＭ４４３の各種テーブルエリアに記憶されているリーチ表示用の変動表示パターンテーブルを取得し、今回受信している変動開始コマンドの変動表示時間及び種別コマンドにおける遊技結果に対応したノーマルリーチ表示又はスーパーリーチ表示の演出パターンを決定する。また、決定した変動表示態様のアドレス情報をＲＡＭ４４４のパターンアドレス記憶エリアに記憶する処理を実行する。なお、以下に示す変動表示態様決定処理においてもＲＯＭ４４３の変動表示パターンテーブル記憶エリアから対応する変動表示パターンテーブルを取得して変動表示時間及び遊技結果に対応した演出パターンを決定する。そして、演出パターン決定処理にて決定した演出パターンのアドレス情報をＲＡＭ４４４のパターンアドレス記憶エリアに記憶する。
【０２７３】
ステップＳ１２０２にて大当たり結果ではないと判定した場合にはステップＳ１２０４に進む。ステップＳ１２０４では、今回の遊技回にてリーチが発生するか否かを把握する。リーチが発生する場合にはステップＳ１２０５に進み、リーチ発生用の演出設定処理を実行する。リーチ発生用の演出設定処理では演出の概要と最終停止させる図柄の組み合わせ等を決定する。前者については、上記ステップＳ１２０３の処理と同様であるため説明を援用する。本処理は外れリーチに対応するものなので、大当たり結果に対応する図柄組合せとならないように停止図柄を決定する。すなわち、一の有効ラインＬ１〜Ｌ５上に外れリーチ図柄の組合せが成立する停止結果を、今回の停止結果として決定する。この場合、外れリーチ図柄の組み合わせの種類や有効ラインＬ１〜Ｌ５は抽選などによってランダムに決定される。また、この決定に際しては、いずれの有効ラインＬ１〜Ｌ５上にも同一の図柄の組合せが成立することなく、且つ、リーチラインを形成する図柄と同じ中図柄列Ｚ２の図柄をリーチラインに対して前又は後にずれた停止位置で最終停止させるように有効ライン上の停止結果を決定する。その後、決定した停止結果の情報を停止結果アドレス記憶エリアに記憶する処理を実行する。
【０２７４】
ステップＳ１２０４にてリーチ発生ではないと判定した場合は、ステップＳ１２０６に進む。ステップＳ１２０６では、完全外れ用の演出の概要と最終停止させる図柄の組み合わせ等を決定する。本処理は完全外れに対応するものなので、大当たり結果に対応する図柄組合せが形成されないようにして停止図柄を決定する。
【０２７５】
ステップＳ１２０３、ステップＳ１２０５、ステップＳ１２０６のいずれかの処理を実行した後は、ステップＳ１２０７に進む。ステップＳ１２０７では、ステップＳ１２０３、ステップＳ１２０５、ステップＳ１２０６にて決定した停止結果及び演出パターンの情報を含むコマンドを、それぞれ停止結果コマンド、パターンコマンドとして表示制御装置４１０へ出力する処理を実行する。表示制御装置４１０のＭＰＵ４７２では、その受信した停止結果コマンド及びパターンコマンドに基づき、今回の遊技回における演出を実行するべく図柄表示装置２５３の表示制御を行う。
【０２７６】
ステップＳ１２０７の処理を実行した後は、続くステップＳ１２０８にて、遊技回用の演出を開始する処理を実行した後、本変動開始用処理を終了する。具体的には、上記ステップＳ１２０３、ステップＳ１２０５、ステップＳ１２０６にて決定した演出パターンに基づいてスピーカ部２９やランプ部２６の駆動制御を開始して、遊技回用の演出を開始する。
【０２７７】
ここで、図３２に基づき図柄表示装置２５３（表示画面２５３ａ）にて表示される図柄の変動表示態様について補足説明する。図３２（ａ）は変動表示態様の種類を示す概略図、図３２（ｂ）群は各変動表示態様の概要を示す概略図である。
【０２７８】
（変動表示態様）
図３２（ａ）に示すように、表示画面２５３ａにて実行される図柄の変動表示態様は、完全外れ，ノーマルリーチＡ，ノーマルリーチＢ，スーパーリーチＡ，スーパーリーチＢ，スーパーリーチＣの５つに大別される。これら各変動表示態様については、変動表示時間が異なるように設定されており、主制御装置１６２からのコマンドに付与され変動表示時間に係る情報に基づいて遊技回毎の変動表示態様の概要を把握可能となっている。
【０２７９】
具体的には、完全外れの変動表示時間については「３ｓｅｃ〜８ｓｅｃ」（保留数に応じて差が設定されている）、ノーマルリーチＡの変動表示時間については「１０ｓｅｃ」、ノーマルリーチＢの変動表示時間についてはノーマルリーチＡの変動表示時間よりも長い「１５ｓｅｃ」、スーパーリーチＡの変動表示時間についてはノーマルリーチＡ，Ｂの変動表示時間よりも長い「１６ｓｅｃ」、スーパーリーチＢの変動表示時間についてはスーパーリーチＡの変動表示時間よりも長い「１７ｓｅｃ」、スーパーリーチＣの変動表示時間については他のスーパーリーチＡ，Ｂの変動表示時間よりも長い「１８ｓｅｃ」となっている。例えば、主制御装置１６２からのコマンドに付与された変動表示時間に関する情報が「１５ｓｅｃ」である場合には、報知・演出制御装置１４０にてノーマルリーチＢを実行すべき旨が把握されることとなる。
【０２８０】
なお、大当たり結果に対応する遊技回では、スーパーリーチＣ  ＞  スーパーリーチＢ  ＞  スーパーリーチＡ  ＞  ノーマルリーチＢ  ＞  ノーマルリーチＡ  の順に選択されやすくなるようになっており、外れ結果に対応する遊技回では、完全外れ  ＞  ノーマルリーチＡ  ＞  ノーマルリーチＢ  ＞  スーパーリーチＡ  ＞  スーパーリーチＢ  ＞  スーパーリーチＣ  の順に選択されやすい構成となっている。つまり、変動表示時間が長くなるにつれて大当たりの当選期待度が高くなる設定となっている。
【０２８１】
ここで、図３２（ｂ１）を参照してノーマルリーチＡ，Ｂの変動表示態様について説明する。ノーマルリーチＡ，Ｂが選択された場合には、先ず停止表示されている全ての図柄列の変動表示（スクロール表示）を開始し、その後、上段の図柄列（上図柄列Ｚ１）において図柄の変動表示を終了し（停止表示させ）、さらに下段の図柄列（下図柄列Ｚ３）において図柄の変動表示を終了する（停止表示させる）。このようにして上下の図柄列Ｚ１，Ｚ３を停止表示した状態において、いずれかの有効ラインＬ１〜Ｌ５（図１３（ａ）参照）に同一の数字が付された主図柄が停止表示されることでリーチラインが形成される。そして、当該リーチラインが形成されている状況下において中段の図柄列（中図柄列Ｚ２）の変動表示が行われることでリーチ表示（リーチ変動表示）となる。リーチ表示となった後、中図柄列Ｚ２を停止表示することにより、変動表示が終了する。そして、リーチライン上に当該リーチ表示を構成している図柄と同一の図柄が停止することで大当たりに当選した旨が報知され、同リーチライン上にそれ以外の図柄が停止することで大当たりに当選していない旨が報知されることとなる。このようにして、最終停止表示された図柄の組み合わせについては所定期間に亘ってそのまま維持される。つまり、停止表示期間が経過するまでは今回の遊技回が続いており、当該停止表示期間が経過することにより次の遊技回への移行が許容されることとなる。
【０２８２】
本実施の形態においてはリーチラインが形成された後の中図柄列Ｚ２の変動表示時間に差を設定することにより、ノーマルリーチＡとノーマルリーチＢとの変動表示時間の差が確保されているが、両者の差の設定の仕方については任意である。例えば、変動表示が開始されてからリーチラインが形成されるまでの時間に差を設定することにより、上記変動表示時間の差を確保することも可能である。
【０２８３】
次に、上述したノーマルリーチＡ，Ｂの変動表示態様を踏まえてスーパーリーチＡ，Ｂ，Ｃの変動表示態様について説明する。図３２（ｂ２）〜（ｂ４）に示すように、スーパーリーチＡ，Ｂ，Ｃについては、ノーマルリーチＡ，Ｂと同様の過程を経て上述したリーチラインを形成する。そして、リーチラインを形成した後、中図柄列Ｚ２の変動表示に併せて、所定のキャラクタを動画として表示することによりリーチ演出を行う構成となっている。具体的には、スーパーリーチＡにおいてはリーチラインが形成された後、中図柄列Ｚ２の変動表示領域の中央（変動表示領域ＭＥの中央）に妖精を模したキャラクタが表示され、スーパーリーチＢにおいてはリーチラインが形成された後、中図柄列Ｚ２の変動表示領域の中央（変動表示領域ＭＥの中央）に男の子を模したキャラクタが表示され、スーパーリーチＣにおいてはリーチラインが形成された後、中図柄列Ｚ２の変動表示領域の中央（変動表示領域ＭＥの中央）に女の子を模したキャラクタが表示されることとなる。
【０２８４】
（監視装置６００）
本実施の形態に示すパチンコ機１０には、主制御装置１６２の動きを監視する監視装置６００が設けられている。図３３に示すように、監視装置６００の入力ポートには主制御装置１６２、払出制御装置２４２及び報知・演出制御装置１４０が接続されている。既に説明したように、主制御装置１６２には上作動口８３ａ、下作動口８３ｂ、一般入賞口８１、可変入賞装置８２（大入賞口）用の各種入賞検知センサ３９１ａ〜３９１ｄが接続されており、主制御装置１６２にて上作動口８３ａ、下作動口８３ｂ、一般入賞口８１、可変入賞装置８２（大入賞口）への入賞を確認した場合には当該主制御装置１６２からその旨を示す情報（信号）として賞球コマンドが監視装置６００に出力される構成となっている。
【０２８５】
監視装置６００のＭＰＵ６０２には主制御装置１６２から入力された情報を記憶する記憶部６０４が設けられている。記憶部６０４は、主として入賞数や大当たり回数等の遊技情報を記憶する第１記憶領域６０５と、主として遊技機における異常等の発生回数等を記憶する第２記憶領域６０６とで構成されている。
【０２８６】
例えば主制御装置１６２から入賞を示す賞球コマンドを受信した場合には第１記憶領域６０５に配設された各種入賞数カウンタ６２１〜６２４のうち受信した信号に対応するものを更新（加算）する。つまり、監視装置６００により、作動口８３ａ，８３ｂ、一般入賞口８１、可変入賞装置８２（大入賞口）への入賞数が監視されている。
【０２８７】
また、主制御装置１６２にて遊技回が実行された場合は、上述した確定表示のタイミング（変動表示の終了タイミング）にて確定用の情報（信号）当該主制御装置１６２から監視装置６００に出力される。監視装置６００においてはこの信号を受信した場合には、第１記憶領域６０５に配設された遊技回数カウンタ６２５を更新（加算）する。つまり、監視装置６００により、遊技回数が監視されている。
【０２８８】
更には、遊技回にて大当たり結果となり開閉実行モードへ移行する場合は、開閉実行モードの開始タイミングにて大当たり用の情報（信号）が主制御装置１６２から監視装置６００に出力される。監視装置６００においてはこの信号を受信した場合には、第１記憶領域６０５に配設された当たり回数カウンタ６２６を更新（加算）する。つまり、監視装置６００により、当たり回数が監視されている。
【０２８９】
また、遊技球の払出しが行われた場合には、その旨を示す信号として払出コマンドが払出制御装置２４２から監視装置６００に出力される。監視装置６００においては、この信号を受信した場合には、第１記憶領域６０５に配設された賞球数カウンタ６２７を更新（加算）する。つまり、監視装置６００により、賞球数（遊技球の払出数）が監視されている。
【０２９０】
第１記憶領域６０５及び第２記憶領域６０６に記憶される各種情報については、設定値に対応付けられた状態で記憶されている。例えば、設定１にて作動口８３ａ，８３ｂへの入賞が発生し、その入賞情報を記憶する場合には、入賞発生時の設定１を示す情報を付加した状態で入賞情報が記憶されることとなる。これにより、入賞状況等を事後的に確認する場合には、各入賞がどの設定値にて発生したものであるかを識別可能となっている。
【０２９１】
監視装置６００の出力ポートには、報知・演出制御装置１４０が接続されており、報知・演出制御装置１４０については、監視装置６００に記憶されている情報を適宜取得可能となっている。また、報知・演出制御装置１４０については、ホール管理者等による所定の要求操作に基づいて監視装置６００に記憶されている情報を図柄表示装置２５３の表示画面２５３ａに表示する機能を有している。
【０２９２】
（設定変更機能）
上述したように、本実施の形態に示すパチンコ機１０においては設定値が複数段階設けられており、設定値の変更（設定変更）によって大当たりの発生確率を変化させることができる構成となっている。設定値については常時変更可能となっているわけではなく、状況に応じて許可／禁止が切り替わる。本実施の形態においては、設定変更の許可／禁止の切り替えに関する構成が特徴的なものとなっている。以下、図５及び図３４を参照して設定変更に係る構成について補足説明する。
【０２９３】
図５に示したように、パチンコ機１０においては、遊技球発射機構１１０から発射された遊技球は誘導レール１００によって遊技領域ＰＥに案内される。遊技領域ＰＥを流下した遊技球は一般入賞口８１等の各種入球部又はアウト口８９を通じて遊技領域ＰＥから排出され、遊技領域形成体８０ａの背面部に設けられた回収通路を通じて遊技ホールの島設備へ返却される。また、遊技球発射機構１１０から発射された遊技球のうち遊技領域ＰＥに到達できなかったものについては、誘導通路１０３→前扉枠１４（通路形成ユニット４５）に形成されたファール通路を通じて遊技者に返却される。
【０２９４】
図３４に示すように、主制御装置１６２には、遊技球発射機構１１０に設けられた発射用検知センサ７０１と、通路形成ユニット４５のファール球通路に設けられたファール用検知センサ７０２と、遊技盤ユニット８０の背面側の回収通路に設けられた回収用検知センサ７０３とが接続されている。
【０２９５】
発射用検知センサ７０１はソレノイド１１１によって発射された遊技球を検知するものであり、主制御装置１６２では発射用検知センサ７０１からの情報（検知信号）に基づいて遊技球が発射されたことを特定可能となっている。ファール用検知センサ７０２はファール球通路を通過する遊技球を検知するものであり、主制御装置１６２ではファール用検知センサ７０２からの情報（検知信号）に基づいてファール球通路を遊技球が通過したことを特定可能となっている。回収用検知センサ７０３は回収通路を通過する遊技球を検知するものであり、主制御装置１６２では回収用検知センサ７０３からの情報（検知信号）に基づいて回収通路を遊技球が通過したことを特定可能となっている。主制御装置１６２では、これら各検知センサ７０１〜７０３からの情報に基づいて遊技領域ＰＥに遊技球が残存しているか否かを特定可能となっている。
【０２９６】
また、払出制御装置２４２にて遊技球の払出しが行われた場合には払出しを実行した旨を示す情報（払出コマンド）が主制御装置１６２に出力される構成となっており、主制御装置１６２では払出制御装置２４２に送信した賞球指令と払出制御装置２４２から取得した払出情報とに基づいて、遊技球の払出しを完了しているか否かを特定可能となっている。
【０２９７】
パチンコ機１０には内枠１３の開放を検知する開放検知センサ７０６が接続されており、主制御装置１６２では開放検知センサ７０６からの情報（検知信号）に基づいて内枠１３が開放されているか否かを特定可能となっている。
【０２９８】
ここで、図３５のフローチャートを参照して、主制御装置１６２のＭＰＵ４０２にて通常処理の一環として実行される上記設定変更用処理（ステップＳ５０７）について説明する。
【０２９９】
（設定変更用処理）
設定変更用処理においては先ず、ステップＳ１３０１にて設定変更モード中であるか否かを判定する。具体的には、ＲＡＭ４０４の各種フラグ格納エリア４３５に設定変更モードが格納されているか否かを判定する。ステップＳ１３０１にて否定判定をした場合には、ステップＳ１３０２に進む。ステップＳ１３０２では設定変更キーが上記キー穴１６７に挿通されＯＮ状態に切り替えられているか否かを判定する。ステップＳ１３０２にて否定判定をした場合にはそのまま本設定変更用処理を終了する。
【０３００】
ステップＳ１３０２にて肯定判定をした場合には、ステップＳ１３０３に進む。ステップＳ１３０３では上記検知センサ７０１〜７０３からの情報に基づいて、遊技領域ＰＥに遊技球が残存しているか否かを判定する。ステップＳ１３０２にて否定判定をした場合にはそのまま本設定変更用処理を終了する。ステップＳ１３０２にて肯定判定をした場合には、ステップＳ１３０４に進む。
【０３０１】
ステップＳ１３０４では、払出制御装置２４２からの払出情報に基づいて、払出し待ちの賞球が存在しているか否かを判定する。ステップＳ１３０４にて否定判定をした場合には、そのまま本設定変更用処理を終了する。ステップＳ１３０４にて肯定判定をした場合には、ステップＳ１３０５に進む。ステップＳ１３０５では払出しを完了してから所定の待機時間を経過したタイミングであるか否かを判定する。
【０３０２】
払出装置２２４から払い出された遊技球は払出通路を通過して上皿３３又は下皿３４に向かう。この際、遊技球が遊技者の手元に届くまでにはある程度の時間（本実施の形態においてはおよそ２ｓｅｃ）を要する。上記待機時間は、この所要時間よりも僅かに長くなるようにして決定された時間であり、ステップＳ１３０５では払い出された遊技球が遊技者の手元に届いているか否かを推定している。
【０３０３】
ステップＳ１３０５にて否定判定をした場合にはそのまま本設定変更用処理を終了する。ステップＳ１３０５にて肯定判定をした場合には、ステップＳ１３０６に進む。ステップＳ１３０６では遊技回中であるか否かを判定する。すなわち、作動口表示部にて絵柄の可変表示又は確定表示が実行されている最中であるか否かを判定する。ステップＳ１３０６にて肯定判定をした場合には、そのまま本設定変更用処理を終了する。ステップＳ１３０６にて否定判定をした場合には、ステップＳ１３０７に進む。
【０３０４】
ステップＳ１３０７では保留情報が記憶されているか否か、すなわち次の遊技回が控えているか否かを判定する。ステップＳ１３０７にて否定判定をした場合、すなわち次の遊技回が控えている場合には、そのまま本設定変更用処理を終了する。ステップＳ１３０７にて肯定判定をした場合にはステップＳ１３０８に進む。
【０３０５】
ステップＳ１３０８では開放検知センサ７０６からの検知情報に基づいて、内枠１３が開放されているか否かを判定する。ステップＳ１３０８にて否定判定をした場合には、そのまま本設定変更用処理を終了する。ステップＳ１３０８にて肯定判定をした場合には、ステップＳ１３０９に進む。
【０３０６】
ステップＳ１３０９では、設定変更モード開始処理を実行する。つまり、本実施の形態では、（１）遊技領域ＰＥに遊技球が残存していないこと、（２）払出し待ちの遊技球が存在していないこと、（３）払出終了後の待機時間を経過していること、（４）遊技回中でないこと、（５）後続の保留情報が存在していないこと、（６）内枠１３が開放されていること、（７）設定変更キーがＯＮ状態となっていることを条件として、設定変更が許可される構成となっている。
【０３０７】
設定変更モード開始処理では、現在選択されている設定値を設定値表示部１６８に表示するとともに、設定変更操作の受付けを許可する。そして、遊技進行に係る各種処理（例えば通常処理における遊技回制御処理、遊技状態移行処理、電役サポート用処理、遊技球発射制御処理等の処理）を禁止し、ＲＡＭ４０４の各種フラグ格納エリア４３５に設定変更モードフラグを格納する。設定変更モード用フラグが格納されることで、以降はステップＳ１３０１にて肯定判定されることとなる。なお、設定変更モード用フラグが消去されることで、上記遊技進行に係る各種処理が再開される。
【０３０８】
ステップＳ１３０１の説明に戻り、当該ステップＳ１３０１にて肯定判定をした場合、すなわち設定変更モード中である場合には、ステップＳ１３１０に進む。ステップＳ１３１０では設定変更スイッチ１６６の操作（設定変更操作）が行われたか否かを判定する。ステップＳ１３１０にて肯定判定をした場合には、ステップＳ１３１１に進み、変更操作対応処理を実行する。具体的には、設定変更操作によって新たに選択された設定値を記憶するとともに、その記憶した設定値が設定値表示部１６８に表示されるように表示内容を更新する。
【０３０９】
ステップＳ１３１０にて否定判定をした場合、すなわち設定変更操作が行われていない場合には、ステップＳ１３１２に進む。ステップＳ１３１２では、設定変更キーがＯＦＦ状態となるように切り替えられたか否かを判定する。ステップＳ１３１２にて否定判定をした場合には、そのまま本設定変更用処理を終了する。ステップＳ１３１２にて肯定判定をした場合には、ステップＳ１３１３に進む。ステップＳ１３１３では設定変更処理を実行する。具体的には、設定変更キーがＯＦＦ状態となるように切り替えられた時点で選択されていた設定値に対応したフラグをＲＡＭ４０４の各種フラグ格納エリア４３５に格納する。具体的には、設定１が選択されている場合には設定１対応フラグを格納し、設定２が選択されている場合には設定２対応フラグを格納し、設定３が選択されている場合には設定３対応フラグを格納する。以降の処理では、例えば設定１対応フラグが格納されている場合には設定１対応の当否抽選テーブルが参照され、設定２対応フラグが格納されている場合には設定２対応の当否抽選テーブルが参照され、設定３対応フラグが格納されている場合には設定３対応の当否抽選テーブルが参照されることとなる。
【０３１０】
続くステップＳ１３１４にて設定変更モード終了処理を実行した後、本設定変更用処理を終了する。設定変更モード終了処理においては、ＲＡＭ４０４の各種フラグ格納エリア４３５に格納されている設定変更モードフラグを消去し、上述した設定値表示部１６８の表示を終了し、禁止されていた上記各種処理を再開させる。
【０３１１】
ここで、図３６のタイミングチャートを参照して、設定変更までの流れについて説明する。
【０３１２】
図３６（ａ）に示すように、ｔａ１のタイミングにて一般入賞口用の入賞検知センサ３９１ａにより一般入賞口８１への入賞が検知された場合には、その後のｔａ２のタイミングにて遊技球の払出しが実行される。一般入賞口８１への入賞に基づいて払い出される賞球は１０個であり払出しが完了するまである程度の時間を要する。賞球の払出しが完了したｔａ３のタイミングから上記待機時間を経過したｔａ４のタイミングにて設定変更の実行条件（２），（３）が成立する。これに併せて他の実行条件（１），（４）〜（７）が成立することにより、設定変更が許可されることとなる。
【０３１３】
既に説明したように、本実施の形態に示すパチンコ機１０においては、払出制御装置２４２から遊技球の払出情報が監視装置６００に送信され、払出情報が蓄積される構成となっている。そして、払出情報に基づいてパチンコ機１０が正常に動作しているか否かが監視される。このような監視を行う場合には、遊技球が何れの設定値となっている状況下にて払い出されたものかが重要となる。例えば、ｔａ１〜ｔａ２の間のｔａＸのタイミングにて設定値が変更された場合には、主制御装置１６２から監視装置６００に送信された入賞情報が対応する設定値と、払出制御装置２４２から監視装置６００に送信された払出情報が対応する設定値とにずれが生じる。このようなずれは監視の確からしさの向上させる上で妨げになり得る。この点、本実施の形態に示す構成によれば、少なくとも払出しが完了するまで設定変更が禁止さる。このため、上述したような情報のずれを好適に回避し、監視機能の強化に貢献できる。
【０３１４】
次に、図３６（ｂ）を参照して、保留情報の有無と設定変更との関係について説明する。
【０３１５】
ｔｂ１のタイミングにて作動口用の入賞検知センサ３９１ｂ〜３９１ｃにより作動口８３ａ，８３ｂへの入賞が検知されたことに基づいて作動口用表示部における絵柄の可変表示と図柄表示装置２５３における図柄の変動表示が開始される。この際、後続の保留情報の数は０であるため、変動表示時間は比較的長いものが設定される。変動表示中のｔｂ２，ｔｂ３の各タイミングにて作動口８３ａ，８３ｂへの入賞が発生すると、それら入賞に基づいて取得された保留情報は記憶されたまま保持され、実行中の遊技回が終了するまで待機した状態となる。今回の遊技回が終了した後は、ｔｂ４，ｔｂ５のタイミングにて後続の保留情報に対応した遊技回が順に実行され、全ての保留情報が消化されたｔｂ７のタイミングにて設定変更の実行条件（４），（５）が成立する。これに併せて他の実行条件（１）〜（３），（６）〜（７）が成立することにより、設定変更が許可されることとなる。
【０３１６】
本実施の形態においては、保留機能によって遊技進行の円滑化が図られているものの、このような構成では入賞のタイミングと抽選のタイミングにずれが生じる。このため、仮に後続の保留情報が控えている状況下にて当該保留情報の取得タイミングと遊技回の開始タイミング（抽選タイミング）との間（例えばｔｂＸのタイミング参照）で設定が変更された場合には、本来であれば大当たり結果となるはずの遊技回にて外れ結果となったり、本来であれば外れ結果となるはずの遊技回にて大当たり結果となったりすると懸念される。これは、遊技機の挙動に対する信頼性を低下させる要因になるため好ましくない。この点、本実施の形態においては、遊技回中だけでなく後続の保留情報が控えている場合にも設定変更が禁止される構成とすることでそのような不都合の発生を抑制している。
【０３１７】
以上詳述した第１の実施の形態によれば、以下の優れた効果を奏する。
【０３１８】
遊技中に突如として遊技に関する情報が消去された場合には、遊技機の挙動が突然変化すると想定される。例えば、本来であれば遊技者に払い出されるはずの遊技球が払い出されなくなったり、取得されていた特別情報に係る遊技回が実行されなくなったりした場合には、遊技者を困惑させて遊技機への信頼性を低下させる要因になると懸念される。この点、本実施の形態に示す構成においては、設定変更に適した状況でない場合には設定値の変更（設定変更）が規制されるため、遊技中に遊技機の挙動が変化することを抑制できる。これにより、遊技機への信頼性の向上に寄与できる。
【０３１９】
詳しくは、遊技領域ＰＥに遊技球が残っている状況下においては、設定変更が規制されることとなる。これにより、ある設定値の元で発射されたはずの遊技球がそれとは異なる設定値の元で一般入賞口８１等の入球部に入賞することを回避できる。特に、検知センサを用いて残存球を監視しているため、残存球の排出後は速やかに規制が解除されるため、無駄な待機時間が発生しない。これは、設定変更を行う際の遊技機の利便性の向上を図る上で有利である。
【０３２０】
入賞発生によって払出要求が発生した場合には、入球から払い出しまでにある程度のタイムラグが生じる。この間に設定値が変更されてしまうと、今回の払い出しが何れの設定値に対応しているかが不明確になる。そこで、本実施の形態に示したように払出動作が終了した後も待機時間が経過するまで変更規制を継続することにより、そのような不都合の発生を好適に抑制できる。
【０３２１】
遊技機においては、遊技球の不足等の要因によって直ちに遊技球の払出しを行うことが困難になる場合がある。このような状況では一時的に払出動作が中断され得るものの、払い出しが可能な状況となることで払出動作が再開される。このような場合には、少なくとも払い出しが完了するまで設定値の変更を規制することにより、払い出された遊技球が何れの設定値に対応するものかがわかりづらくなることを抑制できる。
【０３２２】
保留情報が記憶されている場合には設定変更が規制されることとなる。これにより、例えば本来であれば所定の判定情報（例えば当選情報）と対応している特別情報について所定の判定情報に対応しない判定結果となったり、所定の判定情報と対応していない特別情報について所定の判定情報に対応する判定結果となったりすることを好適に抑制できる。
【０３２３】
設定変更の実行条件を成立させるには扉体である内枠１３の開放が必要となる。このような行為は目立つため、設定値を不正に変更する行為を抑制し、遊技機の防犯機能の向上に寄与できる。
【０３２４】
監視装置６００によって入賞等を監視している構成では、入賞が発生したことを確認してから監視装置６００に情報が送信されるまでに若干のタイムラグが生じ得る。このような時間の隙間にて設定変更が行われてしまうと、情報に不整合が生じる可能性がある。この点、本実施の形態に示したように、遊技が進行している最中は設定変更を規制する構成とすれば、そのような情報の不整合を好適に抑制できる。
【０３２５】
なお、上述した第１実施の形態の記載内容に限定されず例えば次のように実施してもよい。ちなみに、以下の各構成を個別に第１の実施の形態に対して適用してもよく、一部又は全部を組み合わせて第１の実施の形態に対して適用してもよい。この場合、組み合わせの対象となる各構成の技術的意義（発揮される効果）が担保されることが好ましい。
【０３２６】
＜変形例１＞
上記第１の実施の形態では、発射用検知センサ７０１、ファール用検知センサ７０２、回収用検知センサ７０３からの各情報に基づいて遊技領域ＰＥにおける残存球の有無を特定し、遊技領域ＰＥに遊技球が残存している状況下にて設定変更が行われることを回避する構成としたが、遊技球が遊技領域ＰＥに残存している状況下にて設定変更が行われることを回避する上では、以下の構成とすることも可能である。すなわち、遊技球が発射されてから遊技領域ＰＥから排出されるまでの所要時間に基づいて待機時間を設定し、遊技球の発射終了時から当該待機時間を経過するまで設定変更を禁止し、当該待機時間の経過に基づいて上記実行条件（１）が成立する構成とすることも可能である。また、遊技球の発射が遊技者の発射操作に基づいて実行される点に鑑みれば、遊技球の発射操作の終了から上記待機時間が経過した場合に上記実行条件（１）が成立する構成とすることも可能である。これらの変形例に示すように、待機時間の経過によって残存球が存在しないとみなす構成においては、センサ等の追加構成を極力少なくすることができるため、パチンコ機１０の構造の簡素化を図る上で有利である。
【０３２７】
＜変形例２＞
上記第１の実施の形態では、払出制御装置２４２からの情報に基づいて遊技球の払出しが後に控えているか否かを判定し、遊技球の払出しが控えていないことを条件として設定変更が許可される構成としたが、これに限定されるものではない。例えば、入賞発生から遊技球の払出しが完了するまでの実質的な時間がある程度決まっている場合には、この時間に基づいて待機時間を設定し、一般入賞口８１等の賞球対応の入球部について入賞が発生した場合に当該入賞から当該待機時間が経過していることを設定変更に係る実行条件の１つとしてもよい。
【０３２８】
＜変形例３＞
払出装置２２４が動作中であるか否かを特定する構成とし、払出装置２２４が動作中でないことを上記実行条件の１つに加える構成としてもよい。
【０３２９】
＜変形例４＞
監視装置６００に記憶されている情報を用いて異常の発生を監視する構成とし、異常が発生している場合には、設定変更が禁止される構成としてもよい。また、異常発生時にそれを報知する構成においては、異常報知が解除されていることを設定変更に係る実行条件の１つとすることも可能である。
【０３３０】
＜変形例５＞
設定変更が行われた場合には、ＲＡＭ消去スイッチが操作された場合と同様に、ＲＡＭ４０４に記憶されている保留情報や払出情報等の各種遊技情報が消去される構成とすることも可能である。このような構成であっても、遊技が行われている状況下においては設定変更が規制されるため、遊技中の設定変更によって本来得られるはずの特典等が失われる等することを好適に抑制できる。
【０３３１】
＜変形例６＞
主制御装置１６２のＭＰＵ４０２にて実行される変動開始処理にて当否抽選や振分抽選がなされる前（すなわち該当遊技回が開始される前）に保留情報の内容を先特定し、当該先特定の結果に対応する予告演出（例えば保留予告演出）を該当遊技回の前（例えば先行して実行されている遊技回）に実行する構成とすることも可能である。予告演出によって該当遊技回における抽選結果を示唆する構成においては、途中で設定変更が実行されることで、本来であれば大当たり結果に対応していたはずの予告演出が途中で打ち切られたり、実際の遊技結果が予告演出の内容と矛盾したりすると想定される。この点、保留情報が記憶されている場合には、設定変更が規制される構成とすることにより、上記不都合の発生を好適に抑制できる。
【０３３２】
＜第２の実施の形態＞
本実施の形態においては主制御装置１６２と払出制御装置２４２との連携によって遊技機の防犯機能を向上させる工夫がなされていることを特徴の１つとしている。以下、この工夫に係る構成について第１の実施の形態との相違点を中心に説明する。なお、第１の実施の形態と共通となっている各種構成については説明を省略する。
【０３３３】
主制御装置１６２においては、選択中の設定値を示す情報をパチンコ機１０の電源ＯＮ時（起動時）及び設定変更時に払出制御装置２４２に送信する。払出制御装置２４２ではこれらの情報に基づいて選択中の設定値を特定することが可能となっている。先ず、図３７及び図３８（ａ）を参照して、主制御装置１６２のＭＰＵ４０２にて実行される設定値の送信に係る処理について説明する。図３７（ａ）はメイン処理（図１９参照）の一環として実行される初期コマンド出力処理（Ｓ１１０）を示すフローチャート、図３７（ｂ）は通常処理（図２３参照）の一環として実行される設定変更処理（Ｓ１３１３）を示すフローチャート、図３８（ａ）は設定値と初期コマンドとの関係を示す概略図である。
【０３３４】
（初期コマンド出力処理）
図３７（ａ）に示すように、初期コマンド出力処理においては先ず、ステップＳ１４０１にて現在の設定値を確認する。すなわちパチンコ機１０の電源がＯＮとなった際の設定値を確認する。続くステップＳ１４０２では払出制御装置２４２に出力する初期コマンドに付与するコード（設定値の識別情報）を決定する。
【０３３５】
主制御装置１６２のＲＯＭ４０３には設定値識別情報群として以下の情報が記憶されている。詳しくは、図３８（ａ）に示すように、設定１に対応するコードとして「ＢＡＡＡ」，「ＡＢＡＡ」，「ＡＡＢＡ」，「ＡＡＡＢ」の４つのコードが設けられており、設定２に対応するコードとして「ＢＢＡＡ」，「ＢＡＢＡ」，「ＢＡＡＢ」，「ＡＢＡＢ」の４つのコードが設けられており、設定３に対応するコードとして「ＢＢＢＡ」，「ＢＢＡＢ」，「ＢＡＢＢ」，「ＡＢＢＢ」の４つコードが設けられている。ステップＳ１４０２の処理では現在の設定値に対応する複数のコードの中から何れか１つのコードをランダムに決定する。
【０３３６】
ステップＳ１４０３では、ステップＳ１４０２にて決定したコードをＲＡＭ４０４のコード格納エリアに記憶する。以降は、設定変更がなされるまで後述する賞球コマンド設定処理にて当該コードが参照されることとなる。続くステップＳ１４０４では初期コマンドを払出制御装置２４２等のサブ側の制御装置へ出力し、本初期コマンド出力処理を終了する。
【０３３７】
初期コマンド出力処理にて設定されたコードについては、設定変更が行わた際に再設定されることとなる。ここで、図３７（ｂ）を参照して、設定変更処理について説明する。
【０３３８】
（設定変更処理）
設定変更処理においては先ず、ステップＳ１５０１にて今回の設定変更操作により選択された設定を特定する。続くステップＳ１５０２では、参照テーブルの切替用処理を行う。これにより、今回の設定値に対応していない他の抽選テーブルへのアクセスが禁止される。続くステップＳ１５０３ではコード（設定値の識別情報）を決定する。コード決定についての詳細は上記ステップＳ１４０２と同様であるため説明を省略する。
【０３３９】
続くステップＳ１５０４ではステップＳ１５０３にて決定したコードをＲＡＭ４０４のコード格納エリアに記憶する（上書きする）。その後は、ステップＳ１５０５にて設定変更コマンドを設定し、本設定変更処理を終了する。ステップＳ１５０５にて設定された設定変更コマンドについては、通常処理の外部出力処理（ステップＳ５０１）にて払出制御装置２４２に送信される。
【０３４０】
払出制御装置２４２のＭＰＵでは、初期コマンド及び設定変更コマンドを受信した場合に、それらのコマンドに含まれるコードから設定値を特定して当該払出制御装置２４２のＲＡＭに記憶する。
【０３４１】
次に、図３８（ｂ）を参照して、賞球コマンド設定処理について説明する。賞球コマンド設定処理は、ステップＳ２０５〜Ｓ２０７の各入賞処理にて払出制御装置２４２に賞球の払出しを指示すべく実行される処理である。
【０３４２】
（賞球コマンド設定処理）
賞球コマンド設定処理においては先ず、ステップＳ１６０１にて入賞先を特定する。次にステップＳ１６０２にてＲＡＭ４０４のコード格納エリアに記憶されているコードの読込処理を行う。そして、続くステップＳ１６０３では、読み込んだコードを含むようにして賞球コマンドを生成する。このようにして生成された賞球コマンドは、賞球数を示す情報、入賞先を示す情報、コードの各種情報を含み（図３８（ｃ）参照）、通常処理の外部出力処理（ステップＳ５０１）にて払出制御装置２４２に送信される。
【０３４３】
ここで、図３９（ａ）を参照して、払出制御装置２４２のＭＰＵにて定期処理の一環として実行されるコマンド対応処理について説明する。
【０３４４】
（コマンド対応処理）
コマンド対応処理においては先ず、ステップＳ１７０１にて、今回受信したコマンドが、初期コマンド又は設定変更コマンドであるか否かを判定する。ステップＳ１７０１にて肯定判定をした場合には、ステップＳ１７０２に進む。ステップＳ１７０２では、それらコマンドに含まれるコードから設定値を特定し、払出制御装置２４２のＲＡＭに設けられた設定値格納エリアに記憶する。払出制御装置２４２のＲＯＭには、主制御装置１６２と同様に、コードと設定値との関係を示す変換テーブル（図３８の概略図参照）が予め記憶されており、この変換テーブルを参照して設定値が特定される。
【０３４５】
ステップＳ１７０１にて否定判定をした場合にはステップＳ１７０３に進む。ステップＳ１７０３では今回受信したコマンドが賞球コマンドであるか否かを判定する。ステップＳ１７０３にて否定判定をした場合には、そのまま本コマンド対応処理を終了する。ステップＳ１７０３にて肯定判定をした場合には、ステップＳ１７０４に進む。
【０３４６】
ステップＳ１７０４では、上記変換テーブルを参照し、今回受信した賞球コマンドに含まれているコードから設定値を特定→記憶する処理を行う。
【０３４７】
続くステップＳ１７０５ではステップＳ１７０４にて特定した設定値がＲＡＭのコード格納エリアに記憶されている設定値と一致しているか否かを確認する。ステップＳ１７０５にて否定判定をした場合には、ステップＳ１７０９に進む。ステップＳ１７０９ではＲＡＭの各種カウンタエリアに設けられた留保カウンタの値を今回受信した賞球コマンドの賞球数に応じて加算する処理を行う。留保カウンタの値については後述する払出カウンタへのコンバートが実行されることで０クリアされる。
【０３４８】
上述したステップＳ１７０５の処理においては基本的に各設定値が一致することとなる。これに対して、設定値が一致しない場合には主制御装置１６２及び払出制御装置２４２の何れかにて異常が発生している可能性がある。このような場合には、直ちに賞球の払出しを行うのではなく、少なくとも上記異常が解消されるまで賞球の払出しを留保（遅延）する。
【０３４９】
続くステップＳ１７１０にて異常報知用処理を実行した後、本コマンド対応処理を終了する。異常報知用処理においては、報知・演出制御装置１４０に異常報知コマンドを送信する。報知・演出制御装置１４０では、この異常報知コマンドを受信したことに基づいて、図柄表示装置２５３の表示画面２５３ａ等にて異常報知を実行する。
【０３５０】
ステップＳ１７０５の説明に戻り、当該ステップＳ１７０５にて肯定判定をした場合、すなわち各設定値が一致している場合には、ステップＳ１７０６に進む。ステップＳ１７０６ではＲＡＭの各種カウンタエリアに設けられた払出カウンタの値を今回受信した賞球コマンドの賞球数に応じて加算する処理を行う。払出カウンタの値については賞球の払出しが実行される度に減算され、当該払出カウンタの値が０になることで、払出待ちの賞球数が０となる。
【０３５１】
ステップＳ１７０６の処理を実行した後は、ステップＳ１７０７に進む。ステップＳ１７０７ではＲＡＭの各種カウンタエリアに設けられた留保カウンタの値を参照し、払出しが留保されている賞球が存在するか否かを判定する。ステップＳ１７０７にて否定判定をした場合にはそのまま本コマンド対応処理を終了する。ステップＳ１７０７にて肯定判定をした場合にはステップＳ１７０８に進み、留保カウンタの値を払出カウンタの値として加算する。これにより、それまで払出しが留保されていた賞球についても払出しが実行されることとなる。
【０３５２】
以上詳述した第２の実施の形態よれば、以下の優れた効果を奏する。
【０３５３】
主制御装置１６２から出力される賞球コマンド（「払出指令情報」に相当）には、設定値に対応する情報が含まれている。払出制御装置２４２においては、主制御装置１６２にて設定されている設定値を賞球コマンドから特定することができる。このようにして、設定値を主制御装置１６２と払出制御装置２４２とで共有することにより両制御装置１６２，２４２の連携を強化できる。賞球コマンドについては、遊技進行に伴ってある程度頻繁に払出制御装置２４２に出力される情報であるため、このような既存のコマンドに設定値を示す情報を付与することで、設定値の確認の機会を増やすことができる。これは、遊技機に対する信頼性の向上を図る上で好ましい構成である。
【０３５４】
設定変更が行われた場合には、主制御装置１６２にて決定された設定値の情報が払出制御装置２４２に入力され、払出制御装置２４２ではこの設定値の情報を記憶する。その後、主制御装置１６２から賞球コマンドを受信した場合には、この賞球コマンドから特定した設定値と、設定変更時に記憶した設定値とが一致しているか否かが判定される。これにより、例えば主制御装置１６２を不正なものに入れ替えるといった不正行為が行われた場合であっても、それを見抜くことが可能となる。
【０３５５】
事前に記憶されていた設定値と今回特定した設定値とが不一致になる等した場合には、異常発生として遊技球の払い出しが回避されることとなる。これにより、遊技球を不正に獲得するといった行為を難しくし、遊技機の防犯機能を強化できる。
【０３５６】
設定値の対比結果に基づいて遊技球の払い出し行うか否かが決まる構成においては、設定値情報をクリアするといった不正行為が行われる可能性がある。このように設定値情報がクリアされている場合には、入賞コマンドが入力されたとしても遊技球の払い出しが規制される構成とすることにより、防犯機能を強化できる。
【０３５７】
払出制御装置２４２に賞球コマンドが入力されてから、実際に払い出しが行われるまでにはある程度のタイムラグが生じる。このようなタイムラグは、賞球コマンドが連続して入力される等して遊技球の払い出しが追い付いていない場合に大きくなる。ここで、設定値に基づいて異常が発生していることが確認された場合には、既に払い出しが決まっているものについては払い出しを継続する一方で、異常と判定された新たな賞球コマンドについの払い出しが規制される。このような構成とすれば、防犯機能等の強化に起因して、遊技者が本来得られるはずの払い出しすら受けられないといった不都合の発生を好適に回避できる。
【０３５８】
設定値が不一致となっている場合には賞球コマンドに基づく遊技球の払い出しが留保され、後続の賞球コマンドにて設定値が一致していることが確認されることで留保が解除されることとなる。例えば、上記異常についてはノイズ等の混入によって偶発的に発生する可能性が否定できないため、上述の如く後続の賞球コマンドにて異常がないことが確認された場合に、留保中の払い出しを行うことにより、防犯機能等の強化に起因して遊技者が不利益を被ることを好適に抑制できる。
【０３５９】
なお、上述した第２実施の形態の記載内容に限定されず例えば次のように実施してもよい。ちなみに、以下の各構成を個別に第２の実施の形態に対して適用してもよく、一部又は全部を組み合わせて第２の実施の形態に対して適用してもよい。この場合、組み合わせの対象となる各構成の技術的意義（発揮される効果）が担保されることが好ましい。
【０３６０】
＜変形例１＞
上記第２の実施の形態においては、初期コマンド、設定変更コマンド、賞球コマンドに含まれる設定値の識別情報を暗号化する構成とした。少なくとも主制御装置１６２と払出制御装置２４２とで設定値を共有し、賞球コマンドを受信する都度、設定値が相違していないかを確認することができる構成となっていれば足り、設定値の識別情報を暗号化する必要は必ずしもない。
【０３６１】
＜変形例２＞
上記第２の実施の形態においては、賞球コマンドが設定値の識別情報を含む構成としたが、これに限定されるものではない。主制御装置１６２と払出制御装置２４２とで設定値の照合を適宜行うことができるのであれば足り、設定値の識別情報を含む確認コマンドを賞球コマンドとは別に主制御装置１６２から払出制御装置２４２に送信する構成としてもよい。例えば、上記確認コマンドを定期的に送信する構成としてもよいし、ある程度の期間に亘って遊技が行われていない状態（非稼働状態）が続いた場合には、遊技が再開されたタイミングにて上記確認コマンドを送信する構成としてもよい。
【０３６２】
但し、主制御装置１６２から払出制御装置２４２に送信されるコマンドとして、賞球コマンドとは別の確認コマンドを設けた場合には、両コマンドの出力タイミングが重なることは好ましくない。賞球コマンド及び確認コマンドの両方を払出制御装置２４２に送信する場合には、後者よりも前者が優先される構成とすることが好ましい。このような構成とすれば、使用されるコマンドが多様となった場合であっても賞球の払出しの応答性が低下することを好適に抑制できる。
【０３６３】
＜変形例３＞
上記第２の実施の形態においては、一般入賞口８１、可変入賞装置８２、作動口８３ａ，８３ｂの全ての入球について賞球コマンドに設定値の識別情報を含める構成としたが、これに限定されるものではない。入球頻度の偏りが可変入賞装置８２  ＞  一般入賞口８１  ＞  下作動口８３ｂ  ＞  上作動口８３ａの順に小さくなるように差が設けらている場合には、少なくとも最も入球頻度の偏りが最も小さい入球部について賞球コマンドに設定値の識別情報が付与されていればよい。また、可変式の入球部については入球頻度の偏りが大きくなる点に鑑みれば、可変式ではない入球部について賞球コマンドに設定値の識別情報を付与する構成としてもよい。
【０３６４】
＜変形例４＞
上記第２の実施の形態においては、設定値を対比する構成としたが、これに代えて又は加えてコードを直接対比する構成としてもよい。
【０３６５】
＜第３の実施の形態＞
上記第２の実施の形態においては、主制御装置１６２と払出制御装置２４２との連携を強化することで防犯機能の向上を図ったが、本実施の形態においては主制御装置１６２及び払出制御装置２４２に監視装置６００を加えた３者での連携を強化することで防犯機能の更なる向上を実現していることを特徴の１つとしている。なお、本実施の形態においては、主たる構成が第２の実施の形態と共通であるため、上記連携に係る構成を中心に説明し、第２の実施の形態と共通の構成については説明を省略する。
【０３６６】
上述したように、主制御装置１６２から払出制御装置２４２に送信される賞球コマンドには設定値の識別情報である上記コードが含まれている。このコードについては、払出制御装置２４２から監視装置６００に送信される払出コマンドに転用される。つまり、払出制御装置２４２から監視装置６００に送信される情報にも設定値の識別情報であるコードが含まれる構成となっている。
【０３６７】
監視装置６００には、主制御装置１６２及び払出制御装置２４２と同様に、コードと設定値との関係を示す変換テーブル（図３８の概略図参照）が予め記憶されており、この変換テーブルを参照して設定値が特定される。また、監視装置６００の第２記憶領域６０６には、主制御装置１６２から取得したコードから特定した設定値を記憶する主制御装置対応の設定値記憶領域と、払出制御装置２４２から取得したコードから特定した設定値を記憶する払出制御装置対応の設定値記憶領域とが設けられている。監視装置６００では、それら設定値記憶領域に記憶されている設定値を対比することで、主制御装置１６２と払出制御装置２４２が正常に連携しているかを特定することが可能となっている。以下、図３９（ｂ）のフローチャートを参照して、監視装置６００にて実行される設定値対比処理について説明する。設定値対比処理は、監視装置６００の制御部にて定期的に実行される処理である。
【０３６８】
設定値対比処理においては先ず、ステップＳ１７２１にて主制御装置１６２からの賞球コマンド又は払出制御装置２４２からの払出コマンドを受信したか否かを判定する。ステップＳ１７２１にて否定判定をした場合にはそのまま本設定値対比処理を終了する。ステップＳ１７２１にて肯定判定をした場合には、ステップＳ１７２２に進む。ステップＳ１７２２では今回受信したコマンドからコードを読み取り、当該コードから特定した設定値を上記各設定値記憶領域のうち対応するものに上書きする（更新する）。
【０３６９】
その後、ステップＳ１７２３では、今回受信したコマンドが払出制御装置２４２からの払出コマンドであるか否かを判定する。ステップＳ１７２３にて否定判定をした場合には、そのまま本設定値対比処理を終了する。ステップＳ１７２３にて肯定判定をした場合には、ステップＳ１７２４に進む。ステップＳ１７２４では主制御装置対応の設定値記憶領域に記憶されている設定値と、払出制御装置対応の設定値記憶領域に記憶されている設定値とを対比する。ステップＳ１７２４にて肯定判定をした場合、すなわち両設定値が一致している場合には、そのまま本設定値対比処理を終了する。主制御装置１６２及び払出制御装置２４２の両方が正常に動作している場合には、基本的にステップＳ１７２４では肯定判定がなされる。
【０３７０】
ステップＳ１７２４にて否定判定をした場合、すなわち受信したコマンドにコードが含まれていない場合又はコードが含まれている場合であっても設定値が異なる場合には、ステップＳ１７２５に進む。例えば、払出制御装置２４２が不正なものに入れ替えられる等して設定値が不一致となった場合には、ステップＳ１７２４にて否定判定がなされる。
【０３７１】
ステップＳ１７２５では異常発生用処理を実行する。具体的には、第２記憶領域６０６に異常発生を記憶するとともに、報知・演出制御装置１４０に異常報知の指令を出力する。報知・演出制御装置１４０では当該指令に基づいて前扉枠１４のスピーカ部２９やエラー表示ランプ部２７を駆動させて異常報知を実行する。
【０３７２】
設定変更機能を有する遊技機においては、特典の不正取得を目的として設定値が不正に変更される場合がある。この際、監視装置６００に入力される情報を改ざんすることで不正の事実が隠蔽される可能性を否定できない。ここで、本実施の形態に示したように、設定値を示す情報は、主制御装置１６２から監視装置６００に直接入力されるだけでなく、払出制御装置２４２を経由して監視装置６００に入力される。監視装置６００ではこれらの情報を対比することにより、情報が改ざん等されていないかを見抜くことが可能となる。これにより、遊技機の防犯機能を向上できる。
【０３７３】
設定値を示す情報を対比する場合には、そのタイミングが大きくずれてしまうと、正規に設定変更が行われた場合に誤判定となる可能性が生じる。そこで、本実施の形態に示したように、入賞発生→払出しの一連の動きに合わせて設定値を示す情報を入出力する構成とすることにより、上記タイミングのずれを抑制し、判定結果の確からしさを好適に向上させることができる。
【０３７４】
例えば一般入賞口８１への入賞が発生した場合には、当該入賞に係る賞球コマンドが直ちに払出制御装置２４２に出力され、払出制御装置２４２ではこの賞球コマンドを受信したことに基づいて賞球の払出しを行う。つまり、監視装置６００に払出コマンドが入力されるタイミングは賞球コマンドの入力タイミングよりも後になる。第１の実施の形態に示したように遊技球の払出しが控えている状況では設定値の変更が不可となっているため、このため監視装置６００に入力された賞球コマンドと払出コマンドとでは基本的には設定値が一致することとなる。このような構成とすることで、設定変更操作の割り込み等によって遊技機が正常に稼働しているにも関わらず設定値に違いが発生することを回避している。これは、監視機能に対する信頼性を向上させる上で好ましい構成である。
【０３７５】
なお、上述した第３実施の形態の記載内容に限定されず例えば次のように実施してもよい。ちなみに、以下の各構成を個別に上記第３の実施の形態に対して適用してもよく、一部又は全部を組み合わせて第３の実施の形態に対して適用してもよい。この場合、組み合わせの対象となる各構成の技術的意義（発揮される効果）が担保されることが好ましい。
【０３７６】
＜変形例１＞
上記第３の実施の形態では、払出制御装置２４２から払出コマンドを受信した場合に上記対比を行う構成としたが、これに代えて又はこれに加えて、主制御装置１６２から賞球コマンドを受信した場合に上記対比を行う構成とすることも可能である。このような構成においても、払出コマンドについては主制御装置１６２からの賞球コマンドに含まれていたコードを引き継ぐ構成となっているため、異常判定が上手く行われなくなることを回避できる。また、主制御装置１６２が不正に入れ替えられる等した場合には、これを特定することが可能となり、防犯機能の更なる強化に寄与できる。
【０３７７】
＜変形例２＞
上記第３の実施の形態では、払出制御装置２４２から監視装置６００に送信される払出コマンドに設定値の識別情報（コード）を付与する構成としたが、主制御装置１６２、監視装置６００、払出制御装置２４２の３者の連携を強化する上では、監視装置６００にて主制御装置１６２及び払出制御装置２４２からの各情報を対比することが可能となっていれば足りる。例えば、払出コマンド以外に払出制御装置２４２から監視装置６００に送信されるコマンドに上記設定値の識別情報を付与する構成としてもよい。
【０３７８】
＜変形例３＞
上記第３の実施の形態では、払出制御装置２４２にて生成される払出コマンドは、当該払出コマンドの契機となった賞球コマンドのコードを引き継ぐ構成としたが、これに限定されるものではない。払出制御装置２４２のＲＡＭの設定値記憶エリアに格納されている設定値を払出コマンドに付与する構成とすることも可能である。
【０３７９】
＜第４の実施の形態＞
本実施の形態においては、監視装置６００に記憶されている入賞情報（監視情報）を報知・演出制御装置１４０にて取得し、それら取得した入賞情報に基づいて異常報知が実行される構成となっている。この際、異常発生の判定に際して設定値が考慮される構成となっていることを特徴の１つとしている。以下、図４０を参照して、報知・演出制御装置１４０のＭＰＵ４４２にて実行される異常報知に係る各種処理（異常報知用設定処理及び異常保知用処理）について説明する。図４０（ａ）は異常報知用設定処理を示すフローチャート、図４０（ｂ）は異常報知用処理を示すフローチャートである。
【０３８０】
（異常報知用設定処理）
異常報知用設定処理は、報知・演出制御装置１４０のＭＰＵ４４２にて定期処理の一環として実行される処理である。図４０（ａ）に示すように、異常報知用設定処理においては先ず、ステップＳ１８０１にて主制御装置１６２から初期コマンド又は設定変更コマンドを受信したかを判定する。ステップＳ１８０１にて否定判定をした場合には、そのまま本異常報知用設定処理を終了する。ステップＳ１８０１にて肯定判定をした場合には、ステップＳ１８０２に進む。
【０３８１】
ステップＳ１８０２では、初期コマンド又は設定変更コマンドに含まれる設定値の情報に基づいて設定値が変更されたか否かを判定する。ステップＳ１８０２にて否定判定をした場合、すなわち設定値が変更されることなく据え置きとなっている場合には、そのまま本異常報知用設定処理を終了する。ステップＳ１８０２にて肯定判定をした場合には、ステップＳ１８０３に進む。
【０３８２】
ステップＳ１８０３では、累積データ（入賞情報）の消去処理を実行する。本実施の形態においては、設定値が変更された時点から監視装置６００からの情報取得→記憶が実行され、設定変更が実行された場合にそれまで記憶されていた累積データを消去して新たに情報取得→記憶を開始する。
【０３８３】
続くステップＳ１８０４では、異常判定に用いられる閾値の設定処理を実行する。本実施の形態においては、閾値が設定値毎に設けられており、以降の異常判定においては現在の設定値に対応した閾値が用いられることとなる。閾値は、所定数の遊技球が発射された場合の入賞数を設計誤差や遊技状況等に配慮して規定されたものであり、ある程度の幅が設けられている。実際の入賞がこの閾値に収まるようにして発生している場合には遊技機が正常に稼働していると判定（推定）し、実際の入賞が繰り返し閾値を外れている場合には遊技機に異常が発生していると判定（推定）する。
【０３８４】
入賞情報に基づいて実行される異常判定については、一般入賞口８１、可変入賞装置８２、作動口８３ａ，８３ｂの各々を対象としているものの、その概要については同様である。そこで、以下の説明では一般入賞口８１を例にとって異常判定の概要を説明し、他の入球部に係る異常判定の概要については説明を省略する。先ず、図６及び図４１を参照して設定値毎に閾値が個別に設けられている理由について補足説明する。図４１（ａ）はルート毎の一般入賞口８１への入賞確率を示す概略図、図４１（ｂ）は設定値と閾値との関係を示す概略図である。
【０３８５】
図６に示したように、遊技領域ＰＥについては当該遊技領域ＰＥの中央に配設されたセンターフレーム９５によって図柄表示装置２５３の表示画面２５３ａを左側から迂回する左ルートと右側から迂回する右ルートとに大別される。左ルートには、上作動口８３ａが配設されており、低頻度サポートモード対応の通常遊技状態においては、右ルートと比較して左ルートへ遊技球を発射した方が遊技者にとって有利に遊技が進行する。つまり、低頻度サポートモード対応の通常遊技状態では、主として左ルートへ遊技球が発射されることで遊技が進められることとなる。これに対して、右ルートには、電動役物９１が付随する下作動口８３ｂ、可変入賞装置８２、スルーゲート８４が配設されており、高頻度サポートモード対応の通常遊技状態及び開閉実行モードにおいては、左ルートと比較して右ルートへ遊技球を発射した方が遊技者にとって有利に遊技が進行する。つまり、高頻度サポートモード対応の通常遊技状態及び開閉実行モードでは、主として右ルートへ遊技球が発射されることで遊技が進められることとなる。
【０３８６】
ここで、左ルートに配設された３つの一般入賞口８１ａ〜８１ｃについては、左ルートに向けて遊技球が発射されている場合には遊技状態に関係なく入賞確率が各々１／３００となっている。つまり、３つの一般入賞口８１ａ〜８１ｃを総合した場合の入賞確率は１／１００となっている（図４１（ａ）参照）。この確率については遊技状態の影響を受けることなく一定である。
【０３８７】
右ルートに配設された１つの一般入賞口８１ｄについては、右ルートに向けて遊技球が発射されている際の遊技状態に応じて入賞確率が異なる構成となっている。
【０３８８】
具体的には、一般入賞口８１ｄは右ルートの最下流部分に配設されており、右ルートにて一般入賞口８１ｄの上流となる位置に可変入賞装置８２が配設されている。このため、開閉実行モード中は、一般入賞口８１ｄに向かう遊技球の一部が可変入賞装置８２へと流入し、当該一般入賞口８１ｄへの入賞が回避されるといった事象が発生する。このような事情から、通常遊技状態においては入賞確率が１／１００となっているのに対して、開閉実行モード中は入賞確率が１／５００まで低下することとなる。
【０３８９】
故に、通常遊技状態においては、右ルート及び左ルートの何れに向けて遊技球を発射している場合であっても一般入賞口８１全体で見た場合の入賞確率は１／１００で同一となるのに対して、開閉実行モードにおいては右ルートに向けて遊技球を発射している場合と、左ルートに向けて遊技球を発射している場合とでは一般入賞口８１全体で見た場合の入賞確率が相違することとなる。
【０３９０】
そして、既に説明したように設定１〜設定３では、大当たり結果となる確率が、設定３  ＜  設定２  ＜  設定１の順に高くなるように差別化されている。開閉実行モードへの移行機会の差によって、一般入賞口８１全体で見た場合の入賞確率は、設定１  ＜  設定２  ＜  設定３の順に高くなる。このような事情に鑑みて、設定１に対応する閾値と、設定２に対応する閾値と、設定３に対応する閾値とでは段階的に差が設けられている。具体的にいは、図４１（ｂ）に示すように、設定３に対応する閾値が最も高く、設定２に対応する閾値は設定３に対応する閾値よりも低く、設定１に対応する閾値は設定２に対応する閾値よりも低くなっている。なお、各閾値の上限については主として低頻度サポートモード対応の通常遊技状態が続いている場合の入賞確率に基づいて設定されており、下限については主として高頻度サポートモード対応の通常遊技状態と開閉実行モードとが繰り返されている場合（所謂連チャン時）の入賞確率に基づいて設定されている。
【０３９１】
報知・演出制御装置１４０においては、現在の設定値に基づいて選択された閾値を参照して入賞確率が正常であるか否かを判定する構成となっている。ここで、図４０（ｂ）に基づいて報知・演出制御装置１４０のＭＰＵ４４２にて実行される異常報知用処理について説明する。
【０３９２】
（異常報知用処理）
異常報知用処理においては先ず、ステップＳ１９０１にて異常報知中であるか否かを判定する。ステップＳ１９０１にて否定判定をした場合にはステップＳ１９０２に進み情報取得処理を実行する。情報取得処理では、監視装置６００から一般入賞口８１への入賞数に関する情報と、遊技球の発射数に関する情報とを取得する。
【０３９３】
続くステップＳ１９０３では、異常判定の判定条件が成立したか否かを判定する。具体的には、ステップＳ１９０３にて肯定判定をした先の異常判定後、又は設定変更後に発射された遊技球の数が規定数に達したか否かを判定する。なお、本実施の形態においては規定数が３万となっており、遊技球の発射周期が０．６ｓｅｃである点に鑑みれば、遊技球を連続して発射している場合にはおよそ６時間を経過することで規定数に達する。
【０３９４】
ステップＳ１９０３にて否定判定をした場合、すなわち十分なデータが確保できていない場合には、そのまま本異常報知用処理を終了する。ステップＳ１９０３にて肯定判定をした場合には、ステップＳ１９０４に進む。ステップＳ１９０４では、現在の設定に変更された後の一般入賞口８１への入賞数と遊技球の発射数とから一般入賞口８１の入賞確率を算出し、その確率が上記閾値の範囲内に収まっているか否かを判定する。
【０３９５】
閾値の範囲内に収まっている場合には、ステップＳ１９０５にて否定判定をし、そのまま本異常報知用処理を終了する。閾値の範囲から外れている場合には、ステップＳ１９０５にて肯定判定をし、ステップＳ１９０６に進む。ステップＳ１９０６では報知・演出制御装置１４０のＲＡＭ４４４の各種カウンタエリア４６５に設けられた異常報知用カウンタの値を更新（１加算）する。
【０３９６】
続くステップＳ１９０７では異常報知用カウンタの値が最大（本実施の形態においては５回）となったか否かを判定する。ステップＳ１９０７にて否定判定をした場合には、そのまま本異常報知用処理を終了する。ステップＳ１９０７にて肯定判定をした場合には、ステップＳ１９０８に進み、異常報知開始処理を実行する。異常報知開始処理を実行することにより、前扉枠１４のスピーカ部２９とエラー表示ランプ部２７にて異常報知が実行されることとなる。
【０３９７】
ステップＳ１９０１の説明に戻り、当該ステップＳ１９０１にて肯定判定をした場合、すなわち異常報知中である場合には、ステップＳ１９０９に進む。ステップＳ１９０９では異常報知の解除操作が行われたか否かを判定する。ステップＳ１９０９にて否定判定をした場合にはそのまま本異常報知用処理を終了する。ステップＳ１９０９にて肯定判定をした場合にはステップＳ１９１０に進む。ステップＳ１９１０では、異常報知解除処理を実行する。これにより、スピーカ部２９やエラー表示ランプ部２７にて実行中の異常報知が解除され、異常報知用カウンタの値を「０」クリアする。
【０３９８】
閾値を用いて異常判定を行う場合には、本実施の形態に示したように設定値毎に閾値を設ける構成とすることにより、以下の効果が期待できる。例えば、算出した入賞確率が図４２の入賞確率Ｙ１に示すように何れの設定１〜設定３の何れの閾値の範囲にも収まる場合や、入賞確率Ｙ４に示すように何れの閾値の範囲からも外れる場合には、判定の確からしさに影響はない。しかしながら、入賞確率Ｙ２や入賞確率Ｙ３に示すように閾値によって判定結果が異なる構成においては、異常判定の確からしさに影響が及ぶ可能性がある。この点、本実施の形態に示すように、設定値毎に閾値の切り替えを行う構成とすれば、本来であれば閾値の範囲から外れているものが閾値の範囲内であると判定されたり、閾値の範囲に収まっているものが閾値の範囲から外れていると判定されたりすることを抑制できる。これにより、異常監視の確からしさを向上し、監視機能に対する信頼性の向上に寄与できる。
【０３９９】
設定変更機能を有する遊技機においてはその特性上、設定値毎に遊技球の挙動に違いが生じ、入球部への入球確率に設定値による差が生じ得る。このため、遊技状況を監視しその監視結果（判定結果）に基づいて所定の処理（例えば異常報知）を行う構成においては、何れの設定値についても一義的に判定を行おうとした場合に、判定結果の確からしさを向上することが困難となる。例えば、すべての設定値に対応するようにして基準情報を設定する場合には、当該基準情報の範囲が大きくなり、確からしさの向上を図ることが困難になると想定される。この点、本特徴に示すように、設定値毎に基準情報を設ける構成とすれば、判定結果の確からしさを向上させて、遊技機（特に監視装置）に対する信頼性を好適に向上させることができる。
【０４００】
遊技機に付与されている全ての設定値（設定１〜設定３）について判定を行うのではなく、現在の設定値に限定して判定を行う構成とすることにより判定処理の簡素化を実現することができる。これは、監視機能の追加に伴う制御負荷を軽減する上で好ましい構成である。
【０４０１】
異常判定に用いる閾値については、全ての設定値にて共用となるように統一することも可能である。しかしながら、このような構成では、異常判定が過度に厳しくなって異常報知が頻発したり、異常判定が過度に緩くなって異常が見逃されやすくなったりすると想定される。この点、本実施の形態に示したように、閾値を設定値によって使い分ける構成とすることにより、それらの不都合の発生を好適に抑制できる。
【０４０２】
なお、上述した第４実施の形態の記載内容に限定されず例えば次のように実施してもよい。ちなみに、以下の各構成を個別に上記第４の実施の形態に対して適用してもよく、一部又は全部を組み合わせて上記第４の実施の形態に対して適用してもよい。この場合、組み合わせの対象となる各構成の技術的意義（発揮される効果）が担保されることが好ましい。
【０４０３】
＜変形例１＞
上記第４の実施の形態においては、一般入賞口８１へ向かう流路上に可変入賞装置８２が配置されている場合について例示したが、例えば一般入賞口８１へ向かう流路上に電動役物９１が付随する作動口８３ｂが配置されている構成においても、設定値によって一般入賞口８１への入賞確率に差が生じ得る。つまり、電動役物９１によるサポートモードについては大当たり結果となった場合に低頻度サポートモードから高頻度サポートモードに切り替わる。サポートモードの切替契機となる大当たり結果については、設定値によって発生率が異なる。故に、設定値によって一般入賞口８１への入賞確率にも差が生じる。このような構成についても、本実施の形態に示した構成と同様に、閾値に設定値に応じた差を設けることにより、異常判定の確からしさを好適に向上させることができる。
【０４０４】
＜変形例２＞
上記第４の実施の形態においては、設定値が遊技者に有利なほど一般入賞口８１への入賞率が下がる構成について説明した。例えば、左ルートの一般入賞口８１よりも右ルートの一般入賞口８１ほど入賞確率が高くなるように構成される等して設定値が遊技者に有利なほど一般入賞口８１への入賞確率が上がる構成となっている場合には、そのような入賞確率の差に応じて閾値を設定し、設定３用の閾値  ＜  設定２用の閾値  ＜  設定１用の閾値とすることで、異常判定の確からしさを好適に向上させることができる。
【０４０５】
＜変形例３＞
報知・演出制御装置１４０にて遊技状態を把握できる構成においては、遊技状態によって閾値を変更する構成としてもよい。例えば、低頻度サポートモード対応の通常遊技状態における閾値、高頻度サポートモード対応の通常遊技状態における閾値、開閉実行モード対応の閾値を設定１〜３の各々について個別に設けてもよい。
【０４０６】
＜第５の実施の形態＞
上記第４の実施の形態に示したように、入賞確率を監視する構成においては、そのサンプルを多く確保することにより、異常監視の確からしさの更なる向上が期待できる。本実施の形態においては、主たる構成は第４の実施の形態と同様であるが、サンプル数を稼いで更なる確からしさの向上が実現されている点で、第４の実施の形態と構成が相違している。以下、図４３及び図４４を参照して、本実施の形態における特徴的な構成について説明する。図４３（ａ）は監視装置６００を示すブロック図、図４３（ｂ）は監視装置６００に記憶されている情報を示す概略図、図４４は報知・演出制御装置１４０のＭＰＵ４４２にて実行される異常報知用処理を示すフローチャートである。
【０４０７】
図４３（ａ）に示すように、監視装置６００の記憶部６０４には、上記第１記憶領域６０５及び第２記憶領域６０６の他に一時記憶領域６０７が設けられている。一時記憶領域６０７には、上作動口８３ａ、下作動口８３ｂ、一般入賞口８１、可変入賞装置８２の各々に対して１００個のアドレスが設けられており、各アドレスには対象となっている入球部への入賞数が規定数（本実施の形態においては１万）分の遊技球が発射される毎に記憶されている。これら入賞数については、その時の設定値に対応付けて記憶されている。全てのアドレスが埋まっている状況下にて新たに情報が取得された場合には、古い情報から順に情報が上書きされることとなる。
【０４０８】
図４３（ｂ）には一般入賞口用の情報群を例示している。各アドレスには、所定の発射数毎の入賞数と、設定値の情報と、設定変更の有無の情報とが記憶されている。例えば、９番のアドレスには途中で設定値が「１」から「２」に切り替わった旨の情報が記憶されている。
【０４０９】
次に、図４４を参照して、異常報知用処理について説明する。なお、異常報知用処理は、設定値によって入賞確率に差が生じ得る各種入球部について各々実行される構成となっているが、以下の説明においては、一般入賞口８１への入賞監視に係る異常報知用処理について説明し、他の入球部への入賞に係る異常報知用処理についてはそれと同様であるため説明を省略している。
【０４１０】
（異常報知用処理）
本実施の形態における異常報知用処理においては先ず、ステップＳ２００１にて異常報知中であるか否かを判定する。ステップＳ２００１にて否定判定をした場合にはステップＳ２００２に進み情報取得処理を実行する。情報取得処理では、監視装置６００から遊技球の発射数に関する情報を取得する。
【０４１１】
続くステップＳ２００３では、異常判定の判定条件が成立したか否かを判定する。具体的には、つまり、発射数が規定数に達して一時記憶領域６０７の情報が更新されたか否かを判定する。なお、本実施の形態においては規定数が１万となっており、遊技球の発射周期が０．６ｓｅｃである点に鑑みれば、およそ１００分に相当する。
【０４１２】
ステップＳ２００３にて否定判定をした場合、すなわちデータが更新されていない場合には、そのまま本異常報知用処理を終了する。ステップＳ２００３にて肯定判定をした場合には、ステップＳ２００４に進む。ステップＳ２００４では、一時記憶領域６０７の各アドレスに記憶されている情報から現在の設定値と同じ設定値に対応する情報を新しいものから順に所定数だけ読み込む処理を行う。例えば、図４５に示すように、今回の設定値が「１」の場合には、若いアドレス（新しい情報）から順に同一の設定値に対応する情報を５つ読み込む。この場合、途中で設定値が変更されているもの（例えば第５アドレスに記憶されている情報）については読み込み対象から除外される。
【０４１３】
ステップＳ２００４の処理を実行した後はステップＳ２００５に進む。ステップＳ２００５では読み込んだ情報から入賞確率を算出する。このようにして入賞確率を算出するためのサンプルを多く確保することで、ステップＳ２００６の判定処理における判定結果の確からしさを向上させている。一般入賞口８１への入賞確率が上記閾値の範囲内に収まっている場合には、ステップＳ２００７にて否定判定をし、そのまま本異常報知用処理を終了する。閾値の範囲から外れている場合には、ステップＳ２００７にて肯定判定をし、ステップＳ２００８に進む。ステップＳ２００８では報知・演出制御装置１４０のＲＡＭ４４４の各種カウンタエリア４６５に設けられた異常報知用カウンタの値を更新（１加算）する。
【０４１４】
続くステップＳ２００９では異常報知用カウンタの値が最大（本実施の形態においては５回）となったか否かを判定する。ステップＳ２００９にて否定判定をした場合には、そのまま本異常報知用処理を終了する。ステップＳ２００９にて肯定判定をした場合には、ステップＳ２０１０に進み、異常報知開始処理を実行する。異常報知開始処理を実行することにより、前扉枠１４のスピーカ部２９とエラー表示ランプ部２７にて異常報知が実行されることとなる。
【０４１５】
ステップＳ２００１の説明に戻り、当該ステップＳ２００１にて肯定判定をした場合、すなわち異常報知中である場合には、ステップＳ２０１１に進む。ステップＳ２０１１では異常報知の解除操作が行われたか否かを判定する。ステップＳ２０１１にて否定判定をした場合にはそのまま本異常報知用処理を終了する。ステップＳ２０１１にて肯定判定をした場合にはステップＳ２０１２に進む。ステップＳ２０１２では、異常報知解除処理を実行する。これにより、スピーカ部２９やエラー表示ランプ部２７にて実行中の異常報知が解除され、異常報知用カウンタの値を「０」クリアする。
【０４１６】
監視装置６００にて記憶される入賞数の情報には設定値が関連付けられている。このため、過去に記憶された情報（実績）から現在の設定値と同じ設定値に対応する情報を読み込んで流用することができる。これにより、偶発的に閾値の範囲を外れるような入賞態様となった場合であっても、そのような偶発的な事象が異常として判定されることを抑制できる。ここで、過去の情報を用いる場合に他の設定値での情報を読み込んでしまうと、異常判定の確からしさが低下する。これに対して、過去の情報を一切無視して今回の情報に絞って異常判定を実行しようとすれば、上述したような偶発的な事情によるばらつきを異常と判定する可能性が高くなる。この点、本実施の形態に示す構成では、過去の情報を流用する場合にも設定値が同一のものに絞り込むことが可能であるため、上記各種不都合の発生を抑制できる。故に、異常判定の確からしさを好適に向上させることができる。
【０４１７】
監視装置６００によって入球状況を監視する構成とすれば、例えば遊技釘等の変形等によって入球頻度が設計値から大きく乖離するような事象が発生した場合に、それを早期に発見することができる。これは、遊技ホールや遊技者の不利益を抑え、遊技機への信頼性の向上を図る上で好ましい。ここで、設定変更機能を有する遊技機においては、設定値によって遊技球の挙動に差が生じ、一般入賞口８１等の各種入球部への入賞確率に差が生じる可能性がある。本実施の形態に示す監視装置６００においては、入賞情報が設定値に対応付けられた状態で記憶される。このような構成においては入球情報を設定値に応じて仕分けできるため、上述した閾値から外れていないかを判定する際の判定精度を向上させることができる。これは、入賞監視における監視結果の確からしさを高めて、遊技機に対する信頼性の向上に貢献できる。
【０４１８】
入賞状況の監視を行う上では一時的な入賞頻度のばらつきの取り扱いが重要である。例えば、入賞の偏りが一時的に大きくなった場合には、それを偶発的要因によるものか否かを特定することが困難であるが、過去の情報を流用して平均等を算出することによりばらつきを軽減することができる。つまり、判定を行う上では参照するデータ（サンプル）をある程度多く確保することが好ましい。但し、上述したように記憶されているデータには対応する設定値が異なるものが混在するため、それらをまとめ参照した場合にはデータの確からしさは低下する。この点、本実施の形態に示したように、過去に記憶された入賞情報の中から現在の設定値と同じ設定値に対応する入賞情報を選択して判定に用いる構成とすれば、上述した効果を好適に発揮させることができる。
【０４１９】
なお、上述した第５実施の形態の記載内容に限定されず例えば次のように実施してもよい。ちなみに、以下の各構成を個別に上記第５の実施の形態に対して適用してもよく、一部又は全部を組み合わせて上記第５の実施の形態に対して適用してもよい。この場合、組み合わせの対象となる各構成の技術的意義（発揮される効果）が担保されることが好ましい。
【０４２０】
＜変形例１＞
上記第５の実施の形態では、途中で設定値が変更されたものについても一時記憶領域６０７に情報を記憶する構成としたが、途中で設定値が変更されたものについては設定値が変更された際に情報を消去する構成とすることも可能である。実質的に使用されない情報によってアドレスが埋まることを回避することにより、参照できる情報の数が不足するといった不都合の発生を抑制できる。
【０４２１】
＜変形例２＞
遊技球の発射数が規定数に達するまでの間に設定値が変更された場合には、設定値が変更された時点から新たに情報の蓄積を開始する構成としてもよい。これにより、複数の設定値に対応する情報（実質的に利用が難しい情報）となることを回避できる。
【０４２２】
＜変形例３＞
一時記憶領域６０７に記憶される入賞数情報について設定値毎に記憶上限数を設定することも可能である。設定変更機能を有している遊技機であっても頻繁に設定変更が行われるとは限らず、ある程度の期間に亘って同一の設定値に維持される場合もあり得る。このような場合、記憶される入賞数情報に設定値による偏りが生じては、異常判定の確からしさを向上させる効果を上手く発揮できなくなると懸念される。例えば、設定値として設定１〜設定３が設けられているにもかかわらず、設定１での情報が過度に少ない場合には、当該状況下にて設定１での判定が実行される際には参照可能なサンプル（データ）が不足し、異常判定の確からしさが低下すると想定される。この点、本変形例に示すように設定値毎に記憶可能な入賞数情報に上限数を規定する構成とすれば、サンプルの不足によって判定の確からしさが低下することを好適に抑制できる。
【０４２３】
＜変形例４＞
一時記憶領域６０７におけるアドレスを設定値毎に分けてもよい。例えば、９９個のアドレスによって一時記憶領域が構成されている場合には、設定１用のアドレスが３３個、設定２用のアドレスが３３個、設定３用のアドレスが３３個となるように割り当てるとよい。
【０４２４】
＜変形例５＞
上記第５の実施の形態においては、一時記憶領域６０７を構成する全てのアドレスに入賞数情報が記憶されている状況下にて新たに入賞情報を記憶する場合には、最も古い入賞数情報が記憶されているアドレス（上記第５の実施の形態では＃１００アドレス）に情報が上書きされる構成としたが、これに限定されるものではない。新たに入賞数情報を記憶する場合には、設定値毎に記憶されている入賞数情報の数を特定し、入賞数情報が相対的に少なくなっている設定値について当該設定値に対応する入賞数情報のうち最も古い情報を上書き対象とすることも可能である。これにより、記憶されている入賞数情報について設定値毎に数の偏りが大きくなることを抑制できる。
【０４２５】
＜第６の実施の形態＞
上記第５の実施の形態では、設定値に関連付けた状態で入賞数を記憶し、現在の設定値と同一の設定値に対応している過去の情報を流用することで異常判定の確からしさを向上させる構成とした。本実施の形態においては、異常判定の確からしさを向上させる点では第５の実施の形態と同様であるものの、そのような効果を発揮させるための具体的な構成が第５の実施の形態と相違している。以下、図４６を参照して、本実施の形態における特徴的な構成を第５の実施の形態との相違点を中心に説明する。図４６（ａ）は監視装置６００における情報処理の流れを示す概略図、図４６（ｂ）は設定値と補正係数との関係を示す概略図である。
【０４２６】
主制御装置１６２から監視装置６００に入力される賞球コマンドについては、図４６（ａ）に示すように、入賞発生を示す情報と当該入賞が発生した時点での設定値の情報とが含まれている。賞球コマンドを受信した監視装置６００の情報取得部６０３ではこれらの情報から入賞判定情報を作成する。具体的には、入賞数に補正係数を乗じて入賞判定情報を作成する。作成された入賞判定情報は上記アドレスのうち最も若いもの（＃１アドレス）に累積記憶される。発射数が規定数に達した場合は、記憶されている情報が各々シフトして、新たに取得される情報が＃１アドレスに記憶されることとなる。
【０４２７】
ここで、図４６（ｂ）を参照して、補正係数について説明する。補正係数は設定値毎に設けられており、本実施の形態においては、設定１用の補正係数は「１．０２」、設定２用の補正係数は「１」、設定３用の補正係数は「０．９７」となっている。
【０４２８】
例えば、設定１と設定２とを比較した場合には、遊技進行に応じて左右の各ルートへ遊技球を発射することを考慮した場合の一般入賞口８１への実質的な入賞確率に若干のずれが生じる。詳しくは、設定１においては設定２と比較して一般入賞口８１への入賞確率が僅かに低くなる。設定１用の補正係数は、設定２における上記入賞確率を設定１における上記入賞確率によって除した値である。設定１にて入賞が発生している場合には、入賞数に設定１用の補正係数「１．０２」を乗じることにより、現在の設定が設定２であると仮定した場合の入賞数を推定する。つまり、実際には設定１にて発生した入賞を設定２で発生した入賞に転換している。
【０４２９】
設定２と設定３とを比較した場合にも、遊技進行に応じて左右の各ルートへ遊技球を発射することを考慮した場合の一般入賞口８１への実質的な入賞確率に若干のずれが生じる。詳しくは、設定３においては設定２と比較して一般入賞口８１への入賞確率が僅かに高くなる。そこで、設定３用の補正係数は、設定２における上記実質的な入賞確率を設定３における上記実質的な入賞確率で除した値である。設定３にて入賞が発生している場合には、入賞数に設定３用の補正係数「０．９７」を乗じることにより、現在の設定が設定２であると仮定した場合の入賞数を推定する。つまり、実際には設定３にて発生した入賞を設定２で発生した入賞に転換している。
【０４３０】
そして、本実施の形態においては、閾値は設定値毎に設けられているのではなく、各設定１〜３で共通となっている。詳しくは、上記第４の実施の形態に示した設定２用の閾値が設定１〜３で共通の閾値となっている。
【０４３１】
異常判定用処理にて、入賞確率が当該閾値の範囲に収まっているか否かを判定する場合には、監視装置６００の一時記憶領域６０７の各アドレスに記憶されている情報が取得されることとなる。本実施の形態においては、設定値による情報の取捨選択が不要である。このような事情から、アドレスの数についても第５の実施の形態よりも少なくなっている。
【０４３２】
設定変更機能を有する遊技機においては、設定値の選択については様々となり、必ずしも異常判定を行う際の設定値と過去に記憶された入賞情報の設定値とが一致するとは限らない。ここで、本実施の形態に示した構成によれば、記憶されているサンプルについて現在の設定値とは異なる設定値が対応付けられているものに関しても、補正によって現在の設定値に合わせて変換される。このため、設定値の違いを超えて異常判定のサンプルとして利用できる入賞情報を確保することができる。これにより、判定結果の確からしさの向上に寄与できる。
【０４３３】
一般入賞口８１ｄの上流位置に可変入賞装置８２が配設されている構成においては、可変入賞装置８２の動きによって一般入賞口８１ｄへの入賞頻度に差が生じ得る。そこで、一般入賞口８１ｄに係る入賞状況を監視する上では、本実施の形態に示したように、一般入賞口８１ｄへの入賞頻度に応じて補正値を定めることにより、記憶されている入賞情報を補正値を用いて現在の設定値に対応する情報に変換する際の変換精度を好適に向上させることができる。
【０４３４】
なお、上述した第６実施の形態の記載内容に限定されず例えば次のように実施してもよい。ちなみに、以下の各構成を個別に上記第６の実施の形態に対して適用してもよく、一部又は全部を組み合わせて上記第６の実施の形態に対して適用してもよい。この場合、組み合わせの対象となる各構成の技術的意義（発揮される効果）が担保されることが好ましい。
【０４３５】
＜変形例１＞
上記第６の実施の形態では、入賞数に補正係数を乗じた値をアドレスに記憶する構成としたが、補正を行うタイミングについては任意である。例えば、遊技球の発射数が規定数に達したタイミング又は設定変更が発生したタイミングにて補正を行う構成としてもよいし、閾値を用いた判定を行う直前のタイミングにて補正を行う構成としてもよい。因みに、判定直前に補正を行う場合には、当該補正を行う主体は必ずしも監視装置６００である必要はなく、報知・演出制御装置１４０にて補正を行う構成としてもよい。但し、判定直前に補正を行う場合には、監視装置６００に入賞数を示す情報とともに設定値を記憶する必要がある。このため、記憶される情報の量が嵩みやすい。このような事情に鑑みた場合には、補正された情報を監視装置６００に記憶させる構成とすることには技術的意義がある。
【０４３６】
＜変形例２＞
上記第６の実施の形態では、設定２を基準に設定１用の補正係数及び設定３用の補正係数を定めたが、これに限定されるものではない。例えば、設定１を基準に設定２用の補正係数及び設定３用の補正係数を定めてもよいし、設定３を基準に設定１用の補正係数及び設定２用の補正係数を定めてもよい。
【０４３７】
＜第７の実施の形態＞
上記各実施の形態に示したように監視装置６００を用いて主制御装置１６２等の監視を行う構成とすることは、パチンコ機１０の信頼性の向上や防犯機能の強化を実現する上で好ましい。本実施の形態においては、それら各種効果を一層好適に発揮させる工夫がなされていることを特徴の１つとしている。以下、図４７〜５０を参照して、上記工夫に係る構成を第４の実施の形態との相違点を中心に説明する。図４７は異常報知用処理を示すフローチャート、図４８は異常報知解除の流れを示すタイミングチャート、図４９は異常報知解除処理を示すフローチャート、図５０は監視装置６００の構成を示す概略図である。なお、本実施の形態においては主たる構成が第４の実施の形態と共通となっているため、これら共通の構成については説明を省略する。
【０４３８】
先ず、図４７を参照して本実施の形態における報知・演出制御装置１４０のＭＰＵ４４２にて定期処理の一環として実行される異常報知用処理について説明する。
【０４３９】
（異常報知用処理）
異常報知用処理においては先ず、ステップＳ２１０１にて情報取得処理を実行する。情報取得処理では、監視装置６００から一般入賞口８１への入賞数に関する情報と、遊技球の発射数に関する情報とを取得する。
【０４４０】
続くステップＳ２１０２では、異常判定の判定条件が成立したか否かを判定する。具体的には、先の異常判定後に遊技領域ＰＥへ発射された遊技球の数又は設定変更後に遊技領域ＰＥへ発射された遊技球の数が規定数に達したか否かを判定する。なお、本実施の形態においては規定数が３万となっている。上述したように遊技球の発射周期は０．６ｓｅｃであるため、遊技球の発射がおよそ６時間継続されることにより、発射数が規定数に達する構成となっている。
【０４４１】
ステップＳ２１０２にて否定判定をした場合、すなわち十分なデータが確保できていない場合には、そのまま本異常報知用処理を終了する。ステップＳ２１０２にて肯定判定をした場合には、ステップＳ２１０３に進む。ステップＳ２１０３では、現在の設定値に変更された後の一般入賞口８１への入賞数と遊技球の発射数とから一般入賞口８１の入賞確率を算出し、その確率が上記閾値の範囲から外れているか否かを判定する。
【０４４２】
閾値の範囲から外れている場合には、ステップＳ２１０４にて肯定判定をし、ステップＳ２１０５に進む。ステップＳ２１０５ではＲＡＭ４４４の各種カウンタエリア４６５に設けられた異常報知用カウンタを「１」加算する。閾値の範囲内に収まっている場合には、ステップＳ２１０４にて否定判定をし、ステップＳ２１０６に進む。ステップＳ２１０６ではＲＡＭ４４４の各種カウンタエリア４６５に設けられた異常報知用カウンタを「１」減算する。
【０４４３】
ステップＳ２１０５又はステップＳ２１０６の処理を実行した後は、ステップＳ２１０７に進む。ステップＳ２１０７では、異常報知用カウンタの値が基準値に達しているか否かを判定する。ステップＳ２１０７にて肯定判定をした場合には、ステップＳ２１０８に進む。ステップＳ２１０８では異常報知中であるか否かを判定する。ステップＳ２１０８にて否定判定をした場合には、ステップＳ２１０９にて異常報知開始処理を実行した後、本異常報知用処理を終了する。異常報知開始処理を実行することにより、前扉枠１４のスピーカ部２９とエラー表示ランプ部２７にて異常報知（具体的には異常が発生している可能性がある旨の警告）が実行される。
【０４４４】
ステップＳ２１０８にて肯定判定をした場合には、ステップＳ２１１０にて異常報知継続処理を実行した後、本異常報知用処理を終了する。異常報知継続処理が実行される場合には、異常報知レベルが１段階引き上げられることとなる。具体的には、スピーカ部２９から出力される警告音の音量及びエラー表示ランプ部２７の光量が上がる。
【０４４５】
ステップＳ２１０７の説明に戻り、当該ステップＳ２１０７にて否定判定をした場合、すなわち異常報知用カウンタの値が基準値を下回っている場合には、ステップＳ２１１１に進む。ステップＳ２１１１では異常報知中であるか否かを判定する。異常報知中でない場合には、そのまま本異常報知用処理を終了する。異常報知中である場合にはステップＳ２１１２に進み、異常報知終了処理を実行する。これにより、それまで実行されていた異常報知が解除されることとなる。
【０４４６】
ここで、図４８を参照して、異常報知の解除の流れについて説明する。本実施の形態においては、（１）異常報知用カウンタの値が基準値を下回ること、（２）異常報知の解除操作が実行されたことが異常報知の解除の契機となっている。
【０４４７】
入賞確率が閾値を外れることによりに異常報知用カウンタの値が加算され、入賞確率が閾値に収まることにより異常報知用カウンタの値が減算される。異常報知用カウンタの値が加算され異常報知の開始の目安である基準値に達したｔｃ１のタイミングでは、スピーカ部２９やエラー表示ランプ部２７にて異常報知が開始される。その後も異常報知用カウンタの値が基準値を超えたままの状態が続くことにより、異常報知のレベルが引き上げられることとなる。異常報知のレベルの引き上げによって、スピーカ部２９から出力される音量が大きくなるとともにエラー表示ランプ部２７の光量が増える。これにより、遊技者等の注意が異常報知へ向きやすくなる。
【０４４８】
ｔｃ２のタイミングにて、ホール管理者により異常報知の解除操作が行われた場合には、異常報知が一時的に解除される。しかしながら、この時点では異常報知用カウンタの値は未だ基準値を上回っており、続くｔｃ３のタイミングにて異常報知用カウンタの値が基準値を上回る範囲で増加したことに基づいて再び異常報知が開始されることとなる。つまり、本実施の形態に示す構成では、異常報知の解除操作だけでは一時的に異常報知を停止させることはできるものの、異常報知を完全に終了させるには入賞確率の異常の原因を解消する必要がある。
【０４４９】
異常報知の原因が解消された後は、入賞確率が閾値の範囲内に収まりやすくなり、入賞確率の確認される度に異常報知用カウンタの値が減算されると想定される。異常報知用カウンタの値が基準値を下回ったｔｃ４のタイミングでは、継続されていた異常報知が解除されることとなる。
【０４５０】
異常報知が実行されていることは、遊技者に当該遊技機での遊技を躊躇させる要因になる。そこで、遊技ホールとしては、根本的な原因の解消を図っているか否かに関わらず、異常報知の解除操作による暫定的な対応を行うことで、異常報知が遊技者の目にとまる機会を減らすものと想定される。ここで、入賞確率の判定においては設定値毎に異なる閾値が用いられる。例えば、算出された入賞確率が閾値を下回るように推移している場合には、設定値を遊技者に有利となる側に一時的に切り替えることで、閾値を引き下げることができる。
【０４５１】
例えば、入賞確率が図４２の概略図に示した入賞確率Ｙ２であると想定すると、設定値を設定３としていたとすれば当該入賞確率Ｙ２は閾値から外れるものの、設定値を設定２又は設定１とすれば当該入賞確率Ｙ２は閾値の範囲内に収まることとなる。つまり、仮に設定３にて異常報知カウンタの値が大きくなって上記基準値を上回った場合には、設定値を設定２又は設定１に変更することで異常報知カウンタの値を引き下げることができる。つまり、異常報知の原因を解消していない場合であっても、異常報知の発生を抑えることができる。
【０４５２】
このような構成においては、意図的に上述した設定値の切替えを行うことで、異常報知の原因が隠蔽されることが懸念される。本実施の形態においては、このような行為を見抜く工夫を施すことにより、監視機能への信頼性の向上が図られている点を特徴の１つとしている。以下、図４９及び図５０を参照して、当該工夫について説明する。図４９は報知・演出制御装置１４０のＭＰＵ４４２にて定期処理の一環として実行される異常報知解除用処理を示すフローチャート、図５０は監視装置６００の構成を示す概略図である。
【０４５３】
（異常報知解除用処理）
異常報知解除用処理においては先ず、ステップＳ２２０１にて設定変更操作が行われたか否かを判定する。ステップＳ２２０１にて否定判定をした場合には、そのまま本異常報知解除用処理を終了する。ステップＳ２２０１にて肯定判定をした場合には、ステップＳ２２０２に進む。
【０４５４】
ステップＳ２２０２では、異常報知中であるか否かを判定する。ステップＳ２２０２にて肯定判定をした場合には、ステップＳ２２０３にて異常報知解除処理を実行する。これにより、スピーカ部２９やエラー表示ランプ部２７における異常報知が解除されることとなる。続くステップＳ２２０４では、今回の設定変更操作によって、入賞確率のずれと同じ側へ閾値が変化するようにして設定変更が行われるか否かを判定する。
【０４５５】
例えば、設定２となっている状況下にて入賞確率が設定２に対応した閾値の下限を下回るようにして当該閾値の範囲を外れている場合には、設定変更によって設定３に変更された際にステップＳ２２０４にて否定判定をする。以下の説明では、このような設定変更操作を第１種解除操作と称する。
【０４５６】
これに対して、例えば設定２となっている状況下にて入賞確率が設定２に対応した閾値の下限を下回るようにして当該閾値の範囲を外れている場合には、設定変更によって設定１に変更された際にステップＳ２２０４にて肯定判定をする。同様に、例えば設定３となっている状況下にて入賞確率が設定３に対応した閾値の下限を下回るようにして当該閾値の範囲を外れている場合には、設定変更によって設定２又は設定１に変更された際にステップＳ２２０４にて肯定判定をする。以下の説明では、このような設定変更操作を第２種解除操作と称する。
【０４５７】
ステップＳ２２０４にて否定判定をした場合には、ステップＳ２２０５に進む。ステップＳ２２０５では第１種解除操作情報送信処理を実行し、その後、本異常報知解除用処理を終了する。第１種解除操作情報送信処理では、報知・演出制御装置１４０から監視装置６００に第１種解除操作が行われた旨を示す情報が送信される。監視装置６００の第２記憶領域６０６には第１種解除操作が行われた回数を記憶する第１種解除操作回数記憶領域６３５が設けられており（図５０参照）、上記情報に基づいて第１種解除操作回数記憶領域６３５の情報が更新される。詳しくは、第１種解除操作回数記憶領域６３５に設けられた第１種解除操作回数カウンタの値が「１」加算される。
【０４５８】
ステップＳ２２０４にて肯定判定をした場合には、ステップＳ２２０６に進む。ステップＳ２２０６では第２種解除操作情報送信処理を実行し、その後、本異常報知解除用処理を終了する。第２種解除操作情報送信処理では、報知・演出制御装置１４０から監視装置６００に第２種解除操作が行われた旨を示す情報が送信される。監視装置６００の第２記憶領域６０６には第２種解除操作が行われた回数を記憶する第２種解除操作回数記憶領域６３６が設けられており（図５０参照）、上記情報に基づいて第２種解除操作回数記憶領域６３６の情報が更新される。詳しくは、第２種解除操作回数記憶領域６３６に設けられた第２種解除操作回数カウンタの値が「１」加算される。
【０４５９】
監視装置６００では、解除回数の情報の公開要求操作が行われた場合に、第１種解除操作の実行回数と、第２種解除操作の実行回数とを報知する報知用処理を行う。これにより、例えば図柄表示装置２５３の表示画面２５３ａに各解除操作の実行回数が表示されることとなる。
【０４６０】
監視情報に基づいて異常が発生したと判定された場合には異常報知が実行される。これにより、異常への処置を速やかに行うことが可能とし、遊技者や遊技ホール等が不利益を被ることを抑制できる。但し、異常への対処を行ったとしてもその原因が解消されていない場合には、異常報知が繰り返されることとなる。遊技者やホール管理者等の入れ替わりに配慮した場合には、異常がどのくらい繰り返されているかを特定することは困難になる。この点、本実施の形態に示した構成においては、異常報知が解除操作に基づいて解除され、解除操作が実行された回数が記憶される。このため、解除操作がどの程度行われているかを事後的に把握することができる。これにより、異常が繰り返されていることの見逃しを抑制し、遊技機の信頼性の向上に寄与できる。
【０４６１】
なお、不正行為者が異常報知を意図的に解除することで不正を隠蔽するといった行為が行われた場合であってもその解除回数が記憶される。これにより、記憶されている解除回数から意図的に不正を隠蔽しようとした可能性があることを推定することができる。因みに、例えば異常の発生回数又は報知回数を記憶する構成では、異常発生の事実を特定することはできてもそれが偶発的要因によるものであるか人為的要因によるものかを特定することが難しくなる。このような事情に鑑みた場合には、解除回数を記憶することには明確な技術的意義がある。
【０４６２】
解除回数を記憶する上で遊技機の状態を考慮する構成とすれば、解除操作に不正に係るものであるか否かの推定精度を向上させることができる。例えば、本来であれば解除操作が困難又は不可となっている状況下にて解除操作が行われている場合には、当該解除操作が不正なものである可能性が高いことを見抜くことができる。
【０４６３】
例えば設定値によって異常判定の閾値が異なる構成を想定した場合、このような違いを利用して異常発生をごまかすといった不正が行われる可能性を否定できない。この点、本実施の形態に示した構成によれば、解除操作に伴って設定値が変更されている場合には解除回数が記憶される。これにより、不正の疑いのある解除操作が他の解除操作に紛れることを抑制できる。これは、遊技機の防犯機能の向上を図る上で好ましい構成である。
【０４６４】
設定値によって一般入賞口８１ｄ等の入球部への入賞頻度が相違する構成では、設定値毎に閾値を切り替える構成とすることで判定結果の確からしさを向上させることができる。但し、このような構成では、実際には異常が発生していると判定されるべき状況であるにも関わらず閾値の切替機能を悪用することで、その事実をごまかすといった行為がなされる可能性を否定できない。この点、本実施の形態に示したように、異常報知の解除に併せて設定値（閾値）を切り替えられた場合には、このような解除操作を他の解除操作とは分けて記憶することにより、不正を目的とした解除操作の見逃しを抑制できる。
【０４６５】
なお、上述した第７実施の形態の記載内容に限定されず例えば次のように実施してもよい。ちなみに、以下の各構成を個別に上記第７の実施の形態に対して適用してもよく、一部又は全部を組み合わせて上記第７の実施の形態に対して適用してもよい。この場合、組み合わせの対象となる各構成の技術的意義（発揮される効果）が担保されることが好ましい。
【０４６６】
＜変形例１＞
上記第７の実施の形態では、閾値に対して入賞確率が外れている側と同じ側へ閾値を変更させるような設定変更操作を第２種解除操作として記憶する構成としたが、同じ側への変更であって且つ先に判定対象となった入賞確率が新たな設定値に対応した閾値の範囲内となる場合に、当該設定変更操作を第２種解除操作として記憶する構成としてもよい。
【０４６７】
＜変形例２＞
上記第７の実施の形態では、設定変更操作によって異常報知が解除される構成、すなわち設定変更操作が異常報知の解除操作を兼ねる構成とした。これを変更し、異常報知用の解除操作を設定変更操作と分ける構成とすることも可能である。
【０４６８】
＜変形例３＞
異常報知の具体的態様については任意である。異常が発生している場合には、異常報知の一環として後述する設定示唆が発生しやすい構成とすることも可能である。なお、この構成については第１〜第６の実施の形態に適用することも可能である。
【０４６９】
＜第８の実施の形態＞
本実施の形態においては、異常報知の解除に係る構成が上記各実施の形態と相違している。具体的には、異常報知中であるか否かを主制御装置１６２側にて特定する構成となっており、異常報知の解除の可否についても主制御装置１６２のＭＰＵ４０２にて判断される構成となっている。以下、図５１〜図５３を参照して、本実施の形態における異常報知の解除に係る構成について説明し、他の実施の形態と共通の構成については説明を省略する。
【０４７０】
先ず、図５１のフローチャートを参照して、主制御装置１６２のＭＰＵ４０２にて実行される異常報知解除用処理について説明する。異常報知解除用処理は、通常処理の一環として実行される処理である。
【０４７１】
（異常報知解除用処理）
異常報知解除用処理においては先ず、ステップＳ２３０１にて異常報知中であるか否かを判定する。異常報知中ではないと判定した場合には、そのまま本異常報知解除用処理を終了する。ステップＳ２３０１にて異常報知中であると判定した場合には、ステップＳ２３０１にて肯定判定をし、ステップＳ２３０２に進む。ステップＳ２３０２では設定変更キーがＯＮ状態に切り替えられたか否かを判定する。ステップＳ２３０２にて否定判定をした場合には、そのまま本異常報知解除用処理を終了する。ステップＳ２３０２にて肯定判定をした場合には、ステップＳ２３０３に進む。
【０４７２】
ステップＳ２３０３では、ＲＡＭ４０４の各種フラグ格納エリア４３５に異常報知中に設定変更キーがＯＮ状態に切り替えられたことを示す特殊操作フラグをセットする。その後、ステップＳ２３０４にて異常報知解除処理を実行する。異常報知解除処理では、報知・演出制御装置１４０に異常報知を解除させるための異常報知解除コマンドをセットする。この異常報知解除コマンドは、通常処理の外部出力処理（ステップＳ５０１）にて報知・演出制御装置１４０に出力される。報知・演出制御装置１４０においては、この異常報知解除コマンドを受信したことに基づいて、異常報知を解除する。
【０４７３】
主制御装置１６２のＭＰＵ４０２は、異常報知中に設定変更キーがＯＮ状態に切り替えられた場合にその後の設定変更操作時の初期設定値を所定の設定値となるように強制変更する機能を有している。以下、図５２のフローチャートを参照して、主制御装置１６２にＭＰＵ４０２にて通常処理の一環として実行される設定変更用処理について説明する。
【０４７４】
（設定変更用処理）
設定変更用処理においては先ず、ステップＳ２４０１にて設定変更モード中であるか否かを判定する。具体的には、ＲＡＭ４０４の各種フラグ格納エリアに設定変更モードフラグが格納されているか否かを判定する。ステップＳ２４０１にて否定判定をした場合には、ステップＳ２４０２に進み、設定変更キーがＯＮ状態となっている否かを判定する。ステップＳ２４０２にて否定判定をした場合にはそのまま本設定変更用処理を終了する。ステップＳ２４０２にて肯定判定をした場合には、ステップＳ２４０３に進む。ステップＳ２４０３では設定変更モードへの移行条件が成立しているか否かを判定する。設定変更モードへの移行条件については図３５に示した設定変更処理と同様の条件に加え設定変更スイッチ１６６が操作されたことが条件として設定されている。つまり、図３５に示した各種条件が成立している状況下にて設定変更スイッチ１６６が一度操作されることにより設定変更モードへと移行する。
【０４７５】
ステップＳ２４０３にて否定判定をした場合には、そのまま本設定変更処理を終了する。ステップＳ２４０３にて肯定判定をした場合には、ステップＳ２４０４に進む。ステップＳ２４０４ではＲＡＭ４０４の各種フラグ格納エリア４３５に特殊操作フラグが格納されているか否かを判定する。ステップＳ２４０４にて否定判定をした場合には、ステップＳ２４０５に進む。
【０４７６】
ステップＳ２４０５では設定変更モードへ移行する前の設定値を特定し、設定変更モード移行時の設定値として当該特定した設定値を設定する。つまり、特殊操作フラグが格納されていない状況下にて設定変更モードへ移行する場合には、当該設定変更モードにおける初期の設定値として当該設定変更モードへ移行する前の設定値が引き継がれることとなる。
【０４７７】
ステップＳ２４０４の説明に戻り、当該ステップＳ２４０４にて肯定判定をした場合には、ステップＳ２４０６に進む。ステップＳ２４０６では設定変更モードへ移行時の設定値として当該設定変更モードへの移行前の設定値に関係なく、遊技者に最も有利な設定１を設定する。続くステップＳ２４０７ではＲＡＭ４０４の各種フラグ格納エリア４３５に格納されている特殊操作フラグを消去する。
【０４７８】
ステップＳ２４０７又はステップＳ２４０５の処理を実行した後は、ステップＳ２４０８に進む。ステップＳ２４０８では設定変更モード移行処理を実行する。設定変更モード移行処理においては、ＲＡＭ４０４の各種フラグ格納エリア４３５に設定変更モードフラグを格納し、設定値表示部１６８に現在の設定値を表示させるように表示制御を行い、且つ設定変更スイッチ１６６の操作受付を開始する。
【０４７９】
ステップＳ２４０１の説明に戻り、当該ステップＳ２４０１にて肯定判定をした場合、すなわちＲＡＭ４０４の各種フラグ格納エリア４３５に設定変更モードフラグが格納されている場合には、ステップＳ２４０９に進む。ステップＳ２４０９では設定変更操作が行われたか否かを判定する。ステップＳ２４０９にて肯定判定をした場合には、ステップＳ２４１０に進む。ステップＳ２４１０では設定変更操作対応処理を実行する。設定変更操作対応処理では、設定変更操作によって現在選択されている設定値を上記設定値表示部１６８に表示させるように当該設定値表示部１６８の表示制御を行う。
【０４８０】
ステップＳ２４０９の説明に戻り、当該ステップＳ２４０９にて否定判定をした場合には、ステップＳ２４１１に進む。ステップＳ２４１１では、設定変更キーがＯＦＦ状態となったか否かを判定する。ステップＳ２４１１にて否定判定をした場合には、そのまま本設定変更用処理を終了する。ステップＳ２４１１にて肯定判定をした場合には、ステップＳ２４１２に進む。ステップＳ２４１２では設定変更処理を実行する。設定変更処理では、選択されている設定値を特定し、以降の遊技における設定値として当該設定値を設定する。例えば、設定１が選択されている場合には、ＲＡＭ４０４の各種フラグ格納エリア４３５に設定１フラグを格納し、設定２が選択されている場合には、ＲＡＭ４０４の各種フラグ格納エリア４３５に設定２フラグを格納し、設定３が選択されている場合には、ＲＡＭ４０４の各種フラグ格納エリア４３５に設定３フラグを格納する。これにより、以降の抽選処理にて参照される当否抽選テーブルが切り替わることとなる。
【０４８１】
ステップＳ２４１２の処理を実行した後は、ステップＳ２４１３にて設定変更モード終了処理を実行した後、本設定変更用処理を終了する。設定変更モード終了処理では、ＲＡＭ４０４の各種フラグ格納エリア４３５に格納されている設定変更モードフラグを消去し、設定値表示部１６８が非表示となるように表示制御を行う。
【０４８２】
次に、図５３のフローチャートを参照して、本実施の形態におけるメイン処理について説明する。
【０４８３】
（メイン処理）
メイン処理においては先ず、ステップＳ２５０１にて電源投入に伴う立ち上げ処理を実行する。具体的には、従側の制御基板（払出制御装置２４２等）が動作可能な状態になるのを待つために例えば５００ｍｓｅｃ程度待機する。
【０４８４】
続くステップＳ２５０２では、ステップＳ２５０１の立ち上げ処理後から許可禁止用期間である１ｓｅｃが経過したか否かを判定する。１ｓｅｃ経過していない場合にはステップＳ２５０２の処理を再度実行する。この時間の測定は、ステップＳ２５０２の処理回数をカウントすることにより行われる。例えば、ステップＳ２５０２にて否定判定してから再度ステップＳ２５０２の処理を実行するまでに要する時間が０．１ｍｓｅｃである場合には、カウント値が１００００回となることで、ステップＳ２５０１の立ち上げ処理後から１ｓｅｃ経過したと判定する。なお、時間の測定の具体的な構成は任意であり、例えばリアルタイムクロックを用いて時間の測定を行うようにしてもよい。ステップＳ２５０２にて１ｓｅｃ経過したと判定した場合には、ステップＳ２５０３に進む。
【０４８５】
ステップＳ２５０３では、ＲＡＭ４０４のアクセスを許可する。その後、ステップＳ２５０４では、電源・発射制御装置２４３に設けられたＲＡＭ消去スイッチがオンとなっているか否かを判定し、続くステップＳ２５０５ではＲＡＭ４０４の停電フラグ格納エリアに停電フラグが格納されているか否かを判定する。また、ステップＳ２５０６ではＲＡＭ判定値を算出し、続くステップＳ２５０７では、そのＲＡＭ判定値が電源遮断時に保存したＲＡＭ判定値と一致するか否か、すなわち記憶保持されたデータの有効性を判定する。ＲＡＭ判定値は、例えばＲＡＭ４０４の作業領域アドレスにおけるチェックサム値である。なお、ＲＡＭ４０４の所定のエリアに書き込まれたキーワードが正しく保存されているか否かにより記憶保持されたデータの有効性を判断することも可能である。
【０４８６】
本パチンコ機１０では、例えばホールの営業開始時など、電源投入時にＲＡＭデータを初期化する場合にはＲＡＭ消去スイッチを押しながら電源が投入される。ＲＡＭ消去スイッチが押されていれば、ステップＳ２５０８〜Ｓ２５０９の処理に移行する。また、電源遮断の発生情報が設定されていない場合や、ＲＡＭ判定値（チェックサム値等）により記憶保持されたデータの異常が確認された場合も同様にステップＳ２５０８〜Ｓ２５０９の処理に移行する。ステップＳ２５０８では、ＲＡＭ４０４の使用領域を０にクリアし、ステップＳ２５０９ではＲＡＭ４０４の初期化処理を実行する。
【０４８７】
一方、ＲＡＭ消去スイッチが押されていない場合には、停電フラグが格納されていること、及びＲＡＭ判定値（チェックサム値等）が正常であることを条件に、ステップＳ２５１５にて停電フラグ格納エリアに格納されている停電フラグをクリアする。
【０４８８】
ステップＳ２５１５又はステップＳ２５０９の処理を実行した後は、ステップＳ２５１０に進む。ステップＳ２５１０では、ＲＡＭ４０４の各種フラグ格納エリア４３５に特殊操作フラグが格納されているか否か、ＲＡＭ消去スイッチが操作されたか否かを判定する。特殊操作フラグが格納されている場合又はＲＡＭ消去スイッチが操作された場合には、ステップＳ２５１０にて肯定判定をしてステップＳ２５１１に進む。ステップＳ２５１１では電源ＯＮ時の設定値として、遊技者に最も有利な設定１を設定する。ＲＡＭ４０４の各種フラグ格納エリア４３５に特殊操作フラグが格納されておらず、且つＲＡＭ消去スイッチが操作されていない場合には、ステップＳ２５１２に進む。ステップＳ２５１２では、電源ＯＮ時の設定値として電源ＯＦＦ時の設定値と同じ設定値を設定する。例えば、電源ＯＦＦ時に設定２であった場合には設定２とする。
【０４８９】
ステップＳ２５１１又はステップＳ２５１２の処理を実行した後は、ステップＳ２５１３に進む。ステップＳ２５１３では払出制御装置２４２に初期コマンドを出力すべく初期コマンド設定処理を実行する。その後、ステップＳ２５１４にて割込み許可を設定し、後述する通常処理に移行する。払出制御装置２４２のＭＰＵでは主制御装置１６２から初期コマンドを入力することで、主制御装置１６２との通信が正常に行われていることを認識する。
【０４９０】
監視結果に基づいて異常が発生したと判定された場合にはその旨が報知される。これにより、例えば遊技ホールの管理者等に異常への処置を促すことができる。異常の原因を解消しなくても解除操作が可能であることは遊技ホールにおける利便性の向上を図る上で好ましい。但し、このような構成では、異常発生の原因を解消することなく報知が解除されたまま再び遊技が行われることで、遊技者や遊技ホールが不利益を被る可能性がある。これは、遊技機に対する信頼性を低下させる要因になるため好ましくない。設定値は遊技ホールにて管理されており、利益に直結する構成であるため、ホール管理者が注視しやすい。そこで、本実施の形態に示したように、解除操作を行った場合には、設定変更時の初期の設定値が強制的に所定の設定値とするとよい。これにより、遊技機に何らかの異常が発生した旨をホール管理者へ示唆することができる。故に、異常発生の原因がそのまま放置されることを抑制し、遊技機への信頼性の向上に寄与できる。
【０４９１】
初期設定値を強制変更させる場合には、当該設定値が遊技ホールにて多用される設定値であった場合には、強制変更が発生しているか否かを識別する上で混同が生じやくなると懸念される。ここで、遊技ホールにおいては遊技者に有利な設定値が使用される機会は遊技者に不利な設定値が使用される機会よりも少ない。本特徴に示す構成においては、このような事情に配慮して、遊技者に最も有利な設定１を初期設定値としている。これにより、上述した混同を抑制できる。
【０４９２】
設定変更については必ずしも毎日行われるとは限らず、一度決定された設定値がある程度の日数に亘って維持される場合がある。このような事情に配慮した場合には、本実施の形態に示した電源ＯＮ時の設定値の決定にて設定値の引継ぎ／強制変更を実行することにより、そのような実情に好適に対応できる。
【０４９３】
遊技領域ＰＥを遊技球が流下するタイプの遊技機においては、清掃やメンテナンス等の際に遊技領域に配設された遊技釘等に接触することで当該遊技釘が変形等する可能性がある。このような変形によって遊技球の流路が変化すると本来の設計値よりも高い頻度で入球が発生したり、本来の設計値よりも低い頻度で入球が発生したりする。これは、遊技ホールや遊技者が不利益を被る要因になる。そこで、監視装置６００によって入賞情報を記憶する構成とすることで、上述したような不都合（異常）が発生していることを特定することができる。しかしながら、入賞については常に一定の頻度で発生するとは限らず監視期間が短い場合にはある程度のばらつきが生じる。これに対して、監視期間を長く設定した場合には、ばらつきを抑えることはできるものの、上記不都合が発生していることを特定するまでに時間がかかる。このような事情から、異常判定の結果に基づく報知を任意に解除できる構成とすることは、判定結果の確からしさと応答性の向上とに配慮できるという利点がある。但し、このような構成では、異常そのものが目視では特定困難であるため、報知解除からある程度の時間が経過することで、その事実が忘れられてしまう可能性がある。この点、本実施の形態に示した構成によれば、そのような不都合の発生を好適に抑制できる。
【０４９４】
なお、上述した第８実施の形態の記載内容に限定されず例えば次のように実施してもよい。ちなみに、以下の各構成を個別に上記第８の実施の形態に対して適用してもよく、一部又は全部を組み合わせて上記第８の実施の形態に対して適用してもよい。この場合、組み合わせの対象となる各構成の技術的意義（発揮される効果）が担保されることが好ましい。
【０４９５】
＜変形例１＞
上記第８の実施の形態では、異常報知の解除が行われた場合には、設定変更モード移行時の初期の設定値が遊技者に最も有利な設定１となるように構成したが、当該設定変更モード移行前又は上記異常報知の解除時の設定値と比べて遊技者に有利な設定値に切り替わる構成となっていればよい。例えば、設定３の場合には設定２となり、設定２の場合には設定１となり、設定１の場合には設定１が維持される構成とすることも可能である。
【０４９６】
また、異常報知の解除が行われた場合には、設定変更モード移行時の初期の設定値が設定変更前の設定値とは異なる設定値となるように構成してもよい。
【０４９７】
＜変形例２＞
メイン処理にて設定値の再設定を行う場合に異常報知の解除操作を考慮するか否かは任意である。つまり、設定変更操作が行われる場合の初期値を所定の設定値（例えば設定１）に変更する一方で、メイン処理では解除操作が行われている場合であっても設定値が維持される構成とすることも可能である。このような構成においては、特殊操作フラグをＲＡＭ消去スイッチによる消去の対象から外す構成とするとよい。
【０４９８】
＜変形例３＞
上記第８の実施の形態では、設定キーをＯＮ状態にすることで異常報知が解除される構成について説明したが、これに限定されるものではない。設定キーをＯＮ状態にした後に設定変更スイッチ１６６を操作することで異常報知が解除される構成とすることも可能である。この場合、設定変更スイッチ１６６の操作によってそのまま設定変更モードへ移行する構成としてもよいし、設定変更スイッチ１６６が長押しされる等の別の操作が行われることで設定変更モードへ移行する構成としてもよい。また、設定変更に係る各種操作部とは別に異常報知の解除操作用の操作部を設けてもよい。
【０４９９】
＜第９の実施の形態＞
本実施の形態においては、遊技進行中に伴い所定の示唆条件が成立した場合に遊技者に設定値を示唆する構成となっていることを特徴の１つとしている。具体的には外れ結果対応のリーチ演出が発生する遊技回の一部にて設定値の示唆（以下、設定示唆という）が実行される構成となっている点で第１の実施の形態と構成が相違している。以下、当該設定示唆に係る構成を第１の実施の形態との相違点を中心に説明する。なお、第１の実施の形態と共通の構成については説明を省略する。
【０５００】
図５４（ａ）のブロック図に示すように、電源ＯＮ時及び設定変更時には、設定値を示す情報が主制御装置１６２から報知・演出制御装置１４０に出力される。報知・演出制御装置１４０のＲＡＭ４４４には設定値を記憶する設定値記憶エリア４６８が設けられており、この情報を参照することにより報知・演出制御装置１４０では主制御装置１６２における設定値を特定可能となっている。
【０５０１】
報知・演出制御装置１４０のＭＰＵ４４２では設定値に基づいて設定示唆の可否を決定する。ここで、図５４（ｂ）のフローチャートを参照して、報知・演出制御装置１４０のＭＰＵ４４２にて実行される設定示唆用の処理、具体的には変動開始処理（図３１参照）の一部を構成する外れリーチ発生用の演出設定処理について説明する。
【０５０２】
（外れリーチ発生用の演出設定処理）
外れリーチ発生用の演出設定処理においては先ず、ステップＳ２６０１にて変動表示態様の決定処理を実行する。具体的には、主制御装置１６２から受信した変動開始コマンドに含まれる変動表示時間情報に基づいて今回の変動表示態様を決定する。例えば、変動表示時間が「１０ｓｅｃ」である場合にはノーマルリーチＡ、変動表示時間が「１５ｓｅｃ」である場合にはノーマルリーチＢ、変動表示時間が「１６ｓｅｃ」である場合にはスーパーリーチＡ、変動表示時間が「１７ｓｅｃ」である場合にはスーパーリーチＢ、変動表示時間が「１８ｓｅｃ」である場合にはスーパーリーチＣを実行する旨の決定を行う（図３２参照）。
【０５０３】
続くステップＳ２６０２では最終停止図柄組合せ決定処理を実行する。詳しくは、図柄表示装置２５３の表示画面２５３ａにて有効ライン上に最終停止表示（確定表示）させる図柄組合せを決定する。本演出設定処理については外れリーチに対応しているため、上図柄列Ｚ１と下図柄列Ｚ３とに同一の図柄が停止表示され、それら図柄が停止表示されている有効ライン上にはそれら図柄とは異なる中図柄が停止表示される。
【０５０４】
ステップＳ２６０２の処理を実行した後は、ステップＳ２６０３に進む。ステップＳ２６０３では今回の遊技回の変動表示態様がスーパーリーチＣに対応しているか否かを判定する。ステップＳ２６０２にて否定判定をした場合には、そのまま本演出設定用処理を終了する。ステップＳ２６０２にて肯定判定をした場合には、ステップＳ２６０４に進む。
【０５０５】
ステップＳ２６０４では有効ライン上に停止表示されるリーチ図柄が「７」図柄であるか否かを判定する。すなわち、上図柄列Ｚ１を構成する「７」図柄及び下図柄列Ｚ３を構成する「７」図柄によってリーチラインが形成されるか否かを判定する。ステップＳ２６０４にて否定判定をした場合には、そのまま本演出設定処理を終了する。
【０５０６】
ステップＳ２６０４にて肯定判定をした場合には、ステップＳ２６０５に進む。ステップＳ２６０５では設定示唆可否決定処理を行う。具体的には、抽選によって設定示唆を行うか否かを決定する。ステップＳ２６０５にて設定示唆を行わない旨の決定をした場合には、ステップＳ２６０６にて否定判定をし、そのまま本演出設定処理を終了する。ステップＳ２６０５にて設定示唆を行う旨の決定をした場合には、ステップＳ２６０６にて肯定判定をし、ステップＳ２６０７に進む。
【０５０７】
ステップＳ２６０７では最終停止図柄組合せの書替処理を実行する。具体的には、中図柄列Ｚ２について有効ライン上に停止表示される図柄を設定示唆に非対応の図柄から設定示唆に対応の図柄に書き替える処理を行う。本実施の形態においては、上図柄：「７」図柄、中図柄：「１」図柄、下図柄：「７」図柄の図柄組合せ、上図柄：「７」図柄、中図柄：「２」図柄、下図柄：「７」図柄の図柄組合せ、上図柄：「７」図柄、中図柄：「４」図柄、下図柄：「７」図柄の図柄組合せが設定示唆に対応している。
【０５０８】
例えば、図５５（ａ）に示すように、設定示唆非対応の外れスーパーリーチＣにおいては、「７」図柄によって形成されたリーチライン上には設定示唆非対応の図柄である「５」図柄が停止表示される。このため、最終停止図柄組合せを見たとしても、その内容から設定値を推測することは困難となる。これに対して、設定示唆対応の外れスーパーリーチＣにおいては、「７」図柄によって形成されたリーチライン上に設定示唆対応の図柄である「１」図柄て停止表示される。つまり、最終的に外れ結果となったとしても、それにより設定値が示唆されることとなり、遊技者はその示唆内容から設定値を推測することが可能となる。このように外れ結果となった場合であっても設定値の推測に役立つ情報を得る機会が与えられる構成とすることにより、遊技への期待感が外れ結果の報知によって急速に低下することを抑制している。
【０５０９】
ここで、図５６を参照して、設定示唆の発生パターンについて補足説明する。図５６は外れスーパーリーチＣが発生する場合に停止表示される中図柄とその確率との関係を示す概略図である。
【０５１０】
図５６（ａ）に示すように、低頻度サポートモード中に「７」図柄によるシングルラインの外れスーパーリーチＣが発生する場合には、設定１では中図柄列Ｚ２に「１」図柄が停止する確率が０．１％となっており、設定２及び設定３では中図柄列Ｚ２に「１」図柄が停止する確率が０％となっている。つまり、中図柄列Ｚ２に「１」図柄が停止表示された場合には、設定値が遊技者に最も有利な設定１であることが確定する。
【０５１１】
中図柄列Ｚ２に設定示唆対応の「２」図柄が停止表示される確率は、設定１では３．４％、設定２では３％、設定３では４％となっており、僅かながら差が設けられている。中図柄列Ｚ２に「２」図柄が停止表示された場合には設定１及び設定３と比べて設定２である可能性が僅かながら低くなる。
【０５１２】
中図柄列Ｚ２に設定示唆非対応の「３」図柄が停止表示される確率は、設定１〜設定３のいずれにおいても２％となっており、設定間で差が生じない構成となっている。
【０５１３】
中図柄列Ｚ２に設定示唆対応の「４」図柄が停止表示される確率は、設定１では０．５％、設定２では１％、設定３では０％となっている。つまり、中図柄列Ｚ２に「４」図柄が停止表示された場合には、設定値が遊技者に最も不利な設定３ではないこと、すなわち設定１及び設定２のいずれかであることが確定する。
【０５１４】
中図柄列Ｚ２に設定示唆非対応の「５」図柄が停止表示される確率は設定１〜設定３のいずれにおいても２％となっている。中図柄列Ｚ２に設定示唆非対応の「６」図柄が停止表示される確率は設定１〜設定３のいずれにおいても４０％となっている。中図柄列Ｚ２に設定示唆非対応の「８」図柄が停止表示される確率は設定１〜設定３のいずれにおいても５０％となっている。中図柄列Ｚ２に設定示唆非対応の「９」図柄が停止表示される確率は設定１〜設定３のいずれにおいても２％となっている。つまり、中図柄列Ｚ２に「５」図柄、「６」図柄、「８」図柄、「９」図柄の何れが停止表示されたとしても、それから設定値を推測することはできない構成となっている。
【０５１５】
本実施の形態に示す遊技機においては、リーチラインの数によって大当たり結果となる期待度に差が設けられている。具体的には、シングルライン（リーチライン×１）のスーパーリーチＣよりもダブルライン（リーチライン×２）のスーパーリーチＣの方が大当たり結果となる期待度が高くなるように設定されている。そして、設定示唆の確率についてもシングルラインよりもダブルラインの方が若干高くなるように差が設けられている。
【０５１６】
図５６（ｂ）に示すように、低頻度サポートモード中に「７」図柄及び「８」図柄によるダブルラインの外れスーパーリーチＣが発生する場合には、設定１では中図柄列Ｚ２に「１」図柄が停止する確率が１．１％となっており、設定２及び設定３では中図柄列Ｚ２に「１」図柄が停止する確率が０％となっている。つまり、中図柄列Ｚ２に「１」図柄が停止表示された場合には、設定値が遊技者に最も有利な設定１であることが確定する。
【０５１７】
中図柄列Ｚ２に設定示唆対応の「２」図柄が停止表示される確率は、設定１では１．４％、設定２では１％、設定３では４％となっている。中図柄列Ｚ２に「２」図柄が停止表示された場合には設定１及び設定３と比べて設定２である可能性が僅かながら低くなる。
【０５１８】
中図柄列Ｚ２に設定示唆非対応の「３」図柄が停止表示される確率は、設定１〜設定３のいずれにおいても２％となっており、設定間で差が生じない構成となっている。
【０５１９】
中図柄列Ｚ２に設定示唆対応の「４」図柄が停止表示される確率は、設定１では１．５％、設定２では３％、設定３では０％となっている。つまり、中図柄列Ｚ２に「４」図柄が停止表示された場合には、設定値が遊技者に最も不利な設定３ではないこと、すなわち設定１及び設定２のいずれかであることが確定する。
【０５２０】
中図柄列Ｚ２に設定示唆非対応の「５」図柄が停止表示される確率は設定１〜設定３のいずれにおいても３％となっている。中図柄列Ｚ２に設定示唆非対応の「６」図柄が停止表示される確率は設定１〜設定３のいずれにおいても４０％となっている。中図柄列Ｚ２に設定示唆非対応の「９」図柄が停止表示される確率は設定１〜設定３のいずれにおいても５０％となっている。つまり、中図柄列Ｚ２に「５」図柄、「６」図柄、「９」図柄の何れが停止表示されたとしても、それから設定値を推測することはできない構成となっている。
【０５２１】
図５６（ｃ）に示すように、低頻度サポートモード中に「６」図柄及び「７」図柄によるダブルラインの外れスーパーリーチＣが発生する場合には、設定１では中図柄列Ｚ２に「１」図柄が停止する確率が１．１％となっており、設定２及び設定３では中図柄列Ｚ２に「１」図柄が停止する確率が０％となっている。つまり、中図柄列Ｚ２に「１」図柄が停止表示された場合には、設定値が遊技者に最も有利な設定１であることが確定する。
【０５２２】
中図柄列Ｚ２に設定示唆対応の「２」図柄が停止表示される確率は、設定１では１．４％、設定２では１％、設定３では４％となっている。中図柄列Ｚ２に「２」図柄が停止表示された場合には設定１及び設定３と比べて設定２である可能性が僅かながら低くなる。
【０５２３】
中図柄列Ｚ２に設定示唆非対応の「３」図柄が停止表示される確率は、設定１〜設定３のいずれにおいても２％となっており、設定間で差が生じない構成となっている。
【０５２４】
中図柄列Ｚ２に設定示唆対応の「４」図柄が停止表示される確率は、設定１では１．５％、設定２では３％、設定３では０％となっている。つまり、中図柄列Ｚ２に「４」図柄が停止表示された場合には、設定値が遊技者に最も不利な設定３ではないこと、すなわち設定１及び設定２のいずれかであることが確定する。
【０５２５】
中図柄列Ｚ２に設定示唆非対応の「５」図柄が停止表示される確率は設定１〜設定３のいずれにおいても４０％となっている。中図柄列Ｚ２に設定示唆非対応の「８」図柄が停止表示される確率は設定１〜設定３のいずれにおいても５０％となっている。中図柄列Ｚ２に設定示唆非対応の「９」図柄が停止表示される確率は設定１〜設定３のいずれにおいても３０％となっている。つまり、中図柄列Ｚ２に「５」図柄、「８」図柄、「９」図柄の何れが停止表示されたとしても、それから設定値を推測することはできない構成となっている。
【０５２６】
なお、本実施の形態においては、低頻度サポートモード中と比較して高頻度サポートモードの方が外れスーパーリーチＣの発生頻度及び設定示唆の発生確率が高くなっており、高頻度サポートモード中の設定示唆が優遇されている。つまり、高頻度サポートモード中は設定示唆のチャンスとなっている。
【０５２７】
以上詳述した第９の実施の形態によれば、以下の優れた効果を奏する。
【０５２８】
設定変更機能を有する遊技機においては設定値によって有利度合いが変化するため、設定値を推測しながら遊技を行うことが楽しみの１つとなる。ここで、リーチ表示が実行される場合には、遊技に対する遊技者の注目が高くなりやすい。遊技者の注目が高くなっている場合に設定値の示唆（設定示唆）を行う構成とすることにより、当該設定示唆が見逃される機会を減らすことができる。
【０５２９】
また、リーチ表示が実行される場合には、当該リーチ表示を経て当選結果が報知される可能性があるため、演出に対する注目度が高くなる。但し、このようにして注目度が高くなっている状態から外れ結果である旨が報知されると、期待感の低下に伴って遊技への注目度が大きく低下する可能性がある。この点、本実施の形態に示したようにリーチ表示に併せて設定示唆を行う構成とすることにより、外れ結果時に注目度が大きく低下することを抑制できる。
【０５３０】
表示画面２５３ａに停止表示される図柄組み合わせによって抽選結果が明示される構成においては、リーチ表示が実行される場合に遊技者の注目が遊技領域ＰＥ（詳しくは遊技領域ＰＥを流下する遊技球）から表示画面２５３ａに移りやすい。そこで、上述した設定示唆を表示画面２５３ａにて実行する構成とすれば、設定示唆を行ったにも関わらずそれが見逃されるといった不都合を抑制することができる。
【０５３１】
リーチ表示を経由して当たり結果が報知される構成においては、リーチ表示へ移行することで図柄の変動表示に対する注目度が高くなる。このようにして、注目度が高くなっている状況下にて設定示唆を行う構成とすれば上述した見逃しの機会を好適に減らすことができる。
【０５３２】
外れ結果用の図柄組合せを利用して設定示唆が実行される構成とすれば、外れ結果が明示される場合に設定示唆の情報が含まれる場合があることで、遊技者が当該図柄組合せに注目するものと想定される。この構成によれば、上述した注目度向上効果を好適に発揮させることができる。
【０５３３】
遊技者の期待が膨らめば膨らむほど、外れ結果である旨の報知がなされた場合の落胆が大きくなる。これは、遊技意欲の低下を招く要因になるため好ましくない。このような事情に鑑みれば、本実施の形態に示したように、確変大当たり結果に対応した図柄組合せが成立する可能性があるリーチ表示にて設定示唆を実行する構成とすることは、外れ結果となった場合の遊技意欲の低下を緩和する上で好ましい。
【０５３４】
当たり結果となる期待度の高いリーチ表示ほど、外れ結果である旨の報知がなされた場合の落胆が大きくなる（所謂、激熱外し）。これは、遊技意欲の低下を招く要因になるため好ましくない。このような事情に鑑みれば、本実施の形態に示したように、期待度が高いスーパーリーチ（スーパーリーチＣ）にて設定示唆を実行する構成とすることは、外れ結果となった場合の遊技意欲の低下を緩和する上で好ましい。
【０５３５】
なお、上述した第９実施の形態の記載内容に限定されず例えば次のように実施してもよい。ちなみに、以下の各構成を個別に上記第９の実施の形態に対して適用してもよく、一部又は全部を組み合わせて第９の実施の形態に対して適用してもよい。この場合、組み合わせの対象となる各構成の技術的意義（発揮される効果）が担保されることが好ましい。
【０５３６】
＜変形例１＞
上記第９の実施の形態では、最終停止図柄組合せによって設定示唆を行う構成としたが、設定示唆の具体的態様については任意である。例えば、設定示唆非対応の背景画像と設定示唆対応の背景画像とを併用することで設定示唆を行う構成としてもよしい、設定示唆非対応の効果音又はＢＧＭと設定示唆対応の効果音又はＢＧＭとを併用することで設定示唆を行う構成としてもよい。また、ランプ部２６の発光態様として設定示唆非対応の発光態様と設定示唆対応の発光態様とを設け、これらを併用することで設定示唆を行う構成とすることも可能である。
【０５３７】
＜変形例２＞
上記第９の実施の形態では、確定表示中に設定示唆を行う構成としたが、どのタイミングにて設定示唆を行うかは任意である。例えば、リーチ表示が開始されることで遊技者の注目度が高まる構成においては、リーチ表示後に設定示唆を行う構成とすることで設定示唆の見落としを抑制できる。また、リーチ表示への移行後に複数種のリーチ表示への分岐が発生する場合には、この分岐にて遊技者の注目度が高くなると想定される。そこで、分岐発生後に設定示唆を行う構成とすることで設定示唆の見落としを一層好適に抑制できる。
【０５３８】
＜変形例３＞
上記第９の実施の形態では、低頻度サポートモード中と比較して高頻度サポートモード中の方が設定示唆が実行される可能性が高くなる構成としたが、このような優遇については必須ではない。低頻度サポートモード中と高頻度サポートモード中とで設定示唆の発生確率を同一とすることも可能である。また、高頻度サポートモード中と比較して低頻度サポートモード中の方が設定示唆が実行される可能性が高くなる構成を否定するものでもない。
【０５３９】
＜変形例４＞
高頻度サポートモード且つ高確率モード対応の通常遊技状態と、高頻度サポートモード且つ低確率モード対応の通常遊技状態とで設定示唆の発生確率に差を設けてもよい。前者とは異なり後者については高頻度サポートモードに維持される遊技回数に制限が設けられている。制限無し高頻度サポートモード中と比較して制限有りの高頻度サポートモード中に設定示唆の発生確率が高くなるように差別化することも可能である。
【０５４０】
＜変形例５＞
設定示唆が発生しやすい遊技回数と、設定示唆が発生しにくい遊技回数とを設けてもよい。また、設定示唆が発生しやすい遊技回数と設定示唆が発生しにくい遊技回数とを設定値に応じて個別に設定することも可能である。例えば、図５７の概略図に示すように、大当たり後に実行される遊技回数が０〜１００の範囲においては、何れの設定値でも設定示唆の発生確率を共通とし、大当たり後に実行される遊技回数が１０１〜１５０の範囲においては、設定２と比べて設定１及び設定３での設定示唆の発生確率が高い構成とし、大当たり後に実行される遊技回数が１５１〜２００の範囲においては、設定１及び設定３と比べて設定２での設定示唆の発生確率が高い構成とすることも可能である。
【０５４１】
＜変形例６＞
大当たり後に実行された遊技回数が予め設定された回数に達することで、設定示唆の発生確率が上昇する構成とすることも可能である。
【０５４２】
＜変形例７＞
上記第９の実施の形態では、外れスーパーリーチＣ時に設定示唆が実行され得る構成としたが、これに限定されるものではない。これに代えて又は加えて、スーパーリーチＣよりも期待度の低くなるように設定された他のスーパーリーチやノーマルリーチにて設定示唆が実行される構成とすることも可能である。因みに、た複数種のリーチにて設定示唆が実行される構成としてもよい。
【０５４３】
＜第１０の実施の形態＞
本実施の形態では、設定示唆の実行時間を後続の保留情報の数（保留数）によって相違させる構成となっている点で上記第９の実施の形態と構成が相違している。以下、図５８を参照して、設定示唆の実行時間の変化に係る構成を説明する。図５８（ａ）は高頻度サポートモードにおける図柄の確定表示時間（最終停止時間）と保留数との関係を示す概略図である。なお、第９の実施の形態と共通の構成については説明を省略する。
【０５４４】
確定表示時間については、低頻度サポートモードにおいては１．５ｓｅｃであり、高頻度サポートモードにおいては１ｓｅｃとなるように短縮される。つまり、高頻度サポートモードにおいては、低頻度サポートモード中と比較して確定表示時間が短くなるため、設定示唆が見逃される可能性が高くなる。本実施の形態においては、低頻度サポートモード及び高頻度サポートモードの何れにおいても、設定示唆が実行される場合に記憶されている後続の保留情報の数によって設定示唆の実行時間が延長される構成となっている。以下の説明では、高頻度サポートモードにおける延長態様について説明するが、低頻度サポートモードにおいても同様の延長が実行される。
【０５４５】
図５８（ａ）の概略図に示すように、設定示唆が実行されない場合の図柄の停止表示時間を１ｓｅｃである。これに対して、後続の保留情報の数が０個の場合には設定示唆が実行されない場合の停止表示時間と同一となっており、後続の保留情報の数が１個の場合には０個の場合よりも長い時間（例えば１．５ｓｅｃ）となっており、後続の保留情報の数が２個の場合には１個の場合よりも長い時間（例えば２．０ｓｅｃ）となっており、後続の保留情報の数が３個の場合には２個の場合よりも長い時間（例えば２．５ｓｅｃ）となっており、後続の保留情報の数が４個の場合には３個の場合よりも長い時間（例えば３．０ｓｅｃ）となっている。つまり、後続の保留情報の数が多くなるほど、設定示唆の実行時間が延長される構成となっている。これにより、設定示唆の見逃しが発生する機会を少なくすることが可能となる。
【０５４６】
ここで、遊技結果に対応する図柄組合せを停止表示することで設定示唆を行う構成においては、設定示唆の実行時間を確定表示タイミングよりも前に延長すること、すなわち設定示唆の開始タイミングを早めることは好ましくない。そこで、本実施の形態においては、設定示唆の終了タイミングを遅らせる構成としている。以下、図５８（ｂ）を参照して、設定示唆の実行時間の延長を実現する構成について説明する。
【０５４７】
図５８（ｂ１）に示すように、設定示唆が実行されない遊技回においては、遊技結果に対応する図柄組合せが最終停止表示されてから確定表示時間が経過したタイミングにて後続の保留情報に係る遊技回へ移行する。これにより、停止表示されていた全ての図柄列Ｚ１〜Ｚ３の変動表示が再開されることとなる。
【０５４８】
これに対して、設定示唆が実行される場合には、確定表示時間が経過した後も設定示唆が続く場合がある。この場合、図５８（ｂ２）に示すように、有効ライン上に停留している図柄は確定表示時間が経過したタイミングにて有効ライン上に留まりつつもスクロール方向と同じ方向への揺動（次の遊技回開始の予兆動作）を開始する。そして、設定示唆時間が経過したタイミングにて当該揺動を終了し、変動表示が再開されることとなる。
【０５４９】
このような構成とすれば、設定示唆の時間が確定表示時間を超えて延長される場合であっても、図柄表示の見栄えの低下を抑制できる。
【０５５０】
設定示唆の実行時間が短ければ見落とし等が発生する可能性が高くなる。このような見落としを嫌う遊技者が遊技回間のインターバル時間を稼ぐようにして遊技を行ってしまうと、遊技機の稼働率が著しく低下すると懸念される。この点、本変形例に示すように、保留情報の数によって設定示唆の時間が長くなうように構成すれば、上記不都合の発生を好適に抑制できる。
【０５５１】
なお、上述した第１０実施の形態の記載内容に限定されず例えば次のように実施してもよい。ちなみに、以下の各構成を個別に上記第１０の実施の形態に対して適用してもよく、一部又は全部を組み合わせて第１０の実施の形態に対して適用してもよい。この場合、組み合わせの対象となる各構成の技術的意義（発揮される効果）が担保されることが好ましい。
【０５５２】
＜変形例１＞
上記第１０の実施の形態においては、高頻度サポートモード及び低頻度サポートモードの両方にて設定示唆の実行時間を後続の保留情報の数に応じて延長する構成としたが、これに限定されるものではない。低頻度サポートモードにおいては高頻度サポートモードと比べて確定表示時間が長くなっている点に鑑みれば、少なくとも高頻度サポートモードにて上記延長が実行されるのであれば足り、低頻度サポートモードにおける延長機能については省略することも可能である。
【０５５３】
＜変形例２＞
上記第１０の実施の形態においては、後続の保留情報の数の増加と設定示唆の延長度合いとを一定としたが、これに限定されるものではない。後続の保留情報の数が多くなるほど延長の度合いを大きくしてもよいし、後続の保留情報の数が多くなるほど延長の度合いを小さくしてもよい。
【０５５４】
＜変形例３＞
上記第１０の実施の形態では、図柄を揺動させることで、設定示唆に対応する図柄組合せを目視で確認できる時間を稼ぐ構成としたが、設定示唆に対応する図柄組合せを目視で確認できる時間を稼ぐための具体的構成については任意である。例えば、有効ライン上に停止表示されている各図柄を僅かに拡大／縮小を繰り返すように変化させてスクロール表示開始までの時間を稼ぐ構成としてもよい。
【０５５５】
＜第１１の実施の形態＞
本実施の形態においては、外れスーパーリーチＡ〜外れスーパーリーチＣの何れについても設定示唆が実行され得る構成となっており、大当たり結果となることなく外れスーパーリーチが実行された回数（連続回数）によって設定示唆の発生確率が変化する構成となっていることを特徴の１つとしている。以下、本実施の形態における特徴的な構成を上記第９の実施の形態との相違点を中心に説明する。なお、第９の実施の形態と共通の構成については説明を省略する。先ず、図５９のフロアーチャートを参照して、本実施の形態における外れリーチ発生用の演出設定処理について説明する。
【０５５６】
（外れリーチ発生用の演出設定処理）
外れリーチ発生用の演出設定処理においては先ず、ステップＳ２７０１にて変動表示態様の決定処理を実行する。具体的には、主制御装置１６２から受信した変動開始コマンドに含まれる変動表示時間情報に基づいて今回の変動表示態様を決定する。例えば、変動表示時間が「１０ｓｅｃ」である場合にはノーマルリーチＡ、変動表示時間が「１５ｓｅｃ」である場合にはノーマルリーチＢ、変動表示時間が「１６ｓｅｃ」である場合にはスーパーリーチＡ、変動表示時間が「１７ｓｅｃ」である場合にはスーパーリーチＢ、変動表示時間が「１８ｓｅｃ」である場合にはスーパーリーチＣを実行する旨の決定を行う（図３２参照）。
【０５５７】
続くステップＳ２７０２では、ステップＳ２７０１にて決定した今回の変動表示態様が外れスーパーリーチＡ〜外れスーパーリーチＣの何れかであるか否かを判定する。ステップＳ２７０２にて否定判定をした場合にはそのまま本外れリーチ発生用の演出設定処理を終了する。ステップＳ２７０２にて肯定判定をした場合には、ステップＳ２７０３に進む。
【０５５８】
ステップＳ２７０３では、開閉実行モード終了後に実行された遊技回数を特定する。本実施の形態においては、監視装置６００にて遊技回数が記憶されており、この遊技回数に基づいて開閉実行モード終了後の遊技回数を特定する。
【０５５９】
続くステップＳ２７０４では設定示唆用の判定基準回数を決定する。本実施の形態においては、設定示唆を行う場合の基準回数が開閉実行モード終了後の遊技回数によって変化する構成となっている。具体的には、図６０の概略図に示すように、遊技回数が０〜９９回の場合の判定基準回数は２０回、遊技回数が１００〜１９９回の場合の判定基準回数は１９回、遊技回数が２００〜２９９の場合の判定基準回数は１８回、遊技回数が３００〜３９９の場合の判定基準回数は１７回、遊技回数が４００〜４９９回の場合の判定基準回数は１６回、遊技回数が５００〜５９９回の場合の判定基準回数は１５回、遊技回数が６００〜６９９回の場合の判定基準回数は１４回、遊技回数が７００〜７９９回の場合の判定基準回数は１３回、遊技回数が８００回以上の場合の判定基準回数は１２回となるように、遊技回数が多くなるほど判定基準回数が少なくなるように構成されている。
【０５６０】
続くステップＳ２７０５では、設定示唆可否判定処理を実行する。具体的には、今回の外れスーパーリーチを含み開閉実行モード終了後に実行された外れスーパーリーチＡ〜外れスーパーリーチＣの総実行回数（連続回数）と判定基準回数とを比較する。
【０５６１】
外れスーパーリーチＡ〜外れスーパーリーチＣの総実行回数（連続回数）が判定基準回数に達していない場合にはステップＳ２７０６にて否定判定をし、ステップＳ２７０７に進む。ステップＳ２７０７では設定示唆非対応の最終停止図柄組合せの決定処理を行う。これにより、当該遊技回においては設定示唆非対応の最終停止図柄組合せが最終停止表示されることとなる。なお、設定示唆非対応の最終停止図柄組合せについては上記第９の実施の形態と同様であるため説明を省略する。
【０５６２】
外れスーパーリーチＡ〜外れスーパーリーチＣの総実行回数（連続回数）が判定基準回数に達している場合にはステップＳ２７０６にて肯定判定をし、ステップＳ２７０８に進む。ステップＳ２７０８では設定示唆対応の最終停止図柄組合せの決定処理を行う。これにより、当該遊技回においては設定示唆対応の最終停止図柄組合せが最終停止表示されることとなる。なお、設定示唆対応の最終停止図柄組合せについては上記第９の実施の形態と同様であるため説明を省略する。
【０５６３】
なお、外れスーパーリーチＡ〜外れスーパーリーチＣの発生確率については、およそ１／４５となっている。このため、多くの場合には、開閉実行モード終了後の遊技回数が６００回を超える程度となることで基準判定回数と外れスーパーリーチＡ〜外れスーパーリーチＣの総実行回数（連続回数）とが一致して、設定示唆が実行される。
【０５６４】
リーチ表示が実行されることで当たり結果への期待が高まる。しかしながら、リーチ表示が実行されたとしても必ずしも当たり結果となるわけではなく、外れ結果となる場合もある。このような事象（リーチ表示→外れ結果）が続くことは、遊技者の遊技意欲を低下させる要因になる。この点、本実施の形態に示す構成においては、リーチ表示を経て外れ結果が報知された回数に基づいて設定値の示唆（設定示唆）が実行されるか否かが決定される。このため、リーチ表示が不発になったとしても遊技者に設定示唆が近づいたとの印象を与えることができ、遊技意欲の低下を抑制できる。これは、遊技への注目度の向上を図る上で好ましい。
【０５６５】
リーチ表示→外れ結果となった場合にはその数が多くなるほど、設定示唆が実行されやすくなる。このような構成とすれば、通常遊技状態が続いている場合であっても、遊技者の遊技意欲の低下を抑制できる。
【０５６６】
リーチ表示→外れ結果となることで設定示唆の期待が高まる構成においては、リーチ表示が実行されることなく遊技が進むことで、遊技者の遊技意欲が低下する可能性がある。そこで、本実施の形態に示したように、開閉実行モード後に実行された遊技回数が多くなるほど、設定示唆の敷居が低くなる構成とすれば、リーチ表示が発生しない場合の遊技意欲の低下を緩和できる。
【０５６７】
なお、上述した第１１実施の形態の記載内容に限定されず例えば次のように実施してもよい。ちなみに、以下の各構成を個別に上記第１１の実施の形態に対して適用してもよく、一部又は全部を組み合わせて上記第１１の実施の形態に対して適用してもよい。この場合、組み合わせの対象となる各構成の技術的意義（発揮される効果）が担保されることが好ましい。
【０５６８】
＜変形例１＞
上記第１１の実施の形態においては、開閉実行モード後の遊技回数が多くなるほど設定示唆が実行される可能性が高くなるように構成したが、これに限定されるものではない。例えば、高頻度サポートモード終了後に所定回数の遊技回に亘って設定示唆の発生確率が高くなる設定示唆高確率ゾーンを設けてもよい。
【０５６９】
＜変形例２＞
上記第１１の実施の形態においては、開閉実行モードへ移行することで外れスーパーリーチＡ〜外れスーパーリーチＣの累積回数がリセットされる構成としたが、これに限定されるものではない。例えば、電源ＯＮ後又は設定変更に実行された外れスーパーリーチＡ〜外れスーパーリーチＣの累積回数に基づいて設定示唆の可否を判定する構成とするこもと可能である。この場合、判定基準回数についても電源ＯＮ時又は設定変更時にリセットされる構成とすることが好ましい。
【０５７０】
＜変形例３＞
上記第１１の実施の形態においては、外れスーパーリーチＡ〜外れスーパーリーチＣの総実行回数（連続回数）に基づいて設定示唆の可否を判定する構成としたが、これを変更し、外れノーマルリーチＡ〜外れノーマルリーチＢ及び外れスーパーリーチＡ〜外れスーパーリーチＣの総実行回数に基づいて設定示唆の可否を判定する構成とすることも可能である。
【０５７１】
＜変形例４＞
設定値によって外れスーパーリーチＡ〜外れスーパーリーチＣの発生確率が異なる構成とすることも可能である。例えば、外れスーパーリーチＡ〜外れスーパーリーチＣの発生確率が、設定３  ＜  設定２  ＜設定１の順に高くなるように構成してもよい。
【０５７２】
＜変形例５＞
上記第１１の実施の形態においては、設定１〜設定３の各設定値について設定示唆の実行の可否を決定する判定基準回数テーブル（図６０）を共通としたが、これに限定されるものではない。設定１用の判定基準回数テーブルと、設定２用の判定基準回数テーブルと、設定３用の判定基準回数テーブルとを個別に設けてもよい。この場合、例えば、設定１  ＜  設定２  ＜  設定３の順に判定基準回数が少なくなるように構成し、遊技者に有利な設定値ほど設定示唆の発生確率が低くなるように差を設けるとよい。
【０５７３】
＜第１２の実施の形態＞
設定変更機能を有するパチンコ機１０においては、設定値を見抜くことができれば有利に立ち回ることができる。例えば、設定値が遊技者に不利な場合には早期の他の遊技機へ移動し、設定値が遊技者に有利な場合には当該遊技機にて極力長く遊技を行うことで遊技を有利に進めることができる。このような構成においては、設定示唆を行うことにより遊技への注目度の向上効果が期待できるものの、仮に設定値が主制御装置１６２以外の他の制御装置にて記憶されている場合には主制御装置１６２よりも防犯機能が低いそれら他の制御装置が設定値の不正取得の対象として狙われやすくなると懸念される。本実施の形態においては、このような事情に鑑みて、サブ側の制御装置では設定情報を常時は把握しない構成とし、主制御装置１６２にて設定示唆の可否をコントロールすることにより、遊技機の防犯機能を強化している。以下、先ず図６１を参照して、主制御装置１６２のＭＰＵ４０２にて実行される変動表示時間の設定処理について説明する。変動表示時間の設定処理は、変動開始処理（図２６参照）の一環として実行される処理である。
【０５７４】
（変動表示時間の設定処理）
変動表示時間の設定処理においては先ず、ステップＳ２８０１にて今回の遊技回が大当たり結果に対応しているか否かを判定する。ステップＳ２８０１にて肯定判定をした場合にはステップＳ２８０２に進み、ＲＯＭ４０３の変動表示時間テーブル記憶エリア４２３に記憶されている大当たり用変動表示時間テーブルを参照して変動表示時間を決定する。ステップＳ２８０２の決定処理を実行した後はステップＳ２８０３に進み、ＲＡＭ４０４の各種カウンタエリア４３４に設けられた変動表示時間カウンタに今回の遊技回の変動表示時間をセットして本変動表示時間の設定処理を終了する。
【０５７５】
ステップＳ２８０１の説明に戻り、当該ステップＳ２８０１にて否定判定をした場合には、ステップＳ２８０４に進む。ステップＳ２８０４では今回の遊技回がリーチ発生に対応しているか否かを判定する。ステップＳ２８０４にて肯定判定をした場合には、ステップＳ２８０５に進む。ステップＳ２８０５では、今回の遊技回がスーパーリーチに対応しているか否かを判定する。ステップＳ２８０５にて肯定判定をした場合には、ステップＳ２８０６に進む。
【０５７６】
ステップＳ２８０６では、ＲＯＭ４０３の変動表示時間テーブル記憶エリア４２３に記憶されている外れスーパーリーチ用変動表示時間テーブルを参照して変動表示時間を決定する。ステップＳ２８０６の決定処理を実行した後はステップＳ２８０３に進み、ＲＡＭ４０４の各種カウンタエリア４３４に設けられた変動表示時間カウンタに今回の遊技回の変動表示時間をセットして本変動表示時間の設定処理を終了する。
【０５７７】
ステップＳ２８０５の説明に戻り、当該ステップＳ２８０５にて否定判定をした場合、すなわち今回の遊技回がスーパーリーチに対応していない場合には、ステップＳ２８０７に進む。ステップＳ２８０７では、ＲＯＭ４０３の変動表示時間テーブル記憶エリア４２３に記憶されている外れノーマルリーチ用変動表示時間テーブルを参照して変動表示時間を決定する。ステップＳ２８０７の決定処理を実行した後はステップＳ２８０３に進み、ＲＡＭ４０４の各種カウンタエリア４３４に設けられた変動表示時間カウンタに今回の遊技回の変動表示時間をセットして本変動表示時間の設定処理を終了する。
【０５７８】
ステップＳ２８０４の説明に戻り、当該ステップＳ２８０４にて否定判定をした場合、すなわち今回の遊技回が完全外れに対応している場合には、ステップＳ２８０８に進む。ステップＳ２８０８では、ＲＯＭ４０３の変動表示時間テーブル記憶エリア４２３に記憶されている完全外れ用変動表示時間テーブルを参照して変動表示時間を決定する。ステップＳ２８０８の決定処理を実行した後はステップＳ２８０３に進み、ＲＡＭ４０４の各種カウンタエリア４３４に設けられた変動表示時間カウンタに今回の遊技回の変動表示時間をセットして本変動表示時間の設定処理を終了する。
【０５７９】
ステップＳ２８０２，Ｓ２８０６，Ｓ２８０７，Ｓ２８０８にて決定された変動表示時間を示す情報については、報知・演出制御装置１４０に出力される変動開始コマンドに含まれる。報知・演出制御装置１４０ではこの変動開始コマンドから変動表示時間を特定する構成となっている。
【０５８０】
本実施の形態においては、外れスーパーリーチの一部について設定値毎に変動表示時間が相違する場合がある。ここで、図６２の概略図を参照して、設定値と変動表示時間との関係について説明する。
【０５８１】
今回の遊技回が完全外れに対応している場合には、主制御装置１６２により設定される変動表示時間は、何れの設定値においても３ｓｅｃ，４ｓｅｃ，６ｓｅｃ，８ｓｅｃの何れかとなる。報知・演出制御装置１４０においては、主制御装置１６２により指定された変動表示時間が３ｓｅｃ，４ｓｅｃ，６ｓｅｃ，８ｓｅｃの何れかである場合には、変動表示態様として完全外れを設定する。変動表示時間の詳細については、後続の保留情報の数に左右されるものの、その選択確率についても設定値による差は設けられていない。故に、報知・演出制御装置１４０においては、完全外れに対応する遊技回にて指定された変動表示時間から何れの設定値であるかを特定することは不可となっている。
【０５８２】
今回の遊技回がノーマルリーチＡに対応している場合には、設定される変動表示時間は、何れの設定値においても１０ｓｅｃとなる。報知・演出制御装置１４０においては、主制御装置１６２により指定された変動表示時間が１０ｓｅｃである場合には、変動表示態様としてノーマルリーチＡを設定する。変動表示時間には設定値による差が設けられていないため、報知・演出制御装置１４０においてはノーマルリーチＡに対応する遊技回にて指定された変動表示時間から何れの設定値であるかを特定することは不可となっている。
【０５８３】
今回の遊技回がノーマルリーチＢに対応している場合には、設定される変動表示時間は、何れの設定値においても１５ｓｅｃとなる。報知・演出制御装置１４０においては、主制御装置１６２により指定された変動表示時間が１５ｓｅｃである場合には、変動表示態様としてノーマルリーチＢを設定する。変動表示時間には設定値による差が設けられていないため、報知・演出制御装置１４０においてはノーマルリーチＢに対応する遊技回にて指定された変動表示時間から何れの設定値であるかを特定することは不可となっている。
【０５８４】
今回の遊技回が当たりスーパーリーチＡに対応している場合には、設定される変動表示時間は、何れの設定値においても１６ｓｅｃとなる。報知・演出制御装置１４０においては、主制御装置１６２により指定された変動表示時間が１５ｓｅｃである場合には、変動表示態様としてスーパーリーチＡを設定する。変動表示時間には設定値による差が設けられていないため、報知・演出制御装置１４０においては当たりスーパーリーチＡに対応する遊技回にて指定された変動表示時間から何れの設定値であるかを特定することは不可となっている。
【０５８５】
今回の遊技回が外れスーパーリーチＡに対応している場合には、設定される変動表示時間は、何れの設定値においても１６ｓｅｃ又は１６．２ｓｅｃとなる。報知・演出制御装置１４０においては、主制御装置１６２により指定された変動表示時間が１６ｓｅｃ又は１６．２ｓｅｃである場合には、変動表示態様としてスーパーリーチＡを設定する。但し、変動表示時間が１６ｓｅｃである場合には設定示唆を実行せず、変動表示時間が１６．２ｓｅｃである場合に設定示唆を実行する。本実施の形態における設定示唆についても最終停止図柄組合せが利用される。詳細については後述するが、設定示唆対応の外れスーパーリーチＡにおいては、それに対応した特殊図柄組合せが最終停止表示されることとなる。
【０５８６】
これら変動表示時間については、設定値毎に振分確率に差が設けられている。具体的には、設定１の場合には、１６ｓｅｃの振分確率が９９．８％、１６．２ｓｅｃの振分確率が０．２％となっている。設定２の場合には、１６ｓｅｃの振分確率が９９．８％、１６．２ｓｅｃの振分確率が０．２％となっている。設定３の場合には、１６ｓｅｃの振分確率が９９．９％、１６．２ｓｅｃの振分確率が０．１％となっている。このため、設定示唆に対応した上記特殊図柄組合せが表示される確率に設定値による差が生じる。つまり、特殊図柄組合せが表示される機会が多い程、設定１又は設定２である期待が高まる構成となっている。
【０５８７】
今回の遊技回が当たりスーパーリーチＢに対応している場合には、設定される変動表示時間は、何れの設定値においても１７ｓｅｃとなる。報知・演出制御装置１４０においては、主制御装置１６２により指定された変動表示時間が１７ｓｅｃである場合には、変動表示態様としてスーパーリーチＢを設定する。変動表示時間には設定値による差が設けられていないため、報知・演出制御装置１４０においては当たりスーパーリーチＢに対応する遊技回にて指定された変動表示時間から何れの設定値であるかを特定することは不可となっている。
【０５８８】
今回の遊技回が外れスーパーリーチＢに対応している場合には、設定される変動表示時間は、設定１及び設定２においては１７ｓｅｃ又は１７．２ｓｅｃとなり、設定３においては１７ｓｅｃとなる。報知・演出制御装置１４０においては、主制御装置１６２により指定された変動表示時間が１７ｓｅｃ又は１７．２ｓｅｃである場合には、変動表示態様としてスーパーリーチＢを設定する。但し、変動表示時間が１７ｓｅｃである場合には設定示唆を実行せず、変動表示時間が１７．２ｓｅｃである場合に設定示唆を実行する。本実施の形態における設定示唆についても最終停止図柄組合せが利用される。詳細については後述するが、設定示唆対応の外れスーパーリーチＢにおいては、それに対応した特殊図柄組合せが最終停止表示されることとなる。
【０５８９】
これら変動表示時間については、設定値毎に振分確率に差が設けられている。具体的には、設定１の場合には、１７ｓｅｃの振分確率が９９．８％、１７．２ｓｅｃの振分確率が０．２％となっている。設定２の場合には、１７ｓｅｃの振分確率が９９．８％、１７．２ｓｅｃの振分確率が０．２％となっている。設定３の場合には、１７ｓｅｃの振分確率が１００％、１７．２ｓｅｃの振分確率が０％となっている。このため、設定示唆に対応した上記特殊図柄組合せが表示される確率に設定値による差が生じる。つまり、特殊図柄組合せが表示された場合には、設定３であることが否定され、設定１及び設定２の何れかであることが確定する構成となっている。
【０５９０】
今回の遊技回が当たりスーパーリーチＣに対応している場合には、設定される変動表示時間は、何れの設定値においても１８ｓｅｃとなる。報知・演出制御装置１４０においては、主制御装置１６２により指定された変動表示時間が１８ｓｅｃである場合には、変動表示態様としてスーパーリーチＣを設定する。変動表示時間には設定値による差が設けられていないため、報知・演出制御装置１４０においては当たりスーパーリーチＣに対応する遊技回にて指定された変動表示時間から何れの設定値であるかを特定することは不可となっている。
【０５９１】
今回の遊技回が外れスーパーリーチＣに対応している場合には、設定される変動表示時間は、設定１及び設定２においては１８ｓｅｃ又は１８．２ｓｅｃとなり、設定３においては１８ｓｅｃとなる。報知・演出制御装置１４０においては、主制御装置１６２により指定された変動表示時間が１８ｓｅｃ又は１８．２ｓｅｃである場合には、変動表示態様としてスーパーリーチＣを設定する。但し、変動表示時間が１８ｓｅｃである場合には設定示唆を実行せず、変動表示時間が１８．２ｓｅｃである場合に設定示唆を実行する。本実施の形態における設定示唆についても最終停止図柄組合せが利用される。詳細については後述するが、設定示唆対応の外れスーパーリーチＣにおいては、それに対応した特殊図柄組合せが最終停止表示されることとなる。
【０５９２】
これら変動表示時間については、設定値毎に振分確率に差が設けられている。具体的には、設定１の場合には、１８ｓｅｃの振分確率が９９．６％、１８．２ｓｅｃの振分確率が０．４％となっている。設定２の場合には、１８ｓｅｃの振分確率が９９．９％、１８．２ｓｅｃの振分確率が０．１％となっている。設定３の場合には、１８ｓｅｃの振分確率が１００％、１８．２ｓｅｃの振分確率が０％となっている。このため、設定示唆に対応した上記特殊図柄組合せが表示される確率に設定値による差が生じる。つまり、特殊図柄組合せが表示された場合には、設定３であることが否定され、設定１及び設定２の何れかであることが確定する構成となっている。また、特殊図柄組合せが停止表示された場合には、遊技者に最も有利な設定１である期待が高くなる。
【０５９３】
以下の説明では、設定示唆に対応する各種変動表示時間（１６．２ｓｅｃ，１７．２ｓｅｃ，１８．２ｓｅｃ）を特殊変動表示時間と称する。
【０５９４】
ここで、図６３のフローチャートを参照して、報知・演出制御装置１４０のＭＰＵ４４２にて実行される外れリーチ発生用の演出設定処理（図３１のステップＳ１２０５）について説明する。外れリーチ発生用の演出設定処理は、報知・演出制御装置１４０のＭＰＵ４４２にて定期処理の一環として実行される処理である。
【０５９５】
（外れリーチ発生用の演出設定処理）
外れリーチ発生用の演出設定処理においては先ず、ステップＳ２９０１にて変動表示態様の決定処理を実行する。具体的には、主制御装置１６２により指定された変動表示時間に基づいて演出態様の概要を特定し、当該演出態様の詳細（例えば、エフェクトやカットイン等の発生の有無）を決定する。変動表示態様を決定した後は、ステップＳ２９０２〜Ｓ２９０５にて最終停止図柄を決定する。
【０５９６】
具体的には、先ずステップＳ２９０２にて、今回の遊技回の変動表示態様が外れスーパーリーチに対応しているか否かを判定する。ステップＳ２９０２にて肯定判定をした場合には、ステップＳ２９０３に進む。ステップＳ２９０３では今回の遊技回が上述した特殊変動表示時間に対応しているか否かを判定する。
【０５９７】
ステップＳ２９０２，Ｓ２９０３の何れかにて否定判定をした場合には、ステップＳ２９０４に進む。ステップＳ２９０４では設定示唆非対応の最終停止図柄組合せ決定処理を実行する。ステップＳ２９０３にて肯定判定をした場合には、ステップＳ２９０５に進む。ステップＳ２９０５では設定示唆対応の最終停止図柄組合せ決定処理を実行する。
【０５９８】
ここで、図６４の概略図を参照して外れ結果対応の最終停止図柄組合せについて補足説明する。
【０５９９】
外れ結果に対応する遊技回にて変動表示時間として１６ｓｅｃが指定された場合には、外れスーパーリーチＡが実行される。この場合、最終停止図柄組合せとしては大当たり結果対応の図柄組合せ及び上記特殊図柄組合せ以外の図柄組合せが最終停止図柄組合せとして設定される。これに対して、変動表示時間として１６．２ｓｅｃが指定された場合には、同じくスーパーリーチＡが実行される。この場合、最終停止図柄組合せとしては有効ライン上に上図柄列Ｚ１を構成する「７」図柄、中図柄列Ｚ２を構成する「３」図柄、下図柄列Ｚ３を構成する「７」図柄が設定される（第１特殊図柄組合せ）。上述したように、変動表示時間として１６．２ｓｅｃが設定される確率は、設定３と設定１及び設定２とを比較した場合、後者が前者の２倍となるように差が設けられている。このため、第１特殊図柄組合せが最終停止表示された場合には、設定１又は設定２であることが濃厚となる（図６５参照）。
【０６００】
外れ結果に対応する遊技回にて変動表示時間として１７ｓｅｃが指定された場合には、外れスーパーリーチＢが実行される。この場合、最終停止図柄組合せとしては大当たり結果対応の図柄組合せ及び上記特殊図柄組合せ以外の図柄組合せが最終停止図柄組合せとして設定される。これに対して、変動表示時間として１７．２ｓｅｃが指定された場合には、同じくスーパーリーチＢが実行される。この場合、最終停止図柄組合せとしては有効ライン上に上図柄列Ｚ１を構成する「７」図柄、中図柄列Ｚ２を構成する「４」図柄、下図柄列Ｚ３を構成する「７」図柄が設定される（第２特殊図柄組合せ）。上述したように、変動表示時間として１７．２ｓｅｃが設定される確率は、設定３では０％となっている。このため、第２特殊図柄組合せが最終停止表示された場合には、設定３が否定され、設定１又は設定２であることが確定する（図６５参照）。
【０６０１】
外れ結果に対応する遊技回にて変動表示時間として１８ｓｅｃが指定された場合には、外れスーパーリーチＣが実行される。この場合、最終停止図柄組合せとしては大当たり結果対応の図柄組合せ及び上記特殊図柄組合せ以外の図柄組合せが最終停止図柄組合せとして設定される。変動表示時間として１８．２ｓｅｃが指定された場合には、同じくスーパーリーチＣが実行される。この場合、最終停止図柄組合せとしては、有効ライン上に上図柄列Ｚ１を構成する「７」図柄、中図柄列Ｚ２を構成する「２」図柄、下図柄列Ｚ３を構成する「７」図柄（第３特殊図柄組合せ）が設定される。上述したように、変動表示時間として１８．２ｓｅｃが設定される確率は、設定３では０％となっている。このため、第２特殊図柄組合せが最終停止表示された場合には、設定３が否定され、設定１又は設定２であることが確定する（図６５参照）。変動表示時間として１８．１ｓｅｃが指定された場合には、同じくスーパーリーチＣが実行される。この場合、最終停止図柄組合せとしては、有効ライン上に上図柄列Ｚ１を構成する「７」図柄、中図柄列Ｚ２を構成する「１」図柄、下図柄列Ｚ３を構成する「７」図柄（第４特殊図柄組合せ）が設定される。上述したように、変動表示時間として１８．１ｓｅｃが設定される確率は、設定２及び設定３では０％となっている。このため、第４特殊図柄組合せが最終停止表示された場合には、設定１であることが確定する（図６５参照）。
【０６０２】
外れリーチ発生用の演出設定処理にてステップＳ２９０４，Ｓ２９０５の処理を実行した後は、主制御装置１６２から受信した変動表示時間情報を消去する。そして、当該遊技回が終了するタイミングにて現在の設定値を示す情報等が消去されることとなる。
【０６０３】
以上詳述した第１２の実施の形態によれば、以下の優れた効果を奏する。
【０６０４】
遊技回開始に伴って主制御装置１６２から送信される変動表示時間情報が設定値を示す情報を含んでいる。この構成によれば、設定値の示唆（設定示唆）の可否を主制御装置１６２にて指示することができ、主制御装置１６２と比べて防御機能が低い報知・演出制御装置１４０が不正に操作される等して設定示唆が不正に実行されることを抑制できる。
【０６０５】
また、主制御装置１６２から送信される変動表示時間情報が設定示唆のベースとなるため、設定値を示す情報を報知・演出制御装置１４０側にて記憶保持する必要がない。防御機能の低い報知・演出制御装置１４０にて設定値を記憶する必要がない構成とすることは、設定値を示す情報の流出を抑制する上で有利である。
【０６０６】
更には、主制御装置１６２からある程度定期的に送信されることが期待できる変動表示時間情報が設定値を示す情報を兼ねているため、設定値を示す情報を別途送信する構成と比較して、当該情報に狙いを定めて情報を不正に取得するといった行為を難しくすることができる。
【０６０７】
主制御装置１６２から特殊変動表示時間を示す変動表示時間情報を受信した場合に、当該特殊変動表示時間にて実行される遊技回にて示唆が実行される。このような構成においては、示唆を後の遊技回に持ち越す構成と比較して報知・演出制御装置１４０から設定値を不正に読み取るといった行為を難しくすることができる。
【０６０８】
通常の変動表示時間に係る変動表示態様と上記特殊変動表示時間に係る変動表示態様とが共通となることで、変動表示態様の見た目等の違いから設定値を特定することは困難となる。
【０６０９】
また、特殊変動表示時間の方が僅かに長くなるように差が設けられているため、設定示唆が該当遊技回に限って実行される構成にて設定示唆の実行期間を稼ぎやすくなる。
【０６１０】
スーパーリーチＡ〜Ｃが実行される場合に僅かな期間の違いから設定値が推定されることは好ましくない。そこで、本実施の形態に示したように、通常の変動表示時間と特殊変動表示時間とが同一であると認識される程度の差にとどめる構成とすれば、そのような不都合の発生を好適に抑制できる。
【０６１１】
図柄表示装置２５３における図柄の変動表示時間をカウントすれば、設定示唆の有無等を特定することが可能である。しかしながら、本実施の形態に示したように、変動表示の冒頭を共通化すれば、設定示唆が発生し得る遊技回を狙って実行期間をカウントするといった行為を難しくすることができる。
【０６１２】
設定示唆のベースとなるスーパーリーチについてはノーマルリーチと比べて変動表示時間が長い。相対的に長い変動表示時間が長いスーパーリーチをベースに特殊変動表示時間を設定することにより、通常の変動表示時間と特殊変動表示時間との差を目視等にて特定することを難しくすることができる。
【０６１３】
リーチ表示が実行される場合には当たり結果への期待が高まるため、遊技者の注目がリーチ表示に向きやすい。遊技者の注目度が高くなっている状況下にて設定示唆が実行されることにより、当該設定示唆が見逃される機会を減らすことができる。
【０６１４】
なお、上述した第１２実施の形態の記載内容に限定されず例えば次のように実施してもよい。ちなみに、以下の各構成を個別に上記第１２の実施の形態に対して適用してもよく、一部又は全部を組み合わせて上記第１２の実施の形態に対して適用してもよい。この場合、組み合わせの対象となる各構成の技術的意義（発揮される効果）が担保されることが好ましい。
【０６１５】
＜変形例１＞
上記第１２の実施の形態においては、主制御装置１６２から特殊変動表示時間が指定された場合には、該当遊技回にて設定示唆を実行する構成としたが、これに限定されるものではない。例えば、特殊変動表示時間を受信した場合に後続の保留情報が存在している場合には、それら後続の保留情報に係る遊技回の何れかにて設定示唆を実行する構成とすることも可能である。例えば、後続の保留情報の全てを設定示唆の対象とすれば、記憶されている保留情報が多いほど設定示唆の実行機会（実行時間）を増える。このような構成とすれば、設定示唆を期待する遊技者に対して遊技への積極的な参加を促すことができる。
【０６１６】
＜変形例２＞
上記第１２の実施の形態では、設定示唆の有無を主制御装置１６２が決定する構成としたが、最終決定権を報知・演出制御装置１４０に委ねる構成としてもよい。例えば、所定の規制条件が成立した場合には、特殊変動表示時間が指定されている場合であっても設定示唆に対応した上記特殊図柄組合せの停止を規制する構成とすることも可能である。
【０６１７】
上記タイプの遊技機においては、最終遊技回にて停止表示された図柄組合せについては省電力モード等で表示画面が消灯されたりデモ画面等が表示されたりする場合を除き、次の遊技回の開始まで維持される。このような構成においては、上記特殊変動表示時間が指定された場合であっても後続の保留情報が記憶されていない場合には、特殊図柄組合せの停止を規制し、当該特殊図柄組合せに代えて通常の外れ図柄組合せを停止させる構成とすることも可能である。
【０６１８】
＜その他の実施の形態＞
なお、上述した各実施の形態の記載内容に限定されず例えば次のように実施してもよい。ちなみに、以下の各構成を個別に上記各実施の形態に対して適用してもよく、一部又は全部を組み合わせて上記各実施の形態に対して適用してもよい。また、上記各実施の形態に示した各種構成の全て又は一部を任意に組み合わせることも可能である。この場合、組み合わせの対象となる各構成の技術的意義（発揮される効果）が担保されることが好ましい。実施の形態の組み合わせからなる新たな構成に対して以下の各構成を個別に適用してもよく、一部又は全部を組み合わせて適用することも可能である。
【０６１９】
（１）上記各実施の形態では、遊技領域ＰＥにおける右ルートへ発射された遊技球については上作動口８３ａへの入球が回避される構成としたが、これに限定されるものではない。右ルートに発射された遊技球についても上作動口８３ａへの入球が許容される構成とすることも可能である。
【０６２０】
（２）上作動口８３ａへの入球に基づく遊技回と、下作動口８３ｂへの入球に基づく遊技回とを並行して行う構成としてもよい。例えば、上作動口８３ａへの入球に基づく保留情報と下作動口８３ｂへの入球に基づく保留情報とが併存している場合には、上作動口８３ａにかかる保留情報に対応した図柄の変動表示領域と、下作動口８３ｂにかかる保留情報に対応した図柄の変動表示領域とを表示画面２５３ａ中にそれぞれ形成し、それら各変動表示領域にて両変動表示を並行して行う構成としてもよい。
【０６２１】
（３）上記各実施の形態では、上作動口８３ａ（「入球部」に相当）に係る保留情報と下作動口８３ｂ（「入球部」に相当）に係る保留情報とを順番に（交互に）消化する構成とした、詳しくは入球が発生した順番で消化する構成とした。これを以下のように変更することも可能である。すなわち、上作動口８３ａに係る保留情報と下作動口８３ｂに係る保留情報とのうち何れかを優先的に消化する構成とすることも可能である。例えば、上作動口８３ａ（保留情報）に係る抽選と下作動口８３ｂに係る抽選とに有利度の差が設定されている場合には、遊技者にとって有利となるように設定された作動口に係る保留情報を優先的に消化する構成とすることも可能である。
【０６２２】
また、上記各実施の形態では、「入球部」として上作動口８３ａ及び下作動口８３ｂを有する構成としたが、作動口の数については必ずしも複数である必要はなく、１つであってもよい。
【０６２３】
（４）上記各実施の形態では、報知・演出制御装置１４０と表示制御装置４１０とを別々に設けたが、これら各制御装置１４０，４１０の機能を統合した１の制御装置を設けてもよい。
【０６２４】
（５）上記第４及び第５の実施の形態では、監視装置６００を主制御装置１６２とは別に設けたが、監視装置６００の機能を主制御装置１６２が有する構成としてもよい。
【０６２５】
（６）設定変更操作によって主制御装置１６２のＲＡＭ４０４等に記憶されている情報が消去（リセット）される構成とするかそれとも消去されない構成とするかについては任意である。
【０６２６】
（７）遊技機が待機状態（非稼働状態）となっている状況下にて遊技球発射ハンドル４１に遊技者が触れたことを契機として設定示唆を実行する構成としてもよい。なお、設定示唆を実行するための条件として、待機状態となっている状況下にて経過した時間（非稼働時間）が所定時間を超えている場合には、所定時間を超えていない場合と比較して設定示唆の発生確率が高くなる構成としてもよい。
【０６２７】
（８）遊技機が待機状態（非稼働状態）となっている場合には、予め設定された時間が経過するごとに設定示唆を行う構成としてもよい。例えば、設定示唆に対応する図柄組合せが停止表示されたまま待機状態に移行した場合には、上記時間が経過することで一時的にデモ画面から遊技画面（図柄組合せを確認できる画面）に移行する構成とするとよい。
【０６２８】
（９）大当たりのエンディングにて表示される画像によって設定示唆を実行する構成としてもよい。
【０６２９】
（１０）上記実施の形態においては、外れ結果に対応して最終停止表示される図柄組合せによって設定示唆を行う構成としたが、これに限定されるものではなく、大当たり結果に対応して最終停止表示される図柄組合せによって設定示唆を行う構成としてもよい。
【０６３０】
（１１）作動口８３ａに係る保留数が上限に達している状況下にて更に作動口８３ａへの入賞が発生した場合に、実行中の遊技回に対応した最終停止図柄組合せを設定示唆に対応するものに書き替える構成としてもよい。
【０６３１】
（１２）リアルタイムクロック等の時間特定手段を有する構成とし、時間帯によって設定示唆の発生確率を変化させる構成としてもよい。
【０６３２】
（１３）上記各実施の形態とは異なる他のタイプのパチンコ機等、例えば特別装置の特定領域に遊技球が入ると電動役物が所定回数開放するパチンコ機や、特別装置の特定領域に遊技球が入ると権利が発生して大当たりとなるパチンコ機、他の役物を備えたパチンコ機、アレンジボール機、雀球等の遊技機にも、本発明を適用できる。
【０６３３】
また、弾球式でない遊技機、例えば、複数種の図柄が周方向に付された複数のリールを備え、メダルの投入及びスタートレバーの操作によりリールの回転を開始し、ストップスイッチが操作されることでリールが停止した後に、表示窓から視認できる有効ライン上に特定図柄又は特定図柄の組み合わせが成立していた場合にはメダルの払い出し等といった特典を遊技者に付与するスロットマシンにも本発明を適用できる。
【０６３４】
更に、外枠に開閉可能に支持された遊技機本体に貯留部及び取込装置を備え、貯留部に貯留されている所定数の遊技球が取込装置により取り込まれた後にスタートレバーが操作されることによりリールの回転を開始する、パチンコ機とスロットマシンとが融合された遊技機にも本発明を適用できる。
【０６３５】
＜上記各実施の形態から抽出される発明群について＞
以下、上述した各実施の形態から抽出される発明群の特徴について、必要に応じて効果等を示しつつ説明する。なお以下においては、理解の容易のため、上記実施の形態において対応する構成を括弧書き等で適宜示すが、この括弧書き等で示した具体的構成に限定されるものではない。
【０６３６】
＜特徴Ａ群＞
以下の特徴Ａ群は、「パチンコ機等の遊技機には、表示画面にて絵柄を変動表示する絵柄表示装置を備えているものがある。この種の遊技機では、例えば遊技領域に設けられた作動口への入賞を契機として、当たり状態等の遊技者にとって有利な特定遊技状態を発生させるか否かの抽選が行われるとともに、絵柄の変動表示が開始される。抽選に当選した場合には、表示画面に特定の絵柄組合せ等が最終停止表示されるとともに、遊技状態が特定遊技状態に移行する（例えば特許文献１参照）。」という背景技術について、「近年では、遊技機の動作の信頼性を高めるべく様々な工夫がなされている。しかしながら、遊技機の構成においては信頼性の向上を実現する上では未だ改善の余地がある。」という発明が解決しようとする課題をもってなされたものである。
【０６３７】
特徴Ａ１．遊技に関する情報を記憶する記憶手段（主制御装置１６２のＲＡＭ４０４）と、
遊技領域（遊技領域ＰＥ）に設けられた始動入球部（作動口８３ａ，８３ｂ）と、
前記始動入球部への入球に基づいて特別情報（保留情報）を取得する情報取得手段（主制御装置１６２のＭＰＵ４０２にて保留情報を取得する機能）と
を備え、
前記記憶手段は、前記情報取得手段により取得された特別情報を複数記憶可能な取得情報記憶手段（主制御装置１６２のＭＰＵ４０２にて保留情報を記憶する機能）を有し、
前記取得情報記憶手段に記憶されている特別情報が所定の判定情報（例えば当選情報）と対応しているか否かの判定を順次行う判定手段（主制御装置１６２のＭＰＵ４０２にて当否判定処理等を実行する機能）を備えている遊技機であって、
遊技球の獲得期待値に対応した設定値を複数段階（設定１〜設定３）備え、それら設定値の中から一の設定値を決定する設定値決定手段（主制御装置１６２のＭＰＵ４０２にて抽選テーブルの切り替えを行う機能）と、
前記設定値決定手段により決定される設定値を変更すべく操作される設定値変更手段（主制御装置１６２に付属の設定変更スイッチ１６６）と、
前記設定値変更手段により前記設定値が変更された場合に、前記記憶手段に記憶されている情報を消去する消去手段と、
遊技状況に応じて前記設定値変更手段の操作に基づく前記変更を規制する変更規制手段（主制御装置１６２のＭＰＵ４０２における設定変更規制機能）と
を備えていることを特徴とする遊技機。
【０６３８】
遊技中に突如として遊技に関する情報が消去された場合には、遊技機の挙動が突然変化すると想定される。例えば、本来であれば遊技者に払い出されるはずの遊技球が払い出されなくなったり、取得されていた特別情報に係る遊技回が実行されなくなったりした場合には、遊技者を困惑させて遊技機への信頼性を低下させる要因になると懸念される。この点、本特徴に示す構成においては、遊技状況に応じて設定値の変更（設定変更）が規制されるため、遊技中に遊技機の挙動が変化することを抑制できる。これにより、遊技機への信頼性の向上に寄与できる。
【０６３９】
特徴Ａ２．遊技領域（遊技領域ＰＥ）に設けられた始動入球部（作動口８３ａ，８３ｂ）と、
前記始動入球部への入球に基づいて特別情報（保留情報）を取得する情報取得手段（主制御装置１６２のＭＰＵ４０２にて保留情報を取得する機能）と、
前記情報取得手段により取得された特別情報を複数記憶可能な取得情報記憶手段（主制御装置１６２のＭＰＵ４０２にて保留情報を記憶する機能）と、
前記取得情報記憶手段に記憶されている特別情報が所定の判定情報（例えば当選情報）と対応しているか否かの判定を順次行う判定手段（主制御装置１６２のＭＰＵ４０２にて当否判定処理等を実行する機能）と
を備えている遊技機であって、
遊技球の獲得期待値に対応した設定値を複数段階（設定１〜設定３）備え、それら設定値の中から一の設定値を決定する設定値決定手段（主制御装置１６２のＭＰＵ４０２にて抽選テーブルの切り替えを行う機能）と、
前記設定値決定手段により決定される設定値を変更すべく操作される設定値変更手段（主制御装置１６２に付属の設定変更スイッチ１６６）と、
遊技状況に応じて前記設定値変更手段の操作に基づく前記変更を規制する変更規制手段（主制御装置１６２のＭＰＵ４０２における設定変更規制機能）と
を備えていることを特徴とする遊技機。
【０６４０】
遊技中に設定値が変更された場合には遊技機の挙動が突然変化する等して遊技者を困惑させる要因になる。この点、本特徴に示すように遊技状況に基づいて設定値の変更（設定変更）を規制する構成とすれば、そのような不都合の発生を抑制できる。これは、遊技機への信頼性の向上を図る上で好ましい。
【０６４１】
特徴Ａ３．遊技者の操作に基づいて前記遊技領域へ遊技球を発射する遊技球発射手段（遊技球発射機構１１０）を備え、
前記変更規制手段は、前記遊技球発射手段による遊技球の発射動作が行われている場合に前記変更を規制し、当該規制を前記発射動作が終了してから第１所定期間が経過するまで継続させる手段を有していることを特徴とする特徴Ａ１又は特徴Ａ２に記載の遊技機。
【０６４２】
遊技球の発射操作を終了してから遊技球が遊技領域から排出されるまでにある程度の期間を要する。そこで、遊技球の発射動作が終了した場合に直ちに規制を解除するのではなく、第１所定期間が経過するまで規制を継続することにより、遊技球が遊技領域に残存している状況下にて設定値が変更されることを抑制できる。
【０６４３】
なお、本特徴に示す構成を「遊技者の操作に基づいて前記遊技領域へ遊技球を発射する遊技球発射手段（遊技球発射機構１１０）を備え、前記変更規制手段は、前記遊技球発射手段による遊技球の発射動作が終了してから第１所定期間が経過するまで前記変更を規制する手段を有していることを特徴とする特徴Ａ１又は特徴Ａ２に記載の遊技機。」とすることも可能である。
【０６４４】
特徴Ａ４．前記第１所定期間は、前記遊技球発射手段により発射された遊技球が前記遊技領域へ到達し、当該遊技領域から排出されるまでに要する所要期間よりも長くなるように設定されていることを特徴とする特徴Ａ３に記載の遊技機。
【０６４５】
特徴Ａ４に示すように、第１所定期間を遊技球の排出に要する所要期間よりも長くすることにより、遊技球が遊技領域を流下している最中に設定値が変更されることを好適に抑制できる。
【０６４６】
特徴Ａ５．遊技機前面部（前扉枠１４）に設けられ、遊技球を貯留可能な貯留部（例えば上皿３３や下皿３４）と、
払出要求に基づいて前記貯留部へ遊技球を払い出す払出手段（払出装置２２４）と
を備え、
前記変更規制手段は、前記払出手段による遊技球の払出動作が行われている場合に前記変更を規制し、当該規制を前記払出動作が終了してから第２所定期間が経過するまで継続させる手段を有していることを特徴とする特徴Ａ１乃至特徴Ａ４のいずれか１つに記載の遊技機。
【０６４７】
入球部への入球等によって払出要求が発生した場合には、入球から払い出しまでにある程度のタイムラグが生じる。この間に設定値が変更されてしまうと、今回の払い出しが何れの設定値に対応しているかが不明確になる。そこで、本特徴に示すように払出動作が終了した後も第２所定期間が経過するまで規制を継続することにより、そのような不都合の発生を好適に抑制できる。
【０６４８】
なお、本特徴に示す構成を「遊技機前面部（前扉枠１４）に設けられ、遊技球を貯留可能な貯留部（例えば上皿３３や下皿３４）と、払出要求に基づいて前記貯留部へ遊技球を払い出す払出手段（払出装置２２４）とを備え、前記変更規制手段は、前記払出手段による遊技球の払出動作が終了してから第２所定期間が経過するまで前記変更を規制する手段を有していることを特徴とする特徴Ａ１乃至特徴Ａ４のいずれか１つに記載の遊技機。
【０６４９】
特徴Ａ６．前記払出手段により払い出された遊技球を前記貯留部へ案内する案内通路を備え、
前記第２所定期間は、遊技球が前記案内通路を通じて前記払出手段から前記貯留部に到達するのに要する所要期間よりも長くなるように設定されていることを特徴とする特徴Ａ５に記載の遊技機。
【０６５０】
特徴Ａ６に示すように、第２所定期間を遊技球が遊技者の手元に到達するまでの所要期間よりも長くすることにより、払出途中で設定値が変更されることを好適に抑制できる。
【０６５１】
特徴Ａ７．遊技機前面部（前扉枠１４）に設けられ、遊技球を貯留可能な貯留部（例えば上皿３３や下皿３４）と、
払出要求に基づいて前記貯留部へ遊技球を順次払い出す払出手段（払出装置２２４）と
を備え、
前記変更規制手段は、前記払出手段による払い出しを控えている遊技球が存在している場合には、少なくとも当該遊技球の払い出しが完了するまで前記変更を規制する手段を有していることを特徴とする特徴Ａ１乃至特徴Ａ６のいずれか１つに記載の遊技機。
【０６５２】
遊技機においては、遊技球の不足等の要因によって直ちに遊技球の払出しを行うことが困難になる場合がある。このような状況では一時的に払出動作が中断され得るものの、払い出しが可能な状況となることで払出動作が再開される。このような場合には、少なくとも払い出しが完了するまで設定値の変更を規制することにより、払い出された遊技球が何れの設定値に対応するものかがわかりづらくなることを抑制できる。
【０６５３】
特徴Ａ８．前記遊技領域に設けられた入球部への入球を検知する検知手段を備え、
前記変更規制手段は、前記検知手段によって入球が検知された場合には、当該検知から第３所定期間が経過するまで前記変更を規制する手段を有していることを特徴とする特徴Ａ１乃至特徴Ａ７のいずれか１つに記載の遊技機。
【０６５４】
特徴Ａ８によれば、入球部への入球が発生した場合には、それに基づいて遊技回演出や遊技球の払い出し等が実行される。そこで、入球部への入球が発生した場合には、入球を検知してから第３所定期間が経過するまで設定値の変更を規制することにより、遊技回演出や遊技球の払い出しがどの設定値に対応したものであるかが不明確になることを好適に抑制できる。
【０６５５】
なお、本特徴に示す「入球部」については特徴Ａ１に示した「始動入球部」と同一のものであってもよいし、別のものであってもよい。
【０６５６】
特徴Ａ９．前記変更規制手段は、前記取得情報記憶手段に前記特別情報が記憶されている場合に前記変更を規制する手段を有していることを特徴とする特徴Ａ１乃至特徴Ａ８のいずれか１つに記載の遊技機。
【０６５７】
特徴Ａ９によれば、特別情報が記憶されている場合には設定変更が規制されることとなる。これにより、例えば本来であれば所定の判定情報（例えば当選情報）と対応している特別情報について所定の判定情報に対応しない判定結果となったり、所定の判定情報と対応していない特別情報について所定の判定情報に対応する判定結果となったりすることを好適に抑制できる。
【０６５８】
特徴Ａ１０．前記取得情報記憶手段に記憶されている所定の特別情報が前記判定手段による判定対象となった場合における判定結果に対応する情報を、当該所定の特別情報が前記判定の対象となるよりも前のタイミングにおいて特定する先特定手段と、
前記所定の特別情報が前記判定の対象となるよりも前のタイミングにて、前記先特定手段による先特定の結果を示唆する示唆手段と
を備えていることを特徴とする特徴Ａ９に記載の遊技機。
【０６５９】
例えば、所定の判定情報に対応する判定結果となる特別情報が控えている状況下にて、それを示唆している最中に設定変更が発生し、当該特別情報が所定の判定情報に対応しない判定結果になると示唆の内容と特別情報に係る判定結果とが矛盾し得る。特別情報に係る判定結果を事前に示唆する構成においては、示唆の内容と実際の判定結果とが矛盾することで遊技者に不信感を与える可能性がある。この点、特徴Ａ９に示したように特別情報が記憶されている場合に設定変更が規制される構成との組み合わせによれば、上述した矛盾等が生じることを回避できる。これにより、遊技機への信頼性の低下を好適に抑制できる。
【０６６０】
特徴Ａ１１．前記遊技領域へ供給された遊技球の数及び前記遊技領域から排出された遊技球の数を特定する特定手段を備え、
前記変更規制手段は、前記特定手段によって特定された遊技球の数が前記遊技領域に遊技球が残存していることに対応する数となっている場合に前記変更を規制する手段を有していることを特徴とする特徴Ａ１乃至特徴Ａ１０のいずれか１つに記載の遊技機。
【０６６１】
特徴Ａ１１によれば、遊技領域に遊技球が残っている状況下においては、設定変更が規制されることとなる。これにより、ある設定値の元で発射されたはずの遊技球がそれとは異なる設定値の元で入球部等に入球することを回避できる。
【０６６２】
特徴Ａ１２．開閉可能な扉体（内枠１３）と、
前記扉体が開放されることにより操作可能となる位置に配置され、前記設定値決定手段により決定される設定値を変更すべく操作される操作部（設定変更スイッチ１６６）と、
前記扉体の開放を検知する位置検知手段（開放検知センサ７０６）と
を備え、
前記変更規制手段は、前記位置検知手段によって前記扉体が閉位置に配置されていることが検知されている場合に前記変更を規制する手段を有していることを特徴とする特徴Ａ１乃至特徴Ａ１１のいずれか１つに記載の遊技機。
【０６６３】
特徴Ａ１２によれば、設定変更を行う際には扉体の開放が必要となる。このような行為は目立つため、設定値を不正に変更する行為を抑制し、遊技機の防犯機能の向上に寄与できる。
【０６６４】
特徴Ａ１３．前記情報取得手段、前記取得情報記憶手段及び前記判定手段を有してなる主制御手段（主制御装置１６２）とは別に設けられ、当該主制御手段から入力される遊技情報に基づいて遊技状況を監視する遊技状況監視手段（監視装置６００）を備え、
前記遊技状況監視手段は、前記主制御手段からの遊技情報を前記主制御手段にて設定されている前記設定値に対応付けて記憶する遊技情報記憶手段（記憶部６０４）を有していることを特徴とする特徴Ａ１乃至特徴Ａ１２のいずれか１つに記載の遊技機。
【０６６５】
例えば特別情報を取得したタイミングと遊技情報記憶手段に記憶されるタイミングとにタイムラグが発生し得る場合には、設定変更によって対応する設定に違いが生じる可能性がある。この点、本特徴に示す構成に特徴Ａ１等に示した技術的思想を適用することにより、そのようなタイミングのずれの影響を好適に抑制できる。
【０６６６】
＜特徴Ｂ群＞
以下の特徴Ｂ群は、「パチンコ機等の遊技機には、表示画面にて絵柄を変動表示する絵柄表示装置を備えているものがある。この種の遊技機では、例えば遊技領域に設けられた作動口への入賞を契機として、当たり状態等の遊技者にとって有利な特定遊技状態を発生させるか否かの抽選が行われるとともに、絵柄の変動表示が開始される。抽選に当選した場合には、表示画面に特定の絵柄組合せ等が最終停止表示されるとともに、遊技状態が特定遊技状態に移行する（例えば特許文献１参照）。」という背景技術について、「近年では、遊技機の動作の信頼性を高めるべく様々な工夫がなされている。しかしながら、遊技機の構成においては信頼性の向上を実現する上では未だ改善の余地がある。」という発明が解決しようとする課題をもってなされたものである。
【０６６７】
特徴Ｂ１．遊技領域（遊技領域ＰＥ）に設けられた入球部（例えば一般入賞口８１）への入球に基づいて払出指令情報（賞球コマンド）を出力する主制御手段（主制御装置１６２）と、
前記払出指令情報が入力されたことに基づいて遊技球が払い出されるように払出手段（払出装置２２４）を制御する払出制御手段（払出制御装置２４２）と
を備えた遊技機において、
前記主制御手段は、
遊技球の獲得期待値に対応した設定値を複数段階（設定１〜設定３）備え、それら設定値の中から一の設定値を決定する設定値決定手段（主制御装置１６２のＭＰＵ４０２にて設定変更処理を実行する機能）と、
前記設定値決定手段により決定される設定値を変更すべく操作される設定値変更手段（主制御装置１６２に付属の設定変更スイッチ１６６）と
を有し、
前記主制御手段から出力される前記払出指令情報には前記設定値決定手段により決定された設定値を示す特定情報（コード）が含まれていることを特徴とする遊技機。
【０６６８】
特徴Ｂ１によれば、主制御手段から出力される払出指令情報には、当該主制御手段にて決定された設定値を示す情報が含まれている。払出制御手段においては、主制御手段にて設定されている設定値を払出指令情報（詳しくは特定情報）から特定することができる。このようにして、設定値を主制御手段と払出制御手段とで共有することにより両制御手段の連携を強化できる。払出指令情報については、遊技進行に伴って頻繁に払出制御手段に出力される情報であるため、このような既存の払出指令情報に設定値を示す情報を付与することで、設定値の確認の機会を増やすことができる。これは、遊技機に対する信頼性の向上を図る上で好ましい構成である。
【０６６９】
なお、本特徴に示す構成を「遊技領域（遊技領域ＰＥ）に設けられた入球部（例えば一般入賞口８１）への入球に基づいて払出指令情報（賞球コマンド）を出力する主制御手段（主制御装置１６２）と、前記払出指令情報が入力されたことに基づいて遊技球が払い出されるように払出手段（払出装置２２４）を制御する払出制御手段（払出制御装置２４２）とを備えた遊技機において、遊技球の獲得期待値に対応した設定値を複数段階（設定１〜設定３）備え、それら設定値の中から一の設定値を決定する設定値決定手段（主制御装置１６２のＭＰＵ４０２にて設定変更処理を実行する機能）と、前記設定値決定手段により決定される設定値を変更すべく操作される設定値変更手段（主制御装置１６２に付属の設定変更スイッチ１６６）とを備え、前記主制御手段から出力される前記払出指令情報には前記設定値決定手段により決定された設定値に対応する情報が含まれていることを特徴とする遊技機。」とすることも可能である。
【０６７０】
特徴Ｂ２．前記主制御手段は、前記設定値変更手段により前記設定値が変更された場合に、前記設定値決定手段により決定された設定値を示す設定値情報（設定変更コマンドに含まれるコード）を前記払出制御手段へ出力する手段を有し、
前記払出制御手段は、
前記設定値の変更に伴って入力された前記設定値情報を記憶する設定値情報記憶手段と、
前記払出指令情報が入力された場合に当該払出指令情報が正常であるか否かを当該払出指令情報に含まれる特定情報と前記設定値情報記憶手段に記憶されている設定値情報とに基づいて判定する情報判定手段（払出制御装置２４２のＭＰＵにて対比処理を実行する機能）と
を有していることを特徴とする特徴Ｂ１に記載の遊技機。
【０６７１】
特徴Ｂ２に示す構成によれば、設定変更が行われた場合には、設定値決定手段により決定された設定値に対応する設定値情報が払出制御手段に入力され、払出制御手段はこの設定値情報を記憶する。その後、主制御手段から払出指令情報が入力された場合には、この払出指令情報（特定情報）から特定した設定値と、設定変更時に記憶した設定値とが対応関係にあるか（例えば一致しているか）否かが判定される。これにより、例えば主制御手段を不正なものに入れ替えるといった不正行為が行われた場合であっても、それを見抜くことが可能となる。
【０６７２】
特徴Ｂ３．前記払出制御手段は、前記情報判定手段による判定結果が正常であるとする判定結果である場合には前記払出指令情報に基づく遊技球の払い出しを行い、前記情報判定手段による判定結果が正常でないとする判定結果である場合には前記払出指令情報に基づく遊技球の払い出しを規制する手段を有していることを特徴とする特徴Ｂ２に記載の遊技機。
【０６７３】
事前に記憶されていた設定値と今回特定した設定値とが不一致になる等した場合には、異常発生として遊技球の払い出しが回避されることとなる。これにより、遊技球を不正に獲得するといった行為を難しくし、遊技機の防犯機能を強化できる。
【０６７４】
特徴Ｂ４．前記払出制御手段は、前記設定値情報記憶手段に前記設定値情報が記憶されていない状況下にて前記払出指令情報が入力された場合には、当該払出指令情報に基づいた遊技球の払い出しを規制する手段を有していることを特徴とする特徴Ｂ２又は特徴Ｂ３に記載の遊技機。
【０６７５】
設定値の対比結果に基づいて遊技球の払い出し行うか否かが決まる構成においては、設定値情報をクリアするといった不正行為が行われる可能性がある。このような場合には、払出指令情報が入力されたとしても遊技球の払い出しが規制される構成とすることにより、実用上好ましい構成を実現できる。
【０６７６】
特徴Ｂ５．前記主制御手段は、前記払出指令情報の出力よりも前記設定値情報の出力を優先するように構成されていることを特徴とする特徴Ｂ２乃至特徴Ｂ４のいずれか１つに記載の遊技機。
【０６７７】
設定値の対比によって払い出しの可否を決定する構成においては、設定変更時に設定値情報を優先して出力することにより、払出指令情報が正常であるにも関わらず異常であると判定されることを回避できる。これにより、遊技機の信頼性を好適に向上させることができる。
【０６７８】
特徴Ｂ６．前記払出制御手段は、
前記情報判定手段により前記払出指令情報が正常なものであると判定された場合に、当該払出指令情報に対応した遊技球の払出数の情報を払出数情報として記憶する第１記憶手段と、
前記第１記憶手段に記憶されている前記払出数情報に対応した遊技媒体数の払い出しを行うべく前記払出手段を駆動制御する払出駆動制御手段と、
を有し、
前記情報判定手段により正常でないと判定された場合には、それまでに前記第１記憶手段に記憶されていたものについては遊技球の払い出しを行い、当該判定の対象となった払出指令情報については払い出しを規制する構成となっていることを特徴とする特徴Ｂ２乃至特徴Ｂ５のいずれか１つに記載の遊技機。
【０６７９】
払出制御手段に払出指令情報が入力されてから、実際に払い出しが行われるまでにはある程度のタイムラグが生じる。このようなタイムラグは、払出指令情報が連続して入力される等して遊技球の払い出しが追い付いていない場合に大きくなる。ここで、設定値に基づいて異常が発生していることが確認された場合には、既に払い出しが決定されていたものについては払い出しを継続する一方で、異常と判定された新たな払出指令情報については払い出しが規制される。このような構成とすれば、防犯機能等の強化に起因して、遊技者が本来得られるはずの払い出しすら受けられないといった不都合の発生を好適に回避できる。
【０６８０】
特徴Ｂ７．前記払出制御手段は、
前記情報判定手段により前記払出指令情報が正常なものであると判定された場合に、当該払出指令情報に対応した遊技球の払出数の情報を払出数情報として記憶する第１記憶手段と、
前記第１記憶手段に記憶されている前記払出数情報に対応した遊技媒体数の払い出しを行うべく前記払出手段を駆動制御する払出駆動制御手段と、
前記情報判定手段により前記払出指令情報が異常であると判定された場合に、当該払出指令情報に対応した遊技球の払出数の情報を記憶する第２記憶手段と、
前記第２記憶手段に遊技球の払出数の情報が記憶されている状況下にて、前記情報判定手段により払出指令情報が正常なものであると判定された場合に、前記第２記憶手段に記憶されている払出数の情報を前記第１記憶手段に移行させる情報移行手段と
を有していることを特徴とする特徴Ｂ２乃至特徴Ｂ６のいずれか１つに記載の遊技機。
【０６８１】
特徴Ｂ７によれば、払出指令情報が異常であると判定された場合には当該払出指令情報に基づく遊技球の払い出しが留保され、後続の払出指令情報が正常であると判定された場合に留保が解除されることとなる。例えば、上記異常についてはノイズ等の混入によって偶発的に発生する可能性が否定できないため、本特徴に示すように後続の払出指令情報にて異常がないことが確認された場合に、留保中の払い出しを行うことにより、防犯機能等の強化に起因して遊技者が不利益を被ることを好適に抑制できる。
【０６８２】
特徴Ｂ８．遊技領域（遊技領域ＰＥ）に設けられた入球部（例えば一般入賞口８１）への入球に基づいて払出指令情報（賞球コマンド）を出力する主制御手段（主制御装置１６２）と、
前記払出指令情報が入力されたことに基づいて遊技球が払い出されるように払出手段（払出装置２２４）を制御する払出制御手段（払出制御装置２４２）と
を備えている遊技機において、
前記主制御手段は、
遊技球の獲得期待値に対応した設定値を複数段階（設定１〜設定３）備え、それら設定値の中から一の設定値を決定する設定値決定手段（主制御装置１６２のＭＰＵ４０２にて設定変更処理を実行する機能）と、
前記設定値決定手段により決定される設定値を変更すべく操作される設定値変更手段（主制御装置１６２に付属の設定変更スイッチ１６６）と、
前記設定値変更手段により前記設定値が変更された場合に、前記設定値決定手段により決定された設定値を示す設定値情報を前記払出制御手段へ出力する第１出力手段と、
予め設定された周期にて前記設定値決定手段により決定されている設定値を示す設定値情報を前記払出制御手段へ出力する第２出力手段と
を有し、
前記払出制御手段は、
前記第１出力手段により出力された設定値情報を記憶する設定値情報記憶手段と、
前記第２出力手段により出力された設定値情報が前記設定値情報記憶手段に記憶されている設定値情報と一致しているか否かを判定する情報判定手段と、
前記情報判定手段により前記第２出力手段により出力された設定値情報が前記設定値情報記憶手段に記憶されている設定値情報と一致していないと判定された場合に、遊技球の払い出しを規制する払出規制手段と
を有していることを特徴とする遊技機。
【０６８３】
特徴Ｂ８によれば、設定変更操作等に伴って主制御手段にて決定された設定値については払出制御手段に送信され、当該払出制御手段の設定値情報記憶部に記憶される。その後は、周期的に主制御手段から払出制御手段に設定値情報が出力され、設定変更時に記憶した設定値と新たに取得した設定値とが一致しているか否かが判定される。設定値情報が不一致となった場合には、遊技球の払い出しが規制されることとなる。このような構成とすれば、主制御手段と払出制御手段との連携を強化し、遊技機の防犯機能の向上や信頼性の向上に寄与できる。
【０６８４】
特徴Ｂ９．前記払出規制手段は、前記第２出力手段により出力されるはずの設定値情報が前記周期の経過後も入力されていない場合には、少なくとも当該第２出力手段から設定値情報を受信するまで遊技球の払い出しを規制する構成となっていることを特徴とする特徴Ｂ８に記載の遊技機。
【０６８５】
特徴Ｂ９によれば、予め設定された周期を経過したにも関わらず主制御手段から設定値情報が入力されていない場合には、設定値情報を受信するまで遊技球の払い出しが規制されることとなる。このような構成とすれば、特徴Ｂ８に示した防犯機能を好適に強化できる。
【０６８６】
特徴Ｂ１０．遊技領域（遊技領域ＰＥ）に設けられた入球部（例えば一般入賞口８１）への入球に基づいて入球情報（賞球コマンド）を出力する第１制御手段（主制御装置１６２）と、
前記第１制御手段から出力された前記入球情報に基づいて所定の制御処理を実行する第２制御手段（払出制御装置２４２）と、
前記第１制御手段及び前記第２制御手段からの情報に基づいて遊技状況を監視する遊技状況監視手段（監視装置６００）と
を備え、
前記第１制御手段は、
遊技球の獲得期待値に対応した設定値を複数段階（設定１〜設定３）備え、それら設定値の中から一の設定値を決定する設定値決定手段（主制御装置１６２のＭＰＵ４０２にて設定変更処理を実行する機能）と、
前記設定値決定手段により決定される設定値を変更すべく操作される設定値変更手段（主制御装置１６２に付属の設定変更スイッチ１６６）と
を有し、
前記第１制御手段は、
前記設定値決定手段により決定された設定値を示す特定情報を前記第２制御手段へ出力する第１出力手段と、
前記設定値決定手段により決定された設定値を示す特定情報を前記遊技状況監視手段へ出力する第２出力手段と
を有し、
前記第２制御手段は、
前記第１制御手段から入力された前記特定情報を記憶する特定情報記憶手段と、
前記特定情報記憶手段に記憶されている特定情報を前記遊技状況監視手段へ出力する第３出力手段と
を有し、
前記遊技状況監視手段は、前記第２出力手段により入力された特定情報と、前記第３出力手段により入力された特定情報とを対比する対比手段を有していることを特徴とする遊技機。
【０６８７】
設定変更機能を有する遊技機においては、特典の不正取得を目的として設定値が不正に変更される場合がある。この際、仮に監視装置に入力される情報が改ざん等されると、不正の事実が隠蔽されその発見が難しくなると懸念される。ここで、本特徴に示す構成においては、設定値を示す特定情報は、第１制御手段から遊技状況監視手段に直接入力されるだけでなく、第２制御手段を経由して遊技状況監視手段に入力される。遊技状況監視手段ではこれらの特定情報を対比することにより、特定情報が改ざん等されていないかを見抜くことが可能となる。これにより、上述した不正行為に対する防御機能を強化し、遊技機の防犯機能を向上できる。
【０６８８】
特徴Ｂ１１．前記第１制御手段は、前記入球情報として遊技球の払出指令情報を出力する構成となっており、
前記第２制御手段は、前記払出指令情報が入力されたことに基づいて遊技球が払い出されるように払出手段（払出装置２２４）を制御する構成となっており、
前記第１制御手段は、前記払出指令情報を出力する場合に前記第２制御手段及び前記遊技状況監視手段へ特定情報を出力し、
前記第２制御手段は、前記払出指令情報に基づく遊技球の払い出しを実行した場合に前記遊技状況監視手段へ特定情報を出力することを特徴とする特徴Ｂ１０に記載の遊技機。
【０６８９】
特定情報を対比する場合には、そのタイミングが大きくずれてしまうと、正規に設定変更が行われた場合に誤判定となる可能性が生じる。そこで、本特徴に示すように、入球発生→払出しの一連の動きに合わせて特定情報を入出力する構成とすることにより、上記タイミングのずれを抑制し、判定結果の確からしさを好適に向上させることができる。
【０６９０】
なお、以上詳述した特徴Ｂ群に特徴Ａ群に示した各技術的思想を適用することも可能である。
【０６９１】
＜特徴Ｃ群＞
以下の特徴Ｃ群は、「パチンコ機等の遊技機には、表示画面にて絵柄を変動表示する絵柄表示装置を備えているものがある。この種の遊技機では、例えば遊技領域に設けられた作動口への入賞を契機として、当たり状態等の遊技者にとって有利な特定遊技状態を発生させるか否かの抽選が行われるとともに、絵柄の変動表示が開始される。抽選に当選した場合には、表示画面に特定の絵柄組合せ等が最終停止表示されるとともに、遊技状態が特定遊技状態に移行する（例えば特許文献１参照）。」という背景技術について、「近年では、遊技機の動作の信頼性を高めるべく様々な工夫がなされている。しかしながら、遊技機の構成においては信頼性の向上を実現する上では未だ改善の余地がある。」という発明が解決しようとする課題をもってなされたものである。
【０６９２】
特徴Ｃ１．遊技領域（遊技領域ＰＥ）に設けられた入球部（例えば一般入賞口８１）への入球に基づいて払出指令情報（賞球コマンド）を出力する主制御手段（主制御装置１６２）と、
前記払出指令情報が入力されたことに基づいて遊技球が払い出されるように払出手段（払出装置２２４）を制御する払出制御手段（払出制御装置２４２）と
を備えている遊技機において、
前記主制御手段は、
遊技球の獲得期待値に対応した設定値を複数段階（設定１〜設定３）備え、それら設定値の中から一の設定値を決定する設定値決定手段（主制御装置１６２のＭＰＵ４０２にて設定変更用処理を実行する機能）と、
前記設定値決定手段により決定される設定値を変更すべく操作される設定値変更手段（主制御装置１６２に付属の設定変更スイッチ１６６）と
を有し、
遊技状況を監視する監視手段（報知・演出制御装置１４０及び監視装置６００）を備え、
前記監視手段は、
遊技情報（入賞数や入賞確率）を記憶する遊技情報記憶手段（記憶部６０４）と、
前記遊技情報記憶手段に記憶されている遊技情報が予め設定されている基準情報（例えば閾値）に対応しているか否かを判定する判定手段（報知・演出制御装置１４０にてステップＳ１９０４等の判定処理を実行する機能）と、
前記判定手段による判定結果に基づいて所定の処理（例えば異常報知用の処理）を実行する所定処理実行手段（報知・演出制御装置１４０にてステップＳ１９０８の異常報知開始処理を実行する機能）と
を有し、
前記基準情報は、前記設定値毎に設けられていることを特徴とする遊技機。
【０６９３】
設定変更機能を有する遊技機においてはその特性上、設定値毎に挙動が異なる可能性がある。このため、遊技状況を監視しその監視結果（判定結果）に基づいて所定の処理（例えば異常報知）を行う構成においては、何れの設定値についても一義的に判定を行おうとした場合に、判定結果の確からしさを向上することが困難となる。例えば、全ての設定値に対応した共通の基準情報を設定する場合には、当該基準情報の範囲が大きくなり、判定結果の確からしさの向上を図ることが困難になると想定される。この点、本特徴に示すように、設定値毎に基準情報を設ける構成とすれば、判定結果の確からしさを向上させて、遊技機（特に監視装置）に対する信頼性を好適に向上させることができる。
【０６９４】
なお、本特徴に示す「前記判定手段による判定結果に基づいて所定の処理（例えば異常報知用の処理）を実行する所定処理実行手段（報知・演出制御装置１４０にてステップＳ１９０８の異常報知開始処理を実行する機能）」については「前記判定手段による判定結果に基づいて所定の報知が実行されるように報知手段（例えばエラー表示ランプ部２７やスピーカ部２９）を制御する報知制御手段（報知・演出制御装置１４０にてステップＳ１９０８の異常報知開始処理を実行する機能）」とすることも可能である。
【０６９５】
特徴Ｃ２．遊技領域（遊技領域ＰＥ）に設けられた入球部（例えば一般入賞口８１）への入球に基づいて払出指令情報（賞球コマンド）を出力する主制御手段（主制御装置１６２）と、
前記払出指令情報が入力されたことに基づいて遊技球が払い出されるように払出手段（払出装置２２４）を制御する払出制御手段（払出制御装置２４２）と
を備えている遊技機において、
前記主制御手段は、
遊技球の獲得期待値に対応した設定値を複数段階（設定１〜設定３）備え、それら設定値の中から一の設定値を決定する設定値決定手段（主制御装置１６２のＭＰＵ４０２にて設定変更用処理を実行する機能）と、
前記設定値決定手段により決定される設定値を変更すべく操作される設定値変更手段（主制御装置１６２に付属の設定変更スイッチ１６６）と
を有し、
前記入球部への入球状況を監視する監視手段（報知・演出制御装置１４０及び監視装置６００）を備え、
前記監視手段は、
前記入球部への入球数に対応する入球情報（入賞数）を記憶する入球情報記憶手段（記憶部６０４）と、
前記入球情報記憶手段に記憶されている入球情報が予め設定されている基準情報（例えば閾値）に対応しているか否かを判定する判定手段（報知・演出制御装置１４０のＭＰＵ４４２にてステップＳ１９０４の判定処理を実行する機能）と、
前記判定手段による判定結果に基づいて所定の処理（例えば異常報知用の処理）を実行する所定処理実行手段（報知・演出制御装置１４０にてステップＳ１９０８の異常報知開始処理を実行する機能）と
を有し、
前記基準情報は、前記設定値毎に設けられていることを特徴とする遊技機。
【０６９６】
設定変更機能を有する遊技機においてはその特性上、設定値毎に遊技球の挙動に違いが生じ、入球部への入球確率に設定値による差が生じ得る。このため、遊技状況を監視しその監視結果（判定結果）に基づいて所定の処理（例えば異常報知）を行う構成においては、何れの設定値についても一義的に判定を行おうとした場合に、判定結果の確からしさを向上することが困難となる。例えば、全ての設定値に対応した共通の基準情報を設定する場合には、当該基準情報の範囲が大きくなり、判定結果の確からしさの向上を図ることが困難になると想定される。この点、本特徴に示すように、設定値毎に基準情報を設ける構成とすれば、判定結果の確からしさを向上させて、遊技機（特に監視装置）に対する信頼性を好適に向上させることができる。
【０６９７】
なお、本特徴に示す「前記判定手段による判定結果に基づいて所定の処理（例えば異常報知用の処理）を実行する所定処理実行手段（報知・演出制御装置１４０にてステップＳ１９０８の異常報知開始処理を実行する機能）」については「前記判定手段による判定結果に基づいて所定の報知が実行されるように報知手段（例えばエラー表示ランプ部２７やスピーカ部２９）を制御する報知制御手段（報知・演出制御装置１４０にてステップＳ１９０８の異常報知開始処理を実行する機能）」とすることも可能である。
【０６９８】
特徴Ｃ３．前記監視手段は、
前記設定値決定手段により決定された前記設定値を特定する設定値特定手段（例えば報知・演出制御装置１４０のＭＰＵ４４２にて設定値を特定する機能）と、
前記設定値特定手段により特定された設定値に応じて、参照する基準情報の切り替えを行う基準情報切替手段（報知・演出制御装置１４０のＭＰＵ４４２にてステップＳ１８０４の閾値設定処理を実行する機能）と
を有していることを特徴とする特徴Ｃ１又は特徴Ｃ２に記載の遊技機。
【０６９９】
遊技機に付与された全ての設定値について判定を行うのではなく、現在の設定値に限定して判定を行う構成とすることにより判定処理の簡素化を実現することができる。これは、監視機能の追加に伴う制御負荷を軽減する上で好ましい構成である。
【０７００】
特徴Ｃ４．前記遊技領域には、前記入球部として、遊技球が入球可能な受入状態及び入球が不可となる非受入状態に切替可能な第１入球部（例えば可変入賞装置８２）が設けられており、
前記設定値によって前記第１入球部が前記受入状態に切り替わる頻度に差が設けられており、
前記基準情報は、前記頻度に応じて設けられていることを特徴とする特徴Ｃ１乃至特徴Ｃ３のいずれか１つに記載の遊技機。
【０７０１】
特徴Ｃ４に示すように、設定値によって受入状態に切り替わる頻度に差が設けられた可変式の入球部が配設されている場合には、この入球部の動きによって当該入球部への入球頻度や他の入球部への入球頻度に差が生じる。そこで、本特徴に示すように、可変入球部の動きに配慮して基準情報を設定することにより、特徴Ｃ１等に示した技術的思想を好適に具現化できる。
【０７０２】
特徴Ｃ５．前記入球部として、前記第１入球部及び当該第１入球部とは異なる第２入球部（例えば一般入賞口８１ｄ）を有し、
前記第１入球部は、前記第２入球部へ向けて遊技球が流下する所定の経路（右ルート）上に配設されており、
前記監視手段は、前記第２入球部への入球数に対応する入球情報（入賞数）を記憶する記憶部を有し、
前記判定手段は、前記記憶部に記憶されている入球情報が前記基準情報に対応しているか否かを判定する手段を有し、
前記基準情報は、前記設定値毎に異なる前記第２入球部への入球頻度に応じて定められていることを特徴とする特徴Ｃ４に記載の遊技機。
【０７０３】
特徴Ｃ５に示すように、第２入球部の上流位置に可変式の第１入球部が配設されている構成においては、第１入球部の動きによって第２入球部への入球頻度に差が生じ得る。そこで、第２入球部への入球状況を監視する上では、本特徴に示すように、第２入球部への入球頻度に応じて基準情報を定めることにより、入球監視→判定の確からしさを好適に向上させることができる。
【０７０４】
特徴Ｃ６．遊技状態として、第１遊技状態と当該第１遊技状態よりも前記第１入球部の前記受入状態への切り替わりが発生しやすい第２遊技状態とが設けられており、
前記基準情報は、前記入球頻度の範囲を示す閾値であり、
前記閾値の下限については前記第１遊技状態での前記第２入球部への入球頻度に応じて定められており、前記閾値の上限については前記第２遊技状態における前記第２入球部への入球頻度に応じて定められていることを特徴とする特徴Ｃ５に記載の遊技機。
【０７０５】
特徴Ｃ６に示すように、相対的に第１入球部が受入状態になりにくい第１遊技状態と、相対的に第１入球部が受入状態になりやすい第２遊技状態とが設けられている場合には、これら各遊技状態における第２入球部への入球頻度に応じて閾値の上限／下限を設定することにより、判定結果の確からしさを向上させることができる。
【０７０６】
特徴Ｃ７．前記設定値として、第１設定値と、当該第１設定値よりも前記第１入球部が前記受入状態に切り替わりやすい第２設定値とを有し、
前記基準情報は、前記第１入球部への入球頻度に対応する情報であり、当該基準情報として、前記第１設定値に対応する第１基準情報と前記第２設定値に対応する第２基準情報とが設けられており、
前記第２基準情報が対応付けられている入球頻度よりも前記第１基準情報が対応付けられている入球頻度の方が高くなるように設定されていることを特徴とする特徴Ｃ５又は特徴Ｃ６に記載の遊技機。
【０７０７】
特徴Ｃ７に示すように、設定値によって第１入球部への入球頻度に差が生じる場合には、入球頻度が低い第１設定値に対応させて第１基準情報を設定し、入球頻度が高い第２設定値に対応させて第２基準情報を設定することにより、実用上好ましい構成を実現できる。
【０７０８】
なお、以上詳述した特徴Ｃ群に特徴Ａ群〜特徴Ｂ群に示した各技術的思想を適用することも可能である。
【０７０９】
＜特徴Ｄ群＞
以下の特徴Ｄ群は、「パチンコ機等の遊技機には、表示画面にて絵柄を変動表示する絵柄表示装置を備えているものがある。この種の遊技機では、例えば遊技領域に設けられた作動口への入賞を契機として、当たり状態等の遊技者にとって有利な特定遊技状態を発生させるか否かの抽選が行われるとともに、絵柄の変動表示が開始される。抽選に当選した場合には、表示画面に特定の絵柄組合せ等が最終停止表示されるとともに、遊技状態が特定遊技状態に移行する（例えば特許文献１参照）。」という背景技術について、「近年では、遊技機の動作の信頼性を高めるべく様々な工夫がなされている。しかしながら、遊技機の構成においては信頼性の向上を実現する上では未だ改善の余地がある。」という発明が解決しようとする課題をもってなされたものである。
【０７１０】
特徴Ｄ１．遊技領域（遊技領域ＰＥ）に設けられた入球部（例えば一般入賞口８１）への入球に基づいて払出指令情報（賞球コマンド）を出力する主制御手段（主制御装置１６２）と、
前記払出指令情報が入力されたことに基づいて遊技球が払い出されるように払出手段（払出装置２２４）を制御する払出制御手段（払出制御装置２４２）と
を備えている遊技機において、
前記主制御手段は、
遊技球の獲得期待値に対応した設定値を複数段階（設定１〜設定３）備え、それら設定値の中から一の設定値を決定する設定値決定手段（主制御装置１６２のＭＰＵ４０２にてステップＳ１３１３の設定変更処理を実行する機能）と、
前記設定値決定手段により決定される設定値を変更すべく操作される設定値変更手段（主制御装置１６２に付属の設定変更スイッチ１６６）と
を有し、
前記入球部への入球状況を監視する入球状況監視手段（報知・演出制御装置１４０及び監視装置６００）を備え、
前記入球状況監視手段は、
前記入球部への入球数に対応する入球情報（入賞数）を記憶する入球情報記憶手段（記憶部６０４）と、
前記入球情報記憶手段に記憶されている入球情報が予め設定されている基準情報（閾値）に対応しているか否かを判定する判定手段（報知・演出制御装置１４０のＭＰＵ４４２にてステップＳ２００６の判定処理等を実行する機能）と、
前記判定手段による判定結果に基づいて所定の処理（例えば異常報知用の処理）を実行する所定処理実行手段（報知・演出制御装置１４０のＭＰＵ４４２にてステップＳ２０１０の異常報知開始処理等を実行する機能）と、
前記設定値決定手段により決定された前記設定値を記憶する設定値記憶手段（報知・演出制御装置１４０にて設定値を記憶する機能）と
を有し、
前記入球情報記憶手段は、前記入球情報を前記設定値記憶手段に記憶されている設定値に対応付けられた状態で記憶することを特徴とする遊技機。
【０７１１】
入球状況監視手段によって入球状況を監視する構成とすれば、例えば遊技釘等の変形等によって入球頻度が設計値から大きく乖離するような事象が発生した場合に、それを早期に発見することができる。これは、遊技ホールや遊技者の不利益を抑え、遊技機への信頼性の向上を図る上で好ましい。ここで、設定変更機能を有する遊技機においては、設定値によって遊技球の挙動に差が生じ、入球部への入球確率に差が生じる可能性がある。本特徴に示す構成においては、入球情報が設定値に対応付けられた状態で記憶される。このような構成においては入球情報を設定値に応じて仕分けできるため、基準情報に対応しているか否かの判定を行う際の判定精度を向上させることができる。故に、入球監視における監視結果の確からしさを高めて、遊技機に対する信頼性の向上に貢献できる。
【０７１２】
特徴Ｄ２．前記判定手段は、前記入球情報記憶手段に記憶されている入球情報の中から前記設定値記憶手段に記憶されている設定値に対応付けられた入球情報を選択する選択手段を有し、それら選択した入球情報に基づいて前記判定を行うことを特徴とする特徴Ｄ１に記載の遊技機。
【０７１３】
入球状況の監視を行う上では一時的な入球ばらつきの取り扱いが重要である。例えば、入球の偏りが一時的に大きくなった場合には、それを偶発的要因によるものか否かを特定することが困難であるが、過去の情報を流用して平均等を算出することで、ばらつきを軽減することができる。つまり、判定を行う上では参照するデータをある程度多く確保することが好ましい。但し、特徴Ｄ１に示したように記憶されているデータには対応する設定値が異なるものが混在するため、それらをまとめ参照した場合にはデータの確からしさは低下する。この点、本特徴に示すように、過去に記憶された入球情報の中から現在の設定値と同じ設定値に対応する入球情報を選択して判定に用いる構成とすれば、特徴Ｄ１に示した効果を好適に発揮させることができる。
【０７１４】
特徴Ｄ３．前記入球情報記憶手段は、前記遊技領域へ所定数の遊技球が供給された場合に前記入球部へ入球した遊技球の数を前記入球情報として記憶するものであり、
前記所定数に達する前に前記設定値が変更された場合に入球情報の記憶を規制する手段を備えていることを特徴とする特徴Ｄ１又は特徴Ｄ２に記載の遊技機。
【０７１５】
設定変更機能を有する遊技機においては、設定変更が行われるタイミングについては様々となる。このため、情報を蓄積している過程（所定数に達する前のタイミング）にて設定変更がなされる可能性を否定できない。設定値に対応付けて入球情報を記憶する構成においては、データが不完全なまま記憶したとしても当該データの有用性は低く記憶容量が圧迫されといった不都合が生じる。そこで、本特徴に示すように、途中で設定変更が行われた場合には入球情報の記憶を規制することにより実情上好ましい構成を実現できる。
【０７１６】
特徴Ｄ４．前記入球情報記憶手段は、前記設定値毎に記憶可能な入球情報の上限数が規定されていることを特徴とする特徴Ｄ１乃至特徴Ｄ３のいずれか１つに記載の遊技機。
【０７１７】
設定変更機能を有している遊技機であっても頻繁に設定変更が行われるとは限らず、ある程度の期間に亘って同一の設定値に維持される場合もあり得る。このような場合、記憶される入球情報に設定値による偏りが生じては、特徴Ｄ１等に示した効果を上手く発揮できなくなると懸念される。例えば、設定値として設定１〜設定３が設けられているにもかかわらず、設定１での情報が過度に少ない場合には、当該状況下にて設定１での判定が実行される際には参照可能なデータが不足し、判定結果の確からしさが低下すると想定される。この点、本特徴に示すように設定値毎に記憶可能な入球情報に上限数を規定する構成とすれば、データの不足によって判定の確からしさが低下することを好適に抑制できる。
【０７１８】
特徴Ｄ５．前記入球情報記憶手段は、前記入球情報を記憶可能な記憶領域を複数有し、記憶されている入球情報の数が上限数に達している場合には何れかの記憶領域に新たに取得した入球情報を上書きする構成となっており、
前記入球情報記憶手段に記憶されている各入球情報について対応付けられた設定値毎の数に応じて上書き対象となる記憶領域を決定する手段を有していることを特徴とする特徴Ｄ１乃至特徴Ｄ３のいずれか１つに記載の遊技機。
【０７１９】
本特徴に示す構成によれば、例えばある設定値にて入球情報が不足し且つ他の設定値にて入球情報が過多となっている場合には、上書きの対象を入球情報が過多となっているものとすることができる。これにより、記憶されている入球情報について設定値毎に数の偏りが大きくなることを抑制できる。
【０７２０】
特徴Ｄ６．前記基準情報は、前記設定値毎に設けられていることを特徴とする特徴Ｄ１乃至特徴Ｄ５のいずれか１つに記載の遊技機。
【０７２１】
設定変更機能を有する遊技機においてはその特性上、設定値毎に挙動が異なる可能性がある。このため、遊技状況を監視しその監視結果（判定結果）に基づいて所定の処理（例えば異常報知用の処理）を行う構成においては、何れの設定値についても一義的に判定を行おうとした場合に、判定結果の確からしさを向上することが困難となる。すべての設定値に対応するようにして基準情報を設定する場合には、当該基準情報の範囲が大きくなり、確からしさの向上を図ることが困難になると想定される。この点、本特徴に示すように、設定値毎に基準情報を設ける構成とすれば、判定結果の確からしさを向上させて、遊技機（特に監視装置）に対する信頼性を好適に向上させることができる。
【０７２２】
特徴Ｄ７．前記判定手段は、前記入球情報記憶手段に記憶されている入球情報に対応する設定値が現在の設定値と異なっている場合に、記憶されている入球情報を補正値を用いて現在の設定値に対応する情報に変換する情報変換手段と、現在の設定値に対応する入球情報と前記情報変換手段によって変換された入球情報とに基づいて前記判定を行う手段とを有していることを特徴とする特徴Ｄ１又は特徴Ｄ２に記載の遊技機。
【０７２３】
設定変更機能を有する遊技機においては、設定値の選択については様々となり、必ずしも上記判定を行う際の設定値と過去に記憶された入球情報の設定値とが一致するとは限らない。ここで、本特徴に示す構成によれば、記憶されているサンプルについて現在の設定値とは異なる設定値が対応付けられているものに関しても、補正によって現在の設定値に合わせて変換される。このため、設定値の違いを超えて判定のサンプルとして利用できる入賞情報を確保することができる。これにより、判定結果の確からしさの向上に寄与できる。
【０７２４】
特徴Ｄ８．前記遊技領域には、前記入球部として、遊技球が入球可能な受入状態及び入球が不可となる非受入状態に切替可能な第１入球部（例えば可変入賞装置８２）と当該第１入球部とは異なる第２入球部（例えば一般入賞口８１ｄ）とが設けられており、
前記第１入球部は、前記第２入球部へ向けて遊技球が流下する所定の経路（右ルート）上に配設されており、
前記入球情報記憶手段は、前記第２入球部への入球数に対応する入球情報（入賞数）を記憶する記憶部を有し、
前記判定手段は、前記記憶部に記憶されている入球情報が前記基準情報に対応しているか否かを判定する手段を有し、
前記補正値は、前記設定値毎に異なる前記第２入球部への入球頻度に応じて定められていることを特徴とする特徴Ｄ７に記載の遊技機。
【０７２５】
特徴Ｄ８に示すように、第２入球部の上流位置に可変式の第１入球部が配設されている構成においては、第１入球部の動きによって第２入球部への入球頻度に差が生じ得る。そこで、第２入球部への入球状況を監視する上では、本特徴に示すように、第２入球部への入球頻度に応じて補正値を定めることにより、記憶されている入球情報を補正値を用いて現在の設定値に対応する情報に変換する際の変換精度を好適に向上させることができる。
【０７２６】
なお、以上詳述した特徴Ｄ群に特徴Ａ群〜特徴Ｃ群に示した各技術的思想を適用することも可能である。
【０７２７】
＜特徴Ｅ群＞
以下の特徴Ｅ群は、「パチンコ機等の遊技機には、表示画面にて絵柄を変動表示する絵柄表示装置を備えているものがある。この種の遊技機では、例えば遊技領域に設けられた作動口への入賞を契機として、当たり状態等の遊技者にとって有利な特定遊技状態を発生させるか否かの抽選が行われるとともに、絵柄の変動表示が開始される。抽選に当選した場合には、表示画面に特定の絵柄組合せ等が最終停止表示されるとともに、遊技状態が特定遊技状態に移行する（例えば特許文献１参照）。」という背景技術について、「近年では、遊技機の動作の信頼性を高めるべく様々な工夫がなされている。しかしながら、遊技機の構成においては信頼性の向上を実現する上では未だ改善の余地がある。」という発明が解決しようとする課題をもってなされたものである。
【０７２８】
特徴Ｅ１．遊技領域（遊技領域ＰＥ）に設けられた始動入球部（作動口８３ａ，８３ｂ）と、
前記始動入球部への入球に基づいて特別情報（保留情報）を取得する情報取得手段（主制御装置１６２のＭＰＵ４０２にて保留情報を取得する機能）と、
前記情報取得手段により取得された特別情報を記憶可能な取得情報記憶手段（主制御装置１６２のＭＰＵ４０２にて保留情報を記憶する機能）と、
前記取得情報記憶手段に記憶されている特別情報に基づいて通常遊技状態よりも遊技者に有利な特別遊技状態（開閉実行モード）に移行させるか否かの抽選を行う抽選手段（主制御装置１６２のＭＰＵ４０２にて当否判定処理等を実行する機能）と
を備えている遊技機であって、
遊技球の獲得期待値に対応した設定値を複数段階備え、それら設定値の中から一の設定値を決定する設定値決定手段（主制御装置１６２のＭＰＵ４０２にて設定変更処理を実行する機能）と、
前記設定値決定手段により決定される設定値を変更すべく操作される設定値変更手段（主制御装置１６２に付属の設定変更スイッチ１６６）と、
遊技に関する監視情報を記憶する監視情報記憶手段（監視装置６００の記憶部６０４における第１記憶領域６０５）と、
前記監視情報記憶手段により記憶されている監視情報及び予め定められている判定基準情報（閾値）に基づいて特定事象である異常の発生の有無を判定する判定手段（報知・演出制御装置１４０のＭＰＵ４４２にて判定処理を実行する機能）と、
前記判定手段により異常が発生したと判定された場合に、所定の報知（例えば異常報知）を行う報知手段（報知・演出制御装置１４０のＭＰＵ４４２にて異常報知開始処理を実行する機能）と、
解除操作に基づいて前記報知手段による前記所定の報知を解除する解除手段（報知・演出制御装置１４０のＭＰＵ４４２にて異常報知終了処理を実行する機能）と、
前記解除手段による前記所定の報知の解除回数を記憶する解除回数記憶手段（監視装置６００の記憶部６０４における第２記憶領域６０６）と
を有していることを特徴とする遊技機。
【０７２９】
特徴Ｅ１によれば、監視情報に基づいて異常が発生したと判定された場合には異常発生に対応して所定の報知が実行される。これにより、異常への処置を速やかに行い、遊技者や遊技ホール等が不利益を被ることを抑制可能となる。ここで、異常の原因が解消されていない場合には、所定の報知が繰り返されることとなる。遊技者やホール管理者等の入れ替わりに配慮した場合には、異常がどのくらい繰り返されているかを特定することは困難になる。この点、本特徴に示す構成においては、所定の報知が解除操作に基づいて解除され、解除操作が実行された回数が記憶される。このため、解除操作がどの程度行われているかを事後的に把握することができる。これにより、例えば異常が繰り返されていること（例えば異常への対処が的確でないこと）が見落とされること抑制し、遊技機の信頼性の向上に寄与できる。
【０７３０】
なお、不正行為者が異常報知を意図的に解除することで不正を隠蔽するといった行為が行われた場合であってもその解除回数が記憶される。これにより、記憶されている解除回数から、意図的に不正を隠蔽しようとした可能性があることを推定することができる。因みに、例えば異常の発生回数又は報知回数を記憶する構成では、異常発生の事実を特定することはできてもそれが偶発的要因によるものであるか人為的要因によるものかを特定することが難しくなる。このような事情に鑑みた場合には、解除回数を記憶することには明確な技術的意義がある。
【０７３１】
特徴Ｅ２．前記解除操作が行われた場合の遊技機の状態を特定する状態特定手段と、
前記状態特定手段により特定された遊技機の状態が所定状態であるか否かを判定する状態判定手段と
を備え、
前記解除回数記憶手段は、少なくとも前記解除操作が前記所定状態にて行われている場合に解除回数を記憶する手段を有していることを特徴とする特徴Ｅ１に記載の遊技機。
【０７３２】
解除回数を記憶する上で遊技機の状態を考慮する構成とすれば、解除操作に不正に係るものであるか否かの推定精度を向上させることができる。例えば、本来であれば解除操作が困難又は不可となっている状況下にて解除操作が行われている場合には、当該解除操作が不正なものである可能性が高いことを見抜くことができる。
【０７３３】
特徴Ｅ３．前記解除操作が行われる前の設定値及び当該解除操作が行われた後の設定値を特定する設定値特定手段を備え、
前記解除回数記憶手段は、少なくとも前記解除操作の前後にて設定値が変更されている場合に前記解除回数を記憶する手段を有していることを特徴とする特徴Ｅ１又は特徴Ｅ２に記載の遊技機。
【０７３４】
例えば設定値によって異常の判定基準等が異なる構成を想定した場合、このような違いを利用して異常発生をごまかすといった不正が行われる可能性を否定できない。この点、本特徴に示す構成によれば、解除操作に伴って設定値が変更されている場合には解除回数が記憶される。これにより、不正の疑いのある解除操作が他の解除操作に紛れることを抑制できる。これは、遊技機の防犯機能の向上を図る上で好ましい構成である。
【０７３５】
特徴Ｅ４．前記解除操作である所定の解除に基づいて前記判定手段にて参照される前記判定基準情報の切り替えを行う基準情報切替手段を備え、
前記解除回数記憶手段は、前記所定の解除操作に伴って前記判定基準情報が変更された場合に解除回数を記憶する手段を有していることを特徴とする特徴Ｅ１乃至特徴Ｅ３のいずれか１つに記載の遊技機。
【０７３６】
所定の解除操作によって判定基準情報が変更される構成においては、異常発生に伴う報知によって不正が目立つことを抑制すべく所定の解除操作が実行される可能性がある。そこで、このような解除操作の回数を記憶する構成とすれば、不正の疑いのある解除操作が他の解除操作に紛れることを抑制できる。これは、遊技機の防犯機能の向上を図る上で好ましい構成である。
【０７３７】
特徴Ｅ５．前記設定値決定手段により決定された設定値に応じて、前記判定基準情報の切り替えを行う基準情報切替手段（報知・演出制御装置１４０のＭＰＵ４４２にてステップＳ１８０４の閾値設定処理を実行する機能）を備え、
前記設定値によって前記入球部への入球頻度が相違する構成となっており、
前記監視情報記憶手段は、前記遊技領域に設けられた入球部への入球数を示す入球情報を前記監視情報として記憶する構成となっており、
前記解除回数記憶手段は、所定の解除操作に伴って設定値が変更された場合に解除回数を記憶する手段を有していることを特徴とする特徴Ｅ１乃至特徴Ｅ３のいずれか１つに記載の遊技機。
【０７３８】
設定値によって入球部への入球頻度が相違する構成では、設定値毎に判定基準情報を切り替える構成とすることで判定結果の確からしさを向上させることができる。但し、このような構成では、実際には異常が発生していると判定されるべき状況であるにも関わらず判定基準情報の切替機能を悪用することで、その事実をごまかすといった行為がなされる可能性を否定できない。そこで、本特徴に示す構成に特徴Ｅ１等に示した技術的思想を適用し、報知の解除に併せて設定値（判定基準情報）を切り替えられた場合には、それが見逃されることを好適に抑制できる。
【０７３９】
特徴Ｅ６．前記設定値として第１設定値及び第２設定値を有し、
前記判定基準情報として、前記第１設定値に対応した判定基準範囲を規定する第１判定基準情報と、前記１判定基準情報によって規定された基準範囲に対してずれた範囲となるようにして前記第２設定値に対応した判定基準範囲を規定する第２判定基準情報とを有し、
前記解除回数記憶手段は、前記第１設定値となっている状況下にて入球情報が前記第１判定基準情報に対して第２判定基準情報側に外れることで前記判定手段により異常が発生したと判定されている状況下にて、前記所定の解除操作に基づいた前記所定の報知の解除に伴って判定基準情報が前記第１判定基準情報から前記第２判定基準情報に切り替わった場合に、解除回数を記憶する構成となっていることを特徴とする特徴Ｅ４又は特徴Ｅ５に記載の遊技機。
【０７４０】
第１設定値にて報知がなされている場合に、単に解除操作を行っても遊技の再開によってすぐさま異常判定→報知が実行される。仮に、このような事情を考慮した不正行為者が判定基準範囲を異常と判定されにくい側へシフトさせるべく設定値を併せて変更することで異常報知を免れようとするケースを想定した場合、当該解除操作が他の解除操作に紛れることは好ましくない。この点、本特徴に示す構成においては、このようなケースにて解除回数を記憶する構成とすることにより、不正を目的した可能性が高い解除操作の見逃しを抑制し、防犯機能の更なる向上に貢献できる。
【０７４１】
なお、以上詳述した特徴Ｅ群に特徴Ａ群〜特徴Ｄ群に示した各技術的思想を適用することも可能である。
【０７４２】
＜特徴Ｆ群＞
以下の特徴Ｆ群は、「パチンコ機等の遊技機には、表示画面にて絵柄を変動表示する絵柄表示装置を備えているものがある。この種の遊技機では、例えば遊技領域に設けられた作動口への入賞を契機として、当たり状態等の遊技者にとって有利な特定遊技状態を発生させるか否かの抽選が行われるとともに、絵柄の変動表示が開始される。抽選に当選した場合には、表示画面に特定の絵柄組合せ等が最終停止表示されるとともに、遊技状態が特定遊技状態に移行する（例えば特許文献１参照）。」という背景技術について、「近年では、遊技機の動作の信頼性を高めるべく様々な工夫がなされている。しかしながら、遊技機の構成においては信頼性の向上を実現する上では未だ改善の余地がある。」という発明が解決しようとする課題をもってなされたものである。
【０７４３】
特徴Ｆ１．遊技領域（遊技領域ＰＥ）に設けられた始動入球部（作動口８３ａ，８３ｂ）と、
前記始動入球部への入球に基づいて特別情報（保留情報）を取得する情報取得手段（主制御装置１６２のＭＰＵ４０２にて保留情報を取得する機能）と、
前記情報取得手段により取得された特別情報を記憶可能な取得情報記憶手段（主制御装置１６２のＭＰＵ４０２にて保留情報を記憶する機能）と、
前記取得情報記憶手段に記憶されている特別情報に基づいて通常遊技状態よりも遊技者に有利な特別遊技状態（開閉実行モード）に移行させるか否かの抽選を行う抽選手段（主制御装置１６２のＭＰＵ４０２にて当否判定処理等を実行する機能）と
を備えている遊技機であって、
遊技球の獲得期待値に対応した設定値を複数段階（設定１〜設定３）備え、それら設定値の中から一の設定値を決定する設定値決定手段（主制御装置１６２のＭＰＵ４０２にて設定変更処理を実行する機能）と、
前記設定値決定手段により決定される設定値を変更すべく操作される設定値変更手段（主制御装置１６２に付属の設定変更スイッチ１６６）と、
遊技に関する監視情報を記憶する監視情報記憶手段（監視装置６００の記憶部６０４）と、
前記監視情報記憶手段により記憶されている監視情報及び予め定められている判定基準情報（閾値）に基づいて特定事象である異常の発生の有無を判定する判定手段（報知・演出制御装置１４０のＭＰＵ４４２にて判定処理を実行する機能）と、
前記判定手段により異常が発生したと判定された場合に、所定の報知（例えば異常報知）を行う報知手段（報知・演出制御装置１４０のＭＰＵ４４２にて異常報知開始処理を実行する機能）と、
所定の解除操作に基づいて前記報知手段による前記所定の報知を解除する解除手段（主制御装置１６２のＭＰＵ４０２にて異常報知解除用処理を実行する機能）と、
前記解除手段によって前記所定の報知が解除された場合に、前記設定値変更手段により前記設定値が変更される場合の初期設定値として所定の設定値を設定する初期設定手段（主制御装置１６２のＭＰＵ４０２にて設定変更処理を実行する機能）と
を備えていることを特徴とする遊技機。
【０７４４】
監視情報の監視結果に基づいて異常が発生したと判定された場合にはその旨が報知される。これにより、例えば遊技ホールの管理者等に異常への処置を促すことができる。異常の原因を解消しなくても解除操作が可能であることは遊技ホールにおける利便性の向上を図る上で好ましい。但し、このような構成では、異常発生の原因を解消することなく報知が解除されたまま再び遊技が行われることで、遊技者や遊技ホールが不測の不利益を被る可能性がある。これは、遊技機に対する信頼性を低下させる要因になるため好ましくない。設定値は遊技ホールにて管理されており、利益に直結する構成であるため、ホール管理者が注視しやすい。そこで、本特徴に示す構成においては、解除操作を行った場合には、設定変更時の初期の設定値が強制的に所定の設定値とされる。これにより、遊技機に何らかの異常が発生した旨をホール管理者へ示唆することができる。故に、異常発生の原因がそのまま放置されることを抑制し、遊技機への信頼性の向上に寄与できる。
【０７４５】
特徴Ｆ２．遊技領域（遊技領域ＰＥ）に設けられた始動入球部（作動口８３ａ，８３ｂ）と、
前記始動入球部への入球に基づいて特別情報（保留情報）を取得する情報取得手段（主制御装置１６２のＭＰＵ４０２にて保留情報を取得する機能）と、
前記情報取得手段により取得された特別情報を記憶可能な取得情報記憶手段（主制御装置１６２のＭＰＵ４０２にて保留情報を記憶する機能）と、
前記取得情報記憶手段に記憶されている特別情報に基づいて通常遊技状態よりも遊技者に有利な特別遊技状態（開閉実行モード）に移行させるか否かの抽選を行う抽選手段（主制御装置１６２のＭＰＵ４０２にて当否判定処理等を実行する機能）と
を備えている遊技機であって、
遊技球の獲得期待値に対応した設定値を複数段階（設定１〜設定３）備え、それら設定値の中から一の設定値を決定する設定値決定手段（主制御装置１６２のＭＰＵ４０２にて設定変更処理を実行する機能）と、
前記設定値決定手段により決定される設定値を変更すべく操作される設定値変更手段（主制御装置１６２に付属の設定変更スイッチ１６６）と、
遊技に関する監視情報を記憶する監視情報記憶手段（監視装置６００の記憶部６０４）と、
前記監視情報記憶手段により記憶されている監視情報及び予め定められている判定基準情報（閾値）に基づいて特定事象である異常の発生の有無を判定する判定手段（報知・演出制御装置１４０のＭＰＵ４４２にて判定処理を実行する機能）と、
前記判定手段により異常が発生したと判定された場合に、所定の報知（例えば異常報知）を行う報知手段（報知・演出制御装置１４０のＭＰＵ４４２にて異常報知開始処理を実行する機能）と、
所定の解除操作に基づいて前記報知手段による前記所定の報知を解除する解除手段（主制御装置１６２のＭＰＵ４０２にて異常報知解除用処理を実行する機能）と、
前記設定値変更手段により前記設定値が変更される場合の初期設定値を設定する初期設定手段（主制御装置１６２のＭＰＵ４０２にて設定変更処理を実行する機能）と
を備え、
前記初期設定手段は、前記所定の解除操作が行われていない場合には、前記初期設定値として変更操作が行われる前の設定値を前記初期設定値として設定し、前記所定の解除操作がおこなれている場合には、前記初期設定値として所定の設定値を設定する手段を有していることを特徴とする遊技機。
【０７４６】
監視情報の監視結果に基づいて異常が発生したと判定された場合にはその旨が報知される。これにより、例えば遊技ホールの管理者等に異常への処置を促すことができる。異常の原因を解消しなくても解除操作が可能であることは遊技ホールにおける利便性の向上を図る上で好ましい。但し、このような構成では、異常発生の原因を解消することなく報知が解除されたまま再び遊技が行われることで、遊技者や遊技ホールが不測の不利益を被る可能性がある。これは、遊技機に対する信頼性を低下させる要因になるため好ましくない。設定値は利益に直結する構成であり遊技ホールにて管理されている。このため、ホール管理者が注視しやすい。そこで、本特徴に示す構成においては、解除操作が行われていない場合に変更操作前の設定値が初期設定値として引き継がれる一方、解除操作を行った場合には、設定変更時の初期の設定値が強制的に所定の設定値とされる。これにより、遊技機に何らかの異常が発生した旨をホール管理者へ示唆することができる。故に、異常発生の原因がそのまま放置されることを抑制し、遊技機への信頼性の向上に寄与できる。
【０７４７】
特徴Ｆ３．前記設定値として第１設定値と当該第１設定値よりも前記獲得期待値が大きい第２設定値とを有し、
前記初期設定手段は、前記第２設定値を前記所定の設定値として設定するように構成されていることを特徴とする特徴Ｆ１又は特徴Ｆ２に記載の遊技機。
【０７４８】
強制変更を行った場合の所定の設定値が遊技ホールにて多用される設定値であった場合には、強制変更が発生しているか否かを識別する上で混同が生じやくなると懸念される。ここで、遊技ホールにおいては遊技者に有利な設定値が使用される機会は遊技者に不利な設定値が使用される機会よりも少ない。本特徴に示す構成においては、このような事情に配慮して、比較的有利な第２設定値を所定の設定値として設定している。これにより、上述した混同を抑制できる。
【０７４９】
特徴Ｆ４．前記設定値として遊技ホールに有利な第１設定値と遊技者に有利な第２設定値とを有し、
前記初期設定手段は、前記第２設定値を前記所定の設定値として設定するように構成されていることを特徴とする特徴Ｆ１又は特徴Ｆ２に記載の遊技機。
【０７５０】
強制変更を行った場合の所定の設定値が遊技ホールにて多用される設定値であった場合には、強制変更が発生しているか否かを識別する上で混同が生じやくなると懸念される。ここで、遊技ホールにおいては遊技者に有利な設定値が使用される機会は遊技者に不利な設定値が使用される機会よりも少ない。本特徴に示す構成においては、このような事情に配慮して、遊技者に有利な第２設定値を所定の設定値として設定している。これにより、上述した混同を抑制できる。
【０７５１】
特徴Ｆ５．前記初期設定手段は、前記所定の設定値として、複数の設定値のうち最も獲得期待値の大きい設定を設定するように構成されていることを特徴とする特徴Ｆ１又は特徴Ｆ２に記載の遊技機。
【０７５２】
強制変更を行った場合の所定の設定値が遊技ホールにて多用される設定値であった場合には、強制変更が発生しているか否かを識別する上で混同が生じやくなると懸念される。ここで、遊技ホールにおいては遊技者に有利な設定値が使用される機会は遊技者に不利な設定値が使用される機会よりも少ない。本特徴に示す構成においては、このような事情に配慮して、遊技者にとって最も有利な第２設定値を所定の設定値として設定している。これにより、上述した混同を抑制できる。
【０７５３】
特徴Ｆ６．前記設定値決定手段により決定された設定値に応じて、前記判定基準情報の切り替えを行う基準情報切替手段（報知・演出制御装置１４０のＭＰＵ４４２にてステップＳ１８０４の閾値設定処理を実行する機能）を備え、
前記設定値によって前記入球部への入球頻度が相違する構成となっており、
前記監視情報記憶手段は、前記遊技領域に設けられた入球部への入球数を示す入球情報を前記監視情報として記憶する構成となっていることを特徴とする特徴Ｆ１乃至特徴Ｆ５のいずれか１つに記載の遊技機。
【０７５４】
遊技領域を遊技球が流下するタイプの遊技機においては、清掃やメンテナンス等の際に遊技領域に配設された遊技釘等に接触することで当該遊技釘が変形等する可能性がある。このような変形によって遊技球の流路が変化すると本来の設計値よりも高い頻度で入球が発生したり、本来の設計値よりも低い頻度で入球が発生したりする。これは、遊技ホールや遊技者が不利益を被る要因になる。そこで、監視情報記憶手段によって入球情報を記憶する構成とすることで、上述したような不都合（異常）が発生していることを特定することができる。しかしながら、入球については常に一定の頻度で発生するとは限らず監視期間が短い場合にはある程度のばらつきが生じる。これに対して、監視期間を長く設定した場合には、ばらつきを抑えることはできるものの、上記不都合が発生していることを特定するまでに時間がかかる。このような事情から、異常判定の結果に基づく報知を任意に解除できる構成とすることは、判定結果の確からしさと応答性の向上とに配慮できるという利点がある。但し、このような構成では、異常そのものが目視では特定困難であるため、報知解除からある程度の時間が経過することで、その事実が忘れられてしまう可能性がある。このような構成に対して、特徴Ｆ１に示した技術的思想を適用することにより、実用上好ましい構成を実現できる。
【０７５５】
特徴Ｆ７．前記設定値として第１設定値及び第２設定値を有し、
前記判定基準情報として、前記第１設定値に対応した判定基準範囲を規定する第１判定基準情報と、前記１判定基準情報によって規定された基準範囲に対してずれた範囲となるようにして前記第２設定値に対応した判定基準範囲を規定する第２判定基準情報とを有し、
前記所定の解除操作は、前記設定値変更手段による設定変更操作であり、
前記初期設定手段は、前記第１設定値となっている状況下にて入球情報が前記第１判定基準情報に対して第２判定基準情報側に外れることで前記判定手段により異常が発生したと判定されている状況下にて、前記所定の解除操作に基づいた前記所定の報知の解除に伴って判定基準情報が前記第１判定基準情報から前記第２判定基準情報に切り替わった場合に、前記初期設定値として前記所定の設定値を設定するように構成されていることを特徴とする特徴Ｆ６に記載の遊技機。
【０７５６】
第１設定値にて報知がなされている場合に、単に解除操作を行ってもすぐさま異常判定→報知が実行される。このような事情を考慮した不正行為者が判定基準範囲を異常と判定されにくい側へシフトさせるべく設定値を併せて変更することで異常報知を免れようとした場合には、初期設定値として所定の設定値が設定される。これにより、不正を目的した可能性が高い解除操作の見逃しを抑制し、防犯機能の更なる向上に貢献できる。
【０７５７】
特徴Ｆ８．前記設定値決定手段は、遊技機の電源投入に基づいて前記設定値を決定する起動時決定手段を有し、
前記起動時決定手段は、前記所定の解除操作が行われていない場合には、電源遮断前の設定値を新たな設定値として決定し、前記所定の解除操作が行われている場合には、前記所定の設定値を新たな設定値として決定する手段を有していることを特徴とする特徴Ｆ１乃至特徴Ｆ７のいずれか１つに記載の遊技機。
【０７５８】
設定変更については必ずしも毎日行われるとは限らず、一度決定された設定値がある程度の日数に亘って維持される場合がある。このような事情に配慮した場合には、本特徴に示すように電源投入時の設定値の決定にて設定値の引継ぎ／強制変更を実行することにより、そのような実情に好適に対応できる。
【０７５９】
特徴Ｆ９．遊技領域（遊技領域ＰＥ）に設けられた始動入球部（作動口８３ａ，８３ｂ）と、
前記始動入球部への入球に基づいて特別情報（保留情報）を取得する情報取得手段（主制御装置１６２のＭＰＵ４０２にて保留情報を取得する機能）と、
前記情報取得手段により取得された特別情報を記憶可能な取得情報記憶手段（主制御装置１６２のＭＰＵ４０２にて保留情報を記憶する機能）と、
前記取得情報記憶手段に記憶されている特別情報に基づいて通常遊技状態よりも遊技者に有利な特別遊技状態（開閉実行モード）に移行させるか否かの抽選を行う抽選手段（主制御装置１６２のＭＰＵ４０２にて当否判定処理等を実行する機能）と
を備えている遊技機であって、
遊技球の獲得期待値に対応した設定値を複数段階（設定１〜設定３）備え、それら設定値の中から一の設定値を決定する設定値決定手段（主制御装置１６２のＭＰＵ４０２にて設定変更処理を実行する機能）と、
前記設定値決定手段により決定される設定値を変更すべく操作される設定値変更手段（主制御装置１６２に付属の設定変更スイッチ１６６）と、
遊技に関する監視情報を記憶する監視情報記憶手段（監視装置６００の記憶部６０４）と、
前記監視情報記憶手段により記憶されている監視情報に基づいて特定事象である異常の発生の有無を判定する判定手段（報知・演出制御装置１４０のＭＰＵ４４２にて判定処理を実行する機能）と、
前記判定手段により異常が発生したと判定された場合に、所定の報知（例えば異常報知）を行う報知手段（報知・演出制御装置１４０のＭＰＵ４４２にて異常報知開始処理を実行する機能）と、
所定の解除操作に基づいて前記報知手段による前記所定の報知を解除する解除手段（主制御装置１６２のＭＰＵ４０２にて異常報知解除用処理を実行する機能）と、
前記設定値変更手段により前記設定値が変更される場合の初期設定値を設定する初期設定手段（主制御装置１６２のＭＰＵ４０２にて設定変更処理を実行する機能）と
を備え、
前記初期設定手段は、前記所定の解除操作が行われていない場合には、前記初期設定値として変更操作が行われる前の設定値を前記初期設定値として設定し、前記所定の解除操作がおこなれている場合には、前記初期設定値として変更操作が行われる前の設定値とは異なる設定値を前記初期設定値として設定する手段を有していることを特徴とする遊技機。
【０７６０】
監視情報の監視結果に基づいて異常が発生したと判定された場合にはその旨が報知される。これにより、例えば遊技ホールの管理者等に異常への処置を促すことができる。異常の原因を解消しなくても解除操作が可能であることは遊技ホールにおける利便性の向上を図る上で好ましい。但し、このような構成では、異常発生の原因を解消することなく報知が解除されたまま再び遊技が行われることで、遊技者や遊技ホールが不測の不利益を被る可能性がある。これは、遊技機に対する信頼性を低下させる要因になるため好ましくない。設定値は利益に直結する構成であり遊技ホールにて管理されている。このため、ホール管理者が注視しやすい。そこで、本特徴に示す構成においては、解除操作が行われていない場合に変更操作前の設定値が初期設定値として引き継がれる一方、解除操作を行った場合には、設定変更時の初期の設定値が強制的に所定の設定値とされる。これにより、遊技機に何らかの異常が発生した旨をホール管理者へ示唆することができる。故に、異常発生の原因がそのまま放置されることを抑制し、遊技機への信頼性の向上に寄与できる。
【０７６１】
なお、以上詳述した特徴Ｆ群に特徴Ａ群〜特徴Ｅ群に示した各技術的思想を適用することも可能である。
【０７６２】
＜特徴Ｇ群＞
以下の特徴Ｇ群は、「パチンコ機等の遊技機には、表示画面にて絵柄を変動表示する絵柄表示装置を備えているものがある。この種の遊技機では、例えば遊技領域に設けられた作動口への入賞を契機として、当たり状態等の遊技者にとって有利な特定遊技状態を発生させるか否かの抽選が行われるとともに、絵柄の変動表示が開始される。抽選に当選した場合には、表示画面に特定の絵柄組合せ等が最終停止表示されるとともに、遊技状態が遊技者に有利な特別遊技状態に移行する（例えば特許文献１）。」という背景技術について、「近年では、遊技への注目度を高めるべく様々な工夫がなされている。しかしながら、遊技機の構成においては遊技への注目度の向上を実現する上では未だ改善の余地がある。」という発明が解決しようとする課題をもってなされたものである。
【０７６３】
特徴Ｇ１．遊技領域（遊技領域ＰＥ）に設けられた始動入球部（作動口８３ａ，８３ｂ）と、
前記始動入球部への入球に基づいて特別情報（保留情報）を取得する情報取得手段（主制御装置１６２のＭＰＵ４０２にて保留情報を取得する機能）と、
前記情報取得手段により取得された特別情報を記憶可能な取得情報記憶手段（主制御装置１６２のＭＰＵ４０２にて保留情報を記憶する機能）と、
前記取得情報記憶手段に記憶されている特別情報に基づいて通常遊技状態よりも遊技者に有利な特別遊技状態（例えば開閉実行モード）に移行させるか否かの抽選を行う抽選手段（主制御装置１６２のＭＰＵ４０２にて当否判定処理等を実行する機能）と、
表示画面（表示画面２５３ａ）を有し、当該表示画面にて複数の絵柄（図柄列Ｚ１〜Ｚ３）を表示可能な絵柄表示装置（図柄表示装置２５３）と、
前記絵柄を変動表示させた後、前記抽選手段による抽選結果に対応した絵柄組合せとなるようにして前記絵柄を停止表示させる表示制御手段（報知・演出制御装置１４０及び表示制御装置４１０）と、
前記抽選手段による抽選結果が前記特別遊技状態への移行に対応する当選結果となった場合に、前記表示制御手段によって前記絵柄が停止表示された後に遊技状態を前記特別遊技状態へ移行させる遊技状態移行手段（主制御装置１６２のＭＰＵ４０２にて遊技状態移行処理を実行する機能）と、
遊技球の獲得期待値に対応した設定値を複数段階（設定１〜設定３）備え、それら設定値の中から一の設定値を決定する設定値決定手段（主制御装置１６２のＭＰＵ４０２にて設定変更処理を実行する機能）と、
前記設定値決定手段により決定される設定値を変更すべく操作される設定値変更手段（主制御装置１６２に付属の設定変更スイッチ１６６）と
を備え、
前記表示制御手段は、
前記抽選手段による抽選にて前記当選結果となっている場合に、絵柄の変動表示を開始した後に、当該当選結果に対応した第１絵柄組合せが成立する可能性のある各絵柄のうち最終停止絵柄を除く他の絵柄を停止表示させている状況下にて同最終停止絵柄を変動表示させるリーチ変動表示を経て当該第１絵柄組合せを停止表示させることにより前記特別遊技状態へ移行することを報知する第１報知手段（報知・演出制御装置１４０のＭＰＵ４４２にて当たりリーチを実行する機能）と、
前記抽選による抽選にて前記特別遊技状態への移行に対応しない非当選結果となっている場合に、絵柄の変動表示を開始した後に、前記リーチ変動表示を経て当該非当選結果に対応した第２絵柄組合せを停止表示させることにより前記特別遊技状態へ移行しないことを報知する第２報知手段（報知・演出制御装置１４０のＭＰＵ４４２にて外れリーチを実行する機能）と
を有し、
前記第２報知手段によって前記報知が実行される場合に、前記設定値決定手段により決定されている前記設定値を示唆する示唆手段（報知・演出制御装置１４０にて設定示唆を実行する機能）を備えていることを特徴とする遊技機。
【０７６４】
設定変更機能を有する遊技機においては設定値によって有利度合いが変化するため、設定値を推測しながら遊技を行うことが楽しみの１つとなる。ここで、リーチ変動表示が実行される場合には、遊技に対する遊技者の注目が高くなりやすい。遊技者の注目が高くなっている場合に設定値の示唆（設定示唆）を行う構成とすることにより、当該設定示唆が見逃される機会を減らすことができる。
【０７６５】
また、リーチ変動表示が実行される場合には、当該リーチ変動表示を経て当選結果が報知される可能性があるため、演出に対する注目度が高くなる。但し、このようにして注目度が高くなっている状態から非当選結果である旨が報知されると、期待感の低下に伴って遊技への注目度が大きく低下する可能性がある。この点、本特徴に示すようにリーチ変動表示に併せて設定示唆を行う構成とすることにより、非当選結果時に注目度が大きく低下することを抑制できる。
【０７６６】
特徴Ｇ２．前記示唆手段は、前記絵柄表示装置の前記表示画面にて前記示唆を行うことを特徴とする特徴Ｇ１に記載の遊技機。
【０７６７】
特徴Ｇ２に示すように表示画面に停止表示される絵柄組合せによって抽選結果が明示される構成においては、リーチ変動表示が実行される場合に遊技者の注目が遊技領域（詳しくは遊技領域を流下する遊技球）から表示画面に移りやすい。そこで、上述した設定示唆を表示画面にて実行する構成とすれば、設定示唆を行ったにも関わらずそれが見逃されるといった不都合を抑制することができる。これにより、特徴Ｇ１に示した効果を好適に発揮させることができる。
【０７６８】
特徴Ｇ３．前記示唆手段は、前記リーチ変動表示になった後に前記示唆を行うことを特徴とする特徴Ｇ１又は特徴Ｇ２に記載の遊技機。
【０７６９】
リーチ変動表示を経由して当選結果が報知される構成においては、リーチ変動表示へ移行することで絵柄の変動表示に対する注目度が高くなる。このようにして、注目度が高くなっている状況下にて設定示唆を行う構成とすれば上述した見逃しの機会を好適に減らすことができる。
【０７７０】
特徴Ｇ４．前記示唆手段は、抽選結果に対応した絵柄組合せの停止表示に伴って前記示唆を行うことを特徴とする特徴Ｇ１乃至特徴Ｇ３のいずれか１つに記載の遊技機。
【０７７１】
表示画面に停止表示される絵柄組合せによって抽選結果が明示される構成においては、非当選結果であることが明らかになることで注目度が一気に低下する可能性がある。そこで、このようなタイミングにて設定示唆が発生し得る構成とすることにより、そのような注目度の低下を好適に抑制できる。
【０７７２】
特徴Ｇ５．前記表示制御手段は、抽選結果に対応した絵柄組合せを停止表示させた後、当該絵柄組合せを所定の期間（確定表示期間）に亘って停止表示させたまま維持する確定表示（最終停止表示）を実行する構成となっており、
前記示唆手段は、前記所定の期間中に前記示唆を行うことを特徴とする特徴Ｇ１乃至特徴Ｇ４のいずれか１つに記載の遊技機。
【０７７３】
表示画面に停止表示される絵柄組合せによって抽選結果が明示される構成においては、非当選結果であることが明らかになることで注目度が一気に低下する可能性がある。そこで、このようなタイミングにて設定示唆が発生し得る構成とすることにより、そのような注目度の低下を好適に抑制できる。
【０７７４】
特徴Ｇ６．前記示唆手段は、先の遊技回にて開始した前記示唆を次の遊技回に跨るようにして継続させる継続手段を有していることを特徴とする特徴Ｇ１乃至特徴Ｇ５のいずれか１つに記載の遊技機。
【０７７５】
上述した設定示唆についてはその実行期間が短くなることで見逃しの可能性が高くなると懸念される。この点、本特徴に示す構成においては、先の遊技回にて開始された設定示唆が次の遊技回に跨るようにして継続され得るため、そのような見逃しの機会を減らすことができる。例えば、遊技回が次々と進んでいく構成を想定した場合には、遊技機の稼働率の向上を図る上では好ましい。しかしながら、遊技者が任意のタイミングにて遊技回を途中停止させることができないことが、設定示唆を見逃す要因になり得る。この点、本特徴に示す構成によれば、そのような不都合の発生を好適に抑制できる。
【０７７６】
特徴Ｇ７．前記取得情報記憶手段は、前記特別情報を複数記憶可能となっており、
前記抽選手段は、前記取得情報記憶手段に記憶されている特別情報について前記抽選を順次行う構成となっており、
前記継続手段は、前記先の遊技回が終了するまでに次の遊技回に対応する特別情報が記憶されている場合に当該次の遊技回に跨るようにして前記示唆を継続させるように構成されていることを特徴とする特徴Ｇ６に記載の遊技機。
【０７７７】
特徴Ｇ７によれば、特別情報が溜まっていることで設定示唆の期間が延びるため、遊技球の発射を促し、遊技機の稼働率の向上に寄与できる。
【０７７８】
特徴Ｇ８．前記取得情報記憶手段は、前記特別情報を複数記憶可能となっており、
前記抽選手段は、前記取得情報記憶手段に記憶されている特別情報について前記抽選を順次行う構成となっており、
前記示唆手段は、前記取得情報記憶手段に記憶されている特別情報の数に基づいて前記示唆の実行期間を決定する実行期間決定手段を有していることを特徴とする特徴Ｇ１乃至特徴Ｇ７のいずれか１つに記載の遊技機。
【０７７９】
特徴Ｇ８によれば、設定示唆を確認したい遊技者はできるだけ長く設定示唆が行われるように期待して遊技を行うものと想定される。ここで、記憶されている特別情報の数によって設定示唆の実行期間が決定される構成とすれば、設定示唆が長く続くように記憶されている特別情報の数を極力自身に有利な数となるように狙って遊技が行われることとなり、遊技の単調化の抑制に寄与できる。
【０７８０】
特徴Ｇ９．前記示唆手段は、前記第２報知手段により前記リーチ変動表示を経て前記非当選結果に対応する絵柄組合せが停止表示される場合に、当該絵柄組合せを前記示唆に対応した絵柄組合せとすることにより前記設定値を示唆する手段を有していることを特徴とする特徴Ｇ１乃至特徴Ｇ８のいずれか１つに記載の遊技機。
【０７８１】
特徴Ｇ９に示すように非当選結果用の絵柄組合せを利用して設定示唆が実行される構成とすれば、非当選結果が明示される場合に設定示唆の情報が含まれる場合があることで、遊技者が当該絵柄組合せに注目するものと想定される。この構成によれば、上述した注目度向上効果を好適に発揮させることができる。
【０７８２】
なお、本特徴に示す構成を「前記示唆手段は、前記第２報知手段により前記リーチ変動表示を経て前記非当選結果に対応する絵柄組合せが停止表示される場合に、当該絵柄組合せを当該非当選結果且つ前記示唆に対応した絵柄組合せとする手段を有していることを特徴とする特徴Ｇ１乃至特徴Ｇ８のいずれか１つに記載の遊技機。」とすることも可能である。
【０７８３】
特徴Ｇ１０．前記取得情報記憶手段は、前記特別情報を複数記憶可能となっており、
前記抽選手段は、前記取得情報記憶手段に記憶されている特別情報について前記抽選を順次行う構成となっており、
前記表示制御手段は、抽選結果に対応した絵柄組合せを停止表示させた後、当該絵柄組合せを所定の期間（確定表示期間）に亘って停止表示させたまま維持する確定表示（最終停止表示）を実行する構成となっており、
前記示唆手段は、前記第２報知手段により前記リーチ変動表示を経て前記非当選結果に対応する絵柄組合せが停止表示される場合に、当該絵柄組合せを前記示唆に対応した絵柄組合せとすることにより前記設定値を示唆する手段を有しており、
前記示唆手段は、前記所定の期間が経過したことに基づいて前記示唆を終了することを特徴とする特徴Ｇ１乃至特徴Ｇ５のいずれか１つに記載の遊技機。
【０７８４】
停止表示される絵柄組合せによって設定示唆を行う構成とした場合には、設定示唆の見逃しを嫌う遊技者によって遊技回が１回ずつ進行するような変則打ちが行われる可能性がある。これは遊技進行の円滑化や遊技機の稼働率の向上を図る上で妨げになると想定される。この点、本特徴に示す構成においては、確定期間の経過によって設定示唆が終了する。このような構成とすれば、見逃しを懸念して無暗に遊技が遅延されるといった不都合の発生を好適に抑制できる。
【０７８５】
特徴Ｇ１１．前記通常遊技状態として、第１通常遊技状態（低頻度サポートモード対応の通常遊技状態）と、当該第１通常遊技状態よりも前記始動入球部への入球頻度が高くなるように設定された第２通常遊技状態（高頻度サポートモード対応の通常遊技状態）とが設けられており、
前記示唆手段は、前記第１通常遊技状態にて前記示唆を行う構成となっていることを特徴とする特徴Ｇ１乃至特徴Ｇ１０のいずれか１つに記載の遊技機。
【０７８６】
特徴Ｇ１１に示す構成では、第２通常遊技状態においては第１通常遊技状態と比較して遊技が円滑に進行することとなる。第２通常遊技状態となって遊技が速やかに進行している状況では、非当選結果となった場合に遊技者の注目が直ぐに次の遊技回へと向きやすくなると想定される。このような状況にて設定示唆を行ったとしてもそれが見逃される機会が増えると懸念される。このような事情に鑑みれば、本特徴に示すように比較的遊技が緩やかに進行する第１通常遊技状態にて設定示唆を行う構成とすることには、そのような不都合の発生を抑制できるという技術的意義がある。
【０７８７】
特徴Ｇ１２．前記抽選手段による抽選結果として、第１当選結果（例えば通常大当たり結果）と当該第１当選結果よりも遊技者に有利な第２当選結果（例えば確変大当たり結果）とが設けられており、
前記表示制御手段は、前記第１当選結果である場合に当該第１当選結果に対応した絵柄組合せを停止表示させ、前記第２当選結果である場合に当該第２当選結果に対応した絵柄組合せを停止表示させる手段を有し、
前記示唆手段は、前記第２当選結果に対応した絵柄組合せが成立する可能性があるリーチ変動表示が実行される場合に前記示唆を実行する手段を有していることを特徴とする特徴Ｇ１乃至特徴Ｇ１１のいずれか１つに記載の遊技機。
【０７８８】
遊技者の期待が膨らめば膨らむほど、非当選結果である旨の報知がなされた場合の落胆が大きくなる。これは、遊技意欲の低下を招く要因になるため好ましくない。このような事情に鑑みれば、本特徴に示すように、第２当選結果に対応した絵柄組合せが成立する可能性があるリーチ変動表示にて設定示唆を実行する構成とすることは、非当選結果となった場合の遊技意欲の低下を緩和する上で好ましい。
【０７８９】
特徴Ｇ１３．前記リーチ変動表示として、第１リーチ変動表示と、当該第１リーチ変動表示よりも当選結果となる期待度が高い第２リーチ変動表示とが設けられており、
前記示唆手段は、前記第２リーチ変動表示にて前記示唆を行う手段を有していることを特徴とする特徴Ｇ１乃至特徴Ｇ１２のいずれか１つに記載の遊技機。
【０７９０】
当選結果となる期待度の高いリーチ変動表示ほど、非当選結果である旨の報知がなされた場合の落胆が大きくなる（所謂、激熱外し）。これは、遊技意欲の低下を招く要因になるため好ましくない。このような事情に鑑みれば、本特徴に示すように、第２リーチ変動表示にて設定示唆を実行する構成とすることは、非当選結果となった場合の遊技意欲の低下を緩和する上で好ましい。
【０７９１】
なお、以上詳述した特徴Ｇ群に特徴Ａ群〜特徴Ｆ群に示した各技術的思想を適用することも可能である。
【０７９２】
＜特徴Ｈ群＞
以下の特徴Ｈ群は、「パチンコ機等の遊技機には、表示画面にて絵柄を変動表示する絵柄表示装置を備えているものがある。この種の遊技機では、例えば遊技領域に設けられた作動口への入賞を契機として、当たり状態等の遊技者にとって有利な特定遊技状態を発生させるか否かの抽選が行われるとともに、絵柄の変動表示が開始される。抽選に当選した場合には、表示画面に特定の絵柄組合せ等が最終停止表示されるとともに、遊技状態が遊技者に有利な特別遊技状態に移行する（例えば特許文献１）。」という背景技術について、「近年では、遊技への注目度を高めるべく様々な工夫がなされている。しかしながら、遊技機の構成においては遊技への注目度の向上を実現する上では未だ改善の余地がある。」という発明が解決しようとする課題をもってなされたものである。
【０７９３】
特徴Ｈ１．遊技領域（遊技領域ＰＥ）に設けられた始動入球部（作動口８３ａ，８３ｂ）と、
前記始動入球部への入球に基づいて特別情報（保留情報）を取得する情報取得手段（主制御装置１６２のＭＰＵ４０２にて保留情報を取得する機能）と、
前記情報取得手段により取得された特別情報を記憶可能な取得情報記憶手段（主制御装置１６２のＭＰＵ４０２にて保留情報を記憶する機能）と、
前記取得情報記憶手段に記憶されている特別情報に基づいて通常遊技状態よりも遊技者に有利な特別遊技状態（開閉実行モード）に移行させるか否かの抽選を行う抽選手段（主制御装置１６２のＭＰＵ４０２にて当否判定処理等を実行する機能）と、
表示画面（表示画面２５３ａ）を有し、当該表示画面にて複数の絵柄を表示可能な絵柄表示装置（図柄表示装置２５３）と、
前記絵柄を変動表示させた後、前記抽選手段による抽選結果に対応した絵柄組合せとなるようにして前記絵柄を停止表示させる表示制御手段（報知・演出制御装置１４０及び表示制御装置４１０）と、
前記抽選手段による抽選結果が前記特別遊技状態への移行に対応する当選結果となった場合に、前記表示制御手段によって前記絵柄が停止表示された後に遊技状態を前記特別遊技状態へ移行させる遊技状態移行手段（主制御装置１６２のＭＰＵ４０２にて遊技状態移行処理を実行する機能）と、
遊技球の獲得期待値に対応した設定値を複数段階（設定１〜設定３）備え、それら設定値の中から一の設定値を決定する設定値決定手段（主制御装置１６２のＭＰＵ４０２にて設定変更処理を実行する機能）と、
前記設定値決定手段により決定される設定値を変更すべく操作される設定値変更手段（主制御装置１６２に付属の設定変更スイッチ１６６）と
を備え、
前記表示制御手段は、
前記抽選手段による抽選にて前記当選結果となっている場合に、絵柄の変動表示を開始した後に、当該当選結果に対応した第１絵柄組合せが成立する可能性のある各絵柄のうち最終停止絵柄を除く他の絵柄を停止表示させている状況下にて同最終停止絵柄を変動表示させるリーチ変動表示を経て当該第１絵柄組合せを停止表示させることにより前記特別遊技状態へ移行することを示す第１報知を実行する第１報知手段と、
前記抽選による抽選にて前記特別遊技状態への移行に対応しない非当選結果となっている場合に、絵柄の変動表示を開始した後に、前記リーチ変動表示を経て当該非当選結果に対応した第２絵柄組合せを停止表示させることにより前記特別遊技状態へ移行しないことを示す第２報知を実行する第２報知手段と
を有し、
前記設定値決定手段により決定されている前記設定値を示唆する示唆手段（報知・演出制御装置１４０にて設定示唆を実行する機能）を備え、
前記示唆手段は、
前記第２報知手段によって前記第２報知が実行された実行回数を記憶する実行回数記憶手段（報知・演出制御装置１４０にて外れリーチの実行回数を記憶する機能）と、
前記実行回数記憶手段によって記憶されている実行回数に基づいて前記示唆の実行の可否を決定する可否決定手段（報知・演出制御装置１４０のＭＰＵ４４２にて設定示唆可否判定処理を実行する機能）と
を有していることを特徴とする遊技機。
【０７９４】
上述したタイプの遊技機においてはリーチ変動表示が実行されることで特別遊技状態への期待が高まる。しかしながら、リーチ変動表示が実行されたとしても必ずしも特別遊技状態へ移行するわけではなく、特別遊技状態へ移行しない場合もある。このような事象が続くことは、遊技者の遊技意欲を低下させる要因になる。この点、本特徴に示す構成においては、リーチ変動表示を経て非当選結果が報知された回数（第２報知の実行回数）に基づいて設定値の示唆（設定示唆）が実行されるか否かが決定される。このため、リーチ変動表示が不発になったとしても遊技者に設定示唆が近づいたとの印象を与えることができ、遊技意欲の低下を抑制できる。これは、遊技への注目度の向上を図る上で好ましい。
【０７９５】
特徴Ｈ２．前記抽選手段によって前記抽選が実行された抽選回数を記憶する抽選回数記憶手段を備え、
前記可否決定手段は、前記抽選手段による抽選回数が所定回数となっている場合に、当該抽選回数が前記所定回数よりも少ない場合と比較して前記示唆を実行する旨の決定を行う可能性が高くなるように構成されていることを特徴とする特徴Ｈ１に記載の遊技機。
【０７９６】
特徴Ｈ２によれば、リーチ変動表示に外れた場合にはその数が多くなるほど、設定示唆が実行されやすくなる。このような構成とすれば、通常遊技状態が続いている場合であっても、遊技者の遊技意欲の低下を抑制できる。
【０７９７】
特徴Ｈ３．前記可否決定手段は、前記抽選回数が多くなるほど前記所定回数が少なくなるように構成されていることを特徴とする特徴Ｈ２に記載の遊技機。
【０７９８】
リーチ変動表示→非当選結果となることで設定示唆の期待が高まる構成においては、リーチ変動表示が実行されることなく遊技が進むことで、遊技者の遊技意欲が低下する可能性がある。そこで、本特徴に示すように、抽選→非当選結果となった回数が多くなるほど、設定示唆の敷居が低くなる構成とすれば、リーチ変動表示が発生しない場合の遊技意欲の低下を緩和できる。
【０７９９】
特徴Ｈ４．前記示唆手段は、前記第１報知手段によって前記第１報知が実行された場合に、前記実行回数記憶手段に記憶されている情報を消去する消去手段を有していることを特徴とする特徴Ｈ３に記載の遊技機。
【０８００】
特徴Ｈ４によれば、第１報知が実行されることで（すなわち当選結果となることで）、実行回数がリセットされることとなる。これにより、設定示唆が多発することを抑制できる。
【０８０１】
特徴Ｈ５．前記所定回数は、前記設定値毎に設けられており、
遊技球の獲得期待値が高い設定値ほど前記所定回数が多くなるように差が設けられていることを特徴とする特徴Ｈ２乃至特徴Ｈ４のいずれか１つに記載の遊技機。
【０８０２】
設定示唆がいつまでたっても実行されないことは遊技者の遊技意欲を低下させる要因になり得る。そこで、本特徴に示すように、遊技者に有利な設定値ほど設定示唆の基準となる所定回数が多くなるように差を設ける構成とすれば、設定示唆が発生しない場合に遊技者に有利な設定値であることへの期待を高めることができ、遊技への注目度の向上に寄与できる。
【０８０３】
特徴Ｈ６．前記リーチ変動表示として、第１リーチ変動表示と、当該第１リーチ変動表示よりも前記第１報知となる可能性が高い第２リーチ変動表示とが設けられており、
前記実行回数記憶手段は、前記第２報知手段によって前記第２リーチ変動表示に対応した第２報知が実行された回数を記憶する構成となっていることを特徴とする特徴Ｈ１乃至特徴Ｈ５のいずれか１つに記載の遊技機。
【０８０４】
特徴Ｈ６によれば、期待度の高いリーチ変動表示に外れた場合の損失感を好適に緩和できる。
【０８０５】
特徴Ｈ７．前記可否決定手段によって前記示唆を実行する旨の決定がなされる確率が相対的に低い第１状態と、前記示唆を実行する旨の決定がなされる確率が相対的に高い第２状態とが設けられており、
前記抽選手段によって前記抽選が実行された抽選回数を記憶する抽選回数記憶手段と、
前記抽選回数記憶手段によって記憶されている抽選回数に基づいて前記第１状態及び前記第２状態を切り替える切替手段と
を備えていることを特徴とする特徴Ｈ１乃至特徴Ｈ６のいずれか１つに記載の遊技機。
【０８０６】
本特徴に示す構成によれば抽選回数によって設定示唆が発生しやすい区間と、発生しにくい区間とが生じる。これにより、設定示唆を期待して遊技が行われている場合のメリハリを強化できる。
【０８０７】
なお、以上詳述した特徴Ｈ群に特徴Ａ群〜特徴Ｇ群に示した各技術的思想を適用することも可能である。
【０８０８】
＜特徴Ｉ群＞
以下の特徴Ｉ群は、「パチンコ機等の遊技機には、表示画面にて絵柄を変動表示する絵柄表示装置を備えているものがある。この種の遊技機では、例えば遊技領域に設けられた作動口への入賞を契機として、当たり状態等の遊技者にとって有利な特定遊技状態を発生させるか否かの抽選が行われるとともに、絵柄の変動表示が開始される。抽選に当選した場合には、表示画面に特定の絵柄組合せ等が最終停止表示されるとともに、遊技状態が特定遊技状態に移行する（例えば特許文献１参照）。」という背景技術について、「近年では、遊技機の防犯性を高めるべく様々な工夫がなされている。しかしながら、遊技機の構成においては防犯性の向上を実現する上では未だ改善の余地がある。」という発明が解決しようとする課題をもってなされたものである。
【０８０９】
特徴Ｉ１．遊技に関する主たる制御を実行する主制御装置（主制御装置１６２）と、
表示画面（表示画面２５３ａ）を有し、当該表示画面にて絵柄を変動表示可能な絵柄表示装置（図柄表示装置２５３）と、
前記主制御装置の配下で前記絵柄表示装置を表示制御する表示制御装置（報知・演出制御装置１４０及び表示制御装置４１０）と
を備え、
前記主制御装置は、
遊技領域（遊技領域ＰＥ）に設けられた始動入球部（作動口８３ａ，８３ｂ）への入球に基づいて特別情報（保留情報）を取得する情報取得手段（主制御装置１６２のＭＰＵ４０２にて保留情報を取得する機能）と、
前記情報取得手段により取得された特別情報を記憶可能な取得情報記憶手段（主制御装置１６２のＭＰＵ４０２にて保留情報を記憶する機能）と、
前記取得情報記憶手段に記憶されている特別情報が移行情報に対応しているか否かの移行判定を行う移行判定手段（主制御装置１６２のＭＰＵ４０２にて当否判定処理等を実行する機能）と、
前記移行判定手段による判定の結果が前記移行情報に対応しているとする移行対応結果となったことに基づいて、遊技状態を通常遊技状態よりも遊技者に有利な特別遊技状態（開閉実行モード）に移行させる遊技状態移行手段（主制御装置１６２のＭＰＵ４０２にて遊技状態移行処理を実行する機能）と、
遊技回用動作が開始されてから前記移行判定手段の判定結果に対応した報知結果となることで前記遊技回用動作が終了されることを遊技回の１回として、前記遊技回用動作が行われるように所定の報知手段（主表示ユニット８７の作動口用表示部）を制御する遊技回制御手段（主制御装置１６２のＭＰＵ４０２にて表示制御を実行する機能）と、
前記移行判定手段の判定結果に基づいて、前記遊技回用動作の実行期間を決定する実行期間設定手段（主制御装置１６２のＭＰＵ４０２にて変動表示時間を決定する機能）と、
前記実行期間設定手段により設定された実行期間に対応した実行期間情報を前記表示制御装置へ送信する送信手段（主制御装置１６２のＭＰＵ４０２にて変動開始コマンドを出力する機能）と
を有し、
前記表示制御装置は、前記主制御装置から受信した前記実行期間情報に基づいて前記絵柄表示装置における前記絵柄の変動表示期間を設定する変動表示期間設定手段（報知・演出制御装置１４０のＭＰＵ４４２にて変動表示時間を設定する機能）を有し、
遊技球の獲得期待値に対応した設定値を複数段階（設定１〜設定３）備え、それら設定値の中から一の設定値を決定する設定値決定手段（主制御装置１６２のＭＰＵ４０２にて設定変動処理を実行する機能）と、
前記設定値決定手段により決定される設定値を変更すべく操作される設定値変更手段（主制御装置１６２に付属の設定変更スイッチ１６６）と
を備え、
前記実行期間として、前記設定値毎に共通となる共通実行期間と前記設定値毎に固有となる固有実行期間とが設けられており、
前記表示制御装置は、前記固有実行期間を示す実行期間情報を受信した場合に前記設定値の示唆を行う示唆手段（報知・演出制御装置１４０にて設定示唆を実行する機能）を備えていることを特徴とする遊技機。
【０８１０】
特徴Ｉ１によれば、遊技回動作の開始に伴って主制御装置から送信される実行期間情報が設定値を示す情報を含んでいる。この構成によれば、設定値の示唆（設定示唆）の可否を主制御装置にて指示することができ、主制御装置と比べて防御機能が低い表示制御装置が不正に操作される等して設定示唆が不正に実行されることを抑制できる。
【０８１１】
また、主制御装置から送信される実行期間情報が設定示唆のベースとなるため、設定値を示す情報を表示制御装置側にて記憶保持する必要がない。防御機能の低い表示制御装置にて設定値を記憶する必要がない構成とすることは、設定値を示す情報の流出を抑制する上で有利である。
【０８１２】
更には、主制御装置から定期的に送信される実行期間情報が設定値を示す情報を兼ねているため、設定値を示す情報を別途送信する構成と比較して、当該情報に狙いを定めて情報を不正に取得するといった行為を難しくすることができる。
【０８１３】
特徴Ｉ２．前記示唆手段は、前記実行期間として前記固有実行期間が設定された場合に、当該固有実行期間にて実行される遊技回にて前記示唆を実行するように構成されていることを特徴とする特徴Ｉ１に記載の遊技機。
【０８１４】
特徴Ｉ２によれば、主制御装置から固有実行期間を示す実行期間情報を受信した場合に、当該固有実行期間にて実行される遊技回にて示唆が実行される。このような構成においては、示唆を後の遊技回に持ち越す構成と比較して表示制御装置から設定値を不正に読み取るといった行為を難しくすることができる。
【０８１５】
特徴Ｉ３．前記表示制御装置は、前記固有実行期間を示す実行期間情報を受信した場合には、該当する遊技回が終了するまでに前記実行期間情報及び当該実行期間情報に基づいた現在の設定値を示す情報を消去する手段を有していることを特徴とする特徴Ｉ１又は特徴Ｉ２に記載の遊技機。
【０８１６】
特徴Ｉ３によれば、主制御装置から固有実行期間を示す実行期間情報を受信した場合には、次の遊技回までに実行期間情報やそれから特定された現在の設定値を示す情報が消去されることとなる。つまり、設定値を示す情報は他の遊技回に持ち越されない。このように設定値を示す情報の取り扱い期間を制限することにより、表示制御装置から設定値を不正に読み取るといった行為を難しくすることができる。
【０８１７】
特徴Ｉ４．前記共通実行期間及び前記固有実行期間は、前記絵柄表示装置にて実行される所定の変動表示に対応するものを各々有しており、
前記固有実行期間のうち前記所定の変動表示に対応する期間は、前記共通実行期間のうち前記所定の変動表示に対応する期間よりも長くなるように設定されていることを特徴とする特徴Ｉ１乃至特徴Ｉ３のいずれか１つに記載の遊技機。
【０８１８】
特徴Ｉ４によれば、共通実行期間に係る変動表示と、固有実行期間に係る変動表示とが共通となることで、変動表示の見た目等の違いから設定値を特定することは困難となる。
【０８１９】
また、特徴Ｉ３との組み合わせにおいては特に、固有実行期間の方が長くなるように差が設けられているため、設定示唆が該当遊技回に限って実行される構成にて設定示唆の実行期間を稼ぎやすくなる。
【０８２０】
特徴Ｉ５．前記表示制御装置は、所定の規制条件が成立した場合に前記示唆手段による示唆を規制する規制手段を有していることを特徴とする特徴Ｉ１乃至特徴Ｉ４のいずれか１つに記載の遊技機。
【０８２１】
特徴Ｉ５によれば、例えば遊技状況等によっては表示制御装置側の判断にて示唆を規制することができる。これにより、過度に示唆が行われることを抑制できる。
【０８２２】
特徴Ｉ６．前記共通実行期間及び前記固有実行期間は、前記絵柄表示装置にて実行される所定の変動表示に対応するものを各々有しており、
前記共通実行期間のうち前記所定の変動表示に対応する期間は、遊技者によって前記固有実行期間のうち前記所定の変動表示に対応する期間と同一であると認識される期間となるように構成されていることを特徴とする特徴Ｉ５に記載の遊技機。
【０８２３】
特徴Ｉ５に示したように固有実行期間を受信した場合であって示唆が回避され得る構成においては、所定の変動表示が実行される場合に僅かな期間の違いから設定値が推定されることは好ましくない。そこで、本特徴に示すように、共通実行期間と固有実行期間とが同一であると認識される程度の差にとどめる構成とすれば、そのような不都合の発生を好適に抑制できる。
【０８２４】
特徴Ｉ７．前記共通実行期間に対応した変動表示の冒頭部分と、前記固有実行期間に対応した変動表示の冒頭部分とは、変動表示の概要が共通となるように構成されていることを特徴とする特徴Ｉ５又は特徴Ｉ６に記載の遊技機。
【０８２５】
特徴Ｉ５等にした構成においては、絵柄表示装置における変動表示時間をカウントすれば、設定示唆の有無等を特定することが可能である。しかしながら、本特徴に示すように、変動表示の冒頭を共通化すれば、設定示唆が発生し得る遊技回を狙って実行期間をカウントするといった行為を難しくすることができる。これにより、表示制御装置側にて設定示唆を一部規制する構成とした場合であっても、設定示唆の有無が特定されることを抑制できる。
【０８２６】
特徴Ｉ８．前記共通実行期間として、第１実行期間と当該第１実行期間よりも長い第２実行期間とが設けられており、
前記固有実行期間は、前記第２実行期間に対応した変動表示が実行される場合と同一であると遊技者に認識される期間となるように構成されていることを特徴とする特徴Ｉ５乃至特徴Ｉ７のいずれか１つに記載の遊技機。
【０８２７】
共通実行期間に第１実行期間及び第２実行期間が存在する場合には、相対的に長い第２実行期間をベースに固有実行期間を設定することにより、共通実行期間と固有実行期間との差を目視等にて特定することを難しくすることができる。
【０８２８】
特徴Ｉ９．前記取得情報記憶手段は、前記特別情報を複数記憶可能となっており、
前記移行判定手段は、前記取得情報記憶手段に記憶されている特別情報が移行情報に対応しているか否かの移行判定を順次行う構成となっており、
前記表示制御装置は、前記移行判定手段による判定結果に対応した絵柄組合せを停止表示させることで当該判定結果を報知し、次の遊技回の開始まで当該絵柄組合せを維持する手段を有し、
前記示唆手段は、前記固有実行期間を示す実行期間情報を受信した場合に、停止表示される絵柄組合せが前記固有実行期間に対応するものとするこにより前記示唆を実行するものであり、
前記規制手段は、前記主制御装置から前記固有実行期間を示す実行期間情報を受信した場合であっても、後続の特別情報が記憶されていない場合には、前記所定の規制条件成立として前記示唆を規制するように構成されていることを特徴とする特徴Ｉ５乃至特徴Ｉ８のいずれか１つに記載の遊技機。
【０８２９】
本特徴に示す構成によれば、固有実行期間が指定された場合であっても後続の特別情報が記憶されていない場合には設定示唆に対応した絵柄組合せが停止表示の対象から外れることとなる。これにより、設定示唆に期待する遊技者に遊技を無駄に遅延させる行為（例えば変則打ち）を控えるように促すことができ、遊技機の稼働率の向上に寄与できる。また、例えば設定示唆に対応した絵柄組合せが停止表示されたまま放置されることが回避されることで、設定示唆への過度の依存を抑制して遊技の健全化に貢献できる。
【０８３０】
特徴Ｉ１０．前記変動表示の１として、リーチ変動表示が設けられており、
前記固有実行期間は、当該リーチ変動表示に対応した期間であり、
前記示唆手段は、前記表示画面にて前記示唆を実行する手段を有していることを特徴とする特徴Ｉ１乃至特徴Ｉ９のいずれか１つに記載の遊技機。
【０８３１】
リーチ変動表示が実行される場合には特別遊技状態への移行の期待が高まるため、遊技者の注目がリーチ変動表示に向きやすい。遊技者の注目度が高くなっている状況下にて示唆が実行されることにより、当該示唆が見逃される機会を減らすことができる。
【０８３２】
特徴Ｉ１１．前記取得情報記憶手段は、前記特別情報を複数記憶可能となっており、
前記移行判定手段は、前記取得情報記憶手段に記憶されている特別情報が移行情報に対応しているか否かの移行判定を順次行う構成となっており、
前記取得情報記憶手段に記憶されている保留情報の数が多くなることで前記固有実行期間が設定される可能性が高くなるように構成されていることを特徴とする特徴Ｉ１乃至特徴Ｉ１０のいずれか１つに記載の遊技機。
【０８３３】
本特徴に示す構成によれば、設定示唆を期待して遊技を行っている遊技者は、記憶されている特別情報の数が極力多くなるようにして遊技を行うものと想定される。これにより、遊技機の稼働率の向上に寄与できる。
【０８３４】
また、特徴Ｉ１に示したように、実行期間が設定示唆の情報を含む構成においては、実行期間をカウントすることにより設定示唆の見極めが可能となる。この場合、遊技回が連続して進行する場合にはカウントが難しくなるため、遊技回が連続して進行しないように遅延行為が行われると懸念される。これは、遊技機の稼働率の向上を図る上で妨げになる。この点、本特徴に示すように、保留情報の数が多くなる場合（すなわち遊技回が連続して進行する場合）に固有実行期間が設定される確率を高くすることにより、遅延行為の回避を促し、遊技機の稼働率の低下を抑制できる。
【０８３５】
特徴Ｉ１２．遊技に関する主たる制御を実行する主制御装置（主制御装置１６２）と、
表示画面（表示画面２５３ａ）を有し、当該表示画面にて絵柄を変動表示可能な絵柄表示装置（図柄表示装置２５３）と、
前記主制御装置の配下で前記絵柄表示装置を表示制御する表示制御装置（報知・演出制御装置１４０及び表示制御装置４１０）と
を備え、
前記主制御装置は、
遊技領域（遊技領域ＰＥ）に設けられた始動入球部（作動口８３ａ，８３ｂ）への入球に基づいて特別情報（保留情報）を取得する情報取得手段（主制御装置１６２のＭＰＵ４０２にて保留情報を取得する機能）と、
前記情報取得手段により取得された特別情報を記憶可能な取得情報記憶手段（主制御装置１６２のＭＰＵ４０２にて保留情報を記憶する機能）と、
前記取得情報記憶手段に記憶されている特別情報が移行情報に対応しているか否かの移行判定を行う移行判定手段（主制御装置１６２のＭＰＵ４０２にて当否判定処理等を実行する機能）と、
前記移行判定手段による判定の結果が前記移行情報に対応しているとする移行対応結果となったことに基づいて、遊技状態を通常遊技状態よりも遊技者に有利な特別遊技状態（開閉実行モード）に移行させる遊技状態移行手段（主制御装置１６２のＭＰＵ４０２にて遊技状態移行処理を実行する機能）と、
遊技回用動作が開始されてから前記移行判定手段の判定結果に対応した報知結果となることで前記遊技回用動作が終了されることを遊技回の１回として、前記遊技回用動作が行われるように所定の報知手段（主表示ユニット８７の作動口用表示部）を制御する遊技回制御手段（主制御装置１６２のＭＰＵ４０２にて表示制御を実行する機能）と、
前記移行判定手段の判定結果に基づいて、前記遊技回用動作の実行期間を決定する実行期間設定手段（主制御装置１６２のＭＰＵ４０２にて変動表示時間を決定する機能）と、
前記実行期間設定手段により設定された実行期間に対応した実行期間情報を前記表示制御装置へ送信する送信手段（主制御装置１６２のＭＰＵ４０２にて変動開始コマンドを出力する機能）と
を有し、
前記表示制御装置は、前記主制御装置から受信した前記実行期間情報に基づいて前記絵柄表示装置における前記絵柄の変動表示期間を設定する変動表示期間設定手段（報知・演出制御装置１４０のＭＰＵ４４２にて変動表示時間を設定する機能）を有し、
遊技球の獲得期待値に対応した設定値を複数段階（設定１〜設定３）備え、それら設定値の中から一の設定値を決定する設定値決定手段（主制御装置１６２のＭＰＵ４０２にて設定変動処理を実行する機能）と、
前記設定値決定手段により決定される設定値を変更すべく操作される設定値変更手段（主制御装置１６２に付属の設定変更スイッチ１６６）と
を備え、
前記設定値として第１設定値と当該第１設定値よりも前記獲得期待値が小さい第２設定値とを含み、
前記実行期間として、前記設定値毎に共通となる共通実行期間と前記設定値毎に固有となる固有実行期間とが設けられており、
前記設定値として前記第１設定値が設定されている場合に前記実行期間として第１実行期間を設定し、前記設定値として前記第２設定値が設定されている場合に前記実行期間として前記第１実行期間又は第２実行期間を設定する手段と、
前記表示制御装置は、前記第２実行期間を示す実行期間情報を受信した場合に前記設定値の示唆を行う示唆手段（報知・演出制御装置１４０にて設定示唆を実行する機能）と
を備えていることを特徴とする遊技機。
【０８３６】
特徴Ｉ１２によれば、遊技回動作の開始に伴って主制御装置から送信される実行期間情報が設定値を示す情報を含んでいる。この構成によれば、設定値の示唆（設定示唆）の可否を主制御装置にて指示することができ、主制御装置と比べて防御機能が低い表示制御装置が不正に操作される等して設定示唆が不正に実行されることを抑制できる。
【０８３７】
また、主制御装置から送信される実行期間情報が設定示唆のベースとなるため、設定値を示す情報を表示制御装置側にて記憶保持する必要がない。防御機能の低い表示制御装置にて設定値を記憶する必要がない構成とすることは、設定値を示す情報の流出を抑制する上で有利である。
【０８３８】
更には、主制御装置から定期的に送信される実行期間情報が設定値を示す情報を兼ねているため、設定値を示す情報を別途送信する構成と比較して、当該情報に狙いを定めて情報を不正に取得するといった行為を難しくすることができる。
【０８３９】
なお、以上詳述した特徴Ｉ群に特徴Ａ群〜特徴Ｈ群に示した各技術的思想を適用することも可能である。
【０８４０】
以下に、以上の各特徴を適用し得る遊技機の基本構成を示す。
【０８４１】
パチンコ遊技機：遊技者が操作する操作手段（遊技球発射ハンドル４１）と、その操作手段の操作に基づいて遊技球を発射する遊技球発射手段（遊技球発射機構１１０）と、その発射された遊技球を所定の遊技領域に導く球通路（誘導通路１０３）と、遊技領域（遊技領域ＰＥ）内に配置された各遊技部品（遊技釘３８等）とを備え、それら各遊技部品のうち所定の通過部（一般入賞口８１等）を遊技球が通過した場合に遊技者に特典を付与する遊技機。
【０８４２】
スロットマシン等の回胴式遊技機：複数の図柄からなる図柄列を変動表示した後に図柄列を最終停止表示する可変表示手段を備え、始動用操作手段の操作に起因して図柄の変動が開始され、停止用操作手段の操作に起因して又は所定時間経過することにより図柄の変動が停止され、その停止時の最終停止図柄が特定図柄であることを必要条件として遊技者に有利な特別遊技状態（ボーナスゲーム等）を発生させるようにした遊技機。
【０８４３】
球使用ベルト式遊技機：複数の図柄からなる図柄列を変動表示した後に図柄列を最終停止表示する可変表示手段を備え、始動用操作手段の操作に起因して図柄の変動が開始され、停止用操作手段の操作に起因して又は所定時間経過することにより図柄の変動が停止され、その停止時の最終停止図柄が特定図柄であることを必要条件として遊技者に有利な特別遊技状態（ボーナスゲーム等）を発生させるようにし、さらに、球受皿を設けてその球受皿から遊技球を取り込む投入処理を行う投入装置と、前記球受皿に遊技球の払出を行う払出装置とを備え、投入装置により遊技球が投入されることにより前記始動用操作手段の操作が有効となるように構成した遊技機。
【符号の説明】
【０８４４】
１０…遊技機としてのパチンコ機、１４…前扉枠、２９…スピーカ部、８０…遊技盤ユニット、８０ａ…遊技領域形成体、８１…一般入賞口、８２…可変入賞装置、８３ａ…上作動口、８３ｂ…下作動口、９１…電動役物、１４０…報知・演出制御装置、１６２…主制御装置、２５３…図柄表示装置、３９１ａ〜３９１ｆ…検知センサ、４０１…ＭＰＵ、４０３…ＲＯＭ、４０４…ＲＡＭ、４１０…表示制御装置、４４２…ＭＰＵ、５００…遊技情報表示装置、６００…監視装置、６０２…ＭＰＵ、６０３…情報取得部、６０４…記憶部、ＰＥ…遊技領域。
【図１】
2019063032.tif 000003
【図２】
2019063032.tif 000004
【図３】
2019063032.tif 000005
【図４】
2019063032.tif 000006
【図５】
2019063032.tif 000007
【図６】
2019063032.tif 000008
【図７】
2019063032.tif 000009
【図８】
2019063032.tif 000010
【図９】
2019063032.tif 000011
【図１０】
2019063032.tif 000012
【図１１】
2019063032.tif 000013
【図１２】
2019063032.tif 000014
【図１３】
2019063032.tif 000015
【図１４】
2019063032.tif 000016
【図１５】
2019063032.tif 000017
【図１６】
2019063032.tif 000018
【図１７】
2019063032.tif 000019
【図１８】
2019063032.tif 000020
【図１９】
2019063032.tif 000021
【図２０】
2019063032.tif 000022
【図２１】
2019063032.tif 000023
【図２２】
2019063032.tif 000024
【図２３】
2019063032.tif 000025
【図２４】
2019063032.tif 000026
【図２５】
2019063032.tif 000027
【図２６】
2019063032.tif 000028
【図２７】
2019063032.tif 000029
【図２８】
2019063032.tif 000030
【図２９】
2019063032.tif 000031
【図３０】
2019063032.tif 000032
【図３１】
2019063032.tif 000033
【図３２】
2019063032.tif 000034
【図３３】
2019063032.tif 000035
【図３４】
2019063032.tif 000036
【図３５】
2019063032.tif 000037
【図３６】
2019063032.tif 000038
【図３７】
2019063032.tif 000039
【図３８】
2019063032.tif 000040
【図３９】
2019063032.tif 000041
【図４０】
2019063032.tif 000042
【図４１】
2019063032.tif 000043
【図４２】
2019063032.tif 000044
【図４３】
2019063032.tif 000045
【図４４】
2019063032.tif 000046
【図４５】
2019063032.tif 000047
【図４６】
2019063032.tif 000048
【図４７】
2019063032.tif 000049
【図４８】
2019063032.tif 000050
【図４９】
2019063032.tif 000051
【図５０】
2019063032.tif 000052
【図５１】
2019063032.tif 000053
【図５２】
2019063032.tif 000054
【図５３】
2019063032.tif 000055
【図５４】
2019063032.tif 000056
【図５５】
2019063032.tif 000057
【図５６】
2019063032.tif 000058
【図５７】
2019063032.tif 000059
【図５８】
2019063032.tif 000060
【図５９】
2019063032.tif 000061
【図６０】
2019063032.tif 000062
【図６１】
2019063032.tif 000063
【図６２】
2019063032.tif 000064
【図６３】
2019063032.tif 000065
【図６４】
2019063032.tif 000066
【図６５】
2019063032.tif 000067